(57)【要約】【課題】蒸気凝縮液、特に呼気凝縮液を採取し分析する方法の提供。【解決手段】少量の蒸気凝縮液試料（例えば、一滴で１０ｆＬ（フェムトリットル）程度の体積の、対象からの呼気凝縮液（ＥＢＣ））を、スペーサを介して所定の間隔で保持される2枚のプレート間に採取し、採取された蒸気凝縮液試料の蒸発を防止するか又は著しく低減しながら、試料を携帯電話で画像化し、かつ画像領域内の分析物又は標識の数を計数する、何らかの専門的な技術のない人により、蒸気凝縮液、特に呼気凝縮液の採取及び分析を実行可能な方法。【選択図】図1
2020008594.tif 000002
【特許請求の範囲】
【請求項１】
蒸気凝縮液（ＶＣ）試料を採取しかつ分析するための装置であって、
採取プレートとカバープレートとを含み、
ｉ．前記プレートが、異なる構成になるように互いに対して移動可能であり、
ｉｉ．１つ又は両方のプレートが可撓性であり、
ｉｉｉ．前記プレートのそれぞれが、そのそれぞれの表面上に、分析物を含む蒸気凝縮液（ＶＣ）試料と接触するための試料接触領域を有し、
ｉｖ．前記プレートの１つ又は両方が、それぞれのプレートに固定されたスペーサを含み、前記スペーサが、所定の均一な高さ及び所定の一定のスペーサ間距離を有し、前記スペーサのうち少なくとも１つは、前記試料接触領域内にあり、
前記構成の１つは開放構成であり、ここでは、前記２つのプレートが完全に又は部分的に離され、前記プレート間の間隔が前記スペーサにより調節されず、前記ＶＣ試料が前記プレートの１つ又は両方に付着し、
前記構成のうちの別の構成は、開放構成でＶＣ試料が付着した後に構成された閉鎖構成であり、前記閉鎖構成では、ＶＣ試料の少なくとも一部が、２つのプレートの間にありかつ２つのプレートと接触し、スペーサ及びプレートの前記試料接触領域により調節されかつ変化が少ない３０μｍ以下の均一な厚さを有する、装置。
【請求項２】
前記プレートの１つ又は両方に塗布された乾燥試薬をさらに含む、請求項１に記載の装置。
【請求項３】
１つ又は両方のプレートにおいて、ある所定の領域を有する乾燥結合部位をさらに含み、前記乾燥結合部位が、前記試料中の前記分析物に結合し、それを固定化する、請求項１に記載の装置。
【請求項４】
１つ又は両方のプレートにおいて、放出可能な乾燥試薬と、前記放出可能な乾燥試薬が前記試料中に放出される時間を遅らせる放出時間制御材料とをさらに含む、請求項１に記載の装置。
【請求項５】
前記放出時間制御材料が、前記放出可能な乾燥試薬が試料に放出され始める時間を少なくとも３秒遅らせる、請求項４に記載の装置。
【請求項６】
１つ又は両方のプレートにおいて、１つ以上の乾燥結合部位、及び／又は１つ以上の試薬部位をさらに含む、請求項１に記載の装置。
【請求項７】
前記試料が、呼気凝縮液である、請求項１に記載の装置。
【請求項８】
前記試料が、生体試料、環境試料、化学試料又は臨床試料に由来する蒸気である、請求項１に記載の装置。
【請求項９】
前記分析物が、分子（例えば、タンパク質、ペプチド、ＤＮＡ、ＲＮＡ、核酸又はその他の分子）、細胞、組織、ウイルス又は異なる形状のナノ粒子を含む、請求項１に記載の装置。
【請求項１０】
前記分析物が、揮発性有機化合物（ＶＯＣ）を含む、請求項１に記載の装置。
【請求項１１】
前記分析物が、窒素、酸素、ＣＯ２、Ｈ２Ｏ又は不活性ガスを含む、請求項１に記載の装置。
【請求項１２】
前記分析物を染色するための染色剤を含む、請求項１に記載の装置。
【請求項１３】
前記試料が接触する表面のうち一方に、採取プレートに付着したＶＣ試料の一部又は全部を囲むエンクロージャースペーサをさらに含む、請求項１に記載の装置。
【請求項１４】
前記均一な厚さが０．５μｍ以下の値を有する、請求項１に記載の装置。
【請求項１５】
前記均一な厚さが０．５μｍ〜１μｍの範囲内の値を有する、請求項１に記載の装置。
【請求項１６】
前記均一な厚さが１μｍ〜２μｍの範囲内の値を有する、請求項１に記載の装置。
【請求項１７】
前記均一な厚さが２μｍ〜１０μｍの範囲内の値を有する、請求項１に記載の装置。
【請求項１８】
前記均一な厚さが１０μｍ〜２０μｍの範囲内の値を有する、請求項１に記載の装置。
【請求項１９】
前記均一な厚さが２０μｍ〜３０μｍの範囲内の値を有する、請求項１に記載の装置。
【請求項２０】
閉鎖構成におけるＶＣ試料の少なくとも一部の厚さが、開放構成における採取プレートに付着したＶＣ試料の厚さより大きい、請求項１に記載の装置。
【請求項２１】
閉鎖構成におけるＶＣ試料の少なくとも一部の厚さが、開放構成における採取プレートに付着したＶＣ試料の厚さより小さい、請求項１に記載の装置。
【請求項２２】
前記スペーサが、前記プレートを直接的にエンボス加工するか又は前記プレートを射出成形することにより、前記プレートに固定される、請求項１に記載の装置。
【請求項２３】
前記プレート及び前記スペーサの材料が、プラスチック類より選択される、請求項１に記載の装置。
【請求項２４】
前記スペーサ間の距離が、１μｍ〜２００μｍの範囲内である、請求項１に記載の装置。
【請求項２５】
前記スペーサ間の距離が、２００μｍ〜１０００μｍの範囲内である、請求項１に記載の装置。
【請求項２６】
前記ＶＣ試料が、ヒト又は動物に由来する呼気凝縮液である、請求項１に記載の装置。
【請求項２７】
均一な厚さの層を調節するスペーサが、少なくとも１％の充填率を有し、充填率が、前記均一な厚さの層と接触するスペーサ面積と、前記均一な厚さの層と接触する総プレート面積との比である、請求項１に記載の装置。
【請求項２８】
前記均一な厚さの層を調節するスペーサについて、スペーサのヤング率とスペーサの充填率との乗積が１０ＭＰａ以上であり、充填率が、前記均一な厚さの層と接触するスペーサ面積と、前記均一な厚さの層と接触する総プレート面積との比である、請求項１に記載の装置。
【請求項２９】
可撓性プレートについて、前記可撓性プレートの厚さと前記可撓性プレートのヤング率との乗積が、６０〜７５０ＧＰａ−μｍの範囲内にある、請求項１に記載の装置。
【請求項３０】
可撓性プレートについて、スペーサ間距離（ＩＳＤ）の４乗を可撓性プレートの厚さ（ｈ）及び可撓性プレートのヤング率（Ｅ）で割り算したＩＳＤ４／（ｈＥ）が、１０６μｍ３／ＧＰａ以下である、請求項１に記載の装置。
【請求項３１】
１つ又は両方のプレートが、前記プレートの表面又は内部のいずれか一方に位置し、前記プレートの位置情報を提供する位置マーカーを含む、請求項１に記載の装置。
【請求項３２】
１つ又は両方のプレートが、プレート表面又は内部のいずれか一方に位置し、試料及び／又はプレートの構造の横方向寸法の情報を提供するスケールマーカーを含む、請求項１に記載の装置。
【請求項３３】
１つ又は両方のプレートが、プレート表面又は内部のいずれか一方に位置し、試料の画像化を支援する画像化マーカーを含む、請求項１に記載の装置。
【請求項３４】
前記スペーサが、位置マーカー、スケールマーカー、画像化マーカー、又はそれらの任意の組み合わせとして機能する、請求項１に記載の装置。
【請求項３５】
前記均一な厚さの層の平均厚さが、試料中の分析物の最小寸法に等しい、請求項１に記載の装置。
【請求項３６】
前記スペーサ間の距離が、１μｍ〜５０μｍの範囲内である、請求項１に記載の装置。
【請求項３７】
前記スペーサ間の距離が、５０μｍ〜１２０μｍの範囲内である、請求項１に記載の装置。
【請求項３８】
前記スペーサ間の距離が、１２０μｍ〜２００μｍの範囲内である、請求項１に記載の装置。
【請求項３９】
前記スペーサ間距離が、一定であり周期的である、請求項１に記載の装置。
【請求項４０】
前記スペーサが、円形、多角形、環形、正方形、長方形、長円形、楕円形及びそれらの任意の組み合わせからなる群より選択される断面形状を有する柱である、請求項１に記載の装置。
【請求項４１】
前記スペーサが柱形状を有しかつ平坦な上面を有し、各スペーサについて、その高さに対するスペーサの横方向寸法の比が少なくとも１である、請求項１に記載の装置。
【請求項４２】
各スペーサについて、その高さに対するスペーサの横方向寸法の比が少なくとも１である、請求項１に記載の装置。
【請求項４３】
前記スペーサの最小の横方向寸法が、前記試料中の分析物の最小の寸法より小さいか、又は等しい、請求項１に記載の装置。
【請求項４４】
前記スペーサの最小の横方向寸法が、０．５μｍ〜１００μｍの範囲内である、請求項１に記載の装置。
【請求項４５】
前記スペーサの最小の横方向寸法が、０．５μｍ〜１０μｍの範囲内である、請求項１に記載の装置。
【請求項４６】
前記スペーサが、少なくとも１００／ｍｍ２の密度を有する、請求項１に記載の装置。
【請求項４７】
前記スペーサが、少なくとも１０００／ｍｍ２の密度を有する、請求項１に記載の装置。
【請求項４８】
前記プレートの少なくとも１つが、透明である、請求項１に記載の装置。
【請求項４９】
前記プレートの少なくとも１つが、可撓性ポリマーで製造される、請求項１に記載の装置。
【請求項５０】
プレートを圧縮する圧力について、スペーサが圧縮可能ではない、及び／又は独立してプレートの一方のみが可撓性である、請求項１に記載の装置。
【請求項５１】
前記可撓性プレートが、１０μｍ〜２００μｍの範囲内の厚さを有する、請求項１に記載の装置。
【請求項５２】
前記少ない変化が３０％未満である、請求項１に記載の装置。
【請求項５３】
前記少ない変化が１０％未満である、請求項１に記載の装置。
【請求項５４】
前記少ない変化が５％未満である、請求項１に記載の装置。
【請求項５５】
採取プレート及びカバープレートが接続され、かつプレートを折り畳むことにより、開放構成から閉鎖構成に変化するように構成される、請求項１に記載の装置。
【請求項５６】
採取プレート及びカバープレートがヒンジで接続され、かつ前記ヒンジに沿ってプレートを折り畳むことにより、開放構成から閉鎖構成に変化するように構成される、請求項１に記載の装置。
【請求項５７】
採取プレート及びカバープレートが、前記プレートとは別個の材料であるヒンジにより接続され、前記ヒンジに沿ってプレートを折り畳むことにより、開放構成から閉鎖構成に変化するように構成される、請求項１に記載の装置。
【請求項５８】
採取プレート及びカバープレートが、単一の材料片で製造され、プレートを折り畳むことにより、開放構成から閉鎖構成に変化するように構成される、請求項１に記載の装置。
【請求項５９】
前記均一な厚さの試料の層が、少なくとも１００μｍ２の横方向の領域にわたって均一である、請求項１に記載の装置。
【請求項６０】
前記均一な厚さの試料の層が、少なくとも１ｍｍ２の横方向の領域にわたって均一である、請求項１に記載の装置。
【請求項６１】
前記試料を分析するように構成され、６０秒以下で前記分析を実行するように構成される、請求項１に記載の装置。
【請求項６２】
前記試料を分析するように構成される、請求項１に記載の装置であって、前記閉鎖構成で、前記装置によって形成される前記最終的な試料厚さが、６０秒以下で前記試料を分析するように設定される、前記装置。
【請求項６３】
前記プレートの１つ又は両方に、分析物又は前記分析物の標識が増幅部位から５００ｎｍ以内にある時に、それぞれ分析物又は標識からの信号を増幅できる１つ以上の増幅部位をさらに含む、請求項１に記載の装置。
【請求項６４】
前記閉鎖構成では、前記最終的な試料厚さ装置が、１０秒以下で前記試料を分析するように構成される、請求項１に記載の装置。
【請求項６５】
前記乾燥結合部位が捕捉剤を含む、請求項３に記載の装置。
【請求項６６】
前記乾燥結合部位が抗体又は核酸を含む、請求項３に記載の装置。
【請求項６７】
前記放出可能な乾燥試薬が、標識された試薬である、請求項４に記載の装置。
【請求項６８】
前記放出可能な乾燥試薬が、蛍光標識された試薬である、請求項４に記載の装置。
【請求項６９】
前記放出可能な乾燥試薬が、蛍光標識された抗体である、請求項４に記載の装置。
【請求項７０】
前記採取プレート又はカバープレートが、その表面に、第１の所定のアッセイ部位及び第２の所定のアッセイ部位をさらに含み、前記プレートが閉鎖位置にある時に、前記第１の所定のアッセイ部位の縁部と前記第２の所定のアッセイ部位の縁部との間の距離が、前記均一な厚さの層の厚さよりも大きく、前記均一な厚さの層の少なくとも一部が、前記所定のアッセイ部位の上にあり、前記試料が、前記試料で拡散できる１つ以上の分析物を有する、請求項１に記載の装置。
【請求項７１】
前記採取プレート又はカバープレートが、その表面に、少なくとも３つの分析物アッセイ部位を有し、前記プレートが閉鎖位置にある時、任意の２つの隣接したアッセイ部位の縁部間の距離が、前記均一な厚さの層の厚さよりも大きく、前記均一な厚さの層の少なくとも一部が、前記アッセイ部位の上にあり、前記試料が、前記試料中で拡散できる１つ以上の分析物を有する、請求項１に記載の装置。
【請求項７２】
前記プレートが閉鎖位置にある時、前記採取プレート又はカバープレートが、その表面に、前記均一な厚さの層の厚さよりも大きい距離により離されない少なくとも２つの隣接した分析物アッセイ部位を有し、前記均一な厚さの層の少なくとも一部が、前記アッセイ部位の上にあり、前記試料は、前記試料中で拡散できる１つ以上の分析物を有する、請求項１に記載の装置。
【請求項７３】
前記放出可能な乾燥試薬が、細胞染色剤である、請求項４に記載の装置。
【請求項７４】
光信号を検出するための光検出器である検出器をさらに含む、請求項１に記載の装置。
【請求項７５】
電気的信号を検出するための電気的検出器である検出器をさらに含む、請求項１に記載の装置。
【請求項７６】
移動通信装置を用いて蒸気凝縮液試料を迅速に分析するためのシステムであって、
（ａ）請求項１に記載の装置と；
（ｂ）
ｉ．信号を検出及び／又は蒸気凝縮液試料を画像化するための１つ以上のカメラ、並びに
ｉｉ．検出された信号及び／又は蒸気凝縮液試料の画像を受信及び／又は処理し、遠隔通信するための、電子機器、信号プロセッサ、ハードウェア及びソフトウェア
を含む移動通信装置と
を含む、システム。
【請求項７７】
移動通信装置又は外部源のいずれか一方からの光源をさらに含む、請求項７６に記載のシステム。
【請求項７８】
前記プレートのうち一方が、分析物に結合する結合部位を有し、前記均一な試料厚さの層の少なくとも一部が、前記結合部位の上にあり、前記結合部位の平均横方向線形寸法よりも小さい、請求項７６に記載のシステム。
【請求項７９】
（ｄ）試料を保持し、前記移動通信装置に搭載されるように構成されたハウジング
をさらに含む、請求項７６に記載のシステム。
【請求項８０】
前記ハウジングが、前記移動通信装置による、前記試料の画像化及び／又は信号処理を容易にする光学素子と、前記光学素子を前記移動通信装置に保持するように構成されたマウントとを含む、請求項７９に記載のシステム。
【請求項８１】
前記ハウジング内の前記光学素子の１つの素子が、ハウジングに対して移動可能である、請求項７９に記載のシステム。
【請求項８２】
前記移動通信装置が、医療専門家、医療機関又は保険会社に、検査結果を伝達するように構成される、請求項７６に記載のシステム。
【請求項８３】
前記移動通信装置が、医療専門家、医療機関又は保険会社に、検査及び対象に関する情報を伝達するようにさらに構成される、請求項７６に記載のシステム。
【請求項８４】
前記移動通信装置が、検査の情報をクラウドネットワークに伝達するようにさらに構成され、かつ前記クラウドネットワークが、前記情報を処理して検査結果を改善するように構成される、請求項７６に記載のシステム。
【請求項８５】
前記移動通信装置が、試験及び対象の情報をクラウドネットワークに伝達するようにさらに構成され、かつ前記クラウドネットワークが、前記情報を処理して試験結果を改善するように構成され、改善された試験結果が対象に返信される、請求項７６に記載のシステム。
【請求項８６】
前記移動通信装置が、医療専門家から処方、診断又は勧告を受信するように構成される、請求項７６に記載のシステム。
【請求項８７】
前記移動通信装置が、
（ａ）前記試料の画像をキャプチャし；
（ｂ）前記画像内の検査位置及び対照位置を分析し；かつ
（ｃ）前記検査位置の分析から取得された値と迅速診断検査を特徴付ける閾値とを比較する
ハードウェア及びソフトウェアを含む、請求項７６に記載のシステム。
【請求項８８】
前記プレートの少なくとも１つが、アッセイ試薬が貯蔵された貯蔵部位を含む、請求項７６に記載のシステム。
【請求項８９】
前記カメラの少なくとも１つが、前記装置からの信号を読み取る、請求項７６に記載のシステム。
【請求項９０】
前記移動通信装置が、ＷｉＦｉ又はセルラネットワークを介して、前記遠隔地と通信する、請求項７６に記載のシステム。
【請求項９１】
前記移動通信装置が、携帯電話である、請求項７６に記載のシステム。
【請求項９２】
携帯電話を用いて試料中の分析物を迅速に分析するための方法であって、
（ａ）請求項１に記載の装置に試料を付着させるステップと；
（ｂ）前記装置に付着した試料中の分析物をアッセイして、結果を生成するステップと；
（ｃ）移動通信装置からの結果を移動通信装置の遠隔地に伝達するステップと
を含む、方法。
【請求項９３】
前記分析物が、分子（例えば、タンパク質、ペプチド、ＤＮＡ、ＲＮＡ、核酸又はその他の分子）、細胞、組織、ウイルス又は異なる形状のナノ粒子を含む、請求項９２に記載の方法。
【請求項９４】
前記分析物が、白血球、赤血球及び血小板を含む、請求項９２に記載の方法。
【請求項９５】
前記遠隔地での結果を分析して、分析結果を提供するステップと、
前記遠隔地からの前記分析結果を前記移動通信装置に伝達するステップと
を含む、請求項９２に記載の方法。
【請求項９６】
前記分析が、遠隔地の医療専門家によって行われる、請求項９５に記載の方法。
【請求項９７】
前記移動通信装置が、前記遠隔地の医療専門家から処方、診断又は勧告を受信する、請求項９２に記載の方法。
【請求項９８】
閉鎖構成におけるＶＣ試料の少なくとも一部の厚さが、開放構成における採取プレートに付着したＶＣ試料の厚さより大きい、請求項９２に記載の方法。
【請求項９９】
閉鎖構成におけるＶＣ試料の少なくとも一部の厚さが、開放構成における採取プレートに付着したＶＣ試料の厚さより小さい、請求項９２に記載の方法。
【請求項１００】
前記アッセイステップが、前記試料中の前記分析物を検出する段階を含む、請求項９２に記載の方法。
【請求項１０１】
前記分析物が、バイオマーカーである、請求項９２に記載の方法。
【請求項１０２】
前記分析物が、タンパク質、核酸、細胞又は代謝産物である、請求項９２に記載の方法。
【請求項１０３】
ステップ（ｂ）におけるアッセイが、結合アッセイ又は生化学的アッセイである、請求項９２に記載の方法。
【請求項１０４】
蒸気凝縮液試料中の分析物を分析するための方法であって、
請求項１に記載の装置を取得するステップと、
蒸気凝縮液試料を装置の１つ又は両方のプレートに付着させるステップと、
前記プレートを閉鎖構成に配置し、前記プレートの少なくとも一部の上に外からの力を加えるステップと、
前記プレートが閉鎖構成にある時に、均一な厚さの層内の分析物を分析するステップと
を含む、方法。
【請求項１０５】
（ａ）試料を取得するステップと；
（ｂ）請求項１に記載の装置を取得するステップであって、
スペーサが、
ｉ．均一な断面及び平坦な上面を有する柱形状と、
ｉｉ．１以上の、高さに対する幅の比と、
ｉｉｉ．１０μｍ〜２００μｍの範囲内の所定の一定のスペーサ間の距離と、
ｉｖ．１％以上の充填率と、を有する、ステップと；
（ｃ）プレートが開放構成に構成されている時に、プレートのうちの１つ又は両方に試料を付着させるステップと；
（ｄ）（ｃ）の後に、２つのプレートを用いて、試料の少なくとも一部を、１０％より小さい変化で３０μｍ以下の平均値を有する均一な厚さの層へと圧縮するステップであって、
前記圧縮ステップが以下の段階：
２つのプレートを一緒に合わせる段階
閉鎖構成へとプレートを一緒にプレスするように、並行して又は順次のいずれかで、少なくとも１つのプレートのある領域を適切に押す段階を含み、前記適切に押す段階が、前記試料の少なくとも一部の上方に位置するプレートに均一な圧力を生成し、前記圧力が、前記試料の少なくとも一部をプレートの試料接触面の間に横方向に広げ、前記閉鎖構成は、前記均一な厚さの領域の層内のプレート間の間隔がスペーサにより調節される構成である、ステップと；
（ｅ）プレートが閉鎖構成にある時に、均一な厚さの層内の分析物を分析するステップと
を含み、
前記充填率が、総プレート面積に対するスペーサ接触面積の比であり、
前記適切に押す段階が、前記プレートの外面の形状の違いに関わらず、ある領域に加えた圧力を一定にする方法であり、
前記並行して押す段階が、同時に所望の領域に圧力を加え、前記順次押す段階が、所定の領域の一部に圧力を加え、かつ徐々に他の領域に移行する、
蒸気凝縮液試料中の分析物を分析するための方法。
【請求項１０６】
プレートが閉鎖構成になった後に、外からの力を除去するステップと、
プレートが閉鎖構成にある時に、均一な厚さの層内の前記分析物を画像化するステップと、
画像の領域内の分析物又は標識を計数するステップと
をさらに含む、請求項１０４に記載の方法。
【請求項１０７】
プレートが閉鎖構成になった後に、外からの力を除去するステップと、プレートが閉鎖構成にある時に、均一な厚さの層内の光信号を測定するステップとを含む、請求項１０４に記載の方法。
【請求項１０８】
前記スペーサ間距離が、２０μｍ〜２００μｍの範囲内である、請求項１０５に記載の方法。
【請求項１０９】
前記スペーサ間距離が、５μｍ〜２０μｍの範囲内である、請求項１０５に記載の方法。
【請求項１１０】
前記スペーサの充填率とヤング率の積が２ＭＰａ以上である、請求項１０５に記載の方法。
【請求項１１１】
前記試料の前記厚さにおける前記変化が５０ｎｍより小さい、請求項１０５に記載の方法。
【請求項１１２】
所定の貯蔵部位により画定された試料の関連体積、閉鎖構成での均一な厚さの層の厚さ、及び検出された標的実体の量に基づいて、試料の関連体積中の分析物の濃度を計算するステップをさらに含む、請求項１０５に記載の方法。
【請求項１１３】
前記分析ステップが、前記試料中の分析物を計数する段階を含む、請求項１０５に記載の方法。
【請求項１１４】
画像化ステップと前記計数ステップが、
ｉ．前記均一な厚さの層内の細胞を照射する段階、
ｉｉ．ＣＣＤ又はＣＭＯＳセンサを用いて細胞の１つ以上の画像を撮像する段階、
ｉｉｉ．コンピュータを用いて前記1つ以上の画像のうちのある画像内の細胞を識別する段階、及び
ｉｖ．前記画像のある領域内の細胞を計数する段階
により行われる、請求項１１３に記載の方法。
【請求項１１５】
前記外からの力が、ヒトの手により提供される、請求項１０４に記載の方法。
【請求項１１６】
前記装置が、１つ又は両方のプレートに塗布された乾燥試薬をさらに含む、請求項１０５に記載の方法。
【請求項１１７】
前記均一な厚さの試料の層が、±５％までの厚さの均一性を有する、請求項１０５に記載の方法。
【請求項１１８】
前記スペーサが、円形、多角形、環形、正方形、長方形、長円形、楕円形又はそれらの任意の組み合わせから選択される断面形状を有する柱である、請求項１０５に記載の方法。
【請求項１１９】
前記スペーサ間距離が、ほぼ１つの分析物の最小の寸法である、請求項１０５に記載の方法。
【請求項１２０】
１つ又は両方のプレート試料接触表面が、分析物又は標識が１つの増幅部位から５００ｎｍ以内にある時に、それぞれ分析物又は分析物の標識からの信号を増幅できる１つ以上の増幅部位を含む、請求項１０５に記載の方法。
【請求項１２１】
前記試料が、呼気凝縮液である、請求項１０５に記載の方法。
【請求項１２２】
前記試料が、生体試料、環境試料、化学試料又は臨床試料に由来する蒸気である、請求項１０５に記載の方法。
【請求項１２３】
前記分析物が、分子（例えば、タンパク質、ペプチド、ＤＮＡ、ＲＮＡ、核酸又はその他の分子）、細胞、組織、ウイルス及び異なる形状のナノ粒子を含む、請求項１０５に記載の方法。
【請求項１２４】
前記分析物が、揮発性有機化合物（ＶＯＣ）を含む、請求項１０５に記載の方法。
【請求項１２５】
前記分析物が、窒素、酸素、ＣＯ２、Ｈ２Ｏ及び不活性ガスを含む、請求項１０５に記載の方法。
【請求項１２６】
前記分析物が染色される、請求項１０５に記載の方法。
【請求項１２７】
１つの前記試料表面上に、採取プレートに付着したＶＣ試料の一部又は全部を囲むエンクロージャースペーサをさらに含む、請求項１０５に記載の方法。
【請求項１２８】
前記均一な厚さが０．５μｍ以下の値を有する、請求項１０５に記載の方法。
【請求項１２９】
前記均一な厚さが０．５μｍ〜１μｍの範囲内の値を有する、請求項１０５に記載の方法。
【請求項１３０】
前記均一な厚さが１μｍ〜２μｍの範囲内の値を有する、請求項１０５に記載の方法。
【請求項１３１】
前記均一な厚さが２μｍ〜１０μｍの範囲内の値を有する、請求項１０５に記載の方法。
【請求項１３２】
前記均一な厚さが１０μｍ〜２０μｍの範囲内の値を有する、請求項１０５に記載の方法。
【請求項１３３】
前記均一な厚さが２０μｍ〜３０μｍの範囲内の値を有する、請求項１０５に記載の方法。
【発明の詳細な説明】
【技術分野】
【０００１】
相互参照
本願は、２０１５年９月１４日出願の米国仮出願第６２／２１８，４５５号、２０１６年２月９日出願の第６２／２９３，１８８号、２０１６年３月８日出願の第６２／３０５，１２３号、２０１６年７月３１日出願の第６２／３６９号の利益を主張し、また、２０１６年８月２０日出願のＰＣＴ出願第ＰＣＴ／ＵＳ１６／４６４３７号の優先権を主張し、該ＰＣＴ出願は、２０１５年８月１０日出願の第６２／２０２，９８９号、２０１５年９月１４日出願の第６２／２１８，４５５号、２０１６年２月９日出願の第６２／２９３，１８８号、２０１６年３月８日出願の米国仮出願第６２／３０５１２３号、７月３１日出願の第６２／３６９，１８１号の優先権を主張し、全ての出願が、あらゆる目的のために全体で本明細書に組み込まれる。
【０００２】
技術分野
本発明は、生化学的／化学的サンプリング、検知、アッセイ及び応用の分野に関する。
【背景技術】
【０００３】
背景
多くの生化学的／化学的蒸気凝縮液試料、特に呼気凝縮液（ＥＢＣ）の分析において、試料採取及び測定プロセスを簡略化し、プロセス（例えば、試薬の結合、混合など）を加速し、パラメータ（例えば、分析物濃度、試料体積など）を定量化し、小体積の試料を処理することができ、アッセイ全過程を１分未満で実行可能にし、スマートフォン（例えば、携帯電話）でアッセイを実行可能にし、非専門者が自分でアッセイすることを実行可能にし、検査結果をローカル、遠隔、又はワイヤレスで異なる関係者に通信可能にする、方法及び装置を必要とする。本発明は、これらの需要に対処する方法、装置、及びシステムに関する。
【発明の概要】
【０００４】
以下の概要は、本発明の全ての特徴及び態様を含むことを意図するものではない。本発明は、生化学的／化学的検知、アッセイ及び応用の分野に関する。特に、本発明は、少量の蒸気凝縮液試料（例えば、一滴で１０ｆＬ（フェムトリットル）程度の体積の、対象からの呼気凝縮液（ＥＢＣ））を採取し、採取された蒸気凝縮液試料の蒸発を防止するか又は著しく低減し、試料を分析し、試料を携帯電話で分析し、かつ何ら専門的な技術のない人によりそのような採取及び分析を実行することに関する。
[本発明1001]
蒸気凝縮液（ＶＣ）試料を採取しかつ分析するための装置であって、
採取プレートとカバープレートとを含み、
ｖ．前記プレートが、異なる構成になるように互いに対して移動可能であり、
ｖｉ．1つ又は両方のプレートが可撓性であり、
ｖｉｉ．前記プレートのそれぞれが、そのそれぞれの表面上に、分析物を含む蒸気凝縮液（ＶＣ）試料と接触するための試料接触領域を有し、
ｖｉｉｉ．前記プレートの1つ又は両方が、それぞれのプレートに固定されたスペーサを含み、前記スペーサが、所定の実質的に均一な高さ及び所定の一定のスペーサ間距離を有し、前記スペーサのうち少なくとも1つは、前記試料接触領域内にあり、
前記構成の1つは開放構成であり、ここでは、前記2つのプレートが完全に又は部分的に離され、前記プレート間の間隔が前記スペーサにより調節されず、前記ＶＣ試料が前記プレートの1つ又は両方に付着し、
前記構成のうちの別の構成は、開放構成でＶＣ試料が付着した後に構成された閉鎖構成であり、前記閉鎖構成では、ＶＣ試料の少なくとも一部が、2つのプレートの間にありかつ2つのプレートと接触し、スペーサ及びプレートの2つの試料表面により調節されかつ変化が少ない30μｍ以下の非常に均一な厚さを有する、装置。
[本発明1002]
前記プレートの1つ又は両方に塗布された乾燥試薬をさらに含む、本発明1001の装置。
[本発明1003]
1つ又は両方のプレートにおいて、ある所定の領域を有する乾燥結合部位をさらに含み、前記乾燥結合部位が、前記試料中の分析物に結合し、それを固定化する、前記本発明のいずれかの装置。
[本発明1004]
1つ又は両方のプレートにおいて、放出可能な乾燥試薬と、前記放出可能な乾燥試薬が前記試料中に放出される時間を遅らせる放出時間制御材料とをさらに含む、前記本発明のいずれかの装置。
[本発明1005]
前記放出時間制御材料が、乾燥試薬が試料に放出され始める時間を少なくとも3秒遅らせる、本発明1004の装置。
[本発明1006]
1つ又は両方のプレートにおいて、1つ以上の乾燥結合部位、及び／又は1つ以上の試薬部位をさらに含む、前記本発明のいずれかの装置。
[本発明1007]
前記試料が、呼気凝縮液である、前記本発明のいずれかの装置。
[本発明1008]
前記試料が、生体試料、環境試料、化学試料又は臨床試料に由来する蒸気である、前記本発明のいずれかの装置。
[本発明1009]
前記分析物が、分子（例えば、タンパク質、ペプチド、ＤＮＡ、ＲＮＡ、核酸又はその他の分子）、細胞、組織、ウイルス及び異なる形状のナノ粒子を含む、前記装置発明のいずれかの装置。
[本発明1010]
前記分析物が、揮発性有機化合物（ＶＯＣ）を含む、前記装置発明のいずれかの装置。
[本発明1011]
前記分析物が、窒素、酸素、ＣＯ2、Ｈ2Ｏ及び不活性ガスを含む、前記装置発明のいずれかの装置。
[本発明1012]
前記分析物が染色される、前記装置発明のいずれかの装置。
[本発明1013]
前記試料表面のうち一方に、採取プレートに付着したＶＣ試料の一部又は全部を囲むエンクロージャースペーサをさらに含む、前記本発明のいずれかの装置。
[本発明1014]
前記非常に均一な厚さが0．5μｍ以下の値を有する、前記本発明のいずれかの装置。
[本発明1015]
前記非常に均一な厚さが0．5μｍ〜1μｍの範囲内の値を有する、前記本発明のいずれかの装置。
[本発明1016]
前記非常に均一な厚さが1μｍ〜2μｍの範囲内の値を有する、前記本発明のいずれかの装置。
[本発明1017]
前記非常に均一な厚さが2μｍ〜10μｍの範囲内の値を有する、前記本発明のいずれかの装置。
[本発明1018]
前記非常に均一な厚さが10μｍ〜20μｍの範囲内の値を有する、前記本発明のいずれかの装置。
[本発明1019]
前記非常に均一な厚さが20μｍ〜30μｍの範囲内の値を有する、前記本発明のいずれかの装置。
[本発明1020]
閉鎖構成におけるＶＣ試料の少なくとも一部の厚さが、開放構成における採取プレートに付着したＶＣ試料の厚さより大きい、前記本発明のいずれかの装置。
[本発明1021]
閉鎖構成におけるＶＣ試料の少なくとも一部の厚さが、開放構成における採取プレートに付着したＶＣ試料の厚さより小さい、前記本発明のいずれかの装置。
[本発明1022]
前記間隔が、前記プレートを直接的にエンボス加工するか又は前記プレートを射出成形することにより、プレートに固定される、前記装置発明のいずれかの装置。
[本発明1023]
前記プレート及び前記スペーサの材料が、ポリスチレン、ＰＭＭＡ、ＰＣ、ＣＯＣ、ＣＯＰ又は他種のプラスチックから選択される、前記装置発明のいずれかの装置。
[本発明1024]
前記スペーサ間間隔が、1μｍ〜200μｍの範囲内である、前記本発明のいずれかの装置。
[本発明1025]
前記スペーサ間間隔が、200μｍ〜1000μｍの範囲内である、前記本発明のいずれかの装置。
[本発明1026]
前記ＶＣ試料が、ヒト又は動物に由来する呼気凝縮液である、前記本発明のいずれかの装置。
[本発明1027]
均一な厚さの層を調節するスペーサが、少なくとも1％の充填率を有し、充填率が、均一な厚さの層と接触するスペーサ面積と、均一な厚さの層と接触する総プレート面積との比である、前記本発明のいずれかの装置。
[本発明1028]
均一な厚さの層を調節するスペーサについて、スペーサのヤング率とスペーサの充填率との乗積が10ＭＰａ以上であり、充填率が、均一な厚さの層と接触するスペーサ面積と、均一な厚さの層と接触する総プレート面積との比である、前記本発明のいずれかの装置。
[本発明1029]
可撓性プレートについて、前記可撓性プレートの厚さと前記可撓性プレートのヤング率との乗積が、60〜750ＧＰａ−μｍの範囲内にある、前記本発明のいずれかの装置。
[本発明1030]
可撓性プレートについて、スペーサ間距離（ＩＳＤ）の4乗を可撓性プレートの厚さ（ｈ）及び可撓性プレートのヤング率（Ｅ）で割り算したＩＳＤ4／（ｈＥ）が、106μｍ3／ＧＰａ以下である、前記本発明のいずれかの装置。
[本発明1031]
1つ又は両方のプレートが、前記プレートの表面又は内部のいずれか一方に位置し、前記プレートの位置情報を提供する位置マーカーを含む、前記本発明のいずれかの装置。
[本発明1032]
1つ又は両方のプレートが、プレート表面又は内部のいずれか一方に位置し、試料及び／又はプレートの構造の横方向寸法の情報を提供するスケールマーカーを含む、前記本発明のいずれかの装置。
[本発明1033]
1つ又は両方のプレートが、プレート表面又は内部のいずれか一方に位置し、試料の画像化を支援する画像化マーカーを含む、前記本発明のいずれかの装置。
[本発明1034]
前記スペーサが、位置マーカー、スケールマーカー、画像化マーカー、又はそれらの任意の組み合わせとして機能する、前記本発明のいずれかの装置。
[本発明1035]
前記均一な厚さの層の平均厚さが、試料中の分析物の最小寸法にほぼ等しい、前記本発明のいずれかの装置。
[本発明1036]
前記スペーサ間の距離が、1μｍ〜50μｍの範囲内である、前記本発明のいずれかの装置。
[本発明1037]
前記スペーサ間の距離が、50μｍ〜120μｍの範囲内である、前記本発明のいずれかの装置。
[本発明1038]
前記スペーサ間の距離が、120μｍ〜200μｍの範囲内である、前記本発明のいずれかの装置。
[本発明1039]
前記スペーサ間距離が、実質的に周期的である、前記本発明のいずれかの装置。
[本発明1040]
前記スペーサが、円形、多角形、環形、正方形、長方形、長円形、楕円形又はそれらの任意の組み合わせから選択される断面形状を有する柱である、前記本発明のいずれかの装置。
[本発明1041]
前記スペーサが柱形状を有しかつ実質的に平坦な上面を有し、各スペーサについて、その高さに対するスペーサの横方向寸法の比が少なくとも1である、前記本発明のいずれかの装置。
[本発明1042]
各スペーサが、
少なくとも1である、その高さに対するスペーサの横方向寸法の比
を有する、前記本発明のいずれかの装置。
[本発明1043]
スペーサの最小の横方向寸法が、前記試料中の分析物の最小の寸法より小さいか、又は実質的に等しい、前記本発明のいずれかの装置。
[本発明1044]
スペーサの最小の横方向寸法が、0．5μｍ〜100μｍの範囲内である、前記本発明のいずれかの装置。
[本発明1045]
スペーサの最小の横方向寸法が、0．5μｍ〜10μｍの範囲内である、前記本発明のいずれかの装置。
[本発明1046]
前記スペーサが、少なくとも100／ｍｍ2の密度を有する、前記本発明のいずれかの装置。
[本発明1047]
前記スペーサが、少なくとも1000／ｍｍ2の密度を有する、前記本発明のいずれかの装置。
[本発明1048]
前記プレートの少なくとも1つが、透明である、前記本発明のいずれかの装置。
[本発明1049]
前記プレートの少なくとも1つが、可撓性ポリマーで製造される、前記本発明のいずれかの装置。
[本発明1050]
プレートを圧縮する圧力について、スペーサが圧縮可能ではない、及び／又は独立してプレートの一方のみが可撓性である、前記本発明のいずれかの装置。
[本発明1051]
前記可撓性プレートが、10μｍ〜200μｍの範囲内の厚さを有する、前記本発明のいずれかの装置。
[本発明1052]
前記変化が30％未満である、前記本発明のいずれかの装置。
[本発明1053]
前記変化が10％未満である、前記本発明のいずれかの装置。
[本発明1054]
前記変化が5％未満である、前記本発明のいずれかの装置。
[本発明1055]
第1のプレート及び第2のプレートが接続され、かつプレートを折り畳むことにより、開放構成から閉鎖構成に変化するように構成される、前記本発明のいずれかの装置。
[本発明1056]
第1のプレート及び第2のプレートがヒンジで接続され、かつ前記ヒンジに沿ってプレートを折り畳むことにより、開放構成から閉鎖構成に変化するように構成される、前記本発明のいずれかの装置。
[本発明1057]
第1のプレート及び第2のプレートが、前記プレートとは別個の材料であるヒンジにより接続され、前記ヒンジに沿ってプレートを折り畳むことにより、開放構成から閉鎖構成に変化するように構成される、前記本発明のいずれかの装置。
[本発明1058]
第1のプレート及び第2のプレートが、単一の材料片で製造され、プレートを折り畳むことにより、開放構成から閉鎖構成に変化するように構成される、前記本発明のいずれかの装置。
[本発明1059]
均一な厚さの試料層が、少なくとも100μｍ2の横方向の領域にわたって均一である、前記本発明のいずれかの装置。
[本発明1060]
均一な厚さの試料層が、少なくとも1ｍｍ2の横方向の領域にわたって均一である、前記本発明のいずれかの装置。
[本発明1061]
60秒以下で前記試料を分析するように構成される、前記本発明のいずれかの装置。
[本発明1062]
前記閉鎖構成で、前記最終的な試料厚さ装置が、60秒以下で前記試料を分析するように構成される、前記本発明のいずれかの装置。
[本発明1063]
前記プレートの1つ又は両方に、分析物又は前記分析物の標識が増幅部位から500ｎｍ以内にある時に、それぞれ分析物又は標識からの信号を増幅できる1つ以上の増幅部位をさらに含む、前記本発明のいずれかの装置。
[本発明1064]
前記閉鎖構成では、前記最終的な試料厚さ装置が、10秒以下で前記試料を分析するように構成される、前記本発明のいずれかの装置。
[本発明1065]
前記乾燥結合部位が捕捉剤を含む、前記本発明のいずれかの装置。
[本発明1066]
前記乾燥結合部位が抗体又は核酸を含む、前記本発明のいずれかの装置。
[本発明1067]
前記放出可能な乾燥試薬が、標識された試薬である、前記本発明のいずれかの装置。
[本発明1068]
前記放出可能な乾燥試薬が、蛍光標識された試薬である、前記本発明のいずれかの装置。
[本発明1069]
前記放出可能な乾燥試薬が、蛍光標識された抗体である、前記本発明のいずれかの装置。
[本発明1070]
前記第1のプレートが、その表面に、第1の所定のアッセイ部位及び第2の所定のアッセイ部位をさらに含み、前記プレートが閉鎖位置にある時に、前記アッセイ部位の縁部間の距離が、前記均一な厚さの層の厚さよりも実質的に大きく、前記均一な厚さの層の少なくとも一部が、前記所定のアッセイ部位にあり、前記試料が、前記試料で拡散できる1つ以上の分析物を有する、前記本発明のいずれかの装置。
[本発明1071]
前記第1のプレートが、その表面に、少なくとも3つの分析物アッセイ部位を有し、前記プレートが閉鎖位置にある時、任意の2つの隣接したアッセイ部位の縁部間の距離が、前記均一な厚さの層の厚さよりも実質的に大きく、前記均一な厚さの層の少なくとも一部が、前記アッセイ部位の上にあり、前記試料が、前記試料中で拡散できる1つ以上の分析物を有する、前記本発明のいずれかの装置。
[本発明1072]
前記プレートが閉鎖位置にある時、前記第1のプレートが、その表面に、均一な厚さの層の厚さよりも実質的に大きい距離により離されない少なくとも2つの隣接した分析物アッセイ部位を有し、前記均一な厚さの層の少なくとも一部が、前記アッセイ部位の上にあり、前記試料は、前記試料中で拡散できる1つ以上の分析物を有する、前記本発明のいずれかの装置。
[本発明1073]
前記放出可能な乾燥試薬が、細胞染色剤である、前記本発明のいずれかの装置。
[本発明1074]
光信号を検出するための光検出器である検出器をさらに含む、前記本発明のいずれかの装置。
[本発明1075]
電気信号を検出するための電気的検出器である検出器をさらに含む、前記本発明のいずれかの装置。
[本発明1076]
携帯電話を用いて蒸気凝縮液試料を迅速に分析するためのシステムであって、
（ａ）前記本発明のいずれかの装置と；
（ｂ）
ｉ．蒸気凝縮液試料を検出及び／又は画像化するための1つ以上のカメラ、並びに
ｉｉ．検出された信号及び／又は蒸気凝縮液試料の画像を受信及び／又は処理し、遠隔通信するための、電子機器、信号プロセッサ、ハードウェア及びソフトウェア
を含む移動通信装置と
を含む、システム。
[本発明1077]
移動通信装置又は外部源のいずれか一方からの光源をさらに含む、前記システム発明のいずれかのシステム。
[本発明1078]
前記プレートのうち一方が、分析物に結合する結合部位を有し、前記均一な試料厚さの層の少なくとも一部が、前記結合部位の上にあり、前記結合部位の平均横方向線形寸法よりも実質的に小さい、前記システム発明のいずれかのシステム。
[本発明1079]
（ｄ）試料を保持し、前記移動通信装置に搭載されるように構成されたハウジング
をさらに含む、前記システム発明のいずれかのシステム。
[本発明1080]
前記ハウジングが、前記移動通信装置による、前記試料の画像化及び／又は信号処理を容易にする光学素子と、前記光学素子を前記移動通信装置に保持するように構成されたマウントとを含む、前記システム発明のいずれかのシステム。
[本発明1081]
前記ハウジング内の前記光学素子の1つの素子が、ハウジングに対して移動可能である、前記システム発明のいずれかのシステム。
[本発明1082]
前記移動通信装置が、医療専門家、医療機関又は保険会社に、検査結果を伝達するように構成される、前記システム発明のいずれかのシステム。
[本発明1083]
前記移動通信装置が、医療専門家、医療機関又は保険会社に、検査及び対象に関する情報を伝達するようにさらに構成される、前記システム発明のいずれかのシステム。
[本発明1084]
前記移動通信装置が、検査の情報をクラウドネットワークに伝達するように、かつ前記クラウドネットワークが、前記情報を処理して検査結果を洗練するようにさらに構成される、前記システム発明のいずれかのシステム。
[本発明1085]
前記移動通信装置が、試験及び対象の情報をクラウドネットワークに伝達するように、かつ前記クラウドネットワークが、前記情報を処理して試験結果を洗練し、洗練された試験結果を対象に返信するようにさらに構成される、前記システム発明のいずれかのシステム。
[本発明1086]
前記移動通信装置が、医療専門家から処方、診断又は勧告を受信するように構成される、前記システム発明のいずれかのシステム。
[本発明1087]
前記移動通信装置が、
（ａ）前記試料の画像をキャプチャするために；
（ｂ）画像内の検査位置及び対照位置を分析するために；かつ
（ｃ）前記検査位置の分析から取得された値と迅速診断検査を特徴付ける閾値とを比較するために
ハードウェア及びソフトウェアと共に構成される、前記システム発明のいずれかのシステム。
[本発明1088]
前記プレートの少なくとも1つが、アッセイ試薬が貯蔵された貯蔵部位を含む、前記システム発明のいずれかのシステム。
[本発明1089]
前記カメラの少なくとも1つが、前記ＣＲＯＦ装置からの信号を読み取る、前記システム発明のいずれかのシステム。
[本発明1090]
前記移動通信装置が、ＷｉＦｉ又はセルラネットワークを介して、前記遠隔地と通信する、前記システム発明のいずれかのシステム。
[本発明1091]
前記移動通信装置が、携帯電話である、前記システム発明のいずれかのシステム。
[本発明1092]
携帯電話を用いて試料中の分析物を迅速に分析するための方法であって、
（ａ）前記本発明のいずれかのシステムの装置に試料を付着させるステップと；
（ｂ）前記装置に付着した試料中の分析物をアッセイして、結果を生成するステップと；
（ｃ）移動通信装置からの結果を移動通信装置から離れた位置に伝達するステップと
を含む、方法。
[本発明1093]
前記分析物が、分子（例えば、タンパク質、ペプチド、ＤＮＡ、ＲＮＡ、核酸又はその他の分子）、細胞、組織、ウイルス及び異なる形状のナノ粒子を含む、前記方法発明のいずれかの方法。
[本発明1094]
前記分析物が、白血球、赤血球及び血小板を含む、前記方法発明のいずれかの方法。
[本発明1095]
前記遠隔地での結果を分析して、分析結果を提供するステップと、
前記遠隔地からの前記分析結果を前記移動通信装置に伝達するステップと
を含む、前記方法発明のいずれかの方法。
[本発明1096]
前記分析が、遠隔地の医療専門家によって行われる、前記方法発明のいずれかの方法。
[本発明1097]
前記移動通信装置が、遠隔地の医療専門家から処方、診断又は勧告を受信する、前記方法発明のいずれかの方法。
[本発明1098]
閉鎖構成におけるＶＣ試料の少なくとも一部の厚さが、開放構成における採取プレートに付着したＶＣ試料の厚さより大きい、前記方法発明のいずれかの方法。
[本発明1099]
閉鎖構成におけるＶＣ試料の少なくとも一部の厚さが、開放構成における採取プレートに付着したＶＣ試料の厚さより小さい、前記本発明のいずれかの装置。
[本発明1100]
前記アッセイステップが、前記試料中の分析物を検出する段階を含む、前記方法発明のいずれかの方法。
[本発明1101]
前記分析物が、バイオマーカーである、前記方法発明のいずれかの方法。
[本発明1102]
前記分析物が、タンパク質、核酸、細胞又は代謝産物である、前記方法発明のいずれかの方法。
[本発明1103]
ステップ（ｂ）におけるアッセイが、結合アッセイ又は生化学的アッセイである、前記方法発明のいずれかの方法。
[本発明1104]
蒸気凝縮液試料中の分析物を分析するための方法であって、
前記装置発明のいずれかの装置を取得するステップと、
蒸気凝縮液試料を装置の1つ又は両方のプレートに付着させるステップと、
前記プレートを閉鎖構成に配置し、前記プレートの少なくとも一部の上に外からの力を加えるステップと、
前記プレートが閉鎖構成にある時に、均一な厚さの層内の分析物を分析するステップと
を含む、方法。
[本発明1105]
（ａ）試料を取得するステップと；
（ｂ）異なる構成になるように互いに対して移動可能な第1のプレート及び第2のプレートを取得するステップであって、各プレートが、ほぼ平坦な試料接触表面を有し、1つ又は両方のプレートが可撓性であり、プレートの1つ又は両方が、それぞれの試料接触表面に固定されたスペーサを含み、
スペーサが、
ｖｉ．所定の実質的に均一な高さと、
ｖｉｉ．実質的に均一な断面及び平坦な上面を有する柱の形状と、
ｖｉｉｉ．1以上の、高さに対する幅の比と、
ｉｘ．10μｍ〜200μｍの範囲内の所定の一定のスペーサ間の距離と、
ｘ．1％以上の充填率と、を有する、ステップと；
（ｃ）プレートが開放構成に構成されている時に、プレートのうちの1つ又は両方に試料を付着させるステップであって、前記開放構成とは、2つのプレートが部分的又は完全に離され、かつプレート間の間隔がスペーサにより調節されない構成である、ステップと；
（ｄ）（ｃ）の後に、2つのプレートを用いて、試料の少なくとも一部を、プレートの試料接触表面によって限定された実質的に均一な厚さの層へと圧縮するステップであって、該層の均一な厚さが、スペーサ及びプレートにより調節され、10％より小さい変化で30μｍ以下の平均値を有し、
前記圧縮ステップが以下の段階：
2つのプレートを一緒に合わせる段階
閉鎖構成へとプレートを一緒にプレスするように、並行して又は順次のいずれかで、少なくとも1つのプレートのある領域を適切に押す段階を含み、前記適切に押す段階が、前記試料の少なくとも一部の上方に位置するプレートに実質的に均一な圧力を生成し、前記圧力が、前記試料の少なくとも一部をプレートの試料接触面の間に横方向に広げ、前記閉鎖構成は、前記均一な厚さの領域の層内のプレート間の間隔がスペーサにより調節される構成である、ステップと；
（ｅ）プレートが閉鎖構成にある時に、均一な厚さの層内の前記のものを分析するステップと
を含み、
前記充填率が、総プレート面積に対するスペーサ接触面積の比であり、
前記適切に押す段階が、前記プレートの外面の形状の違いに関わらず、ある領域に加えた圧力を実質的に一定にする方法であり、
前記並行して押す段階が、同時に所望の領域に圧力を加え、前記順次押す段階が、所定の領域の一部に圧力を加え、かつ徐々に他の領域に移行する、
前記分析方法発明のいずれかの方法。
[本発明1106]
プレートが閉鎖構成になった後に、外からの力を除去するステップと、
プレートが閉鎖構成にある時に、均一な厚さの層内の前記分析物を画像化するステップと、
画像の領域内の分析物又は標識を計数するステップと
を含む、前記分析方法発明のいずれかの方法。
[本発明1107]
プレートが閉鎖構成になった後に、外からの力を除去するステップと、プレートが閉鎖構成にある時に、均一な厚さの層内の光信号を測定するステップとを含む、前記分析方法発明のいずれかの方法。
[本発明1108]
前記スペーサ間距離が、20μｍ〜200μｍの範囲内である、前記分析方法発明のいずれかの方法。
[本発明1109]
前記スペーサ間距離が、5μｍ〜20μｍの範囲内である、前記分析方法発明のいずれかの方法。
[本発明1110]
前記スペーサの充填率とヤング率の積が2ＭＰａ以上である、以上の分析方法発明の方法。
[本発明1111]
前記表面変化が50ｎｍより小さい、前記分析方法発明のいずれかの方法。
[本発明1112]
所定の貯蔵部位により画定された関連試料体積、閉鎖構成での均一な試料の厚さ、及び検出された標的実体の量に基づいて、試料の関連体積中の分析物の濃度を計算するステップをさらに含む、前記分析方法発明のいずれかの方法。
[本発明1113]
前記分析ステップが、前記試料中の分析物を計数する段階を含む、前記分析方法発明のいずれかの方法。
[本発明1114]
前記画像化ステップと計数ステップが、
ｉ．前記均一な厚さの層内の細胞を照射する段階、
ｉｉ．ＣＣＤ又はＣＭＯＳセンサを用いて細胞の1つ以上の画像を撮像する段階、
ｉｉｉ．コンピュータを用いて画像内の細胞を識別する段階、及び
ｉｖ．画像のある領域内の細胞を計数する段階
により行われる、前記分析方法発明のいずれかの方法。
[本発明1115]
前記外からの力が、ヒトの手により提供される、以上の分析方法発明の方法。
[本発明1116]
1つ又は両方のプレートに塗布された乾燥試薬をさらに含む、以上の分析方法発明の方法。
[本発明1117]
前記均一な厚さの試料の層が、±5％までの厚さの均一性を有する、以上の分析方法発明の方法。
[本発明1118]
前記スペーサが、円形、多角形、環形、正方形、長方形、長円形、楕円形又はそれらの任意の組み合わせから選択される断面形状を有する柱である、前記分析方法発明のいずれかの方法。
[本発明1119]
前記スペーサ間距離が、ほぼ1つの分析物の最小の寸法である、前記分析方法発明のいずれかの方法。
[本発明1120]
1つ又は両方のプレート試料接触表面が、分析物又は標識が1つの増幅部位から500ｎｍ以内にある時に、それぞれ分析物又は分析物の標識からの信号を増幅できる1つ以上の増幅部位を含む、前記本発明のいずれかの方法。
[本発明1121]
前記試料が、呼気凝縮液である、前記方法発明のいずれかの方法。
[本発明1122]
前記試料が、生体試料、環境試料、化学試料又は臨床試料に由来する蒸気である、前記方法発明のいずれかの方法。
[本発明1123]
前記分析物が、分子（例えば、タンパク質、ペプチド、ＤＮＡ、ＲＮＡ、核酸又はその他の分子）、細胞、組織、ウイルス及び異なる形状のナノ粒子を含む、前記方法発明のいずれかの方法。
[本発明1124]
前記分析物が、揮発性有機化合物（ＶＯＣ）を含む、前記方法発明のいずれかの方法。
[本発明1125]
前記分析物が、窒素、酸素、ＣＯ2、Ｈ2Ｏ及び不活性ガスを含む、前記方法発明のいずれかの方法。
[本発明1126]
前記分析物が染色される、前記方法発明のいずれかの方法。
[本発明1127]
1つの前記試料表面上に、採取プレートに付着したＶＣ試料の一部又は全部を囲むエンクロージャースペーサをさらに含む、前記方法発明のいずれかの方法。
[本発明1128]
前記非常に均一な厚さが0．5μｍ以下の値を有する、前記方法発明のいずれかの方法。
[本発明1129]
前記非常に均一な厚さが0．5μｍ〜1μｍの範囲内の値を有する、前記方法発明のいずれかの方法。
[本発明1130]
前記非常に均一な厚さが1μｍ〜2μｍの範囲内の値を有する、前記方法発明のいずれかの方法。
[本発明1131]
前記非常に均一な厚さが2μｍ〜10μｍの範囲内の値を有する、前記方法発明のいずれかの方法。
[本発明1132]
前記非常に均一な厚さが10μｍ〜20μｍの範囲内の値を有する、前記方法発明のいずれかの方法。
[本発明1133]
前記非常に均一な厚さが20μｍ〜30μｍの範囲内の値を有する、前記方法発明のいずれかの方法。
【図面の簡単な説明】
【０００５】
当業者であれば、以下に説明する図面は説明のためのものに過ぎないことを理解するであろう。図面は、決して本教示の範囲を限定することを意図しない。図面は一定の比率によるものでない可能性がある。現在の実験データポイントを示す図面において、データポイントを結ぶ線はデータの閲覧を指導するためのもののみであり、他の手段ではない。
【図１】ＳｉＥＢＣＡ（単一液滴のＥＢＣの採取／分析装置）を使用して、呼気凝縮液（ＥＢＣ）を採取する、例示的な装置及び方法の特定の態様の図である。
【図２】スペーサの高さに依存するＳｉＥＢＣＡの閉鎖構成におけるＥＢＣの異なる形態の図であり、閉鎖構成１において、開放構成におけるスペーサの高さがＥＢＣの平均高さより小さいと、閉鎖構成では、ＥＢＣは、採取プレートとカバープレートの両方に接触する連続的な薄膜となり、空気隔離ポケットを有する。閉鎖構成２において、開放構成におけるスペーサの高さがＥＢＣの平均高さより大きい場合、閉鎖構成では、ＥＢＣは、採取プレートとカバープレートの両方に接触する分けられた水溜りとなり、開放構成におけるＥＢＣより大きくて少ない。
【図３】ＳｉＥＢＣＡ（単一液滴のＥＢＣの採取／分析装置）の装置及び方法の実施形態の図である。
【図４】「開放スペーサ」と「密閉スペーサ」の両方を有するＳｉＥＢＣＡの図であり、開放スペーサは、ポスト（柱）であり、密閉スペーサは、リングスペーサ（ｄ）及び４チャンバーグリッドスペーサ（ｅ）である。
【図５】採取プレートの、未処理の表面、及び処理された表面（未処理の表面より優れた濡れ性のための処理）の、表面濡れ性を示す図である。
【図６】ヒトの手でＳｉＥＢＣＡのプレートをプレスする方法を示す図である。
【図７】「開放構成」（例えば、採取プレートのみを備え、カバープレートを備えない）での、採取プレート（未処理のＰＭＭＡ膜）上のＥＢＣ液滴の寸法と密度の実験データを示す図である。
【図８】プレート開放構成での、採取プレート（処理されたＰＭＭＡ膜）上のＥＢＣ形態の実験データを示す図である。
【図９】未処理のＰＭＭＡプレート及び処理されたＰＭＭＡプレート上で採取されたＥＢＣ（対象が２秒間直接呼気）の、（プレート開放構成での）画像及び測定された蒸発時間を示す図である。
【図１０】閉鎖構成での、ＳｉＥＢＣＡを使用して採取したＥＢＣに対するスペーサの高さ（それぞれ１μｍ、２μｍ、１０μｍ及び３０μｍである）の影響を示す画像である。
【図１１】閉鎖構成での、ＳｉＥＢＣＡを使用して採取したＥＢＣに対するスペーサの高さ（それぞれ１μｍ、２μｍ、１０μｍ及び３０μｍである）の影響の画像の実験データである。
【図１２】処理されたＰＭＭＡプレート及び未処理のＰＭＭＡプレートを採取プレートとして使用して採取した呼気の画像である。
【図１３】（ａ）処理されたＰＭＭＡ採取プレート及び未処理のＰＭＭＡ採取プレートの影響、及び（ｂ）呼気を採取するときにカバープレートを閉じる時間遅延の影響の実験データである。
【図１４】処理された採取プレート（未処理より親水性である）及び未処理の採取プレート（ＰＭＭＡ）表面にそれぞれ対応する、採取プレート上で採取された呼気（すなわちＥＢＣ）の量 対 時間遅延（呼気の終わりからカバープレートの被覆まで測定）の、実験データである。
【図１５】２つのプレート、スペーサ及び圧縮（断面で示されている）を使用して試料の厚さを減少させることにより結合時間又は混合時間を短縮することを示す。図（ａ）は、試料中の実体を固体表面の結合部位に結合する時間を減少させることを示す（Ｘ−（体積から表面））。図（ｂ）は、プレートの表面に貯蔵された実体（例えば、試薬）を他の表面上の結合部位に（Ｘ−（（表面から別の表面））結合するために要する時間を短縮することを示す。図（ｃ）は、プレートの表面に貯蔵された試薬を該プレートと他のプレートとの間に挟まれた試料に（Ｘ−（（表面から体積））添加するために要する時間を短縮することを示す。
【図１６】本発明の例示的な実施形態、すなわち一方のプレートの１つの結合部位と他方のプレートの複数の貯蔵部位を使用する単一のＣＲＯＦ装置における多重検出を概略的に示す。図（ａ）及び（ｂ）は、それぞれ例示的な装置の斜視図及び断面図である。
【図１７】本発明のさらなる例示的な実施形態、すなわち一方のプレートの１つの貯蔵部位と他方のプレートの複数の結合部位を使用する単一のＣＲＯＦ装置における多重検出を概略的に示す。図（ａ）及び（ｂ）は、それぞれ例示的な装置の斜視図及び断面図である。
【図１８】本発明のさらなる例示的な実施形態、すなわち一方のプレートの複数の結合部位と他方のプレートの複数の対応する貯蔵部位を使用する単一のＣＲＯＦ装置における多重検出を概略的に示す。図（ａ）及び（ｂ）は、それぞれ例示的な装置の斜視図及び断面図である。
【発明を実施するための形態】
【０００６】
例示的な態様の詳細な説明
以下の詳細な説明は、本発明のいくつかの実施形態を示すが、限定するものではない。本明細書で使用されるセクション見出し及び任意のサブタイトルは構成目的に過ぎず、いかなる方式で記載された主題を限定するものと理解されるべきではない。セクション見出し及び／又はサブタイトルの内容はセクション見出し及び／又はサブタイトルに限定されず、本発明の全体の説明に適用される。
【０００７】
任意の出版物の引用は、本出願日の前に開示されるためであり、本発明が先の発明によりその出版物よりも先行する権利がないことを認めるものと理解されるべきではない。また、提供される公開日は、独立して確認する必要のある、実際の公開日と異なる可能性がある。
【０００８】
本発明は、生化学的／化学的検知、アッセイ及び応用の分野に関する。特に、本発明は、少量の蒸気凝縮液試料（例えば、一滴で１０ｆＬ（フェムトリットル）程度の体積の、対象からの呼気凝縮液（ＥＢＣ））を採取し、採取された蒸気凝縮液試料の蒸発を防止するか又は著しく低減し、試料を分析し、試料を携帯電話で分析し、かつ何ら専門的な技術のない人によりそのような採取及び分析を実行することに関する。呼気凝縮液（ＥＢＣ）及び他の蒸気凝縮液は、多くの共通特性を有するため、本開示は、ＥＢＣを本発明の特定の実施形態を説明するための代表として使用するが、このような記載は、本発明の制限として解釈されるべきではない。
【０００９】
定義
別に定義されない限り、本明細書で使用される全ての技術及び科学用語は、本開示の属する分野の当業者によって一般的に理解されるものと同じ意味を有する。以下にいくつかの例示的な方法及び材料を説明するが、本教示の実践又は試験において、本明細書に記載の類似又は同一の任意の方法及び材料を用いてもよい。
【００１０】
用語「ポリヌクレオチド」、「ヌクレオチド」、「ヌクレオチド配列」、「核酸」、「核酸分子」、「核酸配列」及び「オリゴヌクレオチド」とは、交換可能に使用され、かつそれぞれ用語を用いた文脈に応じて各用語の複数を含んでもよい。
【００１１】
本明細書で使用されるように、用語「捕捉剤」とは、例えば、核酸分子、ポリペプチド分子又はその結合相手に特異的に結合できる任意の他の分子又は化合物のような結合メンバーを指し、例えば第１の核酸分子に相補的なヌクレオチド配列を有する第２の核酸分子、抗原を特異的に認識する抗体、抗体により特異的に認識された抗原、標的分子に特異的に結合できる核酸アプタマー等である。
【００１２】
用語「二次捕捉剤」とは、「検知剤」とも呼ばれ、抗原に非常に特異的な親和性を有する一群の生体分子又は化学化合物を指す。二次捕捉剤は、光学的に検出可能な標識（例えば酵素、蛍光標識）に密着結合することができ、或いはそれ自体は生体抱合により光学的に検出可能な標識に結合されて他の検出剤により検出することができる（Ｈｅｒｍａｎｓｏｎ、「Ｂｉｏｃｏｎｊｕｇａｔｅ  Ｔｅｃｈｎｉｑｕｅｓ」  Ａｃａｄｅｍｉｃ  Ｐｒｅｓｓ、第２版、２００８）。
【００１３】
用語「捕捉剤−反応性基」とは、捕捉剤と反応できる分子の中の化学的機能の部分を指し、つまり捕捉剤の中の一部（例えばヒドロキシ、スルフヒドリル、カルボキシル又はアミン基）と反応して、安定かつ強力な共有結合を生成するものである。
【００１４】
用語「特異的結合」と「選択的結合」とは、異なる標的分析物を有する不均質混合物内に存在する特定の標的分析物に優先的に結合する捕捉剤の能力を指す。特異的又は選択的結合は、相互作用して試料の中の所望の（例えば、活性化）標的分析物と望ましくない（例えば、不活性化）標的分析物とを区別し、一般的に約１０倍超〜１００倍以上（例えば、約１０００又は１００００倍を超える）である。
【００１５】
用語「分析物」とは、異なる形状を有する分子（例えば、タンパク質、ペプチド、ＤＮＡ、ＲＮＡ、核酸又はその他の分子）、細胞、組織、ウイルス及びナノ粒子を指す。
【００１６】
用語「アッセイ」とは、試料を検査することにより、分析物の存在及び／又は存在量を検出することを指す。
【００１７】
本明細書で使用されるように、用語「確定」、「計測」、「評価」及び「アッセイ」は、交換可能に使用され、かつ定量的及び定性的決定を含む。
【００１８】
本明細書で使用されるように、用語「発光標識」とは、外部励起で発光することができる標識を指す。それは発光することができる。蛍光標識（色素分子又は量子ドットを含む）及び発光標識（例えばエレクトロ又は化学発光標識）は、蛍光標識のタイプである。外部励起は、蛍光用の光（光子）、電界発光用の電流及び化学発光用の化学反応を指す。外部励起は、上記の組み合わせであってもよい。
【００１９】
フレーズ「標識された分析物」とは、発光標識で検出可能に標識された分析物を指し、標識の存在を評価して前記分析物を検出することができる。標識された分析物は、直接標識されてもよく（すなわち、分析物自体は、強力な結合、例えば共有結合又は非共有結合を介して標識に直接結合されてもよい）、標識された分析物は、間接的に標識されてもよい（すなわち、分析物は直接標識された二次捕捉剤に結合される）。
【００２０】
核酸についての用語「ハイブリダイゼーション」と「結合」は、交換可能に使用される。
【００２１】
用語「捕捉剤／分析物複合体」とは、捕捉剤と分析物の特異的結合から生じる複合体を指す。捕捉剤及び捕捉剤のための分析物は、一般的に「特異的結合条件」又は「特異的結合に適する条件」で互いに特異的に結合し、これらの条件（塩濃度、ｐＨ、界面活性剤、タンパク質濃度、温度などに関して）は、捕捉剤と分析物が溶液中で結合することを可能にする。それらの条件、特に抗体及びその抗原及び核酸ハイブリダイゼーションについての条件は、当該分野で周知である（例えばＨａｒｌｏｗ及びＬａｎｅ（Ａｎｔｉｂｏｄｉｅｓ：Ａ  Ｌａｂｏｒａｔｏｒｙ  Ｍａｎｕａｌ  Ｃｏｌｄ  Ｓｐｒｉｎｇ  Ｈａｒｂｏｒ  Ｌａｂｏｒａｔｏｒｙ、Ｃｏｌｄ  Ｓｐｒｉｎｇ  Ｈａｒｂｏｒ、ＮＹ（１９８９）、Ａｕｓｕｂｅｌら、Ｓｈｏｒｔ  Ｐｒｏｔｏｃｏｌｓ  ｉｎ  Ｍｏｌｅｃｕｌａｒ  Ｂｉｏｌｏｇｙ、第５版、Ｗｉｌｅｙ＆Ｓｏｎｓ、２００２を参照）。
【００２２】
対象は、あらゆるヒト又は非ヒトの動物とすることができる。対象は、本方法を実施する人、患者、検査センターの顧客等であってもよい。
【００２３】
本明細書で使用されるように、「診断試料」とは、対象から取られ、身体の副生成物（例えば、体液）としての任意の生物試料を指す。診断試料は、液体の形態で対象から直接得ることができ、又は、身体副産物を溶液（例えば緩衝液）に置くことにより対象から得ることができる。例示的な診断試料は、唾液、血清、血液、喀痰、尿、汗、涙液、精液、糞便、呼気、生体組織、粘液等を含むが、これらに限定されない。
【００２４】
本明細書で使用されるように、「環境試料」とは、環境から取られた任意の試料を指す。環境試料は、河川、湖、池、海洋、氷河、氷山、雨、雪、下水、貯水池、水道水、飲料水等からの液体試料；土壌、堆肥、砂、岩石、コンクリート、木材、煉瓦、汚泥等からの固体試料；及び空気、水中熱通気口、工業排気ガス、車両排気ガス等からの気体試料を含んでもよい。一般的に、本発明の方法を用いて試料を分析する前に、非液体形態の試料を液体形態に変換する。
【００２５】
本明細書で使用されるように、「食品試料」とは、動物の消費、例えば、ヒトの消費に適する任意の試料を指す。食品試料は、原材料、調理済み食品、動植物由来の食品、前処理済み食品及び部分的に又は完全に処理された食品等を含んでもよい。一般的に、本発明の方法を用いて試料を分析する前に、非液体形態の試料を液体形態に変換する。
【００２６】
本明細書で使用されるように、用語「診断」とは、ある方法又は分析物を用いて、関心対象となる疾患又は病状の結果を鑑定し、予測し、及び／又はその治療反応を予測することを指す。診断は、病気又は病状に罹患する可能性又は体質を予測すること、病気又は病状の重篤度を推定すること、病気又は病状の進行のリスクを決定すること、治療に対する臨床的応答を評価すること、及び／又は治療に対する応答を予測することを含んでもよい。
【００２７】
本明細書で使用されるように、「バイオマーカー」とは、関心対象の試料から発見された任意の分子又は化合物であり、対象における関心対象の疾患又は病状の存在又はその体質を診断するか、又はそれに関連付けることが知られており、前記試料は対象から採取される。バイオマーカーは、ポリペプチド又はその複合体（例えば抗原、抗体）、核酸（例えばＤＮＡ、ｍｉＲＮＡ、ｍＲＮＡ）、薬物代謝物、脂質、炭水化物、ホルモン、ビタミン等を含むが、これらに限定されず、関心対象の病気又は病状に関連することが知られている。
【００２８】
本明細書で使用されるように、健康状態の診断に関連付けられる「状態」とは、その他の生理学的状態と区別することができる心身の生理学的状態を指す。場合によっては、健康状態は、疾患と診断されない可能性がある。例示的な関心対象となる健康状態は、栄養上の健康、老化、環境有害物質、農薬、除草剤、合成ホルモン類似体への曝露、妊娠、閉経、男性更年期、睡眠、ストレス、糖尿病前症、運動、疲労、化学的バランス等を含むが、これらに限定されない。
【００２９】
用語「実体」とは、「結合部位」に結合するタンパク質、ペプチド、ＤＮＡ、ＲＮＡ、核酸、分子（小分子又は大分子）、細胞、組織、ウイルス、異なる形状のナノ粒子を指すが、これらに限定されない。実体は、捕捉剤、検出剤及び遮断剤を含む。「実体」とは、「分析物」を含み、これら２つの用語は、交換可能に使用される。
【００３０】
用語「結合部位」とは、試料中の実体を固定化することができる固体表面上の位置を指す。
【００３１】
用語「実体パートナー」とは、「結合部位」に位置し、かつ実体に結合するタンパク質、ペプチド、ＤＮＡ、ＲＮＡ、核酸、分子（小分子又は大分子）、細胞、組織、ウイルス、異なる形状のナノ粒子を指すが、これらに限定されない。実体は、捕捉剤、検出剤、二次検出剤又は「捕捉剤／分析物複合体」を含むが、これらに限定されない。
【００３２】
交換可能に使用される用語「スマートフォン」又は「携帯電話」とは、カメラ及び通信ハードウェアとソフトウェアを有し、カメラを使用して画像を撮影し、カメラにより撮影された画像を処理し、遠隔地にデータを通信することができる携帯電話のタイプを指す。いくつかの実施形態において、スマートフォンはフラッシュライトを有する。
【００３３】
ある領域の「平均線形寸法」という用語は、該領域の面積に４を乗算し該領域の周長で割って取得するものに等しい長さと定義される。例えば、該領域は矩形であり、幅がＷで、長さがＬであれば、該矩形の線形寸法の平均値は、４＊Ｗ＊Ｌ／（２＊（Ｌ＋Ｗ））である（「＊」が乗算を示し、「／」が割り算を示す）。この定義により、平均線形寸法はそれぞれ、幅がＷの正方形についてはＷであり、直径がｄの円形についてはｄである。領域は結合部位又は貯蔵部位の領域を含むが、これらに限定されない。
【００３４】
周期構造配列の「周期」という用語は、ある構造の中心から、最も近い隣接した同じ構造の中心までの間隔を指す。
【００３５】
用語「貯蔵部位」とは、試料に添加される試薬を含む、プレート上のある領域の部位を指し、かつ前記試薬は、試薬に接触する試料に溶解し、拡散することができる。
【００３６】
用語「関連」とは、分析物の検出、試料中又はプレート上の分析物又は実体の定量化及び／又は制御、試料又はプレートに添加される試薬の定量化又は制御に関連することを指す。
【００３７】
表面の「親水性」、「湿潤性」又は「濡れ性」という用語は、表面上の試料の接触角が９０度より小さいことを指す。
【００３８】
表面の「疎水性」、「非湿潤性」又は「非濡れ性」という用語は、表面上の試料の接触角が９０度以上であることを指す。
【００３９】
量の「変化」という用語は、実際の値と目標値又は量の平均値との差を指す。量の「相対的変化」という用語は、変化と目標値又は量の平均値の比を指す。例えば、ある量の目標値がＱで、実際の値が（Ｑ＋□）である場合、□／（Ｑ＋□）は、相対的変化である。用語「相対的な試料の厚さ変化」とは、試料の厚さ変化と平均試料の厚さとの比を指す。
【００４０】
用語「光透過性」とは、光信号の伝送を可能にする材料の特性を指し、特に断らない限り、用語「光信号」とは、試料、プレート、スペーサ、スケールマーク、使用される任意の構造、又はそれらの任意の組み合わせの特性を検出するために使用される光信号を指す。
【００４１】
用語「非試料体積」とは、ＣＲＯＦ過程の閉鎖構成で、プレートの間の体積が、試料ではなく、試料以外の他の物体によって占有されることを指す。これらの物体はスペーサ、気泡、塵埃又はそれらの任意の組み合わせを含むが、これらに限定されない。一般的に、「非試料体積」は試料内部に混入している。
【００４２】
用語「飽和インキュベーション時間」とは、２つのタイプの分子（例えば、捕捉剤及び分析物）の間の結合が平衡に達するのに必要な時間を指す。表面固定化アッセイについて、「飽和インキュベーション時間」とは、試料中の標的分析物（実体）とプレート表面上の結合部位との間の結合が平衡に達することに必要な時間、すなわち、結合部位により捕捉して固定化された標的分子（実体）の平均数が統計学的にほぼ一定になった後の時間を指す。
【００４３】
場合によっては、「分析物」と「結合実体」と「実体」は、交換可能に使用される。
【００４４】
用語「第１のプレート」と「採取プレート」は、交換可能に使用される。用語「第２のプレート」と「カバープレート」は、交換可能に使用される。
【００４５】
「プロセッサ」、「通信装置」、「移動装置」は、計算タスクを実行するための基本的な電子部品（メモリ、入出力インタフェース、中央処理ユニット、命令、ネットワークインタフェース、電源などのうちの１つ以上を含む）を含むコンピュータシステムを指す。コンピュータシステムは、特定のタスクを実行するための命令を含む汎用コンピュータであってもよく、専用コンピュータであってもよい。
【００４６】
信号又はデータ通信の説明に使用される「サイト」又は「位置」とは、装置又は対象が存在するローカル領域を指す。サイトは、建築構造（例えば病院）内の部屋、又は広い地理的に定義された領域内の小さい地理的に定義された領域を指す。第２のサイトから離れた第１のサイトに対して、リモートサイト又はリモート位置は、距離及び／物理的障害によって第２のサイトから物理的に離れた第１のサイトである。リモートサイトは、建築構造中の第２のサイトから離れた第１のサイト、第２のサイトと異なる建築構造にある第１のサイト、第２のサイトなどとは異なる都市にある第１のサイトであってもよい。
【００４７】
本明細書で使用されるように、用語「試料採取サイト」とは、対象から試料を取得する位置を指す。試料採取位置は、例えば小売店の位置（例えば、チェーンストア、薬局、スーパーマーケット又はデパート）、プロバイダーのオフィス、医師のオフィス、病院、対象の家、軍関係の敷地、雇用主サイト又は他のサイト又はサイトの組み合わせであってもよい。本明細書で使用されるように、用語「試料採取サイト」とは、さらに、該サイトに位置し、或いは該サイトに所属するビジネス、サービス又は施設の所有者又は代表者を指す。
【００４８】
本明細書で使用されるように、「生データ」は、試料の特性又は特徴を検出するか又は測定するセンサ、カメラ、他のコンポーネント及び機器からの信号及び直接読み取りデータを含む。
【００４９】
本明細書で使用されるように、「プロセス管理」とは、試料分析プロセスなどのプロセスの実行を計画及び／又は監視するための任意の数の方法及びシステムを指す。
【００５０】
当業者であれば、本発明は、本明細書の記述又は図面に記載された構造の詳細、コンポーネントの配置、カテゴリ選択、重み付け、所定の信号制限又はステップへの適用に限定されないことを理解すべきである。本発明は、他の実施形態も可能であり、また様々な方法で実施又は実行することができる。
【００５１】
本明細書及び添付の特許請求の範囲で使用されるように、文脈上明確に指示されない限り、例えば、用語「単数」が使われる場合、単数形の「１つの（ａ）」、「１つの（ａｎ）」及び「その（ｔｈｅ）」は、複数の意味も含むことを注意しなければならない。例えば、「分析物」を言及すると、単一の分析物及び複数の分析物を含み、「捕捉剤」を言及すると、単一の捕捉剤及び複数の捕捉剤を含み、「検出剤」を言及すると、単一の検出剤及び複数の検出剤を含み、「試薬」を言及すると、単一の試薬及び複数の試薬を含む。
【００５２】
蒸気凝縮液、特に呼気凝縮液を採取し分析する装置及びシステム、ならびにその使用方法
本発明は、
採取プレートとカバープレートとを含み、
ｉ、前記プレートは、異なる構成になるように互いに対して移動可能であり、
ｉｉ、前記プレートの１つ又は両方は可撓性であり、
ｉｉｉ、各プレートは、そのそれぞれの表面上に、分析物を含む蒸気凝縮液（ＶＣ）試料と接触するための試料接触領域を有し、
ｉｖ、前記プレートの１つ又は両方は、それぞれのプレートに固定されたスペーサを含み、前記スペーサは、所定の実質的に均一な高さ及び所定の一定のスペーサ間の距離を有し、少なくとも１つのスペーサは、前記試料接触領域内にあり、
前記構成の１つは、開放構成であり、前記２つのプレートが完全に又は部分的に離され、前記プレート間の間隔が前記スペーサにより調節されず、前記ＶＣ試料が１つ又は両方のプレートに付着し、
別の構成は、ＶＣ試料が開放構成で付着した後に構成された閉鎖構成であり、閉鎖構成で、ＶＣ試料の少なくとも一部は、２つのプレートの間にあり、かつ２つのプレートと接触し、スペーサ及びプレートの２つの試料表面により調節され、３０μｍ以下の非常に均一な厚さを有し、変化が少ない、
蒸気凝縮液（ＶＣ）試料を採取し分析する装置を提供する。
【００５３】
いくつかの実施形態において、前記装置は、１つ又は両方のプレート上に、１つ以上の乾燥結合部位、及び／又は１つ以上の試薬部位をさらに含む。いくつかの実施形態において、試料は、呼気凝縮液である。
【００５４】
いくつかの実施形態において、試料は、生物試料、環境試料、化学試料又は臨床試料に由来する蒸気である。いくつかの実施形態において、前記分析物は、分子（例えば、タンパク質、ペプチド、ＤＮＡ、ＲＮＡ、核酸又はその他の分子）、細胞、組織、ウイルス及び異なる形状のナノ粒子を含む。いくつかの実施形態において、前記分析物は、揮発性有機化合物（ＶＯＣ）を含む。いくつかの実施形態において、前記分析物は、窒素ガス、酸素ガス、ＣＯ２、Ｈ２Ｏ及び不活性ガスを含む。いくつかの実施形態において、前記分析物は染色される。
【００５５】
いくつかの実施形態において、前記装置は、１つ又は両方のプレート上に塗布された乾燥試薬を含んでもよい。いくつかの実施形態において、前記乾燥試薬は、血液中の分析物に結合し、分析物を１つ又は両方のプレートの表面に固定化することができる。これらの実施形態において、前記試薬は、例えば、抗体又は他の特異的結合剤であってもよい。該乾燥試薬は、所定の領域を有していてもよく、他の実施形態において、該装置は、１つ以上のプレート上に放出可能な乾燥試薬、例えば、細胞染色剤などの標識試薬、抗体又はその類似体などの標識検出剤を含む。場合によっては、放出可能な乾燥試薬を含む時間制御放出型材料は、プレート上に存在してもよく、時間制御放出型材料は、放出可能な乾燥試薬が血液試料中に放出される時間を遅らせる。ある場合には、時間制御放出型材料は、放出可能な乾燥試薬が血液試料中に放出され始める時間を少なくとも３秒間、例えば少なくとも５秒間又は少なくとも１０秒間遅らせる。いくつかの実施形態において、駆動装置は、複数の乾燥結合部位及び／又は複数の試薬部位を含むことができ、それによってマルチプレックスアッセイを実行することを可能にする。場合によっては、乾燥結合部位が占める領域は、プレートが閉鎖位置にある時に試薬部位が占める領域に対向することができる。
【００５６】
いくつかの実施形態において、前記試薬は、標識又は染色試薬を含む。
【００５７】
いくつかの実施形態において、均一な厚さの層を調節するスペーサ（すなわち、層内でプレートを互いに離すスペーサ）は、少なくとも１％の「充填率」を有し、例えば、少なくとも２％又は少なくとも５％を有し、充填率は、スペーサの均一な厚さの層と接触する面積と、均一な厚さの層と接触するプレート全体面積との比である。いくつかの実施形態において、均一な厚さの層を調節するスペーサについて、スペーサのヤング率にスペーサの充填率を乗算して１０ＭＰａ以上であり、例えば、少なくとも１５ＭＰａ又は少なくとも２０ＭＰａであり、充填率は、スペーサの均一な厚さの層と接触する面積と、均一な厚さの層と接触するプレート全体面積との比である。いくつかの実施形態において、可撓性プレートの厚さに可撓性プレートのヤング率を乗算して６０〜７５０ＧＰａ−μｍの範囲内にあり、例えば、１００〜３００ＧＰａ−μｍ、３００〜５５０ＧＰａ−μｍ、又は５５０〜７５０ＧＰａ−μｍである。いくつかの実施形態において、可撓性プレートについて、スペーサ間距離（ＩＳＤ）の４乗を可撓性プレートの厚さ（ｈ）及び可撓性プレートのヤング率（Ｅ）で割り算したＩＳＤ４／（ｈＥ）は、１０６μｍ３／ＧＰａ以下であり、例えば、１０５μｍ３／ＧＰａより小さく、１０４μｍ３／ＧＰａより小さいか又は１０３μｍ３／ＧＰａより小さい。
【００５８】
いくつかの実施形態において、１つ又は両方のプレートは、プレート表面又は内部のいずれか一方に位置し、該プレートの位置情報を提供する位置マーカーを含み、例えば、分析しようとする位置、又は血液が付着する位置である。場合によっては、１つ又は両方のプレートは、プレート表面又は内部のいずれか一方に位置し、血液試料及び／又はプレートの構造の横方向寸法情報を提供するスケールマーカーを含んでもよい。いくつかの実施形態において、１つ又は両方のプレートは、プレート表面又は内部のいずれか一方に位置し、試料の画像化を支援する画像化マーカーを含む。例えば、画像化マーカーは、画像化装置の焦点を合わせるのを助け、画像化装置を装置上のある位置に向けることができる。いくつかの実施形態において、スペーサは、位置マーカー、スケールマーカー、画像化マーカー、又はそれらの任意の組み合わせとして機能することができる。
【００５９】
いくつかの実施形態において、１つの試料表面に、採取プレートに付着したＶＣ試料の一部又は全部を囲むエンクロージャースペーサをさらに含む。
【００６０】
いくつかの実施形態において、非常に均一な厚さの値は０．５μｍ以下である。いくつかの実施形態において、非常に均一な厚さの値は、０．５μｍ〜１μｍ、１μｍ〜２μｍ、２μｍ〜１０μｍ、１０μｍ〜２０μｍ、又は２０μｍ〜３０μｍの範囲内にある。
【００６１】
いくつかの実施形態において、閉鎖構成におけるＶＣ試料の少なくとも一部の厚さは、開放構成における採取プレートに付着したＶＣ試料の厚さより大きい。
【００６２】
いくつかの実施形態において、閉鎖構成におけるＶＣ試料の少なくとも一部の厚さは、開放構成における採取プレートに付着したＶＣ試料の厚さより小さい。
【００６３】
いくつかの実施形態において、プレートの直接エンボス加工又はプレートの射出成形により、スペーサはプレート上に固定される。
【００６４】
いくつかの実施形態において、プレート及びスペーサの材料は、ポリスチレン、ＰＭＭＡ、ＰＣ、ＣＯＣ、ＣＯＰ又は他のプラスチックから選択される。
【００６５】
いくつかの実施形態において、スペーサ間距離は、１μｍ〜５０μｍ、５０μｍ〜１００μｍ、１００μｍ〜２００μｍ又は２００μｍ〜１０００μｍの範囲内にある。
【００６６】
いくつかの実施形態において、ＶＣ試料は、ヒト又は動物に由来する呼気凝縮液である。
【００６７】
いくつかの実施形態において、均一な厚さの層を調節するスペーサは、少なくとも１％の充填率を有し、充填率は、均一な厚さの層と接触するスペーサ面積と、均一な厚さの層と接触する総プレート面積との比である。
【００６８】
いくつかの実施形態において、均一な厚さの層を調節するスペーサについて、スペーサのヤング率にスペーサの充填率を乗算したものは１０ＭＰａ以上であり、充填率は、均一な厚さの層と接触するスペーサ面積と、均一な厚さの層と接触する総プレート面積との比である。
【００６９】
いくつかの実施形態において、可撓性プレートについて、可撓性プレートの厚さに可撓性プレートのヤング率を乗算したものは、６０〜７５０ＧＰａ−μｍの範囲内にある。
【００７０】
いくつかの実施形態において、可撓性プレートについて、スペーサ間距離（ＩＳＤ）の４乗を、可撓性プレートの厚さ（ｈ）及び可撓性プレートのヤング率（Ｅ）で割り算したＩＳＤ４／（ｈＥ）は、１０６μｍ３／ＧＰａ以下である。
【００７１】
いくつかの実施形態において、１つ又は両方のプレートは、プレート表面又は内部のいずれか一方に位置して該プレートの位置情報を提供する位置マーカーを含む。
【００７２】
いくつかの実施形態において、１つ又は両方のプレートは、プレート表面又は内部のいずれか一方に位置して試料及び／又はプレートの構造の横方向寸法情報を提供するスケールマーカーを含む。
【００７３】
いくつかの実施形態において、１つ又は両方のプレートは、プレート表面又は内部のいずれか一方に位置して試料の画像化を支援する画像化マーカーを含む。
【００７４】
いくつかの実施形態において、スペーサは、位置マーカー、スケールマーカー、画像化マーカー、又はそれらの任意の組み合わせとして機能することができる。
【００７５】
いくつかの実施形態において、均一な厚さの層の平均厚さは、試料中の分析物の最小寸法にほぼ等しい。
【００７６】
いくつかの実施形態において、スペーサ間距離は、１μｍ〜５０μｍ、５０μｍ〜１２０μｍ又は１２０μｍ〜２００μｍの範囲内にある。
【００７７】
いくつかの実施形態において、スペーサ間距離は、実質的に周期的である。
【００７８】
いくつかの実施形態において、スペーサは、円形、多角形、環形、正方形、長方形、長円形、楕円形又はそれらの任意の組み合わせから選択される断面形状を有する柱であってもよい。
【００７９】
いくつかの実施形態において、スペーサは柱形状であり、実質的に平坦な上面を有し、各スペーサについて、その高さに対するスペーサの横方向寸法の比は少なくとも１である。
【００８０】
いくつかの実施形態において、各スペーサは、
少なくとも１である、その高さに対する横方向寸法の比
を有する。
【００８１】
いくつかの実施形態において、スペーサの最小横方向寸法は、試料中の分析物の最小寸法より小さいか又はそれに実質的に等しい。
【００８２】
いくつかの実施形態において、スペーサの最小横方向寸法は、０．５μｍ〜１００μｍの範囲内にある。
【００８３】
いくつかの実施形態において、スペーサの最小横方向寸法は、０．５μｍ〜１０μｍの範囲内にある。
【００８４】
いくつかの実施形態において、スペーサは、少なくとも１００／ｍｍ２の密度を有する。
【００８５】
いくつかの実施形態において、スペーサは、少なくとも１０００／ｍｍ２の密度を有する。
【００８６】
いくつかの実施形態において、少なくとも１つのプレートは透明である。
【００８７】
いくつかの実施形態において、少なくとも１つのプレートは可撓性ポリマーで製造される。
【００８８】
いくつかの実施形態において、プレートを圧縮する圧力に対して、スペーサは圧縮可能ではなく、及び／又は独立してプレートのうち１方のみが可撓性である。
【００８９】
いくつかの実施形態において、可撓性プレートの厚さは、１０μｍ〜２００μｍ（例えば、約１０μｍ、２５μｍ、５０μｍ、７５μｍ、１００μｍ、１２５μｍ、１５０μｍ、１７５μｍ）の範囲内にある。
【００９０】
いくつかの実施形態において、変化は３０％、１０％、５％、３％又は１％より小さい。
【００９１】
いくつかの実施形態において、第１のプレート及び第２のプレートは接続され、プレートを折り畳むことにより、開放構成から閉鎖構成に変化するように構成される。
【００９２】
いくつかの実施形態において、第１のプレート及び第２のプレートは、ヒンジにより接続され、ヒンジに沿ってプレートを折り畳むことにより、開放構成から閉鎖構成に変化するように構成される。
【００９３】
いくつかの実施形態において、第１のプレート及び第２のプレートは、プレートとは別の材料であるヒンジにより接続され、ヒンジに沿ってプレートを折り畳むことにより、開放構成から閉鎖構成に変更するように構成される。
【００９４】
いくつかの実施形態において、第１のプレート及び第２のプレートは、一片の材料で製造され、プレートを折り畳むことにより、開放構成から閉鎖構成に変更するように構成される。
【００９５】
いくつかの実施形態において、均一な厚さの試料層は、少なくとも１００μｍ２の横方向の領域にわたって均一である。
【００９６】
いくつかの実施形態において、均一な厚さの試料層は、少なくとも１ｍｍ２の横方向の領域にわたって均一である。
【００９７】
いくつかの実施形態において、該装置は、６０秒間以内に試料を分析するように構成される。
【００９８】
いくつかの実施形態において、閉鎖構成では、最終的な試料厚さの装置は、６０秒間以内に試料を分析するように構成される。
【００９９】
いくつかの実施形態において、前記装置は、１つ又は両方のプレート上に、分析物又は標識が増幅部位から５００ｎｍ以内にある時に、それぞれ分析物又は標識からの信号を増幅できる１つ以上の増幅部位をさらに含む。
【０１００】
いくつかの実施形態において、閉鎖構成で、最終的な試料厚さの装置は、１０秒間以内に試料を分析するように構成される。
【０１０１】
いくつかの実施形態において、乾燥結合部位は、捕捉剤を含む。
【０１０２】
いくつかの実施形態において、乾燥結合部位は、抗体又は核酸を含む。いくつかの実施形態において、放出可能な乾燥試薬は標識試薬であり、いくつかの実施形態において、放出可能な乾燥試薬は蛍光標識試薬であり、いくつかの実施形態において、放出可能な乾燥試薬は色素であり、いくつかの実施形態において、放出可能な乾燥試薬はビーズである。いくつかの実施形態において、放出可能な乾燥試薬は量子ドットである。いくつかの実施形態において、放出可能な乾燥試薬は蛍光標識抗体である。
【０１０３】
いくつかの実施形態において、第１のプレートは、その表面に、第１の所定のアッセイ部位及び第２の所定のアッセイ部位をさらに含み、プレートが閉鎖位置にあるとき、アッセイ部位の縁部の間の距離は、均一な厚さの層の厚さより実質的に大きく、均一な厚さの層の少なくとも一部は、所定のアッセイ部位の上方に位置し、前記試料は、試料に拡散できる１つ以上の分析物を有する。
【０１０４】
いくつかの実施形態において、第１のプレートは、その表面に、少なくとも３つの分析物アッセイ部位を有し、プレートが閉鎖位置にあるとき、任意の２つの隣接したアッセイ部位の縁部の間の距離は、均一な厚さの層の厚さより実質的に大きく、前記均一な厚さの層の少なくとも一部は、前記アッセイ部位の上方に位置し、前記試料は、試料に拡散できる１つ以上の分析物を有する。
【０１０５】
いくつかの実施形態において、第１のプレートは、その表面に、少なくとも２つの隣接した分析物アッセイ部位を有し、前記分析物アッセイ部位が、プレートが閉鎖位置にあるとき、均一な厚さの層の厚さより実質的に大きい距離により離されず、前記均一な厚さの層の少なくとも一部は、前記アッセイ部位の上方に位置し、前記試料は、試料に拡散できる１つ以上の分析物を有する。
【０１０６】
いくつかの実施形態において、放出可能な乾燥試薬は細胞染色剤である。いくつかの実施形態において、前記装置は、光信号を検出するための光検出器である検出器をさらに含む。いくつかの実施形態において、前記装置は、電気信号を検出するための電気検出器である検出器をさらに含む。
【０１０７】
携帯電話を用いて蒸気凝縮液試料を迅速に分析するシステムは、
（ａ）前記のいずれかに記載の装置と；
（ｂ）
ｉ．蒸気凝縮液試料を検出及び／又は画像化するための１つ以上のカメラ、並びに
ｉｉ．検出された信号及び／又は蒸気凝縮液試料の画像を受信及び／又は処理し、遠隔通信するための電子デバイス、信号プロセッサ、ハードウェア及びソフトウェア
を含む移動通信装置と
を含む。
【０１０８】
いくつかの実施形態において、前記システムは、移動通信装置又は外部源のいずれか一方からの光源をさらに含む。
【０１０９】
いくつかの実施形態において、プレートのうちの１つは分析物に結合する結合部位を有し、均一な試料厚さ層の少なくとも一部は、結合部位の上方に位置し、かつ結合部位の平均横方向線形寸法より実質的に小さい。
【０１１０】
いくつかの実施形態において、
（ｄ）試料を保持し、前記移動通信装置に搭載されるように構成されたハウジング
がさらに含まれる。
【０１１１】
いくつかの実施形態において、前記ハウジングは、移動通信装置によって試料の画像化及び／又は信号処理を容易にするための光学素子と、光学素子を移動通信装置に保持するように構成されたマウントとを含む。
【０１１２】
いくつかの実施形態において、ハウジング内の前記光学素子の部品は、ハウジングに対して移動可能である。
【０１１３】
いくつかの実施形態において、前記移動通信装置は、医療専門家、医療機関又は保険会社に、検査結果を伝達するように構成される。
【０１１４】
いくつかの実施形態において、前記移動通信装置は、医療専門家、医療機関又は保険会社に、検査及び対象に関連付けられる情報を伝達するようにさらに構成される。
【０１１５】
いくつかの実施形態において、前記移動通信装置は、検査の情報をクラウドネットワークに伝達し、クラウドネットワークは、検査結果を洗練するために該情報を処理するようにさらに構成される。
【０１１６】
いくつかの実施形態において、前記移動通信装置は、検査及び対象に関連する情報をクラウドネットワークに伝達し、クラウドネットワークは、検査結果を洗練するために該情報を処理し、洗練された検査結果を対象に返信するようにさらに構成される。
【０１１７】
いくつかの実施形態において、前記移動通信装置は、医療専門家から処方、診断又は勧告を受信するように構成される。
【０１１８】
いくつかの実施形態において、
ａ．試料の画像をキャプチャし、
ｂ．画像内の検査位置及び対照位置を分析し、かつ
ｃ．検査位置の分析から取得された値と迅速診断検査を特徴付ける閾値とを比較する
ハードウェア及びソフトウェアが配置されるように、前記移動通信装置が構成される。
【０１１９】
いくつかの実施形態において、少なくとも１つのプレートは、アッセイ試薬を貯蔵する貯蔵位置を含み、いくつかの実施形態において、少なくとも１つのカメラは、ＣＲＯＦ装置から信号を読み取る。いくつかの実施形態において、前記移動通信装置は、ＷｉＦｉ又はセルラネットワークを介して遠隔地と通信する。
【０１２０】
いくつかの実施形態において、前記移動通信装置は携帯電話である。
【０１２１】
携帯電話を用いて試料中の分析物を迅速に分析する方法は、
ａ）前記のいずれかに記載のシステムの装置に試料を付着するステップと、
ｂ）前記装置に付着した試料中の分析物をアッセイして、結果を生成するステップと、
ｃ）移動通信装置からの結果を移動通信装置から離れた位置に伝達するステップと
を含む。
【０１２２】
いくつかの実施形態において、前記分析物は、分子（例えば、タンパク質、ペプチド、ＤＮＡ、ＲＮＡ、核酸又はその他の分子）、細胞、組織、ウイルス及び異なる形状のナノ粒子を含む。
【０１２３】
いくつかの実施形態において、分析物は、白血球、赤血球及び血小板を含む。
【０１２４】
いくつかの実施形態において、前記方法は、
ａ．遠隔地での結果を分析して、分析結果を提供するステップと、
ｂ．遠隔地からの分析結果を移動通信装置に伝達するステップと
を含む。
【０１２５】
いくつかの実施形態において、分析は、遠隔地の医療専門家により行われる。いくつかの実施形態において、移動通信装置は、遠隔地の医療専門家から処方、診断又は勧告を受信する。
【０１２６】
いくつかの実施形態において、閉鎖構成におけるＶＣ試料の少なくとも一部の厚さは、開放構成における採取プレートに付着したＶＣ試料の厚さより大きい。
【０１２７】
いくつかの実施形態において、閉鎖構成におけるＶＣ試料の少なくとも一部の厚さは、開放構成における採取プレートに付着したＶＣ試料の厚さより小さい。
【０１２８】
いくつかの実施形態において、アッセイステップは、試料中の分析物を検出することを含む。いくつかの実施形態において、前記分析物は、バイオマーカーである。いくつかの実施形態において、分析物は、タンパク質、核酸、細胞又は代謝産物である。いくつかの実施形態において、ステップ（ｂ）で行われるアッセイは、結合アッセイ又は生化学的アッセイである。
【０１２９】
蒸気凝縮液試料中の分析物を分析する方法は、
前記のいずれかに記載の装置を取得するステップと、
蒸気凝縮液試料を装置の１つ又は両方のプレートに付着させるステップと、
前記プレートを閉鎖構成に配置し、前記プレートの少なくとも一部の上に外からの力を加えるステップと、
プレートが閉鎖構成にある時に、均一な厚さの層内の分析物を分析するステップと
を含む。
【０１３０】
いくつかの実施形態において、前記方法は、以下のステップ（ａ）〜（ｅ）を含む：
（ａ）試料を取得し；
（ｂ）異なる構成になるように互いに対して移動可能な第１のプレート及び第２のプレートを取得し、各プレートは、ほぼ平坦な試料接触表面を有し、１つ又は両方のプレートは可撓性であり、１つ又は両方のプレートは、それぞれの試料接触表面に固定されたスペーサを含み、スペーサは、
ｉ．所定の実質的に均一な高さと、
ｉｉ．実質的に均一な断面及び平坦な上面を有する柱の形状と、
ｉｉｉ．１以上のアスペクト比と、
ｉｖ．１０μｍ〜２００μｍの範囲内の所定の一定のスペーサ間の距離と、
ｖ．１％以上の充填率と、を有し；
（ｃ）プレートが開放構成に構成されている時に、試料をプレートのうちの１つ又は両方に付着させ、前記開放構成とは、２つのプレートを部分的又は完全に離され、かつプレート間の距離がスペーサにより調節されない構成であり；
（ｄ）（ｃ）の後、２つのプレートを用いて、試料の少なくとも一部を、プレートの試料接触表面により限定された実質的に均一な厚さの層に圧縮し、該層の均一な厚さは、スペーサ及びプレートにより調節され、変化が１０％より小さい３０μｍ以下の平均値を有し、
前記圧縮は、以下：
２つのプレートを一緒に合わせることと、
プレートを一緒にプレスして閉鎖構成にするように、並行して又は順次のいずれかで、少なくとも１つのプレートのある領域を適切に押すことを含み、前記適切に押すことは、前記試料の少なくとも一部の上方に位置するプレートに実質的に均一な圧力を生成し、前記圧力は、前記試料の少なくとも一部をプレートの試料接触面の間に横方向に広げ、前記閉鎖構成は、前記均一な厚さの領域の層内のプレート間の間隔がスペーサにより調節される構成であり；
（ｅ）プレートが閉鎖構成にある時に、均一な厚さの層内の分析物を分析し、
前記充填率は、総プレート面積に対するスペーサ接触面積の比であり、
前記適切に押すことは、前記プレートの外面の形状の違いに関わらず、ある領域に加えた圧力を実質的に一定にする方法であり、
前記並行して押すことは、同時に所望の領域に圧力を加え、前記順次押すことは、所定の領域の一部に圧力を加え、かつ徐々に他の領域に移行する。
【０１３１】
いくつかの実施形態において、前記方法は、
前記プレートが前記閉鎖構成になった後、外からの力を除去するステップと、
プレートが閉鎖構成にある時に、均一な厚さの層内の分析物を画像化するステップと、
画像領域内の分析物又は標識の数を計算するステップとを含む。
【０１３２】
いくつかの実施形態において、前記方法は、
前記プレートが前記閉鎖構成になった後、外からの力を除去するステップと、
プレートの閉鎖構成では、均一な厚さの層内の光信号を計測するステップとを含む。
【０１３３】
いくつかの実施形態において、スペーサ間距離は、２０μｍ〜２００μｍの範囲内にある。いくつかの実施形態において、スペーサ間距離は、５μｍ〜２０μｍの範囲内にある。
【０１３４】
いくつかの実施形態において、スペーサの充填率とヤング率の積は、２ＭＰａ以上である。
【０１３５】
いくつかの実施形態において、表面変化は、５０ｎｍより小さい。
【０１３６】
いくつかの実施形態において、前記方法は、貯蔵部位の所定の領域によって限定された関連する試料体積、閉鎖構成での均一な試料の厚さ、及び検出された標的実体の数に基づいて、関連する試料体積中の分析物の濃度を計算するステップをさらに含む。
【０１３７】
いくつかの実施形態において、分析ステップは、試料中の分析物量を計算することを含む。
【０１３８】
いくつかの実施形態において、画像化及び計数は、
ｉ．均一な厚さの層内の細胞を照らし、
ｉｉ．ＣＣＤ又はＣＭＯＳセンサを用いて細胞の１つ以上の画像を撮像し、
ｉｉｉ．コンピュータを用いて画像中の細胞を識別し、かつ
ｉｖ．画像のある領域内の細胞の数を計算する
ことによって行われる。
【０１３９】
いくつかの実施形態において、外からの力は、ヒトの手により与えられる。いくつかの実施形態において、前記方法は、さらに、１つ又は両方のプレートに塗布された乾燥試薬を含む。
【０１４０】
いくつかの実施形態において、均一な厚さの試料の層は、＋／−５％までの厚さの均一性を有する。
【０１４１】
いくつかの実施形態において、スペーサは、円形、多角形、環形、正方形、長方形、長円形、楕円形又はそれらの任意の組み合わせから選択される断面形状を有する柱であってもよい。
【０１４２】
いくつかの実施形態において、スペーサ間の間隔は、ほぼ分析物の最小寸法である。
【０１４３】
１つ又は両方のプレート試料接触表面は、分析物又は標識が、ある増幅部位から５００ｎｍ以内にある時に、いずれも分析物又は標識からの信号を増幅できる１つ以上の増幅部位を含む、前記のいずれかに記載の方法。
【０１４４】
いくつかの実施形態において、試料は、呼気凝縮液である。いくつかの実施形態において、試料は、生物試料、環境試料、化学試料又は臨床試料に由来する蒸気である。いくつかの実施形態において、分析物は、分子（例えば、タンパク質、ペプチド、ＤＮＡ、ＲＮＡ、核酸又はその他の分子）、細胞、組織、ウイルス及び異なる形状のナノ粒子を含む。いくつかの実施形態において、分析物は、揮発性有機化合物（ＶＯＣ）を含む。いくつかの実施形態において、分析物は、窒素ガス、酸素ガス、ＣＯ２、Ｈ２Ｏ及び不活性ガスを含む。いくつかの実施形態において、分析物は染色される。
【０１４５】
いくつかの実施形態において、１つの試料表面に、採取プレートに付着したＶＣ試料の一部又は全部を囲むエンクロージャースペーサをさらに含む。いくつかの実施形態において、非常に均一な厚さの値は０．５μｍ以下である。いくつかの実施形態において、非常に均一な厚さの値は、０．５μｍ〜１μｍの範囲内にある。いくつかの実施形態において、非常に均一な厚さの値は、１μｍ〜２μｍの範囲内にある。いくつかの実施形態において、非常に均一な厚さの値は、２μｍ〜１０μｍの範囲内にある。いくつかの実施形態において、非常に均一な厚さの値は、１０μｍ〜２０μｍの範囲内にある。いくつかの実施形態において、非常に均一な厚さの値は、２０μｍ〜３０μｍの範囲内にある。
【０１４６】
いくつかの実施形態において、１つの試料表面に、採取プレートに付着したＶＣ試料の一部又は全部を囲むエンクロージャースペーサをさらに含む。
【０１４７】
実施形態（ＥＢＣ）１．ＳｉＥＢＣＡ（単一液滴の呼気凝縮液の採取／分析装置）
呼気凝縮液（ＥＢＣ）分析は、主に下気道から生じるバイオマーカーを検出する非侵襲的な方法である。ＥＢＣは、呼気エアロゾルの冷却及び凝縮の生成物として、静かな呼気中に採取される。
【０１４８】
図１に示すように、ＳｉＥＢＣＡ（単一液滴のＥＢＣの採取／分析装置）を使用して、呼気凝縮液（ＥＢＣ）を採取する例示的な方法は、以下の基本的なステップを含む：
（１）採取プレートに呼気を吐き出すステップ（図１−１）。対象（例えば、ヒト）は、「採取プレート」と呼ばれるプレートに呼気を吐き出し、呼気は、呼気時間に応じて異なる寸法の液滴であるＥＢＣに凝縮する。呼気時間が短いと、大部分の液滴は、互いに離れる。ＥＢＣを採取する採取プレートの表面は、試料表面と呼ばれる。
（２）採取プレートの上にカバープレートを配置し、それらを一緒にプレスするステップ（図１−２）。（カバープレートと基板との間の間隔を調節するために使用される）スペーサ付きのカバープレートは、前記試料表面の上方に配置される。
（３）プレートを「閉鎖構成」にプレスするステップ（図１−３）。カバープレートと基板は、プレート間の少なくとも一部のＥＢＣとともに圧縮される。
【０１４９】
図１の方法では、最初の液滴は、プレート及びスペーサ（図示せず）により調節された厚さの薄層ＥＢＣにプレスされる。
【０１５０】
ＳｉＥＢＣＡにおいて、「単一液滴」という用語を使用する理由の１つは、原則として、ＳｉＥＢＣＡが、プレートに付着したＥＢＣの単一液滴を検出し分析できるからである。
【０１５１】
本発明の説明において、「基板」及び「カバープレート」と、「第１のプレート」及び「第２のプレート」とは、それぞれ交換可能に使用される。
【０１５２】
いくつかの実施形態において、プレートを冷却して、採取されたＥＢＣの蒸発を減少させる。
【０１５３】
Ａ１  図１に示すように、ＥＢＣを採取する方法は、対象からＥＢＣを採取するための本発明の基本的な実施形態として、以下のステップ（ａ）〜（ｃ）を含む：
（ａ）異なる構成になるように互いに対して移動可能な採取プレート及びカバープレートを取得し、前記プレートの１つ又は両方は、それぞれのプレートに固定されている１００μｍ以下の所定の平均高さを有するスペーサ（図１に示されないが、図２に示されている）を含み；
（ｂ）前記プレートが開放構成に構成されている時に、対象が採取プレートに向かって呼気を吐き出すことにより、ＥＢＣ試料を付着させ、
（ｉ）採取表面の表面濡れ性に応じて、呼気が採取プレートの採取表面に凝縮して、異なる横方向寸法及び異なる高さを有する液滴及び／又は水溜りを形成し、
（ｉｉ）開放構成は、２つのプレートが部分的に又は完全に離され、プレート間距離がスペーサにより調節されない構成であり；
（ｃ）（ｂ）の後、カバープレートを採取プレートの採取表面の上方にもってきて、次にプレートをプレスすることにより２つのプレートを閉鎖構成にし、
（ｉ）閉鎖構成とは、スペーサの少なくとも一部がカバープレートと採取プレートとの間にあり、採取プレートの採取面の関連する領域がカバープレートにより被覆され、スペーサにより調節されるプレート間の間隔を有する構成であり、及び
（ｉｉ）閉鎖構成では、関連する領域において、ステップ（ｂ）で形成された開放構成における大量又は全部の液滴又は水溜りは、（１）開放構成のものより数が少ないが横方向寸法がより大きく、（２）カバープレートと採取プレートの両方の内表面に接触する水溜りに合流し、従って、水溜りの厚さは、プレートの内表面により制限され、内表面間の間隔に等しく、かつ環境に曝露される付着したＥＢＣの総表面積を著しく減少させ、
プレート間の間隔は、カバープレートと採取プレートの２つの内表面（互いに対向する２つの面）間の間隔であり、関連領域は、採取面の一部又は全表面であり、採取面は、採取プレートの一部又は全表面である。
【０１５４】
実験（実施例に詳細に説明されている）から、プレートの閉鎖構成では、ＳｉＥＢＣＡにより採取されたＥＢＣの最終形態は、スペーサの高さに依存することが分かった。実験において（図１３参照）、図２に示すように、
（１）ＳｉＥＢＣＡの閉鎖構成では、プレートの内表面間の間隔が開放構成におけるＥＢＣ液滴又は水溜りの平均高さより小さいと、ＥＢＣ液滴又は水溜りは、採取プレート及びカバープレートにより、開放構成における薄膜より薄い連続的な薄膜に圧縮され、かつ該薄膜に空気ポケットが存在する可能性があり、
（２）そうでなければ（すなわち、間隔が開放構成における平均高さ以上であると）、液滴及び／又は水溜りは、開放構成のものより数が少ないが横方向寸法（面積）がより大きい個別の水溜りに自己形成し、カバープレート及び採取プレートの両方の試料接触（内側）表面に接触し、前記プレートの内表面により限定され、内表面間の間隔に等しい厚さを有することが分かる。この場合に、閉鎖構成におけるＥＢＣ試料の厚さは、開放構成におけるＥＢＣ試料の平均厚さ以上である。我々が実験で観察したように、閉鎖構成におけるＥＢＣ水溜り厚さの増加は、プレートとＥＢＣ試料との間の相互作用によるものである。
【０１５５】
ＥＢＣ−１．２．ＥＢＣの採取装置
図３は、ＳｉＥＢＣＡ（単一液滴のＥＢＣの採取／分析装置）の装置及び方法の実施形態の図であり、（ａ）第１のプレート及び第２のプレートを有し、１つ又は両方のプレートは、スペーサを有し（図示するように、第１のプレートのみがスペーサを有する）、（ｂ）開放構成では、第１のプレート（図示する）又は第２のプレート（図示せず）又はその両方（図示せず）上に、試料を付着させ（多くのＥＢＣ液滴のうちの一つのみが示される）、（ｃ）（ｉ）前記２つのプレートを使用して試料（試料がプレート間に流れる）を広げ、試料の厚さを減少させ、（ｉｉ）閉鎖構成では、スペーサ及びプレートを使用して試料の厚さを調節する。
【０１５６】
Ａ２  図１に示すように、ＥＢＣを採取する装置は、対象からＥＢＣ試料を採取するための本発明の基本的な実施形態として、
ｉ、異なる構成になるように互いに対して移動可能であり、１つ又は両方のプレートが可撓性である第１のプレート及び第２のプレートと、
ｉｉ、ＥＢＣ試料に接触するための各プレートのそれぞれの表面上の試料接触領域と、
ｉｉｉ、それぞれのプレートに固定され、３０μｍ以下の所定の実質的に均一な高さ及び２５０μｍ以下の所定の一定のスペーサ間の距離を有し、スペーサのうち少なくとも１つが試料接触領域内に位置する１つ又は両方のプレート上のスペーサと
を含み、
前記構成の１つは、開放構成であり、前記２つのプレートが離され、前記プレート間の間隔が前記スペーサにより調節されず、対象からの前記ＥＢＣ試料が前記１つ又は両方のプレートに付着し、
前記構成のうち別の構成は、前記ＥＢＣ試料が開放構成で付着した後に構成された閉鎖構成であり、閉鎖構成では、ＥＢＣ試料の少なくとも一部は、２つのプレートにより非常に均一な厚さの層に圧縮され、均一な厚さの層は、２つのプレートの試料内表面に接触し、それによって限定され、スペーサ及びプレートにより調節される。
【０１５７】
段落Ａ１及びＡ２のいくつかの実施形態において、ＥＢＣ試料の付着は、対象から１つのプレートに直接的に呼気することにより取得する。
【０１５８】
段落Ａ１及びＡ２のいくつかの実施形態において、ＥＢＣ試料の付着は、対象から２つのプレートに直接的に呼気することにより取得する。
【０１５９】
「被覆時間遅延」とは、段落Ａ１におけるステップ（ｂ）のＥＢＣの付着から段落Ａ１におけるステップ（ｃ）の終わりまでの時間、すなわちカバープレートと採取プレートを閉鎖構成にする時間を指す。
【０１６０】
段落Ａ１の方法において、付着したＥＢＣの蒸発を減少させるために、前記被覆時間遅延をできるだけ短くすべきである。１つの好ましい実施形態において、被覆時間遅延は、２秒間以下である。別の好ましい実施形態において、被覆時間遅延は、５秒間以下である。別の好ましい実施形態において、被覆時間遅延は、１０秒間以下である。別の好ましい実施形態において、被覆時間遅延は、３０秒間以下である。別の好ましい実施形態において、被覆時間遅延は、３０秒間〜３００秒間（例えば、３０秒間〜６０秒間、６０秒間〜１２０秒間又は１２０秒間〜３００秒間）の範囲内にある。
【０１６１】
ＥＢＣ−１．３．ＥＢＣ蒸発速度の大幅な低下  段落Ａ１及びＡ２における方法及び装置の１つの重要な利点は、採取プレートとカバープレートの開放構成と比較して、プレートの閉鎖構成が、環境に曝露されるＥＢＣの表面積を著しく減少させ、ＥＢＣ試料の蒸発速度を著しく低下させ、ＥＢＣ試料が液状である時間（すなわち、ＥＢＣ試料が完全に蒸発しない時間）を著しく増加させることである。例えば、開放構成における乾燥時間（ＥＢＣ試料が完全に乾燥するのに必要な時間）が３０秒間から１４０倍の７０分間に長くなることを観察した。
【０１６２】
ＥＢＣ−１．４．ガードリング（密閉スペーサ）  ＥＢＣ試料の蒸発速度をさらに低下させるために、密閉スペーサ又はガードリングを使用して試料を取り囲んで、試料を環境からシールすることができる。ガードリングは、開放構成で付着したＥＢＣ試料と同じか、それよりも大きいか、又は小さい領域を取り囲むことができる。ガードリングは、ＥＢＣ試料を複数のチャンバにさらに分割するように構成することができる（図４）。
【０１６３】
図４は、「開放スペーサ」と「密閉スペーサ」の両方を有するＳｉＥＢＣＡの図であり、開放スペーサは、ポスト（柱）であり、密閉スペーサは、リングである。密閉スペーサは、密閉スペーサの内部に採取されたＥＢＣの蒸発を減少させる。これは、閉鎖構成で、密閉スペーサ、カバープレート及び採取プレートが密閉チャンバを形成するからであり、開放スペーサのみがあり密閉スペーサがない場合にはプレートの閉鎖構成であっても採取されたＥＢＣが依然としてＥＢＣによって形成された薄膜の縁部から蒸発するが、そのような蒸発がカバープレートを用いない場合よりもはるかに遅い。
【０１６４】
段落Ａ１及びＡ２における方法及び装置において、前記スペーサは、開放スペーサ、密閉スペーサ、又はそれらの組み合わせとすることができる。
【０１６５】
ＥＢＣの厚さを均一に保つための装置及び方法の詳細は、本開示の他の部分に示される。
【０１６６】
ＥＢＣ−２．ＥＢＣ分析
本発明の別の重要な利点は、段落Ａ１〜２における方法及び装置をＥＢＣ分析装置として、それ自体で、又は特定の変更によって使用できることである。ＥＢＣ分析装置は、ＥＢＣ内の１つ以上の標的分析物を分析する。前記標的分析物については、セクション３でさらに検討する。
【０１６７】
段落１〜２における方法及び装置に対する変更は、以下（１）〜（４）を含むが、これらに限定されず、そして、単独で（個別に）又は組み合わせて採用することができる。
【０１６８】
（１）結合部位。１つ又は両方のプレートは、１つ以上の結合部位を有し、
各々（タイプ）の試薬は、いずれも十分に離れた位置にある（前記十分に離れることについては後で定義する）。
（２）貯蔵部位。１つ又は両方のプレートは、１つ以上の結合部位を有し、
各々（タイプ）の試薬は、いずれも十分に離れた位置にある（前記十分に離れることについては後で定義する）。
（３）増幅部位。
（４）分析物検出の多重化。
【０１６９】
結合部位、貯蔵部位、増幅部位及び多重化部位のさらなる詳細ならびにＶＣとＥＢＣ分析のためのそれらの使用は、本開示の他の部分に示される。
【０１７０】
Ａ−３  対象からのＥＢＣを分析する方法は、以下のステップ（ａ）〜（ｃ）を含む：
（ａ）異なる構成になるように互いに対して移動可能な採取プレート及びカバープレートを取得し、１つ又は両方のプレートは、それぞれのプレートに固定され１００μｍ以下の所定の平均高さを有するスペーサ（図１に示されないが、図２に示されている）を含み；
（ｂ）前記プレートが開放構成に構成されている時に、対象が採取プレートに向かって呼気を吐き出すことにより、ＥＢＣ試料を付着させ、
（ｉ）採取表面の表面濡れ性に応じて、呼気が採取プレートの採取表面に凝縮して、異なる横方向寸法及び異なる高さを有する液滴及び／又は水溜りを形成し、
（ｉｉ）開放構成とは、２つのプレートが部分的に又は完全に離され、プレート間の間隔がスペーサにより調節されない構成であり；
（ｃ）（ｂ）の後に、カバープレートを採取プレートの採取表面の上方にもってきて、次にプレートをプレスすることにより２つのプレートを閉鎖構成にし、
（ｉ）前記閉鎖構成は、スペーサの少なくとも一部がカバープレートと採取プレートとの間にあり、採取プレートの採取面の関連する領域がカバープレートにより被覆され、スペーサにより調節されるプレート間の間隔を有する形態であり、及び
（ｉｉ）前記閉鎖構成では、関連する領域において、ステップ（ｂ）で形成された開放構成における大量又は全部の液滴又は水溜りは、（１）開放構成のものより数が少ないが横方向寸法がより大きく、（２）カバープレートと採取プレートの両方の内表面に接触する水溜りに合流し、従って、水溜りの厚さは、プレートの内表面により制限され、内表面間の間隔に等しく、かつ環境に曝露される付着したＥＢＣの総表面積を著しく減少させ；
（ｄ）ＥＢＣを分析し、
プレート間の間隔は、カバープレートと採取プレートの２つの内表面（互いに対向する２つの面）間の間隔であり、関連領域は、採取面の一部又は全表面であり、採取面は、採取プレートの一部又は全表面である。
【０１７１】
採取プレートは、一般的には、環境と同じ温度に保持されるが、いくつかの実施形態において、前記温度が環境と異なることがあり、採取の目的に応じて、高く又は低くなることができる。例えば、ＥＢＣ蒸発を低減するために、環境温度よりも低い温度を使用することができ、環境温度よりも多く蒸発するために、環境温度よりも高い温度を使用することができる。
【０１７２】
ＥＢＣ−３．応用
ＥＢＣ分析は、慢性閉塞性肺疾患（ＣＯＰＤ）、喘息及び嚢胞性線維症（ＣＦ）などの慢性気道疾患の状態を反映する炎症マーカーの検出に使用することができ、ＥＢＣ分析は、さらに、呼気の、代謝、プロテオミクス及びゲノムフィンガープリントの同定にも使用することができ、呼吸器だけでなく全身性疾患の早期診断を目指す。
【０１７３】
ＥＢＣ−３．１．ＥＢＣ分析
呼気検査は、臨床診断、病態モニタリング、健康モニタリング及び環境曝露評価に利用可能な最も侵襲性の低い方法の１つである。
【０１７４】
対象からの呼吸マトリックスは、窒素ガス、酸素ガス、ＣＯ２、Ｈ２Ｏ及び不活性ガスの混合物である。残りの小部分は、百万分の１（ｐｐｍ）〜一兆分の１（ｐｐｔ）の範囲の濃度内の１０００種超の微量揮発性有機化合物（ＶＯＣ）を含む。それらの由来については、これらの揮発性物質は、体内で生成される（内因性）か、又は環境からの汚染物質として吸収される（外因性）。呼吸中のＶＯＣの組成は、質的にも量的にも、人によって大きく異なる。
【０１７５】
人間の呼気に現在までに発見されたＶＯＣの数は１０００種超であるが、少数のＶＯＣしか全ての人間に共通するものではない。イソプレン、アセトン、エタン及びメタノールを含むこれらの一般的なＶＯＣは、主要な代謝プロセスの産物であり、臨床診断に非常に有益である。呼気中の大量のマトリックス及び微量ＶＯＣは、肺の血液−ガス界面における血液と肺胞空気との間で交換される。１つの例外はＮＯであり、それは気道炎症の場合に気道に放出される。
【０１７６】
無機ガス（例えば、ＮＯ及びＣＯ）、ＶＯＣ（例えば、イソプレン、エタン、ペンタン、アセトン）などの人間の呼気に発見された内因性化合物、及びイソプロスタン、ペルオキシナイトライト、又はサイトカインなどの他の典型的な不揮発性物質は、呼気凝縮液において測定される。内因性化合物の試験は、可能性のある病態に関する貴重な情報を提供することができる。さらに、外因性分子、特にハロゲン化有機化合物は、薬物又は環境汚染物質への最近の曝露を示すことができる。
【０１７７】
揮発性有機化合物（ＶＯＣ）は、高い蒸気圧を有することにより、室温で蒸発できる有機物質である。本発明の提供する方法及び装置により標的分析物としてアッセイされたＶＯＣは、生物学的に生成されたＶＯＣ（例えば、テルペン、イソプレン、メタン、緑葉揮発性物質）及び人為起源のＶＯＣ（例えば、酢酸エチル、グリコールエーテル及びアセトンのような、塗料及びコーティングに使用される典型的な溶媒、塩化メチレン、ＭＴＢＥ及びホルムアルデヒドのような接着剤、塗料、接着剤除去剤、建築材料からの蒸気、ドライクリーニングに使用されるクロロフルオロカーボン及びパークロロエチレン、ベンゼンや一酸化炭素のような化石燃料からの蒸気や排ガス）を含むが、これらに限定されない。特定のバイオマーカーに関する詳細な説明が表１に示される。
【０１７８】
（表１）特定の疾患又は応用における呼気マーカー
2020008594.tif 000003
【０１７９】
ＥＢＣ−３．２．他の蒸気凝縮物の採取及び分析
本発明の特定の実施形態は、ＥＢＣ以外の蒸気凝縮液の採取及び分析のためのＳｉＥＢＣＡ方法及び装置の応用に関する。他の水分は、霧、雲、蒸気などを含むが、これらに限定されない。これらの蒸気凝縮液の標的分析物は、様々な目的のための環境モニタリング、排出規制などに使用され、いくつかの実施形態において、前記試料は、生物試料、環境試料、化学試料又は臨床試料に由来する蒸気である。
【０１８０】
ＥＢＣ−３．３．自動的かつ高度なスループット
特定の実施形態において、本発明の装置及び方法は、自動的で高速であり、ステップは機械によって実施され、いくつかの実施形態において、前記プレートは、ロール状であり、ローラにより制御されることにより、プレートの特定の領域を開放構成又は閉鎖構成にする。
【０１８１】
ＥＢＣ−４．ＥＢＣ接続と分析実験の多くの例
さらなる例示的な実験検査及び観察、ならびに本発明のさらなる好ましい実施形態が示される。
【０１８２】
セクション４（実施例）に記載された本発明の全ての例示的な実験検査及び論証は、以下の条件で実施され、以下の共通の観察結果を共有する。
【０１８３】
プレート  ＳｉＥＢＣＡ装置の２つのプレートのうち、「Ｘ−プレート」と呼ばれる一方だけが該プレートの試料表面に固定されたスペーサを有し、「基板プレート」と呼ばれる他のプレートは、平坦な表面を有しかつスペーサを有さない。基板プレートは採取プレートとして使用され、Ｘ−プレートはカバープレートとして使用される。プレート及び様々なプレートの厚さのための様々な材料（ガラス、ＰＭＭＡ（ポリメタクリレート）、及びＰＳ（ポリスチレン）を含む）を試験する。プレートの平坦な表面は、一緒的には、３０ｎｍより小さい表面粗さを有する。
【０１８４】
スペーサ  Ｘ−プレートに使用されるスペーサは、一定の、内部スペーサ間の距離（ＩＳＤ）と均一なスペーサ高さを有し、周期的に配列された矩形柱である。柱状スペーサは、５度より小さい法線からの傾斜角を有する真直な側壁を有する。異なるスペーサ高さ、寸法、スペーサ間の距離、形状及び材料が試験される。
【０１８５】
スペーサの製造  スペーサは、ナノインプリントによりプラスチックプレートに製造され、モールドがプレート内に直接的に押し込まれる。前記モールドは、リソグラフィー及びエッチングによって製造される。ＳｉＥＢＣＡ用のプレート上のスペーサの例。スペーサは、モールドを用いてプラスチックプレート表面を直接的にインプリントすることによって製造され、その幅、長さ及び高さが３０μｍ、４０μｍ及び２μｍである。
【０１８６】
ＥＢＣ試料付着  全てのＥＢＣ試料は、対象の口から数インチ以内に配置された採取プレートに向かってヒトの対象を直接的に呼気させることにより、採取プレートに付着させる。
【０１８７】
ＥＢＣ試料の付着は、任意の特別な温度制御又はダストフィルターを用いずに標準的な室内条件で行われる。実験において、塵埃が、大きな試料面積にわたって所定の最終的な試料厚さを達成するのに影響を与えず、閉鎖構成では、無塵領域上の試料厚さがスペーサによって調節されることが発見された。これは、ＣＲＯＦのために使用した実施形態が、本発明によって期待される結果を達成することを証明した。
【０１８８】
プレートの表面濡れ性  特に断らない限り、プレートの全ての試料表面（すなわち試料と接触した内表面）はいずれも未処理である。プレート表面上に少量の試料を滴下し、試料とプレートの接触角を測定することにより、プレート材料（ガラス、ＰＭＭＡ及びＰＳ）、表面構造（平面及びスペーサを有する）及び試料タイプ（水、ＰＢＳ緩衝液及び血液）の関数として、これらの未処理表面の濡れ性が試験された。異なる試料に対する異なる表面の濡れ角は、実験的に以下のように見出された：水、ＰＢＳ及び血液の液体について、未処理のガラスの接触角は約４６度で、未処理のＰＭＭＡ表面の接触角は６０度で、未処理のＰＳ（ポリスチレン）の接触角は６０度で、未処理のＰＭＭＡ  Ｘ−プレートの接触角は約６１度である。従って、それらは全て親水性である。しかし、これらの表面濡れ性は、表面処理により親水性又は疎水性に変化する可能性がある。良好な蒸気凝縮液採取のために、所与の凝縮量に対して、手でプレスするときの面積より小さい表面積を有する親水性表面が好ましい。本セクション全体における実験において、ＳｉＥＢＣＡプロセスにおけるプレートを一緒にしかつ人の手でプレートの閉鎖構成へと圧縮する。ＳｉＥＢＣＡプレートの広い領域にわたって均一な試料厚さを取得するために最終的にプレスする際には、しばしば親指で１つの領域をプレスし、ＣＲＯＦプレートの異なる領域に擦り、以下に詳述するように優れた試料厚さの均一性が観察される。手でＳｉＥＢＣＡ装置（プレート）を閉鎖構成へとプレスする過程を「ハンドプレス」と呼ばれる。
【０１８９】
図５は、手でＳｉＥＢＣＡプレートをプレスする例示的な方法を示す。（ａ）ＳｉＥＢＣＡを表面に配置し、親指でＳｉＥＢＣＡの１つの位置をプレスして、他の位置にプレスして擦り、或いは（ｂ）ＳｉＥＢＣＡを親指と別の指の間に配置し、プレスして擦ることによって、ＳｉＥＢＣＡはプレスされる。場合によっては、両手を使用する可能性がある。
【０１９０】
自己保持  自己保持とは、ＳｉＥＢＣＡ装置（プレート）が外からの力（例えば、手による力）により閉鎖構成へと圧縮され、外からの力が除去された後、ＳｉＥＢＣＡ装置がそれ自体で試料の厚さを変えずに保持できることを指す。実験で証明されるように、全ての実験において、全てのＳｉＥＢＣＡ装置及びプロセス（特に断らない限り）が、自己保持できることが観察された。他の実験検査は、プレートの一方が親水性である限り、ＳｉＥＢＣＡプレートが自己保持できることを示した。
【０１９１】
ＥＢＣ−４．１．開放構成及び閉鎖構成における採取プレート上のＥＢＣ形成
４．１．１  未処理及び表面処理されたＰＭＭＡ採取プレート上のＥＢＣ液滴寸法
図６は、「開放構成」（すなわち、採取プレートのみを備え、カバープレートを備えない）での、採取プレート（未処理のＰＭＭＡ膜）上のＥＢＣ液滴の寸法と密度の実験データを示す。該写真は、対象が４つの異なる呼気時間、（ａ）１秒間呼気、（ｂ）２秒間呼気、（ｃ）５秒間呼気、及び（ｄ）１０秒間呼気し、プレートに直接的に呼気した後に採取プレート上に採取されたＥＢＣを示す。呼気直後に写真を撮る。
【０１９２】
該表は、採取プレート（ＰＭＭＡ）の１ｍｍ２の面積上の、測定された平均液滴寸法、計算された平均液滴高さ、平均液滴体積、測定された液滴密度及び総液体表面積を示す。実験データは、（１）採取プレートの採取表面として未処理のＰＭＭＡ薄膜を使用すると、対象からのＥＢＣが異なる寸法の液滴を直接的に形成し、大部分の液滴に関して、互いに良好に離れており、（２）採取プレート（ＰＭＭＡ）の１ｍｍ２の面積上の、測定された平均液滴寸法、計算された平均液滴高さ、平均液滴体積、液滴密度及び総液体表面積が、最初に呼気時間とともに増加し、５秒間呼気後に飽和になるように見えることを示す。これは、実験において、５秒間呼気後に、呼気によるＥＢＣ付着速度と既存のＥＢＣの蒸発速度が平衡に達することに起因する可能性がある。
【０１９３】
上記実験において、平均液滴高さの計算は、ＰＭＭＡ上の水の濡れ接触角に基づいており、平均液滴体積に測定された液滴量密度を乗算して体積密度を計算する。
【０１９４】
該表は、１秒間、２秒間、５秒間及び１０秒間の呼気時間について、１ｍｍ２当たりの採取プレート領域内に、平均ＥＢＣ体積がそれぞれ、１７２ｐＬ、２５０ｐＬ、４９１ｐＬ及び５０７ｐＬであることをさらに示す。
【０１９５】
図７は、プレート開放構成での、採取プレート上のＥＢＣ形成の実験データを示し、前記採取プレートは、表面処理されたＰＭＭＡ薄膜である（処理により、未処理のＰＭＭＡ薄膜表面よりも表面が親水性になる）。該写真は、対象が４つの異なる呼気時間、（ａ）１秒間呼気、（ｂ）２秒間呼気、（ｃ）５秒間呼気、及び（ｄ）１０秒間呼気し、プレートに直接的に呼気した後に採取プレート上に採取されたＥＢＣを示す。呼気直後に写真を撮る。未処理の表面を有する採取プレートと処理された表面を有する採取プレートに付着したＥＢＣの量が同じであると仮定し、平均液体厚さは、総体積を１ｍｍ２の採取プレート上に観察された液体試料面積で割ることによって計算される。該表は、単位表面積当たりの体積密度、計算された平均液体厚さ及び採取プレート（ＰＭＭＡ）の１ｍｍ２面積上の総液体表面積を示す。
【０１９６】
図７の実験データは、（１）処理されたＰＭＭＡの親水性表面が小さい接触角を有するために（詳細は図８に示される）、対象から採取プレートに直接的に付着したＥＢＣが開放構成で、多くの小さな液滴ではなく、いくつかの大面積のＥＢＣ水溜りを形成し、（２）表面処理された採取プレート（濡れ性を改善する）を用いて採取されたＥＢＣの１ｍｍ２の面積上の総液体（ＥＢＣ）表面積は、未処理の表面の場合の約４分の１であることを、明らかに示している。
【０１９７】
図８は、未処理のＰＭＭＡプレート及び処理されたＰＭＭＡプレート上で採取されたＥＢＣ（対象が２秒間直接呼気する）の画像及び測定された蒸発時間（プレート開放構成での）を示す図である。写真は、（ａ）未処理のＰＭＭＡ採取プレートに採取されたＥＢＣが、完全に離れた多くの小さな液滴を形成し、（ｂ）処理されたＰＭＭＡ採取プレートに採取されたＥＢＣが、少数の薄膜及び大きな空隙を有する大きな水溜りを形成すること示す。未処理の表面上に採取されたＥＢＣの計算された表面積は、未処理の表面上の表面積よりも４倍大きい。未処理の表面上に採取されたＥＢＣは７秒間の総蒸発時間を有し、これは、処理された表面上に採取されたＥＢＣの総蒸発時間（３０秒である）より約４倍短くなる。蒸発時間のさらなる研究は、図１３及び１４に与えられ、以下に記載される。
【０１９８】
４．１．２  プレート閉鎖構成におけるＥＢＣの形成
実験において、プレートの閉鎖構成では、ＳｉＥＢＣＡにより採取されたＥＢＣの最終形態は、スペーサの高さに依存することが観察された。
【０１９９】
図９及び図１０は、閉鎖構成での、ＳｉＥＢＣＡを使用して採取したＥＢＣに対するスペーサの高さ（それぞれ１μｍ、２μｍ、１０μｍ及び３０μｍである）の影響の画像の実験データをそれぞれ示す。呼気時間は２秒間であり、被覆時間遅延はほぼ０秒である。スペーサは、平坦な上面と底面を有する均一な断面（３０μｍ×３８μｍ）、８０μｍ及び８２μｍ（Ｘ及びＹ方向）の一定のスペーサ間の距離を有する柱状である。カバープレートは、１７５μｍ厚のＰＭＭＡ薄膜製の未処理のＸ−プレートであり、採取プレートは、平らなガラスプレート（２５ｍｍ×２５ｍｍ×１ｍｍ）である。計算されたように、開放構成では、２秒間の呼気から未処理の表面上に採取された液滴の平均高さは１．７μｍである。ここで、実験は、以下のことを示している：
（１）試験された全てのスペーサ高さ（図９参照）に対して、プレートの開放構成で、採取プレート上のＥＢＣは、プレートの開放構成での形成された液滴から、プレートの閉鎖構成での数が少ないが横方向寸法がより大きい水溜りに合流し、
（２）１μｍの隙間を有するＸ−装置は、最適な液体厚さの均一性及び連続薄膜を有する最大量の呼気液を採取し、
（３）１μｍより大きい隙間を有するＸ−装置は、採取された呼気液が少なく、自己保持することが困難であり、液体厚さの均一性が低く、柱の高さからずれる。
【０２００】
従って、実験により、本発明者らは、
（１）ＳｉＥＢＣＡの閉鎖構成では、プレートのプレート試料表面間の間隔が開放構成におけるＥＢＣ液滴又は水溜りの平均高さより小さいと（例えば、間隔が１μｍで、平均高さが１．７μｍである）、ＥＢＣ液滴又は水溜りは、採取プレート及びカバープレートにより、開放構成における薄膜より薄い連続的な薄膜に圧縮され、かつ該薄膜に空気ポケットが存在する可能性があり、
（２）そうでなければ（例えば、柱の高さがそれぞれ２μｍ、１０μｍ又は３０μｍであるが、開放構成におけるＥＢＣはわずか１．７μｍの高さである）、液滴及び／又は水溜りは、カバープレート及び採取プレートの両方の試料接触（内側）表面に接触するように立ち上がり、次に開放構成のものより数が少ないが横方向寸法（面積）がより大きい個別の水溜りに自己形成し、プレートの内表面により限定され、内表面間の間隔に等しい厚さを有することを証明した。この場合に、閉鎖構成におけるＥＢＣ試料の厚さは、開放構成におけるＥＢＣ試料の平均厚さ以上である。我々が実験で観察したように、閉鎖構成におけるＥＢＣ水溜り厚さの増加は、プレートとＥＢＣ試料との間の相互作用によるものである。
【０２０１】
４．１．３  被覆時間遅延の関数としてのＥＢＣ蒸発時間
図１１及び１２は、（ａ）処理されたＰＭＭＡ採取プレート及び未処理のＰＭＭＡ採取プレート、並びに（ｂ）カバープレートを閉じる時間遅延の、呼気採取に対する影響の画像及び実験データをそれぞれ示す。実験において、採取プレート（ＰＭＭＡ  ２５ｍｍ×２５ｍｍ×１ｍｍ）上の、対象の２秒間の呼気からＥＢＣを直接的に採取し、いくつかの採取プレートは未処理の採取プレートであるが、いくつかの採取プレートは未処理のＰＭＭＡ採取プレートよりも親水性が高いように処理され、カバープレートは、１７５μｍ厚のＰＭＭＡのＸ−プレートであり、平らな上部（１μｍの高さ、３０μｍの幅及び３８μｍの長さ）の柱形状スペーサの正方形格子を有し、スペーサ間の距離がＸ方向及びＹ方向にそれぞれ８０μｍ及び８２μｍであり、呼気完了の直後又は呼気完了後の５秒後に、カバープレートで採取プレートを被覆する際の２つの異なる時間遅延を試験し、液体厚さ、採取された呼気液体積、柱の高さからの液体厚さの偏差、液体厚さの均一性及びその他のパラメータ（例えば、２５ｍｍ×２５ｍｍ採取プレート上の液体面積（ｍｍ２）、（総面積−スペーサ面積）の（液体面積））は、全てプレート閉鎖構成で測定される。
【０２０２】
実験研究により、本発明者らは、
（１）未処理のＰＭＭＡ採取プレートと比較して、処理された採取プレート（より高い濡れ性）が「即時プレス」及び「５秒後プレス」の時間遅延の両方でより多くの呼気液を採取し、
（２）未処理の採取プレート（親水性がより低い）を使用して、５秒の被覆遅延時間で、液体のほぼ半分が蒸発し、
（３）全ての試料は、手でプレスした後、ＳｉＥＢＣＡにおけるプレートが自己保持でき、
（４）ほとんどの場合、閉鎖構成で、ほとんどの時間遅延に対して、スペーサの高さからのＥＢＣ平均厚さの測定された偏差が７．４％以下であり、測定されたＥＢＣ厚さの均一性（すなわち変化）が６．４％以下である。しかし、採取表面が未処理（親水性が低い）であり、カバープレートの被覆時間遅延が５秒である場合、スペーサの高さからずれる平均ＥＢＣの厚さが大きく（１μｍと比較して１．５２μｍであり、５２％の相対偏差をもたらす）、厚さの均一性が低い（２２％の変化）ことを見出した。
【０２０３】
図１３は、処理された採取プレート（未処理より親水性である）及び未処理の採取プレート（ＰＭＭＡ）表面に、採取プレート上で採取された呼気（すなわちＥＢＣ）の量対時間遅延（呼気の終わりからカバープレートの被覆まで測定される）の実験データをそれぞれ示す。実験において、呼気時間は２秒間である。採取された呼気量は、カバープレート及び採取プレートが閉鎖構成へとプレスされた後に測定される。実験から、本発明者らは、
（１）所与の時間遅延に対して、処理された表面を有する採取プレート（未処理よりも濡れ性が高い）がより多くの呼気液を採取し、
（２）採取プレートを被覆しない場合、２秒間の呼気からのＥＢＣは未処理の表面を有する採取プレートに７秒間のみ存続するが、処理された表面を有する採取プレートには４倍の３０秒間存続することを見出した。
【０２０４】
観察（２）は、採取プレート上のより濡れた表面に、プレートに付着したＥＢＣの総表面積が未処理の領域上に付着した表面積よりも小さい表面積を有することを示し、従って、処理された表面上の乾燥時間（すなわち、完全に乾燥する前の時間）がより長くなる。
【０２０５】
４．１．４  プレートの開放構成と閉鎖構成におけるＥＢＣ蒸発時間
本発明者らは、ＥＢＣの上に配置されたカバープレートを用いずに、そしてカバープレートを用いて、採取プレートに付着したＥＢＣの蒸発時間（すなわち、プレートの開放構成及び閉鎖構成における蒸発時間）を実験的に研究した。
【０２０６】
開放構成の採取プレート上のＥＢＣの蒸発速度は、図８に与えられ、記載されている。
【０２０７】
図１４は、それぞれ処理された採取プレート（未処理の親水性がより高い）及び未処理の採取プレート（ＰＭＭＡ）表面に、異なるスペーサ高さで、ＳｉＥＢＣＡによって「閉鎖構成」で採取されたＥＢＣの乾燥時間の実験データを示す。実験において、呼気時間は２秒間であり、カバープレートは呼吸の直後に被覆される。実験は、１μｍスペーサを有する処理されたＰＭＭＡ採取プレートが７０秒の乾燥時間を可能にするが、スペーサが１０μｍである場合、乾燥時間が４５秒に短縮することを示す。１０μｍのスペーサでの乾燥時間がより短い原因は、プレート閉鎖構成におけるＥＢＣが多くの分離した水溜りを形成し、１つ又はいくつかの大きなＥＢＣ領域を有し、スペーサ高さが１μｍのＳｉＥＢＣＡにおける水溜りよりも、環境に曝されるより大きな表面積を有するからである。
【０２０８】
本発明者らは、離されたスペーサに加えて、密閉スペーサを使用することにより、ＳｉＥＢＣＡの閉鎖構成でＥＢＣ蒸発速度をさらに低減できることを認識した。
【０２０９】
処理された採取プレート及び未処理の採取プレートの乾燥速度。処理された採取プレートと未処理の採取プレートを使用した両方の実験に対して、ＥＢＣの乾燥速度も計算され、それは、閉鎖構成でのＸ−装置における液体試料の縁部の単位時間当たりの収縮長さとして定義される。計算は、未処理のＰＭＭＡ採取プレート（１１７μｍ／ｍｉｎ）と比較して、処理されたＰＭＭＡ採取プレートを用いて、液体試料が遅い速度（７４μｍ／ｍｉｎ）で乾燥されることを示す。
【０２１０】
表面処理  ＰＭＭＡプレートの表面処理は、酸素プラズマを用いて行い、次に１０ｎｍの酸化シリコンを堆積させ、いくつかの実施形態において、トリメトキシシランを用いて化学的に処理する。
【０２１１】
「圧縮調節開放流」（ＣＲＯＦ）
本発明の多くの実施形態は、「圧縮調節開放流」（ＣＲＯＦ）という方法とＣＲＯＦを実行する装置を用いて、試料及び／又は試薬の幾何学的サイズ、位置、接触面積及び混合を操作する。
【０２１２】
用語「圧縮開放流（ＣＯＦ）」とは、（ｉ）他のプレートを少なくとも一部の試料の頂部に配置し、（ｉｉ）その後に２つのプレートを対向してプレスして２つのプレートの間の試料を圧縮することにより、プレートに付着させた流動可能試料の形状を変化させる方法を指し、該圧縮は、少なくとも一部の試料の厚さを減少させることにより、前記試料がプレートの間の開放空間に流入する。
【０２１３】
用語「圧縮調節開放流」又は「ＣＲＯＦ」（又は「自己較正圧縮開放流」又は「ＳＣＯＦ」又は「ＳＣＣＯＦ」）とは、特定のタイプのＣＯＦを指し、圧縮後に試料の一部又は全体の最終厚さは、２つのプレートの間に配置されたスペーサによって「調節」される。
【０２１４】
ＣＲＯＦにおいて、「試料の一部又は全体の最終厚さはスペーサによって調節される」という用語は、ＣＲＯＦ中に特定の試料の厚さに達すると、２つのプレートの相対移動を停止させ、これにより試料の厚さの変化も停止し、特定の厚さがスペーサによって決定されることを指す。
【０２１５】
図１〜４に示すように、ＣＲＯＦ方法の一実施形態は、以下のステップ（ａ）〜（ｄ）を含む：
（ａ）流動可能な試料を取得し、
（ｂ）異なる構成になるように互いに対して移動可能な第１のプレート及び第２のプレートを取得し、それぞれのプレートはほぼ平坦な試料接触表面を有し、前記プレートの１つ又は両方は、所定の高さを有して対応する試料接触表面に位置するスペーサを含み、
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり、
（ｄ）（ｃ）の後、プレートを閉鎖構成にして前記試料を広げ、閉鎖構成において、プレートが互いに対向して、スペーサ及び試料の関連体積がプレートの間に位置し、試料の関連体積の厚さをプレート及びスペーサにより調節し、関連体積が前記試料の全体の体積の少なくとも一部であり、かつ試料の広げた期間に、試料が２つのプレートの間に横方向に流動する。
【０２１６】
特に断らない限り、用語「プレート」とは、ＣＲＯＦプロセスにおいて使用されるプレートを指し、それは使用可能な表面を有する固体であり、２つのプレートの間に配置された試料を他のプレートとともに圧縮して試料の厚さを減少させる。
【０２１７】
用語「プレート」又は「プレートの対」とは、ＣＲＯＦプロセスにおける２つのプレートを指す。
【０２１８】
用語「第１のプレート」又は「第２のプレート」とは、ＣＲＯＦプロセスにおいて使用されるプレートを指す。
【０２１９】
用語「プレートが互いに対向する」とは、一対のプレートが少なくとも部分的に、互いに対向する場合を指す。
【０２２０】
特に断らない限り、用語「スペーサ」又は「ストッパ」とは、２つのプレートの間に配置される場合、２つのプレートが共に圧縮される時に到達可能な２つのプレートの間の最小間隔の制限を設定する機械的な物体を指す。すなわち、圧縮の際に、スペーサは、プレート間の間隔がプリセット値（すなわち、所定値）よりも小さくならないように２つのプレートの相対移動を停止させる。スペーサは、「開放スペーサ」と「密閉スペーサ」という二種類のタイプを有する。
【０２２１】
用語「開放スペーサ」とは、液体が該スペーサの全周囲に流動しかつスペーサを流れることを可能にする形状を有するスペーサを指す。例えば、柱は開放スペーサである。
【０２２２】
用語「密閉スペーサ」とは、液体が該スペーサの全周囲に流動しかつスペーサをわたって流れることができない形状を有するスペーサを指す。例えば、リング状スペーサはリング内の液体用の密閉スペーサであり、リング状スペーサ内の液体はリング内に留まり、外部（外周囲）に出ることができない。
【０２２３】
用語「スペーサが所定の高さを有する」と「スペーサが所定のスペーサ間の距離を有する」とは、それぞれＣＲＯＦプロセスの前にスペーサの高さとスペーサ間の距離の値が既知であることを指す。ＣＲＯＦプロセスの前に、スペーサの高さとスペーサ間の距離の値が既知で無い場合、それらは予め設定されない。例えば、プレートにスペーサとしてビーズを散布し、ビーズがプレートのランダムな位置に止まる場合、スペーサ間の距離は予め設定されない。スペーサ間の距離が予め設定されない別の事例は、スペーサがＣＲＯＦプロセス中に移動することである。
【０２２４】
ＣＲＯＦプロセスにおける用語「スペーサがその対応するプレートに固定される」とは、スペーサがプレートのある位置に取り付けられ、かつＣＲＯＦ中に該位置との取り付けを維持する（すなわち、各プレート上のスペーサの位置が変化しない）ことを指す。「スペーサがその対応するプレートに固定される」の一実施例は、スペーサがプレート材料で一体的に作られ、かつＣＲＯＦ中にスペーサがプレート表面に対する位置が変化しないことである。「スペーサがその対応するプレートに固定されない」の一事例は、スペーサが接着剤によりプレートに接着されるが、プレートを使用する時に、ＣＲＯＦ中に接着剤がスペーサをそのプレート表面上の元の位置に維持せず、スペーサがそのプレート表面上の元の位置から離れることである。
【０２２５】
用語「スペーサがプレートに一体的に固定される」とは、スペーサとプレートの挙動が一体の物体であるように、使用中に、スペーサがそのプレートにおける元の位置から移動したり離れたりしないことを指す。
【０２２６】
ＣＲＯＦプロセスにおける２つのプレートの「開放構成」という用語は、２つのプレートが部分的に又は完全に離され、プレート間の間隔がスペーサにより調節されないという構成を指す。
【０２２７】
ＣＲＯＦプロセスにおける２つのプレートの「閉鎖構成」という用語は、プレートが互いに対向して、スペーサ及び試料の関連体積がプレートの間に位置し、試料の関連体積の厚さがプレート及びスペーサにより調節される構成を意味し、前記関連体積が前記試料の全体の体積の少なくとも一部である。
【０２２８】
ＣＲＯＦプロセスにおける用語「試料の厚さをプレート及びスペーサにより調節する」とは、プレート、試料、スペーサ及びプレート圧縮方法の所与の条件に対して、プレートの閉鎖構成で、少なくとも一部の試料の厚さをスペーサ及びプレートの特性に基づいて予め設定することができることを指す。
【０２２９】
ＣＲＯＦ装置中のプレートについての用語「内表面」又は「試料表面」とは、試料と接触するプレートの表面を指し、プレートの他の表面（試料と接触しない」は「外表面」と呼ばれる。
【０２３０】
ＣＲＯＦ装置の「Ｘプレート」という用語は、プレートの試料表面上に存在するスペーサを含むプレートを指し、ここで、前記スペーサは、所定のスペーサ間の間隔とスペーサの高さを有し、かつ少なくとも１つのスペーサは試料接触領域内にある。
【０２３１】
用語「ＣＲＯＦ装置」とは、ＣＲＯＦプロセスを実行する装置を指す。用語「ＣＲＯＦを行う」とは、ＣＲＯＦプロセスを使用することを指す。例えば、用語「試料にＣＲＯＦを行う」とは、試料をＣＲＯＦ装置内に入れて、ＣＲＯＦプロセスを実行することを指し、特に明記しない限り、該試料をＣＲＯＦの最終構成に保持する。
【０２３２】
用語「ＣＲＯＦプレート」とは、ＣＲＯＦプロセスの実行に使用される２つのプレートを指す。
【０２３３】
平坦な表面についての用語「表面平滑度」又は「表面平滑度変化」とは、数マイクロメートル又はそれ以下の短距離の、平坦な表面と、完全に平坦な表面との平均偏差を指す。表面平滑度は、表面平坦度変化とは異なる。平坦な表面は、良好な表面平坦度を有するが、その表面平滑度が低い。
【０２３４】
平坦な表面についての用語「表面平坦度」又は「表面平坦度変化」とは、１０μｍ又はそれ以上の長距離の、平坦な表面と、完全に平坦な表面との平均偏差を指す。表面平坦度変化は、表面平滑度とは異なる。平坦な表面は、良好な表面平滑度を有するが、その表面平坦度が低い（すなわち、その表面平坦度変化が大きい）。
【０２３５】
プレート又は試料についての用語「相対的な表面平坦度」とは、プレートの表面平坦度変化と最終的な試料の厚さとの比を指す。
【０２３６】
特に明記しない限り、ＣＲＯＦプロセスにおける用語「最終的試料厚さ」とは、ＣＲＯＦプロセス中のプレートの閉鎖構成における試料の厚さを指す。
【０２３７】
ＣＲＯＦ中の用語「圧縮方法」とは、２つのプレートを開放構成から閉鎖構成にする方法を指す。
【０２３８】
プレートについての用語「関心対象領域」又は「関心対象となる領域」とは、プレートが実行する機能に関連するプレートの領域を指す。
【０２３９】
用語「最大」とは、「それ以下」を指す。例えば、スペーサの高さが最大１μｍであり、これはスペーサの高さが１μｍ以下であることを指す。
【０２４０】
用語「試料面積」とは、試料がプレート間の空間とほぼ平行でありかつ試料の厚さに垂直である方向における、試料の面積を指す。
【０２４１】
用語「試料厚さ」とは、互いに対向するプレートの表面と垂直である方向（例えば、プレート間の間隔の方向）における、試料寸法を指す。
【０２４２】
用語「プレート間の間隔」とは、２つのプレートの内面の間の距離を指す。
【０２４３】
ＣＲＯＦにおける用語「最終的な試料の厚さのずれ量」とは、所定のスペーサの高さ（スペーサの製造により決定される）と、最終的な試料厚さの平均値との間の差を指し、その平均の最終的な試料の厚さは、所定の領域の平均値（例えば、１．６ｃｍ×１．６ｃｍの領域における２５個の異なる点（距離が４ｍｍである）の平均値）である。
【０２４４】
ＣＲＯＦプロセスにおける用語「計測された最終的な試料の厚さの均一性」とは、所定の試料領域において計測された最終的な試料の厚さの標準ずれ量（例えば、平均値に対する標準ずれ量）を指す。
【０２４５】
ＣＲＯＦプロセスにおける用語「試料の関連体積」及び「試料の関連面積」とは、ＣＲＯＦプロセス中の、プレートに付着した試料の一部又は全体の、それぞれ体積及び面積を指し、それは対応する方法又は装置によって実行され、分析物又は実体の結合時間の減少、分析物の検出、体積の定量化、濃度の定量化、試薬の混合又は濃度（分析物、実体又は試薬）制御を含むが、これらに限定されない機能に関連する。
【０２４６】
特に明記しない限り、用語「いくつかの実施形態」、「いくつかの実施形態において」、「本発明のいくつかの実施形態において」、「実施形態」、「一実施形態」、「他の実施形態」、「いくつかの実施形態」、「多くの実施形態」等とは、全ての開示（すなわち全発明）に応用された実施形態を指す。
【０２４７】
特に明記しない限り、ＣＲＯＦプロセスにおける物体の、用語「高さ」又は「厚さ」とは、プレートの表面と垂直な方向における物体の寸法を指す。例えば、スペーサの高さとは、プレートの表面と垂直である方向におけるスペーサの寸法であり、スペーサの高さ及びスペーサの厚さとは、同じものを指す。
【０２４８】
特に明記しない限り、ＣＲＯＦプロセスにおける物体の、用語「面積」とは、プレートの表面と平行な物体の面積を指す。例えば、スペーサの面積とは、プレートの表面に平行なスペーサの面積を指す。
【０２４９】
特に明記しない限り、ＣＲＯＦプロセスにおける用語「横方向」又は「横方向に」とは、プレートの表面と平行な方向を指す。
【０２５０】
特に明記しない限り、ＣＲＯＦプロセスにおける用語「幅」とは、スペーサの横方向の寸法を指す。
【０２５１】
用語「試料内のスペーサ」とは、試料により取り囲まれるスペーサ（例えば、試料内の柱状スペーサである）を指す。
【０２５２】
ＣＲＯＦプロセスにおけるプレートの用語「臨界湾曲スパン」とは、２つの支持具間のプレートのスパン（すなわち、距離）を指し、所定の可撓性プレート、試料、圧力について、プレートの湾曲は、許容可能な湾曲と等しい。例えば、所定の可撓性プレート、試料及び圧力について、許容可能な湾曲が５０ｎｍであり、臨界湾曲スパンが４０μｍである場合、４０μｍ離れた２つの隣接するスペーサの間のプレートの湾曲が５０ｎｍであり、かつ２つの隣接するスペーサが４０μｍより小さい場合、湾曲が５０ｎｍより小さい。
【０２５３】
試料に関する用語「流動可能」とは、試料の厚さが減少する場合、その横方向寸法が増加することを指す。例えば、糞便試料は流動可能であると考えられる。
【０２５４】
本発明のいくつかの実施形態において、試料の厚さがＣＲＯＦプロセスにおいて減少できる限り、ＣＲＯＦプロセスにおける試料は流動可能である必要がなく、従ってプロセスから利益を受ける。例えば、ＣＲＯＦプレートの表面に色素を載置することにより組織を染色し、ＣＲＯＦプロセスにおいて組織の厚さを減少させることで、色素による染色の飽和インキュベーション時間を加速させる。
【０２５５】
１．結合又は混合時間（Ｘ）の減少（短縮）
アッセイ又はその他の化学反応を行うインキュベーション／反応時間の減少は必要である。例えば、プレート表面に固定化された捕捉剤（すなわち、固相）により試料中の標的分析物を捕捉する表面固定化アッセイにおいては、一般に試料中の標的分析物を捕捉するための飽和インキュベーション時間が短く、あるいは溶液中の捕捉剤及び検出剤をプレート表面に固定化する時間が短く、あるいは両方がいずれも短いことが望ましい。別の事例は、捕捉剤をプレート表面に塗布する時間を短縮する需要である。別の事例は、試薬と試料との混合時間を短縮する需要である。
【０２５６】
本発明は、試料中の実体を固体表面上の結合部位に結合するために必要な飽和インキュベーション時間（すなわち実体の、体積から表面への時間）を減少（すなわち短縮）させる方法及び装置を提供する。本発明の別の態様は、プレートの表面に貯蔵された実体を他のプレート表面上の結合部位に結合するために要する時間（すなわち実体の、１つの表面から別の表面への時間）を短縮することである。本発明の別の様態は、表面に貯蔵された試薬を一定の体積の試料に添加／混合するために要する時間（すなわち試薬の、表面から一定の体積の試料に添加／混合する時間）を短縮することである。
【０２５７】
本発明は、試料（又は液体）をより薄い厚さに広げる装置及び方法を用いることによりアッセイにおける結合及び／又は混合の飽和インキュベーション時間を減少させることで、実体が試料厚さにわたって拡散する時間を減少させ、材料（例えば、液体又は固体又は半固体）における実体の拡散時間は、拡散距離の平方に正比例し、従って試料厚さの減少により拡散距離を減少させ、拡散時間及び飽和インキュベーション時間の急激減少を引き起こすことができる。薄い厚さ（例えば、狭い密閉空間）も実体と材料における他の実体との衝突頻度を上げ、それにより結合及び混合をさらに強化させる。本発明における方法は、さらに試料の厚さを正確で、均一で、迅速で、簡単（操作ステップがより少ない）に減少させ、かつ試料の厚さをミクロン又はナノメートルの厚さに減少させることに適用される。これらの発明は高速、低コスト、ＰｏＣ、診断及び化学／バイオ分析の面に高い実用性を有する。図１〜４は本発明のいくつかの実施形態を示す。
【０２５８】
１．１  試料の厚さを減少させることによる、試料中の実体を固体表面上の結合部位に結合するために必要な飽和インキュベーション時間の減少
Ｘ１．  図１〜４及び図１５に示すように、試料中の標的実体をプレート表面上の結合部位に結合するために必要な飽和インキュベーション時を減少させる方法は、以下のステップ（ａ）〜（ｄ）を含む：
（ａ）流動可能かつ試料内に拡散できる標的実体を含有する試料を取得し、
（ｂ）異なる構成になるように互いに対して移動可能な第１のプレート及び第２のプレートを取得し、前記第１のプレートは、その表面に標的実体に結合するように構成された結合部位を有し、前記プレートの１つ又は両方は、各々がその対応するプレートに固定され、かつ所定の高さを有するスペーサを含み、
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり、
（ｄ）（ｃ）の後、プレートを閉鎖構成にして前記試料を広げ、前記閉鎖構成で、プレートが互いに対向して、スペーサ及び試料の関連体積がプレートの間に位置し、結合部位が関連体積と接触し、試料の関連体積の厚さがプレート及びスペーサにより調節され、プレートが開放構成にある時の試料の最大の厚さより薄く、
前記関連体積は、試料の一部又は全体の体積であり、
減少した試料厚さにより、関連体積中の標的実体を結合部位に結合するための飽和インキュベーション時間が減少する。
【０２５９】
所定の試料体積に対して、ＣＲＯＦは試料の厚さを減少させるが、試料の横方向寸法を増加させる。本発明は、以上の事実を用いて、（ａ）試料の一部における局所的な結合又は混合を行い、（ｂ）流体バリアがない場合では、複数の結合又は混合部位の多重化を行って、試料流体を異なる隔離液嚢に分離させる。
【０２６０】
Ｘ２．  図１〜４及び図１５に示すように、試料の関連体積における標的実体を表面に結合するために必要な飽和インキュベーション時間を減少させる装置は、
第１のプレート及び第２のプレートを含み、（ａ）前記プレートは、異なる構成になるように互いに対して移動可能で、（ｂ）各プレートが試料と接触するための試料接触領域を有し、該試料が試料関連体積に標的実体を有し、（ｃ）プレートの１つが標的実体を結合する結合部位を有し、（ｄ）プレートの少なくとも１つがスペーサを含み、スペーサが所定のスペーサ間距離及び高さを有し、かつそれぞれの表面に固定され、スペーサの少なくとも１つが試料接触領域内に位置し、
前記構成の１つは、２つのプレートが部分的又は完全に離され、プレート間の間隔がスペーサにより調節されない開放構成であり、
別の構成は、開放構成で試料を付着させた後に構成された閉鎖構成であり、前記閉鎖構成で、プレートが互いに対向し、スペーサ及び試料の関連体積がプレートの間に位置し、結合部位が関連体積と接触し、かつ試料の関連体積の厚さをプレート及びスペーサにより調節し、プレートが開放構成にある時に、該厚さが試料の最大の厚さより小さく、前記関連体積は、試料の一部又は全体の体積であり、かつ前記減少した試料の厚さにより関連体積における標的実体を結合部位に結合するための飽和インキュベーション時間が減少する。
【０２６１】
１．２  プレートの表面に貯蔵された実体を他のプレート表面上の結合部位に結合するために必要な飽和インキュベーション時間の減少
Ｘ３．  図１〜４及び１５ｂに示すように、１つのプレートの貯蔵部位に貯蔵された実体を別のプレート上の関連結合部位に結合するための飽和インキュベーション時間を減少させる方法は、以下のステップ（ａ）〜（ｄ）を含む：
（ａ）異なる構成になるように互いに対して移動可能な第１のプレート及び第２のプレートを取得し、前記第１のプレートはその表面に結合部位を有し、前記第２のプレートはその表面に結合部位に結合する実体を含む貯蔵部位を有し、前記結合部位の面積及び前記貯蔵部位の面積がそれぞれのプレートの面積より小さく、かつ前記プレートの１つ又は両方は、各々がそのそれぞれのプレートで固定され、かつ所定の高さを有するスペーサを含み、
（ｂ）その内に貯蔵部位上の実体が溶解でき、かつ拡散できる搬送媒体を取得し、
（ｃ）プレートが開放構成に構成されている時に、前記プレートの１つ又は両方に搬送媒体を付着させ、前記開放構成とは、２つのプレートが部分的又は完全に離され、プレート間の間隔がスペーサにより調節されない構成であり
（ｄ）（ｃ）の後、プレートを閉鎖構成にして前記搬送媒体を広げ、前記閉鎖構成で、プレートが互いに対向して、スペーサ、結合部位、貯蔵部位及び少なくとも一部の搬送媒体がプレートの間に位置し、結合部位と貯蔵部位が少なくとも部分的に重なり、搬送媒体が結合部位と貯蔵部位の少なくとも一部と接触し、搬送媒体の厚さがプレート及びスペーサにより調節され、プレートが開放構成にある時の搬送媒体の最大の厚さより薄く、
搬送媒体の減少した厚さにより第２のプレートに貯蔵された実体を第１のプレート上の結合部位に結合するために必要な時間が減少する。
【０２６２】
Ｘ４．図１〜４及び１５ｂに示すように、一つのプレートの貯蔵部位に貯蔵された実体を別のプレート上の結合部位に結合するための飽和インキュベーション時間を減少させる装置は、
異なる構成になるように互いに対して移動可能な第１のプレート及び第２のプレートを含み、前記第１のプレートはその表面に結合部位を有し、前記第２のプレートはその表面に結合部位に結合する実体を含む貯蔵部位を有し、前記結合部位の面積及び貯蔵部位の面積がそのそれぞれのプレートの面積より小さく、前記プレートの１つ又は両方は、そのそれぞれのプレートに固定されて、所定の高さを有するスペーサを含み、
前記構成の１つは、２つのプレートが部分的又は完全に離され、プレート間の間隔がスペーサにより調節されず、搬送媒体が２つのプレートの１つ又は両方に付着する開放構成であり、貯蔵部位上の実体は搬送媒体内に溶解でき、かつ拡散でき、
別の構成は、搬送媒体が開放構成で付着した後に構成された閉鎖構成であり、閉鎖構成において、プレートが互いに対向して、スペーサ、結合部位、貯蔵部位及び少なくとも一部の搬送媒体がプレートの間に位置し、結合部位が貯蔵部位と少なくとも部分的に重なり、搬送媒体が結合部位と貯蔵部位の少なくとも一部と接触し、搬送媒体の厚さをプレート及びスペーサにより調節し、プレートが開放構成にある時に、該厚さが搬送媒体の最大の厚さよりわずかに薄く、
搬送媒体の減少した厚さにより、第２のプレートの貯蔵部位上の実体を第１のプレート上の結合部位に結合するための飽和インキュベーション時間が減少する。
【０２６３】
いくつかの実施形態において、段落Ｘ３の方法及び段落Ｘ４の装置において、搬送媒体は実体又は試薬又は両者が拡散する液体を含む。
【０２６４】
いくつかの実施形態において、段落Ｘ３の方法及び段落Ｘ４の装置において、搬送媒体は、結合部位に結合する分析物（標的分析物とも呼ばれる）を含む試料である。
【０２６５】
いくつかの実施形態において、段落Ｘ３の方法及び段落Ｘ４の装置において、搬送媒体は、結合部位に結合する分析物（標的分析物とも呼ばれる）を含む試料であり、試薬は、分析物に結合する検出剤である。
【０２６６】
１．３表面に貯蔵された試薬を液体試料に添加（混合）するための時間の減少
多くのアッセイは、試料（液体を含む）に試薬を添加する必要がある。一般的に試料又は液体に添加された試薬の濃度を制御する必要がある。簡単かつ／又は低コストでこのような試薬の添加及び濃度制御を実行する新たな方法を必要とする。所望の試薬添加の２つの実例は、（ａ）抗凝固剤及び／又は染色試薬を血液試料に添加する血球計数、及び（ｂ）検出剤を添加して溶液における標的分析物を結合する免疫学的アッセイである。
【０２６７】
本発明の一態様は、このような試薬の添加及び濃度制御を簡単及び／又は低コストにする方法、装置及びシステムである。本発明の一実施形態において、まず試薬層（例えば乾燥された試薬層）をＣＲＯＦ装置のプレート表面に載置し、次に試料をＣＲＯＦ装置に付着させて、ＣＲＯＦプロセスで試料を試薬と接触させ、かつ試料の厚さを、ＣＲＯＦプレートが開放構成にある時の試料の厚さよりも薄くさせる。試料厚さを減少させることにより、試薬の表面から全試料への拡散時間を減少させ、これにより試薬と試料混合の時間を減少させる。
【０２６８】
Ｘ５．図１〜４及び１５ｃに示すように、プレート表面に貯蔵された試薬を試料に混合するための時間を減少させる方法は、以下のステップ（ａ）〜（ｄ）を含む：
（ａ）異なる構成になるように互いに対して移動可能な第１のプレート及び第２のプレートを取得し、前記第１のプレートは、その表面に試料に添加される試薬を含む貯蔵部位を有し、該試薬が試料内に溶解し、かつ試料内に拡散でき、２つのプレートの１つ又は両方がスペーサを含み、かつ各スペーサがそのそれぞれのプレートで固定され、かつ所定の高さを有し、
（ｂ）試料を取得し、
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり、
（ｄ）（ｃ）の後、プレートを閉鎖構成にして前記試料を広げ、前記閉鎖構成で、プレートが互いに対向して、スペーサ、貯蔵部位及び試料の少なくとも一部がプレートの間に位置し、試料が貯蔵部位の少なくとも一部と接触し、貯蔵部位上の試料の厚さがプレート及びスペーサにより調節され、プレートが開放構成にある時の試料の最大の厚さより薄く、
試料の減少した厚さにより、貯蔵部位上の試薬と試料を混合するための時間が減少する。
【０２６９】
段落Ｘ５の方法において、プレートが閉鎖構成にある時にインキュベーションを行うステップをさらに含み、インキュベーション時間は、試料内に溶解した大量の試薬が試料の関連体積内に含まれるように選択される。ここで、関連体積とは、貯蔵部位に位置する試料の体積を指し、インキュベーションとは、試薬を試料内に溶解及び拡散することを可能にする過程を指す。
【０２７０】
段落Ｘ５の方法は、（ｄ）の後、プレートが閉鎖構成にある時に、試料中の試薬が閉鎖構成にあるプレートにより調節された試料の厚さにわたって拡散する時間の因子倍以下の時間でインキュベートし、次にインキュベーションを停止させるステップをさらに含み、前記インキュベーションにより試薬を試料内に拡散することを可能にし、前記因子が０．０００１、０．００１、０．０１、０．１、１、１．１、１．２、１．３、１．５、２、３、４、５、１０、１００、１０００、１００００又はこれらの値の間の任意の範囲である。例えば、因子が１．１で、拡散時間が２０秒であれば、インキュベーション時間は２２秒以下である。好ましい実施形態において、因子は０．１、１、１．５又はこれらの値の間の任意の範囲である。
【０２７１】
Ｘ６．  図１〜４及び１５ｃに示すように、プレート表面に貯蔵された試薬を試料内に添加するための時間を減少させる装置は、
異なる構成になるように互いに対して移動可能な第１のプレート及び第２のプレートを含み、前記第１のプレートは、その表面に試料に添加される試薬を含む貯蔵部位を有し、該試薬が試料内に溶解し、かつ試料内に拡散でき、前記プレートの１つ又は両方はスペーサを含み、かつ各スペーサがそのそれぞれのプレートで固定され、かつ所定の高さを有し、
前記構成の１つは、２つのプレートが部分的又は完全に離され、プレート間の間隔がスペーサにより調節されず、試料がプレートの１つ又は両方に付着する開放構成であり、
別の構成は、搬送媒体が開放構成で付着した後に構成された閉鎖構成であり、閉鎖構成で、プレートが互いに対向して、スペーサ、貯蔵部位及び試料の少なくとも一部がプレートの間に位置し、試料が貯蔵部位の少なくとも一部と接触し、貯蔵部位上の試料の厚さをプレート及びスペーサにより調節し、プレートが開放構成にある時に、該厚さが試料の最大の厚さよりも薄く、
試料の減少した厚さにより、貯蔵部位上の試薬と試料を混合するための時間を減少させる。
【０２７２】
段落Ｘ１〜６のいずれか１つの段落に記載の方法又は装置において、いくつかの実施形態において、試料の関連体積は、結合部位又は貯蔵部位に位置する（すなわち、その頂部に位置する）試料の体積である。
【０２７３】
段落Ｘ１〜６のいずれか１つの段落に記載の方法又は装置において、いくつかの実施形態において、試料の関連体積は、結合部位又は貯蔵部位の全領域又は一部の領域に位置する（すなわち、その頂部に位置する）試料の体積である。
【０２７４】
段落Ｘ１〜６のいずれか１つの段落に記載の方法又は装置において、いくつかの実施形態において、閉鎖構成における試料厚さに対する結合部位又は貯蔵部位の横方向寸法の比は、１．５３以上、３以上、５以上、１０以上、２０以上、３０以上、５０以上、１００以上、２００以上、１０００以上、１００００以上、又はこれらの値のいずれか２つの間の範囲である。
【０２７５】
段落Ｘ１〜６のいずれか１つの段落に記載の方法又は装置において、閉鎖構成における試料厚さに対する結合部位又は貯蔵部位の横方向寸法の比は、好ましい実施形態において３〜２０であり、別の好ましい実施形態において２０〜１００であり、別の好ましい実施形態において１００〜１０００であり、また、別の好ましい実施形態において１０００〜１００００である。
【０２７６】
段落Ｘ１及びＸ３のいずれか１つの段落に記載の方法において、いくつかの実施形態において、最終的に減少した試料の厚さは、結合部位の領域の試料の厚さより顕著に小さいことにより、結合部位の外に位置する試料領域における実体を結合部位に結合するためにより長い時間を必要とする。適切なインキュベーション時間を選択した場合、結合部位に結合された実体は、主に結合部位に位置する（すなわち、ちょうど結合領域上にある試料体積）試料体積中の実体である。次に、試料中の実体濃度の計算は、試料厚さ及び結合部面積に基づく。
【０２７７】
段落Ｘ５の方法において、いくつかの実施形態において、最終的に減少した試料厚さは、貯蔵部位の面積上の試料厚さより顕著に小さいことにより、結合部位の外に位置する試料領域における実体を結合部位に結合するためのより長い時間を必要とする。
【０２７８】
適切なインキュベーション時間を選択した場合、結合部位に結合された実体は、主に結合部位に位置する（すなわち、ちょうど結合領域上にある試料体積）試料体積中の実体である。次に、試料中の実体濃度の計算は、試料厚さ及び結合部面積に基づく。
【０２７９】
段落Ｘ２、Ｘ４、Ｘ６のいずれか１つの段落に記載の方法において、プレートを開放構成から閉鎖構成にする圧縮装置をさらに含み、いくつかの実施形態において、圧縮装置は、本開示に記載の実施形態の１つ又は任意の組み合わせである。
【０２８０】
段落Ｘ２、Ｘ４、Ｘ６のいずれか１つの段落に記載の方法において、プレートを開放構成から閉鎖構成にする圧縮装置と、プレートを閉鎖構成に保持するように構成された保持装置とをさらに含み、いくつかの実施形態において、保持装置は、本開示に記載の実施形態の１つ又は任意の組み合わせである。
【０２８１】
段落Ｘ２、Ｘ４、Ｘ６のいずれか１つの段落に記載の方法において、プレートを開放構成から閉鎖構成にする圧縮装置と、０．００１秒以下、０．０１秒以下、０．１秒以下、１秒以下、５秒以下、１０秒以下、２０秒以下、３０秒以下、４０秒以下、１分間以下、２分間以下、３分間以下、５分間以下、１０分間以下、２０分間以下、３０分間以下、６０分間以下、９０分間以下、１２０分間以下、１８０分間以下、２５０分間以下、又はこれらの値のいずれか２つの間の範囲内の時間でプレートを閉鎖構成に保持するように構成された保持装置とを含む。
【０２８２】
段落Ｘ２、Ｘ４、Ｘ６のいずれか１つの段落に記載の方法において、プレートを開放構成から閉鎖構成にする圧縮装置と、好ましい実施形態において、０．００１秒以下、０．０１秒以下、０．１秒以下、１秒以下、５秒以下、１０秒以下、２０秒以下、３０秒以下、４０秒以下、１分間以下、２分間以下、３分間以下、又はこれらの値のいずれか２つの間の範囲内の時間でプレートを閉鎖構成に保持するように構成された保持装置とを含む。
【０２８３】
インキュベーション時間  段落Ｘ１及びＸ３のいずれか１つの段落に記載の方法は、（ｄ）の後、プレートが閉鎖構成にある時に、試料中の実体が閉鎖構成にある時のプレートにより調節された試料の厚さにわたって拡散する時間の因子倍以下の時間でインキュベーションし、次にインキュベーションを停止させるステップをさらに含み、前記インキュベーションは、実体を結合部位に結合させることを可能にし、前記因子は、０．０００１、０．００１、０．０１、０．１、１、１．１、１．２、１．３、１．５、２、３、４、５、１０、１００、１０００、１００００又はこれらの値の間の任意の範囲である。例えば、因子は１．１で、拡散時間は２０秒であれば、インキュベーション時間は２２秒以下である。好ましい実施形態において、因子は０．１、１、１．５又はこれらの値の間の任意の範囲である。
【０２８４】
段落Ｘ５のいずれか１つの段落に記載の方法は、（ｄ）の後、プレートが閉鎖構成にある時に、試料中の実体が閉鎖構成にある時のプレートにより調節された試料の厚さにわたって拡散する時間の因子倍以下の時間でインキュベーションし、次にインキュベーションを停止させるステップをさらに含み、ここで前記インキュベーションは、実体を結合部位に結合させることを可能にし、前記因子は、０．０００１、０．００１、０．０１、０．１、１、１．１、１．２、１．３、１．５、２、３、４、５、１０、１００、１０００、１００００又はこれらの値の間の任意の範囲である。例えば、因子が１．１で、拡散時間が２０秒であれば、インキュベーション時間は２２秒以下であり、好ましい実施形態において、因子は０．１、１、１．５又はこれらの値の任意の２つの間の範囲である。
【０２８５】
段落Ｘ１、Ｘ３及びＸ５のいずれか１つの段落に記載の方法又は段落Ｘ２、Ｘ４及びＸ６のいずれか１つの段落に記載の装置において、少なくとも１つのスペーサは試料接触領域内に位置する。
【０２８６】
段落Ｘ１、Ｘ３及びＸ５のいずれか１つの段落に記載の方法又は段落Ｘ２、Ｘ４及びＸ６のいずれか１つの段落に記載の装置において、スペーサは所定のスペーサ間距離を有する。
【０２８７】
段落Ｘ１、Ｘ３、Ｘ５のいずれか１つの段落に記載の方法において、プレートが閉鎖構成にある時のインキュベーションステップをさらに含み、ここで飽和インキュベーション時間は、０．００１秒以下、０．０１秒以下、０．１秒以下、１秒以下、５秒以下、１０秒以下、２０秒以下、３０秒以下、４０秒以下、１分間以下、２分間以下、３分間以下、５分間以下、１０分間以下、２０分間以下、３０分間以下、６０分間以下、９０分間以下、１２０分間以下、１８０分間以下、２５０分間以下、又はこれらの値のいずれか２つの間の範囲である。
【０２８８】
段落Ｘ１、Ｘ３、Ｘ５のいずれか１つの段落に記載の方法において、閉鎖構成で減少した試料の厚さでの飽和インキュベーション時間は、０．００１秒以下、０．０１秒以下、０．１秒以下、１秒以下、５秒以下、１０秒以下、２０秒以下、３０秒以下、４０秒以下、１分間以下、２分間以下、３分間以下、５分間以下、１０分間以下、２０分間以下、３０分間以下、６０分間以下、９０分間以下、１２０分間以下、１８０分間以下、２５０分間以下、又はこれらの値のいずれか２つの間の範囲である。
【０２８９】
いくつかの実施形態において、まず捕捉剤を結合部位に固定化し、次に試料を結合部位と接触させ、試料中の実体を捕捉剤により捕捉し、最後に検出剤を添加して捕捉された実体と結合し、（例えば、光学方法又は電気的方法又は組み合わせにより）検出剤からのシグナルを読み取る。いくつかの実施形態において、捕捉剤及び検出剤以外の他の試薬（例えば遮断剤）を添加する。
【０２９０】
例えばＰｏＣの多くの応用において、追加の試薬を試料に添加するための簡単かつ／又は低コストの装置及び方法を有することが望ましい。本発明の一態様は、追加の試薬を試料に添加するための簡単及び／又は低コストの装置及び方法に関する。添加された追加の試薬は、検出剤、遮断剤、光信号増強剤、光信号消光剤又は他の試薬を含む。本発明のいくつかの実施形態において、同じ位置に貯蔵された試薬の異なる放出時間によりアッセイ過程を制御する。異なる溶解速度を有する他の材料を添加することにより、異なる放出時間を付与することができる。
【０２９１】
特定の実施形態において、試料厚さを制御する（例えば、試料厚さと貯蔵部位面積との比及び／又は混合時間を制御する）ことにより試料に混合された試薬の濃度を制御する。
【０２９２】
２、プレート、スペーサ、スケールマーカー、試料厚さの調節
２．１  プレートの構成及び試料厚さの調節
開放構成  いくつかの実施形態において、開放構成では、２つのプレート（すなわち、第１のプレート及び第２のプレート）を互いに離す。特定の実施形態において、２つのプレートは、プレートの操作期間全体（開放構成及び閉鎖構成を含む）において、一体に接続された一辺を有し、２つのプレートの開放及び閉鎖は、本と類似する。いくつかの実施形態において、２つのプレートは、長方形（又は正方形）の形状を有し、プレートのすべての操作期間において接続された２つの長方形の辺を有する。
【０２９３】
いくつかの実施形態において、開放構成は、プレートが互いに遠く離れて、試料が１対のうち他方のプレートの妨害なしに該１対のプレートのうちの１方に付着する構成を含む。
【０２９４】
いくつかの実施形態において、開放構成は、プレートが互いに遠く離れる構成を含み、その結果として、試料が別のプレートが存在しないかのように、１つのプレートに付着する。
【０２９５】
いくつかの実施形態において、開放構成は、１対のプレートの間の距離が少なくとも１０ｎｍ、少なくとも１００ｎｍ、少なくとも１０００ｎｍ、少なくとも０．０１ｃｍ、少なくとも０．１ｃｍ、少なくとも０．５ｃｍ、少なくとも１ｃｍ、少なくとも２ｃｍ、又は少なくとも５ｃｍ、又はこれらの値の任意の２つの間の範囲である構成を含む。
【０２９６】
いくつかの実施形態において、開放構成は、１対のプレートが異なる向きに配向された構成を含む。いくつかの実施形態において、開放構成は、試料添加を可能にするように構成された１対のプレート間のアクセスギャップを画定する構成を含む。
【０２９７】
いくつかの実施形態において、開放構成は、各プレートが試料接触表面を有し、かつプレートが１つの開放構成にある時にプレートの少なくとも１つの接触表面が露出される構成を含む。
【０２９８】
閉鎖構成及び試料厚さの調節  本発明において、２つのプレートの閉鎖構成は、２つのプレートの内面間の間隔（すなわち、距離）が２つのプレート間のスペーサによって調節される構成である。プレートの内面（「試料表面」とも呼ばれる）は、ＣＲＯＦプロセスの圧縮ステップ中に、試料と接触し、従って、閉鎖構成では、試料の厚さがスペーサによって調節される。
【０２９９】
プレートを開放構成から閉鎖構成にするプロセスの間において、プレートは互いに対向し（プレートの少なくとも一部が互いに対向し）、かつ力で２つのプレートを一体にする。２つのプレートを開放構成から閉鎖構成にする場合、２つのプレートの内面は、プレートに付着させた試料を圧縮して、試料の厚さを減少させ（同時に試料は、プレート間に横方向に自由に流れる）、試料の関連体積の厚さは、スペーサ、プレート、使用される方法、及び試料の機械的／流体的特性によって決定される。所定の試料及び所定のスペーサ、プレート及びプレートプレス法について、閉鎖構成での厚さを予め決定することができる。
【０３００】
用語「スペーサによってプレートの内面間の間隔を調節する」又は「プレート及びスペーサによって試料の厚さを調節する」又は「試料の厚さはスペーサ及びプレートによって調節される」とは、ＣＲＯＦプロセスにおける試料の厚さが所定のプレート、スペーサ、試料及びプレス方法によって決定されることを指す。
【０３０１】
いくつかの実施形態において、閉鎖構成で調節された試料厚さはスペーサの高さと同じであり、この場合で、閉鎖構成で、スペーサは、２つのプレートに直接接触する（１つのプレートが、スペーサが固定されたプレートであり、別のプレートがスペーサと接触するプレートである）。
【０３０２】
特定の実施形態において、閉鎖構成で調節された試料厚さはスペーサの高さより大きく、この場合で、閉鎖構成で、その表面に固定又は取り付けられたスペーサを有するプレートのみにスペーサが直接接触し、別のプレートと間接接触する（すなわち、間接接触である）。用語のプレートと「間接接触する」とは、スペーサとプレートとが「残量の試料層」と呼ばれる薄い試料層によって離されることを指し、その厚さは「残留物の厚さ」と呼ばれる。所定のスペーサ及びプレート、所定のプレートプレス方法及び所定の試料について、残留物の厚さを予め設定して（予め設定とは、閉鎖構成になる前を指す）、閉鎖構成で試料厚さを予め設定する。これは、所定の条件（試料、スペーサー、プレート及び圧力）について、残留層の厚さが同じであり、かつ予め較正及び／又は計算が可能であるためである。調節された試料の厚さは、スペーサの高さに試料の残留物の厚さを加えたものにほぼ等しい。
【０３０３】
多くの実施形態において、柱の寸法及び形状は、使用前に予め特徴付けられる（すなわち、予め設定される）。予め設定された情報は、試料体積（又は関連体積）及び他のものの決定のような後続きのアッセイに使用される。
【０３０４】
いくつかの実施形態において、試料厚さの調節は、プレートの間の距離を維持するようにプレートに閉鎖（圧縮）力を加えることを含む。
【０３０５】
いくつかの実施形態において、試料厚さの調節は、スペーサによってプレートの間の距離を確立すること、プレートに加えられた閉鎖力、試料の物理的特性を含み、試料の物理的特性は、好ましくは粘度及び圧縮性のうち少なくとも１つを含む。
【０３０６】
２．２  プレート
本発明では、一般的に、ＣＲＯＦのプレートは、（ｉ）スペーサとともに試料の一部又は全部の体積の厚さを調節するために用いることができ、（ｉｉ）プレートが達成しようとする試料、アッセイ又はゴールに、プレートがプレートに顕著な悪影響を及ぼさないいずれかの材料で製造される。しかし、特定の実施形態において、特定の材料（従ってその特性）は特定の目的を達成するようにプレートに用いられる。
【０３０７】
いくつかの実施形態において、２つのプレートは、プレート材料、プレートの厚さ、プレートの形状、プレートの面積、プレートの柔軟性、プレートの表面特性及びプレートの光透過性の各パラメータに対して、同じ又は異なるパラメータを有する。
【０３０８】
プレートの材料  プレートは、単一材料、複合材料、多種の材料、多層の材料、合金又はその組み合わせで製造される。プレートに用いられる各材料は、無機材料、有機材料又は混合物であり、材料の例は、Ｍａｔ−１及びＭａｔ−２の段落で説明される。
【０３０９】
Ｍａｔ−１．  プレートに用いられる無機材料は、ガラス、石英、酸化物、二酸化ケイ素、窒化ケイ素、酸化ハフニウム（ＨｆＯ）、酸化アルミニウム（ＡＩＯ）、半導体（シリコン、ＧａＡｓ、ＧａＮなど）、金属（例えば、金、銀、銅、アルミニウム、チタン（Ｔｉ）、ニッケル（Ｎｉ）など）、セラミック又はそれらの任意の組み合わせを含むが、これらに限られない。
【０３１０】
Ｍａｔ−２。  スペーサに用いられる有機材料は、ポリマー（例えば、プラスチック）又はアモルファス有機材料を含むが、これらに限定されない。スペーサに用いられるポリマー材料は、アクリレートポリマー、ビニルポリマー、オレフィンポリマー、セルロースポリマー、非セルロースポリマー、ポリエステルポリマー、ナイロン、環状オレフィンコポリマー（ＣＯＣ）、ポリ（メチルメタクリレート）（ＰＭＭＡ）、ポリカーボネート（ＰＣ）、環状オレフィンポリマー（ＣＯＰ）、液晶ポリマー（ＬＣＰ）、ポリアミド（ＰＡ）、ポリエチレン（ＰＥ）、ポリイミド（ＰＩ）、ポリプロピレン（ＰＰ）、ポリ（フェニレンエーテル）（ＰＰＥ）、ポリスチレン（ＰＳ）、ポリオキシメチレン（ＰＯＭ）、ポリエーテルエーテルケトン（ＰＥＥＫ）、ポリエーテルスルホン（ＰＥＳ）、ポリ（エチレンフタレート）（ＰＥＴ）、ポリテトラフルオロエチレン（ＰＴＦＥ）、ポリ塩化ビニル（ＰＶＣ）、ポリフッ化ビニリデン（ＰＶＤＦ）、ポリブチレンテレフタレート（ＰＢＴ）、フッ素化エチレンプロピレン（ＦＥＰ）、パーフルオロアルコキシアルカン（ＰＦＡ）、ポリジメチルシロキサン（ＰＤＭＳ）、ゴム、又はそれらの任意の組み合わせを含むが、これらに限られない。
【０３１１】
いくつかの実施態様において、プレートは、それぞれ、ガラス、プラスチック、セラミック及び金属のうちの少なくとも１つで製造される。いくつかの実施態様において、プレートは、それぞれ、ガラス、プラスチック、セラミック及び金属のうちの少なくとも１つを含む。
【０３１２】
いくつかの実施形態において、一方つのプレートは、横方向面積、厚さ、形状、材料、又は表面処理について、他方のプレートと異なる。いくつかの実施形態において、一方のプレートは、横方向面積、厚さ、形状、材料、又は表面処理について、他方のプレートと同じである。
【０３１３】
プレートに用いられる材料は、剛性、可撓性又は両者の間にある任意の柔軟度である。剛性（すなわち、硬度）又は柔軟度は、プレートを閉鎖構成にする際に使用される圧力に関連している。
【０３１４】
いくつかの実施形態において、剛性又は可撓性プレートの選択は、閉鎖構成での試料厚さの均一性を制御する要件から決定される。
【０３１５】
いくつかの実施態様において、２つのプレートのうちの少なくとも１つ（光に対して）は透明である。いくつかの実施態様において、１つのプレート又は両方のプレートの少なくとも一部又は複数の部分は透明である。いくつかの実施形態において、プレートは非透明である。
【０３１６】
プレートの厚さ  いくつかの実施形態において、少なくとも１つのプレートの平均厚さは、２ｎｍ以下、１０ｎｍ以下、１００ｎｍ以下、５００ｎｍ以下、１０００ｎｍ以下、２μｍ（ミクロン）以下、５μｍ以下、１０μｍ以下、２０μｍ以下、５０μｍ以下、１００μｍ以下、１５０μｍ以下、２００μｍ以下、３００μｍ以下、５００μｍ以下、８００μｍ以下、１ｍｍ（ミリメートル）以下、２ｍｍ以下、３ｍｍ以下、又はこれらの値のいずれか２つの間の範囲である。
【０３１７】
いくつかの実施形態において、少なくとも１つのプレートの平均厚さは、最大３ｍｍ（ミリメートル）、最大５ｍｍ、最大１０ｍｍ、最大２０ｍｍ、最大５０ｍｍ、最大１００ｍｍ、最大５００ｍｍ、又はこれらの値のいずれか２つの間の範囲である。
【０３１８】
いくつかの実施形態において、プレートの厚さは、プレートを横切って均一ではない。異なる位置で異なるプレートの厚さを用いて、プレートの湾曲、折り畳み、試料厚さの調節などを制御するために用いることができる。
【０３１９】
プレートの形状及び面積  一般的に、プレートは、形状が試料の圧縮開放流れ及び試料厚さの調節を可能にする限り、任意の形状を有することができる。しかしながら、特定の実施形態において、特定の形状が有利であってもよい。プレートの形状は、円形、楕円形、長方形、三角形、多角形、環状又はこれらの形状の任意の重なりであってもよい。
【０３２０】
いくつかの実施形態において、２つのプレートは、同じ又は異なる寸法又は形状を有してもよい。プレートの面積は、その応用によって異なる。プレートの面積は、最大１ｍｍ２（平方ミリメートル）、最大１０ｍｍ２、最大１００ｍｍ２、最大１ｃｍ２（平方センチメートル）、最大５ｃｍ２、最大１０ｃｍ２、最大１００ｃｍ２、最大５００ｃｍ２、最大１０００ｃｍ２、最大５０００ｃｍ２、最大１０，０００ｃｍ２、又は１０，０００ｃｍ２以上、又はこれらの値のいずれか２つの間の範囲である。プレートの形状は、長方形、正方形、円形又は他の形状であってもよい。
【０３２１】
特定の実施形態において、プレートのうちの少なくとも１つは、幅、厚さ、及び長さを有するベルト（又はストリップ）の形式である。幅は、最大０．１ｃｍ（センチメートル）、最大０．５ｃｍ、最大１ｃｍ、最大５ｃｍ、最大１０ｃｍ、最大５０ｃｍ、最大１００ｃｍ、最大５００ｃｍ、最大１０００ｃｍ、又はこれらの値のいずれか２つの間の範囲である。長さは、必要な長さにすることができる。ベルトはロール状に巻くことができる。
【０３２２】
プレート表面の平坦度  多くの実施形態において、プレートの内面は、平坦又は非常に平坦な平面である。特定の実施形態においては、２つの内面は、閉鎖構成で、互いに平行である。平坦な内面は、閉鎖構成で所定のスペーサの高さのみを用いることによって、試料厚さの定量化及び／又は制御を容易にする。プレートの非平坦な内面については、閉鎖構成での試料厚さを定量化及び／又は制御するように、スペーサの高さだけでなく、内面のトポロジーを正確に知る必要がある。表面トポロジーを知るためには、追加の測定及び／又は補正が必要であり、これは複雑で時間がかかり、コストが高い。
【０３２３】
プレート表面の平坦度は、最終的な試料の厚さ（最終的な厚さは、閉鎖構成での厚さである）に対応し、一般に、最終的な試料の厚さに対するプレート表面の平坦度変化の比である「相対的な表面の平坦度」という用語によって特徴付けられる。
【０３２４】
いくつかの実施形態において、相対的な表面は、０．０１％より小さく、０．１％より小さく、０．５％より小さく、１％より小さく、２％より小さく、５％より小さく、１０％より小さく、２０％より小さく、３０％より小さく、５０％より小さく、７０％より小さく、８０％より小さく、１００％より小さく、又はこれらの値のいずれか２つの間の範囲である。
【０３２５】
プレート表面の平行度  いくつかの実施形態において、プレートの２つの表面は、顕著に互いに平行であり、特定の実施形態では、プレートの２つの表面は互いに平行ではない。
【０３２６】
プレートの柔軟性  いくつかの実施形態において、ＣＲＯＦプロセスの圧縮ステップにおいて、プレートは可撓性である。いくつかの実施形態において、ＣＲＯＦプロセスの圧縮ステップにおいて、両方のプレートはいずれも可撓性である。いくつかの実施形態において、ＣＲＯＦプロセスの圧縮ステップにおいて、１つのプレートは剛性であり、別のプレートは可撓性であり、いくつかの実施形態において、両方のプレートは剛性であり、いくつかの実施形態において、両方のプレートは可撓性であるが、異なる可撓性を有する。
【０３２７】
プレートの光学的透明度  いくつかの実施形態において、プレートは光学的透明である。いくつかの実施形態において、両方のプレートはいずれも光学的透明である。いくつかの実施形態において、一方のプレートは光学的透明であり、他方のプレートは非透明である。いくつかの実施形態において、両方のプレートはいずれも非透明である。いくつかの実施形態において、両方のプレートはいずれも光学的透明であるが、光学的透明度が異なる。プレートの光学的透明度とは、プレートの一部の又は全体領域を指す。
【０３２８】
表面の濡れ性  いくつかの実施形態において、プレートは、試料、転移液体又は両者を湿潤させる（すなわち、接触角が９０度未満である）内面を有する。いくつかの実施形態において、両方のプレートは、いずれも、試料、転移液体又は両者を湿潤させ、同じ又は異なる湿潤性を備える内面を有する。いくつかの実施形態において、１つのプレートは、試料、転移液体又は両者を湿潤させる内面を有し、別のプレートは、湿潤しない内面を有する（すなわち、接触角が９０度未満である）。プレートの内面の湿潤とは、プレートの一部の又は全体領域を指す。
【０３２９】
いくつかの実施形態において、プレートの内面は、ＣＲＯＦ中に試料の横方向流動を制御するための、他のナノ又はマイクロ構造を有する。ナノ又はマイクロ構造は、チャネル、ポンプなどを含むが、これらに限られない。ナノ及びマイクロ構造も、内面の湿潤特性を制御するために用いられる。
【０３３０】
２．３  スペーサ
スペーサの機能  本発明において、スペーサは、（１）プレートとともに試料の厚さ又は試料の関連体積を制御すること（好ましくは、関連領域における厚さ制御は正確或いは均一的であるか、又は両方である）、（２）試料がプレート表面に圧縮調節開放流れ（ＣＲＯＦ）を有することを可能にすること、（３）所定の試料領域（体積）において大きな表面積（体積）を占用しないこと、（４）試料中の粒子又は分析物の沈降効果を減少させるか又は向上させること、（５）プレートの内表面の湿潤特性を変更及び／又は制御すること、（６）プレートの位置、寸法の割合及び／又はプレートの関連情報を識別すること、及び（７）上記任意の組み合わせを行うこと、という機能及び特性のうちの一種又は任意の組み合わせを有するように、構成される。
【０３３１】
スペーサアーキテクチャ及び形状  所望の試料厚さの減少と制御を実現するために、特定の実施形態において、スペーサが、その対応するプレート上に固定される。一般的には、スペーサは、任意の形状を有してもよく、スペーサは、ＣＲＯＦプロセスにおいて試料厚さを調節することができる限り、一定の形状が、一定の機能、例えば、より優れた均一性、プレス時のより少ないオーバーシュート等の実現に対して、好ましい。
【０３３２】
スペーサは、１つのスペーサ又は複数のスペーサである（例えば、アレイ）。複数のスペーサに係るいくつかの実施形態は、スペーサ（例えば、柱体）のアレイであり、そのうちスペーサ間距離は、周期的であるか又は非周期的であり、又はプレートの一定の領域において周期的であるか又は非周期的であり、又はプレートの異なる領域において異なる距離を有する。
【０３３３】
スペーサは、「開放スペーサ」と「密閉スペーサ」という二種類のタイプを有する。開放スペーサは、試料がスペーサを通って流れることを可能にするスペーサ（すなわち、試料がスペーサの周囲を流れて通過する。例えば、スペーサとしてのポスト）であり、密閉スペーサは、試料の流れを止めるスペーサ（すなわち、試料がスペーサから流れ出すことができない。例えば、環状スペーサであり、試料が環内にある）である。二種類のタイプのスペーサは、その高さを用いて閉鎖構成における最終的な試料厚さを調節する。
【０３３４】
いくつかの実施形態において、スペーサは、開放スペーサのみがある。いくつかの実施形態において、スペーサは、密閉スペーサのみがある。いくつかの実施形態において、スペーサは、開放スペーサと密閉スペーサの組み合わせである。
【０３３５】
用語「柱状スペーサ」は、スペーサが柱形状を呈することを意味し、柱形状とは、試料が圧縮開放流れ中に、その周囲を流れることを可能にする高さ及び横方向形状を有する物体を指す。
【０３３６】
いくつかの実施形態において、柱状スペーサの横方向形状は、（ｉ）円形、楕円形、矩形、三角形、多角形、環形、星形、英文字形（例えば、Ｌ形、Ｃ形、英文字Ａ〜Ｚ）、数字形（例えば、０、１、２、３、４、…９等の形状）；（ｉｉ）少なくとも１つの丸い角を有するグループ（ｉ）における形状；（ｉｉｉ）ジグザグ形又はギザギザの縁を有するグループ（ｉ）における形状；及び、（ｉｖ）（ｉ）、（ｉｉ）と（ｉｉｉ）の任意の重ね合わせ、というグループにおける形状から選択される。複数のスペーサについて、異なるスペーサは、異なる横方向形状と寸法及び隣接するスペーサの異なる距離を有してもよい。
【０３３７】
いくつかの実施形態において、スペーサは、ポスト状、円柱状、ビーズ状、ボール状及び／又は他の適切な幾何学形状である、かつ／又はそれらを含んでもよい。スペーサの横方向形状及び寸法（すなわち、それぞれのプレート表面を横断する）は、いくつかの実施形態において、（ｉ）スペーサの幾何学形状が試料厚さ及び体積を測定する時に明らかな誤差を引き起こさず、又は（ｉｉ）スペーサの幾何学形状がプレート間の試料の流れ出しを止めない（すなわち、密閉した構成ではない）、という制限を有する以外、任意であってもよい。しかしながら、いくつかの実施形態において、試料フローを制限するための、密閉スペーサであるいくつかのスペーサが必要とされる。
【０３３８】
いくつかの実施形態において、スペーサの形状は、丸い角を有する。例えば、ある矩形のスペーサは、１つ以上の丸い角を有し、あるいは全ての角がいずれも丸い角（円形に似ているが９０度の角ではない）である。一般的には、丸い角により、スペーサの製造が容易になり、生物学的材料への損害を小さくする場合もある。
【０３３９】
柱の側壁は、直線状、湾曲状、傾斜状であり、あるいは側壁の部分によって異なる形状を有してもよい。いくつかの実施形態において、スペーサは、様々な横方向形状、側壁及び柱の高さと柱の側面積との比を有する柱である。
【０３４０】
１つの好ましい実施形態において、スペーサは、開放流れを可能にする柱状を有する。
【０３４１】
スペーサの材料  本発明において、スペーサは、通常、２つのプレートとともに試料の関連体積の厚さを調節するために使用できる任意材料で製造される。いくつかの実施形態において、スペーサの材料とプレートの材料とは異なる。いくつかの実施形態において、スペーサに使用される材料は、少なくとも１つのプレートに使用される材料の一部と少なくとも同じである。
【０３４２】
スペーサは、単一材料、複合材料、多種の材料、多層の材料、合金又はそれら組み合わせで製造される。プレートに使用される材料は、無機材料、有機材料又はその組み合わせであり、その材料の実施例については段落Ｍａｔ−１及びＭａｔ−２で説明する。１つの好ましい実施形態において、スペーサは、ＣＲＯＦに使用されるプレートの材料と同じ材料で製造される。
【０３４３】
スペーサの機械的強度及び可撓性  いくつかの実施形態において、スペーサの機械的強度が十分に高いので、プレートの圧縮及び閉鎖構成過程では、スペーサの高さは、開放構成にある時のプレートの高さと同じであるか又は実質的に同じである。いくつかの実施形態において、開放構成と閉鎖構成との間にあるスペーサの差異は、特徴付けられるか又は予め決定されてもよい。
【０３４４】
スペーサに使用される材料は、剛性、可撓性又は両者の間にある任意の可撓度であってもよい。剛性は、プレートを閉鎖構成にする押圧力に関連し、該押圧力で、空間の高さが１％未満変形する場合はスペーサ材料が剛性であると考えられ、そうでなければ、可撓性であると考えられる。スペーサが可撓性材料で製造される場合に、押圧力及びスペーサの機械的強度に基づいて、閉鎖構成にある最終的な試料の厚さを依然として予め決定することができる。
【０３４５】
試料内のスペーサ  試料厚さに対する所望の低減と制御を達成するために、特に、優れた試料厚さの均一性を達成するために、特定の実施例において、スペーサは試料内又は試料の関連体積内に載置される。いくつかの実施形態において、試料又は試料の関連体積内に、適切なスペーサ間距離で、１つ以上のスペーサが存在する。特定の実施形態において、スペーサのうちの少なくとも１つは試料内に位置し、スペーサのうちの少なくとも２つは試料又は試料の関連体積内に位置するか、又は少なくとも「ｎ」個のスペーサは試料又は試料の関連体積内に位置し、「ｎ」は、ＣＲＯＦ中の試料厚さの均一性又は必要な試料流れ特性によって決定される。
【０３４６】
スペーサ高さ  いくつかの実施形態において、全てのスペーサは、同じ所定の高さを有する。いくつかの実施形態において、スペーサは、異なる所定の高さを有する。いくつかの実施形態において、スペーサは、グループ又は領域に分けられ、そのうち、各グループ又は領域がそれぞれのスペーサ高さを有する。また、特定の実施形態において、スペーサは、所定の高さが、スペーサの平均高さである。いくつかの実施形態において、スペーサは、実質的に同じ高さを有する。いくつかの実施形態において、一定の百分率の数量のスペーサは、同じ高さを有する。
【０３４７】
スペーサの高さは、所望の調節された最終的な試料厚さ及び残留試料厚さによって選択される。スペーサの高さ（所定のスペーサの高さ）及び／又は試料の厚さは、３ｎｍ以下、１０ｎｍ以下、５０ｎｍ以下、１００ｎｍ以下、２００ｎｍ以下、５００ｎｍ以下、８００ｎｍ以下、１０００ｎｍ以下、１μｍ以下、２μｍ以下、３μｍ以下、５μｍ以下、１０μｍ以下、２０μｍ以下、３０μｍ以下、５０μｍ以下、１００μｍ以下、１５０μｍ以下、２００μｍ以下、３００μｍ以下、５００μｍ以下、８００μｍ以下、１ｍｍ以下、２ｍｍ以下、４ｍｍ以下、又はこれらの値のいずれか２つの間の範囲である。
【０３４８】
スペーサの高さ及び／又は試料の厚さは、１つの好ましい実施形態において、１ｎｍ〜１００ｎｍにあり、別の好ましい実施形態において、１００ｎｍ〜５００ｎｍにあり、別の好ましい実施形態において、５００ｎｍ〜１０００ｎｍにあり、別の好ましい実施形態において、１μｍ（すなわち、１００ｎｍ）〜２μｍにあり、別の好ましい実施形態において、２μｍ〜３μｍにあり、別の好ましい実施形態において、３μｍ〜５μｍにあり、別の好ましい実施形態において、５μｍ〜１０μｍにあり、別の好ましい実施形態において、１０μｍ〜５０μｍにあり、別の好ましい実施形態において、５０μｍ〜１００μｍにある。
【０３４９】
いくつかの実施形態において、スペーサ高さ及び／又は試料厚さは、（ｉ）分析物の最小寸法に等しいか又はやや大きいか、又は（ｉｉ）分析物の最大寸法に等しいか又はやや大きい。「やや大きい」は、それより約１％〜５％大きく、２つの値の間の任意の数であることを意味する。
【０３５０】
いくつかの実施形態において、スペーサ高さ及び／又は試料厚さは、分析物（例えば、異向性形状を有する分析物）の最小寸法よりも大きいが、分析物の最大寸法よりも小さい。
【０３５１】
例えば、赤血球は、最小寸法が２μｍ（ディスク厚さ）で、最大寸法が１１μｍ（ディスク直径）であるディスク形状を有する。本発明のある実施形態において、スペーサは、関連領域内にあるプレートの内表面間隔を、１つの実施形態において２μｍ（最小寸法に等しい）にして、別の実施形態において２．２μｍにするか、又は別の実施形態において３μｍ（最小寸法よりも５０％大きい）にするが、赤血球の最大寸法よりも小さくするように選択される。このような実施形態は、赤血球の計数において、一定の利点を有する。１つの実施形態において、赤血球の計数のために、内表面間隔を、２μｍ又は３μｍにして、２つの値の間の任意の数値にすることにより、希釈されていない全血試料を間隔内に平均に限定し、各赤血球（ＲＢＣ）を他の赤血球と重複せず、それにより視覚的に赤血球を正確に計数することができる。（ＲＢＣの間に多く重なりがあると、深刻な計数誤差をもたらす可能性がある）。
【０３５２】
いくつかの実施形態において、本発明は、プレート及びスペーサを用いて、試料厚さだけでなく、プレートが閉鎖構成にある時の試料中の分析物／実体の配向及び／又は表面密度も調節する。プレートが閉鎖構成にある時に、試料の薄い厚さにより、表面積当たりの分析物／実体が少なくなる（すなわち、小さい表面濃度）。
【０３５３】
スペーサ横方向寸法  開放スペーサの場合、横方向寸法は、ｘとｙという２つの直交方向におけるその横方向寸法（幅と呼ばれる場合もある）によって特徴付けられる。スペーサの各方向における横方向寸法は、同じであるか、又は異なる。いくつかの実施形態において、各方向（ｘ又はｙ）における横方向寸法は…。
【０３５４】
いくつかの実施形態において、ｙ方向に対するｘ方向の横方向寸法の比は、１、１．５、２、５、１０、１００、５００、１０００、１００００であるか、又はこれらの値のいずれか２つの間の範囲である。いくつかの実施形態において、試料の流れ方向を調節するために、異なる比が使用され、比が大きいほど、流れが１つの方向（より大きな寸法方向）に沿う。
【０３５５】
いくつかの実施形態において、ｘ方向とｙ方向におけるスペーサの異なる横方向寸法は、（ａ）スペーサをプレートの方向を示すためのスケールマーカーとして使用し、（ｂ）スペーサを使用して、好ましい流れ方向におけるより多くの試料を作るか、又は両方とも達成するように使用される。
【０３５６】
ある好ましい実施形態において、周期、幅及び高さ。
【０３５７】
いくつかの実施形態において、全てのスペーサは、同じ形状及び寸法を有する。いくつかの実施形態において、各スペーサは、異なる横方向寸法を有する。
【０３５８】
密閉スペーサの場合、いくつかの実施形態において、内部の横方向形状及び寸法は、密閉スペーサによって密閉される試料の総体積に応じて選択され、体積寸法は、本開示において既に説明され、特定の実施形態において、外部の横方向形状及び寸法は、スペーサに対する液体の押圧力とプレートを押圧する押圧力とをサポートするために必要な強度に応じて選択される。
【０３５９】
柱状スペーサの高さと平均横方向寸法とのアスペクト比
特定の実施形態において、柱状スペーサの高さと平均横方向寸法とのアスペクト比は、１０００００、１００００、１０００、１００、１０、１、０．１、０．０１、０．００１、０．０００１、０．００００１であるか、又はこれらの値のいずれか２つの間の範囲である。
【０３６０】
スペーサ高さの精度  スペーサ高さの精度を、正確に制御すべきである。スペーサの相対的な精度（すなわち、所望のスペーサ高さに対する偏差の比）は、０．００１％以下、０．０１％以下、０．１％以下、０．５％以下、１％以下、２％以下、５％以下、８％以下、１０％以下、１５％以下、２０％以下、３０％以下、４０％以下、５０％以下、６０％以下、７０％以下、８０％以下、９０％以下、９９．９％以下であるか、又はこれらの任意の数値の間の範囲である。
【０３６１】
スペーサ間距離  スペーサは、プレート上又は試料の関連領域における、１つのスペーサであるか又は複数のスペーサであってもよい。いくつかの実施形態において、プレート上のスペーサは、アレイ形態で配置され及び／又は配列され、該アレイは周期的、非周期的アレイであるか、又はプレートのいくつかの位置で周期的であるが、他の位置で非周期的である。
【０３６２】
いくつかの実施形態において、スペーサの周期的アレイは、正方形、矩形、三角形、六角形、多角形又はその任意の組み合わせの格子を有し、そのうち該組み合わせは、プレートの異なる位置に異なるスペーサ格子を有することを意味する。
【０３６３】
いくつかの実施形態において、スペーサアレイのスペーサ間距離は、アレイの少なくとも１つの方向において周期的である（すなわち、スペーサ間距離が均一的である）。いくつかの実施形態において、スペーサ間距離は、閉鎖構成でのプレート間隔の間の均一性を改善するように構成される。
【０３６４】
隣接するスペーサ間距離（すなわち、スペーサ間距離）は１μｍ以下、５μｍ以下、１０μｍ以下、２０μｍ以下、３０μｍ以下、４０μｍ以下、５０μｍ以下、６０μｍ以下、７０μｍ以下、８０μｍ以下、９０μｍ以下、１００μｍ以下、２００μｍ以下、３００μｍ以下、４００μｍ以下であるか、又はこれらの値のいずれか２つの値の間の範囲である。
【０３６５】
特定の実施形態において、スペーサ間距離は４００以下、５００以下、１ｍｍ以下、２ｍｍ以下、３ｍｍ以下、５ｍｍ以下、７ｍｍ以下、１０ｍｍ以下であるか、又はこれらの値の間の任意の範囲である。特定の実施形態において、スペーサ間距離は１０ｍｍ以下、２０ｍｍ以下、３０ｍｍ以下、５０ｍｍ以下、７０ｍｍ以下、１００ｍｍ以下であるか、又はこれらの値の間の任意の範囲である。
【０３６６】
隣接するスペーサ間距離（すなわち、スペーサ間距離）は、プレート及び試料の所定の特性にとって、プレートの閉鎖構成で、隣接する２つのスペーサの間の試料厚さの変化が、いくつかの実施形態において、最大０．５％、１％、５％、１０％、２０％、３０％、５０％、８０％、又はこれらの値の間の任意の範囲であり、あるいは特定の実施形態において、最大８０％、１００％、２００％、４００％、又はこれらの値のいずれか２つの間の範囲であるように、選択される。
【０３６７】
明らかに、隣接する２つのスペーサの間の所定の試料厚さの変化を維持するために、より近いスペーサ間距離は、可撓性のより高いプレートが使用される時に、必要とされる。
【０３６８】
スペーサ間距離の精度を特定する。
【０３６９】
ある好ましい実施形態において、スペーサは周期的な正方形アレイであり、スペーサは、高さが２μｍ〜４μｍで、平均横方向寸法が５μｍ〜２０μｍで、スペーサ間の間隔が１μｍ〜１００μｍである、柱である。
【０３７０】
ある好ましい実施形態において、スペーサは周期的な正方形アレイであり、スペーサは、高さが２μｍ〜４μｍで、平均横方向寸法が５μｍ〜２０μｍで、スペーサ間の間隔が１００μｍ〜２５０μｍである、柱である。
【０３７１】
ある好ましい実施形態において、スペーサは周期的な正方形アレイであり、スペーサは、高さが４μｍ〜５０μｍで、平均横方向寸法が５μｍ〜２０μｍで、スペーサ間の間隔が１μｍ〜１００μｍである、柱である。
【０３７２】
ある好ましい実施形態において、スペーサは周期的な正方形アレイであり、スペーサは、高さが４μｍ〜５０μｍで、平均横方向寸法が５μｍ〜２０μｍで、スペーサ間の間隔が１００μｍ〜２５０μｍである、柱である。
【０３７３】
スペーサアレイの周期は、１つの好ましい実施形態において、１ｎｍ〜１００ｎｍにあり、別の好ましい実施形態において、１００ｎｍ〜５００ｎｍにあり、別の好ましい実施形態において、５００ｎｍ〜１０００ｎｍにあり、別の好ましい実施形態において、１μｍ（すなわち、１０００ｎｍ）〜２μｍにあり、別の好ましい実施形態において、２μｍ〜３μｍにあり、別の好ましい実施形態において、３μｍ〜５μｍにあり、別の好ましい実施形態において、５μｍ〜１０μｍにあり、別の好ましい実施形態において、１０μｍ〜５０μｍにあり、別の好ましい実施形態において、５０μｍ〜１００μｍにあり、別の好ましい実施形態において、１００μｍ〜１７５μｍにあり、別の好ましい実施形態において、１７５μｍ〜３００μｍにある。
【０３７４】
スペーサ密度  スペーサは、１個／μｍ２よりも大きく、１個／１０μｍ２よりも大きく、１個／１００μｍ２よりも大きく、１個／５００μｍ２よりも大きく、１個／１０００μｍ２よりも大きく、１個／５０００μｍ２よりも大きく、１個／０．０１ｍｍ２よりも大きく、１個／０．１ｍｍ２よりも大きく、１個／１ｍｍ２よりも大きく、１個／５ｍｍ２よりも大きく、１個／１０ｍｍ２よりも大きく、１個／１００ｍｍ２よりも大きく、１個／１０００ｍｍ２よりも大きく、１個／１００００ｍｍ２よりも大きいか、又はこれらの値のいずれか２つの間の任意の範囲である表面密度で、それぞれのプレート上に配列される。
【０３７５】
（３）スペーサは、所定の試料面積（体積）内に明らかな表面積（体積）を占用しないように構成される。
【０３７６】
スペーサ体積と試料体積との比  いくつかの実施形態において、特定の利点を達成するために、スペーサ体積（すなわち、スペーサの体積）と試料体積（すなわち、試料の体積）との比、及び／又は試料の関連体積内にあるスペーサ体積と試料の関連体積との比が制御される。該利点は、試料厚さ制御の均一性、分析物の均一性、試料流れ特性（すなわち、流速、流れ方向等）を含むが、それらに限定されない。
【０３７７】
特定の実施形態において、スペーサ体積ｒと試料体積との比、及び／又は試料の関連体積の内部にあるスペーサの体積と試料の関連体積との比は、１００％未満、最大９９％、最大７０％、最大５０％、最大３０％、最大１０％、最大５％、最大３％、最大１％、最大０．１％、最大０．０１％、最大０．００１％、又は任意の値の間の範囲である。
【０３７８】
プレートに固定されたスペーサ  本発明において、重要な役割を果たすスペーサ間距離及び配向は、好ましくは、スペーサを開放構成から閉鎖構成にするプロセスにおいて保持され、及び／又は好ましくは、開放構成から閉鎖構成にするプロセスの前に予め決定される。
【０３７９】
本発明のいくつかの実施形態は、プレートを閉鎖構成にする前に、スペーサが１枚のプレートに固定されることである。用語「スペーサがそのそれぞれのプレートに固定される」ということは、スペーサがプレート上に取り付けられ、かつプレートの使用中にその取り付けが維持されることを意味する。「スペーサがそのそれぞれのプレートに固定される」の一実施例は、スペーサが１枚のプレート材料でモノリシックに作られ、かつプレート表面に対するスペーサの位置が変化しないことである。「スペーサがそのそれぞれのプレートに固定されない」の一実施例は、スペーサが接着剤によりプレートに接着されるが、プレートの使用中に、接着剤がスペーサをプレート表面上の元の位置に維持しない（すなわち、スペーサがプレート表面上の元の位置から離れる）ことである。
【０３８０】
いくつかの実施形態において、少なくとも１つのスペーサは、その対応するプレートに固定される。特定の実施形態では、２つのスペーサはそのそれぞれのプレートに固定され、特定の実施形態では、スペーサの大部分はそのそれぞれのプレートに固定され、特定の実施形態では、すべてのスペーサは、そのそれぞれのプレートに固定される。
【０３８１】
いくつかの実施形態において、スペーサは、全体としてその対応するプレートに固定される。
【０３８２】
いくつかの実施形態において、スペーサは、取り付け、貼り合わせ、融合、インプリント、エッチングという方法及び／又は形態のうちの１種又はそれらの任意の組み合わせにより、その対応するプレートに固定される。
【０３８３】
用語「インプリント」とは、プレート表面にスペーサを形成するために、１つの材料をインプリント（すなわち、エンボス加工）することにより、スペーサとプレートとを一体的に固定することを指す。材料は、単層材料であるか、又は多層材料であってもよい。
【０３８４】
用語「エッチング」とは、プレート表面にスペーサを形成するために、１つの材料をエッチングすることにより、スペーサとプレートとを一体的に固定することを指す。材料は、単層材料であるか、又は多層材料であってもよい。
【０３８５】
用語「融合」とは、スペーサとプレートとを一体的に付着させることにより、スペーサとプレートとを一体的に取り付け、スペーサとプレートとの原材料が互いに融合し、かつ融合した後の２つの材料の間に明らかな材料境界が存在することを指す。
【０３８６】
用語「貼り合わせ」とは、接着でスペーサとプレートとを一体的に結合することにより、スペーサとプレートとを一体的に固定することを指す。
【０３８７】
用語「取り付ける」とは、スペーサとプレートとを一体的に接続することを指す。
【０３８８】
いくつかの実施形態において、スペーサとプレートは、同じ材料で製造される。別の実施形態において、スペーサとプレートは、異なる材料で製造される。別の実施形態において、スペーサとプレートとは、一体的に形成される。別の実施形態において、スペーサの一端は、その対応するプレート上に固定され、端部が開放され、２つのプレートの異なる構成を収容するために用いられる。
【０３８９】
別の実施形態において、各スペーサは、取り付け、接合、融合、インプリント、エッチングのうちの少なくとも１種の方法で対応するプレートに独立して接続される。用語「独立して」とは、１つのスペーサを、対応するプレートに取り付け、接合し、融合し、インプリントし、エッチングする方法から選択された同じであるか、又は異なる方法で、その対応するプレートに固定することを指す。
【０３９０】
いくつかの実施形態において、少なくとも２つのスペーサの間の少なくともある距離が予め決定される（「所定のスペーサ間距離」とは、ユーザがプレートを使用する時に、該距離が既知であることを指す）。
【０３９１】
本明細書に記載の全ての方法及び装置に係るいくつかの実施形態において、固定スペーサの他、追加的なスペーサもある。
【０３９２】
特定の試料厚さ  本発明において、小さなプレート間隔（所定の試料領域に対する）又は大きな試料領域（所定のプレート間隔に対する）、又は両者ともにより、大きなプレート保持力（すなわち、２つのプレートを一体的に保持する力）を得ることができることは観察された。
【０３９３】
いくつかの実施形態において、少なくとも１つのプレートは、関連領域を包囲する領域において透明的であり、各プレートは、閉鎖構成において試料に接触し、閉鎖構成において、プレートの内表面が実質的に互いに平行であり、スペーサを有する位置の他に、プレートの内表面が実質的に平面であるように構成されるか、又は任意に組み合わせられる内表面を有する。
【０３９４】
２．４  最終的な試料厚さ及び均一性
いくつか実施形態において、著しく平坦であることは、最終的な試料厚さに関して決定され、実施形態及び応用に応じて、それと試料厚さとの比は、０．１％より小さく、０．５％より小さく、１％より小さく、２％より小さく、５％より小さいか、又は１０％より小さいか、又はこれらの値のいずれか２つの間の範囲である。
【０３９５】
いくつかの実施形態において、試料厚さに対する平坦度は、０．１％より小さく、０．５％より小さく、１％より小さく、２％より小さく、５％より小さく、１０％より小さく、２０％より小さく、５０％より小さいか、又は１００％より小さいか、又はこれらの値のいずれか２つの間の範囲であってもよい。
【０３９６】
いくつかの実施形態において、著しく平坦であることは、表面平坦度の変化自体（平均厚さから測定される）が０．１％より小さく、０．５％より小さく、１％より小さく、２％より小さく、５％より小さいか、又は１０％より小さいか、又はこれらの値のいずれか２つの間の範囲であることを指す。一般的には、試料厚さに対する平坦度は、０．１％より小さく、０．５％より小さく、１％より小さく、２％より小さく、５％より小さく、１０％より小さく、２０％より小さく、５０％より小さいか、又は１００％より小さいか、又はこれらの値のいずれか２つの間の範囲であってもよい。
【０３９７】
２．５  スペーサの製造方法
スペーサは、石版刷り、エッチング、エンボス加工（ナノインプリント）、堆積、リフトオフ、融合又はそれらの組み合わせを使用して、プレートに様々な方法で製造することができる。いくつかの実施形態において、スペーサは、プレートに直接的にエンボス加工されるか又はインプリントされる。いくつかの実施形態において、スペーサは、プレートに堆積された材料（例えば、プラスチック）内にインプリントされる。特定の実施形態において、スペーサは、ＣＲＯＦプレートの表面を直接的にインプリントすることにより、製造される。ナノインプリントは、ローラインプリンタを使用するロール・ツー・ロール技術、又は平面ナノインプリントに巻き取ることによって行うことができる。このようなプロセスは、優れた経済上の利点を有するため、コストが低下する。
【０３９８】
いくつかの実施形態において、スペーサは、プレートに堆積される。該堆積は、蒸発、貼り付け又はリフトオフであってもよい。貼り付ける時に、まず、スペーサをキャリアに製造し、次にスペーサをキャリアからプレートに移す。リフトオフする時に、まずプレートに除去可能な材料を堆積し、かつ該材料内に孔を形成させ、孔底部がプレート表面を露出させる。次にスペーサ材料を孔内に堆積し、その後に除去可能な材料を除去し、スペーサのみをプレート表面に残す。いくつかの実施形態において、プレートに堆積されたスペーサはプレートと融合される。いくつかの実施形態において、スペーサとプレートは、同じプロセスにおいて製造される。該同じプロセスは、インプリント（すなわち、エンボス加工、鋳型成形）又は合成を含む。
【０３９９】
いくつかの実施形態において、少なくとも２つのスペーサは、異なる方法でその対応するプレートに固定され、任意で、該異なる方法は、堆積、貼り合わせ、融合、インプリント及びエッチングの少なくとも１種を含む。
【０４００】
いくつかの実施形態において、１つ以上のスペーサは、貼り合わせ、融合、インプリント又はエッチング又はそれらの任意の組み合わせの製造方法によって、対応するプレートに固定される。
【０４０１】
いくつかの実施形態において、プレートにこのような一体的なスペーサを形成するための製造方法は、貼り合わせ、融合、インプリント、エッチング又はそれらの任意の組み合わせの方法を含む。
【０４０２】
２．６  スケールマーカー
用語「スケールマーカー」は、関連領域及び／又は試料の相対体積への定量化（すなわち、寸法測定）又は制御を補助することができるスケールマーカーを指す。いくつかの実施形態において、スケールマーカーは、第１のプレート又は第２のプレート、両方のプレート、プレートの１つの表面、プレートの両方の表面、プレートの間、プレートの付近に位置するか、又はそれらの任意の組み合わせである。いくつかの実施形態において、スケールマーカーは、第１のプレート又は第２のプレート、両方のプレート、プレートの１つの表面、プレートの両方の表面、プレートの間、プレートの付近に固定されるか、又はそれらの任意の組み合わせである。いくつかの実施形態において、スケールマーカーは、第１のプレート又は第２のプレート、両方のプレート、プレートの１つの表面、プレートの両方の表面、プレートの間、プレートの付近に堆積されるか、又はそれらの任意の組み合わせである。いくつかの実施形態において、いくつかのスペーサは固定され、いくつかのスペーサは堆積される。
【０４０３】
いくつかの実施形態において、スケールマーカーは、エッチングされたスケールマーカー、堆積された材料又は印刷された材料であり、特定の実施形態において、該材料は、光吸収、光反射、光放出、又はそれらの任意の組み合わせの材料である。
【０４０４】
いくつかの実施形態において、スケールマーカーは、既知の寸法及び／又は既知の間隔距離を有する１つ以上の物体である。物体の実施例は、矩形、円柱形又は円形を含むが、これに限定されない。
【０４０５】
いくつかの実施形態において、スケールマーカーは、ナノメートル（ｎｍ）、ミクロン（μｍ）又はミリメートル（ｍｍ）、又は他の寸法範囲内の寸法を有する。
【０４０６】
いくつかの実施形態において、スケールマーカーは定規であり、それが物体の寸法を測定するように構成されたスケールマーカーを有する。いくつかの実施形態において、スケールマーカーは、ナノメートル（ｎｍ）、ミクロン（μｍ）又はミリメートル（ｍｍ）、又は他の寸法範囲内にある。いくつかの実施形態において、スケールマーカーは、エッチングされたスケールマーカー、堆積された材料又は印刷された材料であり、いくつかの実施形態において、スケールマーカーの材料は、光吸収、光反射、光散乱、光干渉、光回折、光放出、又はそれらの任意の組み合わせの材料である。
【０４０７】
いくつかの実施形態において、前記マーカーは、スペーサであり、それは「試料厚さを調節する」及び「スケールマーキング及び／又は寸法測定を提供する」という二重機能を有する。
【０４０８】
例えば、既知の寸法を有する矩形スペーサ又は既知の間隔を有する２つのスペーサを使用して、スペーサの周囲の試料に関する寸法を測定することができる。計測された試料寸法によって、試料の関連体積の体積を算出することができる。
【０４０９】
いくつかの実施形態において、スケールマーカーは、試料の関連体積の境界を部分的に定義するように構成される。
【０４１０】
いくつかの実施形態において、少なくとも１つのスケールマーカーは、試料の関連体積の横方向領域の平面と平行である既知の寸法を有するように構成される。
【０４１１】
いくつかの実施形態において、少なくとも１対のスケールマーカーは横方向領域の平面と平行である既知の距離によって分けられる。
【０４１２】
いくつかの実施形態において、スケールマーカーは、光学的検出に用いられるように構成される。
【０４１３】
いくつかの実施形態において、各スケールマーカーは、光吸収、光反射、光散乱、光回折及び光放出のうちの少なくとも１つの機能を独立して有する。
【０４１４】
いくつかの実施形態において、スケールマーカーは、既知の横方向間隔を有する規則的なアレイに配列される。
【０４１５】
いくつかの実施形態において、各スケールマーカーは、正方形、矩形、多角形及び円形のうちの少なくとも１つの横方向輪郭を独立して有する。
【０４１６】
いくつかの実施形態において、少なくとも１つのスケールマーカーは、１つのプレートに取り付けられ、貼り合わせされ、融合され、インプリントされ、エッチングされる。
【０４１７】
いくつかの実施形態において、少なくとも１つのスケールマーカーは、１つのスペーサである。
【０４１８】
いくつかの実施形態において、いくつかのスペーサは、試料の関連体積を定量化するために、さらにスケールマーカーの役割を果たす。
【０４１９】
特定の実施形態において、（分析物を固定化するための）結合部位、貯蔵部位等は、スケールマーカーとして使用される。一つの実施形態において、既知の横方向寸法を有する部位は、既知の横方向寸法を再現する検出可能な信号を生成する光と相互作用し、それによりスケールマーカーを提供する。
【０４２０】
他の実施形態において、部位の寸法は、ＣＲＯＦプロセスの前に予め決定され、プレートが閉鎖構成にある時に、該部位に位置した試料部分の厚さは、該部位の横方向の平均寸法よりも顕著に小さく、その後、インキュベーション時間を制御することにより、インキュベーション後に、（１）、結合部位に結合された大部分の分析物／実体は結合部位の頂部の試料体積から由来し；あるいは（２）大部分の結合部位の頂部の試料体積に混合（拡散）された試薬は貯蔵部位から由来し、これらの場合では、結合又は試薬混合に対する試薬の関連体積は、所定の部位面積に該部位における試料の厚さをかけることにほぼ等しい。それについて主な理由は、所定のインキュベーション時間に対して、関連体積外の試料体積中の分析物／実体が結合部位に拡散する十分な時間がないか、又は貯蔵部位上の試薬が関連体積外の試料体積に拡散する十分な時間がないことである。
【０４２１】
既知の寸法を有する部位を使用しインキュベーション時間を制限することにより、関連面積及び体積を測定及び／又は制御する方法を説明する一例において、アッセイは、ＣＲＯＦプロセスでの第１のプレート（その表面は結合部位よりも大きい）に、１０００μｍ×１０００μｍの結合部位（すなわち捕捉剤を含有する領域）を有し、プレートの閉鎖構成で、分析物を含有する試料は結合部位の上方に位置し、該試料は約２０μｍの厚さ（結合部位の領域内）及び結合部位よりも大きな面積を有し、これは、ターゲット分析物／実体の試料厚さでの拡散時間と等しい時間インキュベートされる。この場合、結合部位に結合された大部分の分析物／実体は、結合部位の頂部の試料体積から由来し、１０００μｍ×１０００μｍ×２０μｍ＝０．０２ｐであり、その理由は、結合部位から２０μｍ離れた試料部分における分析物が結合部位に拡散する時間がない（統計的に）からである。この場合、信号は、結合部位により捕捉された分析物／実体に起因して、信号がインキュベーション後に計測されると、関連領域及び関連体積の情報（結合部位により提供される）に基づいて、試料の関連領域及び関連体積での分析物／実体の濃度を決定することができる。分析物の濃度は、結合部位が捕捉した分析物の量を関連体積で割ることにより、定量化される。
【０４２２】
いくつかの実施形態において、関連体積は、結合部位面積と試料厚さとの乗算にほぼ等しく、試料中の標的分析物の濃度は、結合部位が捕捉した分析物の量を関連試料体積で割る結果にほぼ等しい。結合部位寸法と試料厚さとの比が大きければ大きいほど、標的分析物体積の定量化方法の精度は高い（インキュベーション時間は、試料中の標的分析物が約試料厚さの距離まで拡散することに必要な時間であると仮定する）。
【０４２３】
ＣＲＯＦにおける広げる時間  本発明において、２つのプレートにより試料を広げるすべての段落の方法及び装置において、閉鎖構成で試料を最終厚さまで広げることに必要な時間は、０．００１秒以下、０．０１秒、０．１秒、１秒、５秒、１０秒、２０秒、３０秒、６０秒、９０秒、１００秒、１５０秒、２００秒、３００秒、５００秒、１０００秒又はこれらの値のいずれか２つの間の範囲である。
【０４２４】
２つのプレートにより試料を展開するすべての段落の方法及び装置では、ある好ましい実施形態において、閉鎖構成で試料を最終厚さまで展開することに必要な時間は、０．００１秒以下、０．０１秒、０．１秒、１秒、３秒、５秒、１０秒、２０秒、３０秒、６０秒、９０秒、１００秒、１５０秒又はこれらの任意の２つの値の間の範囲である。
【０４２５】
２つのプレートにより試料を展開するすべての段落の方法及び装置で、ある好ましい実施形態において、閉鎖構成で試料を最終厚さまで広げることに必要な時間は、０．００１秒以下、０．０１秒、０．１秒、１秒、３秒、５秒、１０秒、２０秒、３０秒、６０秒、９０秒又はこれらの値のいずれか２つの間の範囲である。
【０４２６】
２つのプレートにより試料を展開するすべての段落の方法及び装置で、ある好ましい実施形態において、閉鎖構成で試料を最終厚さまで広げることに必要な時間は、０．００１秒以下、０．０１秒、０．１秒、１秒、３秒、５秒、１０秒、２０秒、３０秒又はこれらの値のいずれか２つの間の範囲である。
【０４２７】
２つのプレートにより試料を展開するすべての段落の方法及び装置で、ある好ましい実施形態において、閉鎖構成で試料を最終厚さまで広げることに必要な時間は、０．００１秒以下、０．０１秒、０．１秒、１秒、３秒、５秒、１０秒又はこれらの値のいずれか２つの間の範囲である。
【０４２８】
２つのプレートにより試料を展開するすべての段落の方法及び装置では、ある好ましい実施形態において、閉鎖構成で試料を最終厚さまで展開することに必要な時間は、０．００１秒以下、０．０１秒、０．１秒、１秒、３秒又はこれらの値のいずれか２つの間の範囲である。
【０４２９】
セクション３に記載された実施形態及びそれらの任意の組み合わせは、本発明の説明全体において他の実施形態に適用される（すなわちそれらと組み合わせられる）。
【０４３０】
一つの好ましい実施形態において、スペーサは、金型を用いて薄いプラスチックフィルムを圧印する（例えば、ナノインプリント）ことにより、Ｘ−プレートに一体的に製造され、かつ同じ材料で製造される。
【０４３１】
一つの好ましい実施形態において、スペーサは、金型を用いて薄いプラスチックフィルムを圧印する（例えば、ナノインプリント）ことにより、Ｘ−プレートに一体的に製造され、かつ同じ材料で製造され、Ｘ−プレートの厚さは、５０μｍ〜５００μｍである。
【０４３２】
一つの好ましい実施形態において、スペーサは、金型を用いて薄いプラスチックフィルムを圧印する（例えば、ナノインプリント）ことにより、Ｘ−プレートに一体的に製造され、かつ同じ材料で製造され、Ｘ−プレートの厚さは、５０μｍ〜２５０μｍである。
【０４３３】
一つの好ましい実施形態において、スペーサは、Ｘ−プレートに一体的に製造され、かつ同じ材料で製造され、Ｘ−プレートの厚さは、５０μｍ〜５００μｍである。
【０４３４】
一つの好ましい実施形態において、スペーサは、金型及び薄いプラスチックフィルムを用いることにより、Ｘ−プレートに一体的に製造され、かつ同じ材料で製造され、Ｘ−プレートの厚さは、５０μｍ〜２５０μｍである。
【０４３５】
一つの好ましい実施形態において、スペーサは、金型を用いて薄いプラスチックフィルムを圧印する（例えば、ナノインプリント）ことにより、Ｘ−プレートに一体的に製造され、かつ同じ材料で製造され、該プラスチックフィルムは、ＰＭＭＡ（ポリメチルメタクリレート）又はＰＳ（ポリスチレン）である。
【０４３６】
１つの好ましい実施形態において、スペーサは、金型を用いて薄いプラスチックフィルムを圧印する（例えば、ナノインプリント）ことにより、Ｘ−プレートに一体的に製造され、かつ同じ材料で製造され、該プラスチックフィルムは、ＰＭＭＡ（ポリメチルメタクリレート）又はＰＳ（ポリスチレン）であり、Ｘ−プレートの厚さは、５０μｍ〜５００μｍである。
【０４３７】
１つの好ましい実施形態において、スペーサは、金型を用いて薄いプラスチックフィルムを圧印する（例えば、ナノインプリント）ことにより、Ｘ−プレートに一体的に製造され、かつ同じ材料で製造され、該プラスチックフィルムは、ＰＭＭＡ（ポリメチルメタクリレート）又はＰＳ（ポリスチレン）であり、Ｘ−プレートの厚さは、５０μｍ〜２５０μｍである。
【０４３８】
１つの好ましい実施形態において、スペーサは、金型を用いて薄いプラスチックフィルムを圧印する（例えば、ナノインプリント）ことにより、Ｘ−プレートに一体的に製造され、かつ同じ材料で製造され、該プラスチックフィルムは、ＰＭＭＡ（ポリメチルメタクリレート）又はＰＳ（ポリスチレン）であり、スペーサは、正方形又は長方形の形状を有し、同じスペーサ高さを有する。
【０４３９】
１つの好ましい実施形態において、スペーサは、正方形又は長方形の形状を有する（丸い角を有するか又は丸い角を有しない）。
【０４４０】
１つの好ましい実施形態において、スペーサは、正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１００μｍにある。
【０４４１】
１つの好ましい実施形態において、ＰＭＭＡ又はＰＳで製造されたスペーサは、正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１００μｍにある。
【０４４２】
１つの好ましい実施形態において、スペーサは、Ｘプレートに一体的に製造され、かつプラスチック材料で製造され、前記スペーサは正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１００μｍにある。
【０４４３】
１つの好ましい実施形態において、スペーサは、Ｘプレートに一体的に製造され、かつ同じ材料で製造され、前記スペーサは正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１０μｍにある。
【０４４４】
１つの好ましい実施形態において、スペーサは、Ｘプレートに一体的に製造され、かつＰＳ又はＰＭＭＡ又は他のプラスチックから選択される同じ材料で製造され、前記スペーサは正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１０μｍ〜５０μｍにある。
【０４４５】
ＣＲＯＦ装置の１つの好ましい実施形態において、一方のプレートは、Ｘプレートであり、他方のプレートは、平面薄膜であり、少なくとも１つのプレートの厚さは１０μｍ〜２５０μｍにあり、スペーサはＸプレートに固定され、プレートとスペーサの材料は同じであってもよく異なってもよく、かつプレートとスペーサはＰＭＭＡ（ポリメチルメタクリレート）、ＰＳ（ポリスチレン）又はＰＭＭＡ若しくはＰＳと類似した機械的特性を有する材料で製造される。
【０４４６】
ＣＲＯＦ装置の１つの好ましい実施形態において、一方のプレートは、Ｘプレートであり、他方のプレートは、平面薄膜であり、少なくとも１つのプレートの厚さは２５０μｍ〜５００μｍにあり、スペーサはＸプレートに固定され、プレートとスペーサの材料は同じであってもよく異なってもよく、かつプレートとスペーサはＰＭＭＡ（ポリメチルメタクリレート）、ＰＳ（ポリスチレン）又はＰＭＭＡ若しくはＰＳと類似した機械的特性を有する材料で製造される。
【０４４７】
ＣＲＯＦ装置の１つの好ましい実施形態において、１つのプレートは、Ｘプレートであり、他のプレートは、平面薄膜であり、少なくとも１つのプレートの厚さは１０μｍ〜２５０μｍにあり、スペーサはＸプレートに固定され、スペーサは正方形又は長方形の柱のアレイであり、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１００μｍにあり、プレートとスペーサの材料は同じであってもよく異なってもよく、かつプレートとスペーサはＰＭＭＡ（ポリメチルメタクリレート）、ＰＳ（ポリスチレン）又はＰＭＭＡ又はＰＳと類似した機械的特性を有する材料で製造される。
【０４４８】
以上の段落における「類似」は、機械的特性の差異が６０％以内にあることを指す。
【０４４９】
保護リング  いくつかの実施形態において、試料がプレート表面から流出することを防止する保護リングを有する。保護リングのいくつかの実施形態において、それが試料領域を中心として封止された壁である。壁の高さは、スペーサの高さと等しいか又はそれと等しくない。壁は、試料計測領域から離れてもよい。
【０４５０】
ＣＲＯＦプロセスにおける可動プレートは、ヒンジ、ステージ、又はプレートを開放構成と閉鎖構成との間に変換するように構成されるいくつかの他の位置決めシステムを含み及び／又はそれに結合することができる。少なくとも１つの継手及び／又は少なくとも１つのプレートの柔軟性が、前記開放と閉鎖構成を実現することに十分であるという条件出、プレート間の空間に入るための開口部を残す（例えば、試料を挿入及び／又は除去する）方法で、可動プレートは１つ以上の継手と結合することができる。膜ポンプは、可動プレートと考えられない。
【０４５１】
３．分析物、実体、結合部位、貯蔵部位
本発明において、実体はタンパク質、アミノ酸、核酸、脂質、炭水化物、代謝産物、細胞又はナノ粒子のうちの一種を含むがそれらに限定されることはない。
【０４５２】
いくつかの実施形態において、結合部位は実体に結合するように構成された結合パートナーを含む。
【０４５３】
いくつかの実施形態において、結合部位は該結合部位に結合された実体を含む。いくつかの実施形態において、試料の配置は試料を結合部位内に配置することを含む。
【０４５４】
いくつかの実施形態において、試薬はタンパク質、アミノ酸、核酸、脂質、炭水化物及び代謝産物のうちの少なくとも一種を含む。
【０４５５】
特定の実施形態において、貯蔵部位は乾燥試薬を含む。
【０４５６】
いくつかの実施形態において、貯蔵部位は試料と接触すると貯蔵部位から放出されるように構成された試薬を含む。
【０４５７】
いくつかの実施形態において、第１の貯蔵部位及び第２の貯蔵部位はある共同の貯蔵部位中に位置する。
【０４５８】
いくつかの実施形態において、搬送媒体は試料である。いくつかの実施形態において、搬送媒体は液体であり、ここで試薬又は実体は該液体に溶解しかつ拡散できる。
【０４５９】
いくつかの実施形態において、プレートは複数の貯蔵部位を有する。別の実施形態において、一つの貯蔵部位は様々な試薬を有する。
【０４６０】
異なる放出時間  いくつかの実施形態において、プレートはプレートの異なる位置に複数の貯蔵部位を有するか又は一つの貯蔵部位に複数の試薬を保存し、試薬は貯蔵部位に試料と接触すると放出され、しかし同じ貯蔵部位の異なる試薬又は異なる貯蔵部位の試薬は異なる時間に放出される。
【０４６１】
いくつかの実施形態において、第１の試薬は試料と接触すると第１の平均放出時間内に第１の貯蔵部位から放出されるように配置され、第２の試薬は試料と接触すると第２の平均放出時間内に第２の貯蔵部位から放出されるように配置され、ここで第１の平均放出時間は第２の平均放出時間より小さい。
【０４６２】
いくつかの実施形態において、第１の試薬は試料と接触すると第１の貯蔵部位から放出されるように配置され、ここで第２の試薬は結合試薬である。
【０４６３】
いくつかの実施形態において、付着は、少なくとも一種の試薬を対応するプレートに結合することを含む。
【０４６４】
いくつかの実施形態において、接触は、少なくとも一種の試薬を対応するプレートから放出することを含む。
【０４６５】
いくつかの実施形態において、付着は、第１の試薬及び第２の試薬を付着させることを含み、ここで接触は第２の試薬の前に第１の試薬を放出することを含む。
【０４６６】
いくつかの実施形態において、少なくとも１つのプレートは貯蔵部位を含み、該貯蔵部位は試料の関連体積に添加される試薬を含む。
【０４６７】
いくつかの実施形態において、試薬はタンパク質、アミノ酸、核酸、脂質、炭水化物及び代謝産物のうちの少なくとも１種を含む。
【０４６８】
いくつかの実施形態において、貯蔵部位は乾燥試薬を含む。
【０４６９】
いくつかの実施形態において、貯蔵部位は試料と接触すると貯蔵部位から放出されるように構成された試薬を含む。
【０４７０】
いくつかの実施形態において、貯蔵部位は第１の貯蔵部位であり、かつ試薬は第１の試薬であり、ここで装置は第２の貯蔵部位を含み、それは試料の関連体積に添加される第２の試薬を含み、ここで第２の貯蔵部位はプレートの一つに位置する。
【０４７１】
いくつかの実施形態において、第１の貯蔵部位及び第２の貯蔵部位は１つの共同の貯蔵部位中に位置する。
【０４７２】
いくつかの実施形態において、第１の試薬は試料と接触すると第１の平均放出時間内に第１の貯蔵部位から放出されるように配置され、第２の試薬は試料と接触すると第２の平均放出時間内に第２の貯蔵部位から放出されるように配置され、第１の平均放出時間は第２の平均放出時間より小さい。
【０４７３】
いくつかの実施形態において、少なくとも一種の試薬は対応するプレートに乾燥される。
【０４７４】
キットのいくつかの実施形態において、少なくとも一種の試薬は対応するプレートに結合される。
【０４７５】
キットのいくつかの実施形態において、少なくとも一種の試薬は試料と接触すると対応するプレートから放出されるように配置される。
【０４７６】
キットのいくつかの実施形態において、第１の試薬はプレートのうちの１つ又は両方に位置し、第２の試薬はプレートのうちの１つ又は両方に位置し、第１の試薬は試料と接触すると第１の平均放出時間内にそれぞれのプレートから放出されるように構成され、第２の試薬は試料と接触すると第二平均放出時間内にそれぞれのプレートから放出されるように構成され、第１の平均放出時間は第２の平均放出時間より短い。
【０４７７】
装置のいくつかの実施形態において、貯蔵部位は第１の貯蔵部位であり、かつ試薬は第１の試薬であり、装置は第２の貯蔵部位を含み、それは試料の関連体積に添加される第２の試薬を含み、第２の貯蔵部位はプレートの１つに位置する。
【０４７８】
４  一部の試料内の局所的結合又は混合（Ｐ）
いくつかの応用において、試料全体中の分析物ではなく、一部の試料中の分析物のみを捕捉（結合）する結合部位を有することが望ましい。場合によっては、試薬が試料全体に添加されず、一部の試料に添加（すなわち、混合）されることが望ましい。一般的には試料の一部と試料のほかの部分との間に流体的分離がないことが望ましい。特定の多重検出において、このような要求は好ましいか又は必要である。
【０４７９】
本発明はＣＲＯＦ方法及び装置を使用することにより試料を厚さが試料の一部の横方向寸法より小さい超薄膜に再形成し、それにより上記要件に解決手段を提供し、ここで試料の一部の内部の分析物のみが捕捉され、又は該一部の試料のみが試薬と混合される。このようなアプローチの作業原理は以下のとおりである：試料厚さが一部の試料の横方向寸法より小さい時に、表面による分析物の捕捉又は表面上に配置された試薬の混合は主に分析物及び試薬の厚さ方向における拡散により制限され、水平拡散の拡散は比較的顕著ではない。例えば、試料を厚さ５μｍの薄膜に再形成し、試料中の捕捉する必要がある分析物の一部又は混合する必要がある試薬が５ｍｍ×５ｍｍの横寸法を有し、かつ分析物又は試薬の５μｍにわたる拡散時間が１０秒であれば、分析物又は試薬の５ｍｍ距離にわたる水平拡散は１００００００秒（拡散時間は拡散距離の平方と正比例を成すため）である。これは、試料の関心のある部分の横寸法と試料厚さとの適切な比率を選択することにより、一定の時間間隔内において、捕捉される分析物が主に関心のある試料の一部から由来するか、又は試薬が主に関心のある試料の一部に混合されることを意味している。
【０４８０】
４．１  試料の一部中の実体と表面との局所的結合（Ｐ：体積から表面へ）
Ｐ１．  試料の関連体積中の標的実体を表面上の結合部位に局所的に結合させる方法は、以下のステップ（ｉ）〜（ｉｉ）を含む：
（ｉ）段落Ｘ１の方法における（ａ）〜（ｄ）のステップを実行し、閉鎖構成での試料厚さは結合部位の平均線形寸法より顕著に小さく、関連体積は、プレートが閉鎖構成にある時に、結合部位上に位置する試料の体積であり；
（ｉｉ）（ｉ）の後、かつプレートが閉鎖構成にある時に、
（１）関連のある時間長さで試料インキュベーションを行い、次にインキュベーションを停止し、あるいは、
（２）関連のある時間長さの最小値以上の時間で試料をインキュベーションし、次に、関連のある時間長さの最大値以下の時間内に、標的分析物の結合部位への結合を評価し、
前記関連のある時間長さは
ｉ．標的実体が閉鎖構成で均一な厚さの層の厚さにわたって拡散することに要する時間以上であり、そして
ｉｉ．標的実体が結合部位の最小横寸法を横方向に拡散することに要する時間より顕著に短く、
（１）におけるインキュベーションが終了する時又は（２）における評価期間において、結合部位に結合される大部分の標的実体は試料関連体積から由来し、
インキュベーションにより、標的実体が結合部位に結合することを可能にし、関連体積は、閉鎖構成で結合部位の上にある試料の一部分である。
【０４８１】
段落Ｐ２の方法では、用語「試料の関連体積の厚さは結合部位の最小平均寸法より顕著に小さい」は、結合部位の最小平均寸法と試料厚さとの比（「長さと厚さとの比」と呼ばれる）が少なくとも３、少なくとも５、少なくとも１０、少なくとも２０、少なくとも５０、少なくとも１００、少なくとも５００、少なくとも１０００、少なくとも１００００、少なくとも１０００００又はこれらの値の間の任意の範囲にあるということを指し、好ましい実施形態において、長さと厚さとの比は少なくとも３、少なくとも５、少なくとも１０、少なくとも２０、少なくとも５０、少なくとも１００、少なくとも５００、又はこれらの値の間の任意の範囲にある。
【０４８２】
段落Ｐ２の方法では、用語「標的実体が結合部位の最小横寸法にわたって横方向に拡散する時間より顕著に小さい」は、結合部位の最小横寸法にわたって拡散する時間と試料厚さにわたって拡散する時間との比（「長さと厚さとの拡散時間比」と呼ばれる）が少なくとも３、少なくとも１０、少なくとも５０、少なくとも１０、少なくとも１００、少なくとも１０００、少なくとも１００００、少なくとも１０００００、少なくとも１０００００又はこれらの値の間の任意の範囲にあるということを意味し、好ましい実施形態において、長さと厚さの拡散時間との比は少なくとも３、少なくとも１０、少なくとも５０、少なくとも１０、少なくとも１００、少なくとも１０００、少なくとも１００００又はこれらの値の間の任意の範囲にある。
【０４８３】
Ｐ２．  試料関連体積中の実体を表面にある結合部位に局所的に結合させる装置は、
異なる構成になるように互いに対して移動可能な第１のプレート及び第２のプレートを含み、
第１のプレートはその表面に面積がプレート面積より小さい結合部位を有し、それは試料中の標的実体に結合するように配置され、該標的実体は試料中に拡散でき、そのうちの１つ又は両方のプレートはいずれもスペーサを含み、各スペーサはその対応するプレートに固定されて所定の高さを有し、
前記構成の１つは、２つのプレートが部分的又は完全に離され、プレート間の間隔がスペーサにより調節されず、試料が２つのプレートの１つ又は両方に付着する開放構成であり、
別の構成は、開放構成で試料を付着させた後に構成された閉鎖構成であり、前記閉鎖構成で、プレートは互いに対向し、スペーサ、結合部位及び少なくとも一部の試料はプレートの間に位置し、試料は結合部位の少なくとも一部と接触し、かつ試料の関連体積の厚さをプレート及びスペーサにより調節し、プレートが開放構成にある時に該厚さは試料の最大厚さより小さく、関連体積は試料の結合部位に位置する体積であり、
スペーサの高さは、閉鎖構成下で関連体積の厚さを結合部位の平均線形寸法の少なくとも３分の１よりも小さいように調節するように選択される。
【０４８４】
関連体積の厚さを結合部位の平均線形サイズの３分の１に調節することにより、実体の試料厚さにわたる拡散時間は結合部位の平均線形サイズと等しい距離にわたる拡散時間の９分の１である。このような厚さ調節はインキュベーション時間の選択を可能にし、それにより、（ｉ）関連体積中の顕著な数量の標的実体は結合部位に結合されること、及び（ｉｉ）結合部位に結合される顕著な数量の標的実体は試料の関連体積から由来するというインキュベーション結果を達成し、インキュベーションは標的実体を結合部位に結合することを可能にする。
【０４８５】
例えば、インキュベーション時間は実体が試料関連体積の厚さにわたる拡散時間と等しいように設定される場合に、インキュベーション後に、関連体積内の大部分の実体はすでに結合部位に達し、かつレート方程式に従って結合され、最初（すなわちインキュベーション前）関連体積の外に位置する実体は関連体積の周辺にのみ（比較的小さい体積）拡散でき、かつ結合部位の平均線形サイズと関連体積厚さとの比が大きくなるため、この体積の重要性が低減する。
【０４８６】
４．２  他のプレート表面上の結合部位（表面から別の表面）へのプレートの表面に貯蔵された実体の局所的結合
Ｐ３．  プレートの貯蔵部位に貯蔵された実体を別のプレート上の結合部位に局所的に結合する方法は、以下のステップ（ａ）〜（ｅ）を含む：
（ａ）異なる構成になるように互いに対して移動可能な第１のプレート及び第２のプレートを取得し、前記第１のプレートはその表面に結合部位を有し、前記第２のプレートはその表面に結合部位に結合する実体を含む貯蔵部位を有し、前記結合部位の面積及び試薬部位の面積がそのそれぞれのプレートの面積より小さく、かつ前記プレートの１つ又は両方は、各々がそのそれぞれのプレートに固定され、かつ所定の高さを有し；
（ｂ）実体が溶解でき、かつ拡散できる搬送媒体を取得し；
（ｃ）プレートが開放構成に構成されている時に、前記プレートの１つ又は両方に搬送媒体を付着させ、前記開放構成とは、２つのプレートが部分的又は完全に離され、プレート間の間隔がスペーサにより調節されない構成であり；
（ｄ）（ｃ）の後、プレートを閉鎖構成にして前記搬送媒体を広げ、前記閉鎖構成で、プレートが互いに対向して、スペーサ、結合部位、貯蔵部位及び少なくとも一部の搬送媒体がプレートの間に位置し、少なくとも一部の貯蔵部位が結合部位と直面し、その間に一部の搬送媒体を有し、搬送媒体の関連体積の厚さがプレート及びスペーサにより調節され、プレートが開放構成にある時の試料の最大の厚さより薄く、かつプレートの表面方向における関連体積の平均線形寸法より顕著に小さく；
（ｅ）（ｄ）の後、プレートが閉鎖構成にある時に、試料を一定の時間インキュベーションしかつインキュベーションを停止させ、結合部位に結合したかなりの数の実体が貯蔵部位からのものであるようにインキュベーション時間を選択し、関連体積は結合部位にある搬送媒体の体積であり、インキュベーションは結合部位への実体の結合を可能にする。
【０４８７】
用語「少なくとも一部の貯蔵部位が結合部位と直面する」とは、該部分のある点から結合部位までの最短距離がプレートの閉鎖構成での関連体積の厚さと同じであることを指す。
【０４８８】
Ｐ４．  プレートの貯蔵部位に貯蔵された実体を別のプレート上の関連結合部位に結合する装置は、
異なる構成になるように互いに対して移動可能な第１のプレート及び第２のプレートであって、前記第１のプレートはその表面に結合部位を有し、前記第２のプレートはその表面に結合部位に結合する実体を含む貯蔵部位を有し、前記結合部位の面積及び貯蔵部位の面積がそのそれぞれのプレートの面積より小さく、かつ前記プレートの１つ又は両方は、各々がそのそれぞれのプレートで固定され、かつ所定の高さを有するスペーサを含むものを含み、
前記構成の１つは、２つのプレートが部分的又は完全に離され、プレート間の間隔がスペーサにより調節されず、搬送媒体がプレートの１つ又は両方に付着する開放構成であり、貯蔵部位上の実体は搬送媒体内に溶解でき、かつ拡散でき、
別の構成は、開放構成で搬送媒体を付着させした後に構成された閉鎖構成であり、閉鎖構成で、プレートが互いに対向して、スペーサ、結合部位、貯蔵部位及び少なくとも一部の搬送媒体がプレートの間に位置し、少なくとも一部の貯蔵部位が結合部位と直面し、その間に一部の搬送媒体を有し、搬送媒体の関連体積の厚さをプレート及びスペーサにより調節し、かつプレートが開放構成にある時に、該厚さが試料の最大の厚さより薄く、
関連体積は、プレートが閉鎖構成にある時に、貯蔵部位にある搬送媒体の体積であり、
スペーサの高さは、閉鎖構成下で関連体積の厚さを結合部位の平均線形寸法の少なくとも３分の１よりも小さいように調節するように選択され、
少なくとも１つのスペーサは試料接触領域内に位置し、
スペーサは、所定のスペーサ間距離及び高さを有する。
【０４８９】
４．３  １つのプレートの複数の貯蔵部位の実体を別のプレート上の複数の対応する結合部位に局所的に結合する方法
Ｐ５．  １つのプレートの複数の貯蔵部位に貯蔵された実体を別のプレート上の複数の対応する結合部位に局所的に結合する方法は、以下のステップ（ａ）〜（ｅ）を含む：
（ａ）異なる構成になるように互いに対して移動可能な第１のプレート及び第２のプレートを取得し、前記第１のプレートはその表面に複数の結合部位を有し、第２のプレートはその表面に複数の対応する貯蔵部位を有し、各対応する貯蔵部位が結合部位の位置に対応する第２のプレートの位置に位置することにより、２つのプレートを対向して配置する場合、各結合部位は１つのみの貯蔵部位に重なり、プレートの１つ又は両方は、各々がそのそれぞれのプレートに固定され、かつ所定の高さを有するスペーサを含み；
（ｂ）その内に貯蔵部位上の実体が溶解でき、かつ拡散できる搬送媒体を取得し；
（ｃ）プレートが開放構成に構成されている時に、前記プレートの１つ又は両方に搬送媒体を付着させ、前記開放構成とは、２つのプレートが部分的又は完全に離され、プレート間の間隔がスペーサにより調節されない構成であり；
（ｄ）（ｃ）の後、プレートを閉鎖構成にして搬送媒体を広げ、前記閉鎖構成で、２つのプレートが互いに対向して、スペーサ、結合部位、貯蔵部位及び少なくとも一部の搬送媒体がプレートの間に位置し、各結合部位は１つのみの対応する貯蔵部位と直面し、搬送媒体は、各結合部位の少なくとも一部及び各貯蔵部位の一部と接触し、搬送媒体の関連体積の厚さがプレート及びスペーサにより調節され、プレートが開放構成にある時の搬送媒体の最大の厚さより薄く、かつ結合部位の平均線形寸法より顕著に小さく；
（ｅ）（ｄ）の後、プレートが閉鎖構成にある時に、試料を一定の時間インキュベーションしかつインキュベーションを停止させ、各結合部位に結合したかなりの数の実体が対応する貯蔵部位からのものであるように前記インキュベーション時間を選択し、前記関連体積は結合部位にある搬送媒体の体積であり、インキュベーションは結合部位への実体の結合を可能にする。
【０４９０】
いくつかの実施形態において、間隔は試料結合領域に限定される。
【０４９１】
方法Ｐ５のいくつかの実施形態において、搬送媒体は、標的分析物を有する試料であり、結合部位は捕捉剤を含み、貯蔵部位の実体は検出剤であり、標的分析物を捕捉剤及び検出剤に結合して、捕捉剤−分析物−検出剤サンドイッチを形成する。より短い飽和アッセイ時間のために、分析物及び検出剤について、より薄い試料厚さとより短い垂直拡散時間を有するように、より小さいスペーサの高さを使用することによって、方法Ｐ５は、アッセイステップを簡略化し、アッセイ時間を短縮することができる。
【０４９２】
Ｐ６．  １つのプレートの複数の貯蔵部位に貯蔵された実体を別のプレート上の複数の対応する結合部位に局所的に結合する装置は、
異なる構成になるように互いに対して移動可能な第１のプレート及び第２のプレートを含み、
前記第１のプレートの表面は複数の結合部位を有し、第２のプレートの表面は複数の対応する貯蔵部位を有し、各対応する貯蔵部位が結合部位に対応する第２のプレートの位置に位置することにより、２つのプレートを対向して配置する場合、各結合部位は１つのみの貯蔵部位に重なり、プレートの１つ又は両方は、各々がその対応するプレートに固定され、かつ所定の高さを有し、
前記構成の１つは、２つのプレートが部分的又は完全に離され、プレート間の間隔がスペーサにより調節されず、搬送媒体が２つのプレートの１つ又は両方に付着する開放構成であり、貯蔵部位上の実体は搬送媒体内に溶解でき、かつ拡散でき、
別の構成は、搬送媒体が開放構成で付着した後に構成された閉鎖構成であり、閉鎖構成において、２つのプレートが互いに対向して、スペーサ、結合部位、貯蔵部位及び少なくとも一部の搬送媒体がプレートの間に位置し、各結合部位は１つのみの対応する貯蔵部位と直面し、搬送媒体は、各結合部位の少なくとも一部及び各貯蔵部位の一部と接触し、搬送媒体の関連体積の厚さをプレート及びスペーサにより調節し、プレートが開放構成にある時に、該厚さが搬送媒体の最大の厚さより薄く、
関連体積は、プレートが閉鎖構成にある時に、貯蔵部位にある搬送媒体の体積であり、
所定のスペーサ高さを選択して、開放構成で関連体積の厚さを調節することにより、それが結合部位の平均線形寸法より顕著に小さい。
【０４９３】
４．４  試料の一部（表面から体積）への表面に貯蔵された試薬の局所的添加
Ｐ７．  試料の関連体積に局所的に試薬を添加する方法は、以下のステップ（ａ）〜（ｅ）を含む：
（ａ）異なる構成になるように互いに対して移動可能な第１のプレート及び第２のプレートを取得し、前記第１のプレートは、その表面に試料の関連体積に添加される試薬を含む貯蔵部位を有し、該試薬が試料内に溶解し、かつ試料内に拡散でき、かつ貯蔵部位の面積がプレートの面積より小さく、プレートの１つ又は両方がスペーサを含み、かつ各スペーサがそのそれぞれのプレートに固定され、かつ所定の高さを有し；
（ｂ）試料を取得し；
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり；
（ｄ）（ｃ）の後、プレートを閉鎖構成にして前記試料を広げ、前記閉鎖構成で、プレートが互いに対向して、スペーサ、貯蔵部位及び試料の少なくとも一部がプレートの間に位置し、試料が貯蔵部位の少なくとも一部と接触し、かつプレートと接触するその面積は貯蔵部位と接触するその面積より大きく、試料の関連体積の厚さがプレート及びスペーサにより調節され、プレートが開放構成にある時の試料の最大の厚さより薄く、かつプレートの表面方向上の関連体積の平均線形寸法より顕著に小さく；
（ｅ）（ｄ）の後、プレートが閉鎖構成にある時に、試料を一定の時間インキュベーションしかつインキュベーションを停止させ、（ｉ）試料内に溶解した大量の試薬が試料の関連体積に含まれ、かつ（ｉｉ）試薬が該関連体積の顕著な部位にあるようにインキュベーション時間を選択し、関連体積は、プレートが閉鎖構成にある時に、結合部位にある試料の体積であり、インキュベーションは、試薬が試料内に溶解して拡散するのを可能にする。
【０４９４】
Ｐ８．  プレートの表面に貯蔵された試薬を試料の関連体積に局所的に添加する装置は、
異なる構成になるように互いに対して移動可能な第１のプレート及び第２のプレートを含み、
前記第１のプレートは、その表面に試料の関連体積に添加される試薬の貯蔵部位を有し、該試薬が試料内に溶解し、かつ試料内に拡散でき、プレートの１つ又は両方がスペーサを含み、かつ各スペーサがその対応するプレートに固定され、かつ所定の高さを有し、
前記構成の１つは、２つのプレートが部分的又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートが互いに対向して、スペーサ、貯蔵部位及び試料の少なくとも一部がプレートの間に位置し、試料が貯蔵部位の少なくとも一部と貯蔵部位以外のプレート表面の少なくとも一部と接触し、試料の関連体積の厚さをプレート及びスペーサにより調節し、プレートが開放構成にある時に、該厚さが試料の最大の厚さより薄く、関連体積は、プレートが閉鎖構成にある時に、貯蔵部位にある試料の体積であり、スペーサの高さは、プレートの閉鎖構成下での関連体積の厚さをプレート表面方向の関連体積の平均線形寸法の少なくとも３分の１よりも小さいように調節するように選択される。
【０４９５】
５  結合部位（Ｗ）上の捕捉剤−分析物−検出剤サンドイッチの形成
本発明の一態様は、ＣＲＯＦプロセスで、結合部位をプレートに配置し、かつ検出剤を貯蔵するための貯蔵部位を別のプレートの対応位置に配置することにより、固体表面上の結合部位に捕捉剤−分析物−検出剤サンドイッチを一段階で形成することである。
【０４９６】
５．１  インキュベーション（一般）の一段階による結合部位（Ｗ）上の捕捉剤−分析物−検出剤サンドイッチの形成
Ｗ１．  プレートの結合部位で捕捉剤−分析物−検出剤サンドイッチを形成する方法は、以下のステップ（ａ）〜（ｆ）を含む：
（ａ）試料内に拡散できる標的分析物を含有する試料を取得し；
（ｂ）標的分析物に結合（可能）して捕捉剤−標的分析物−検出剤サンドイッチを形成する捕捉剤及び検出剤を取得し；
（ｃ）異なる構成になるように互いに対して移動可能な第１のプレート及び第２のプレートを取得し、前記第１のプレートは、捕捉剤が固定化された結合部位を有し、第２のプレートは、検出剤を貯蔵するための貯蔵部位を有し、貯蔵部位が試料と接触する場合、検出剤は試料内に溶解し、かつ試料内に拡散でき、プレートの１つ又は両方がスペーサを含み、かつ各スペーサがその対応するプレートに固定され、かつ所定の高さを有し；
（ｄ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり；
（ｅ）（ｄ）の後、プレートを閉鎖構成にして前記試料を広げ、前記閉鎖構成で、プレートが互いに対向して、スペーサ及び試料の関連体積がプレートの間に位置し、試料の関連体積の厚さがプレート及びスペーサにより調節され、プレートが開放構成にある時の試料の厚さより薄く、試料が結合部位及び貯蔵部位と接触し；
（ｆ）（ｅ）の後、プレートが閉鎖構成にある時に、試料を一定の時間インキュベートして、捕捉剤−標的分析物−検出剤サンドイッチの形成を可能にし、
前記関連体積は、試料の一部又は全体積である。
【０４９７】
Ｗ２．  プレートの結合部位で捕捉剤−分析物−検出剤サンドイッチを形成する装置は、
異なる構成になるように互いに対して移動可能な第１のプレート及び第２のプレートを含み、
第１のプレートは、捕捉剤が固定化された結合部位を有し、第２のプレートは、検出剤を貯蔵するための貯蔵部位を有し、捕捉剤及び検出剤が試料中の標的分析物に結合（可能）して捕捉剤−標的分析物−検出剤サンドイッチを形成し、貯蔵部位が試料と接触する場合、検出剤は試料内に溶解し、かつ試料内に拡散でき、プレートの１つ又は両方がスペーサを含み、かつ各スペーサがその対応するプレートに固定され、かつ所定の高さを有し、
前記構成の１つは、２つのプレートが部分的又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、試料の関連体積の厚さをプレート及びスペーサにより調節し、プレートが開放構成にある時に、該厚さが試料の厚さより薄く、試料が結合部位及び貯蔵部位と接触し、
前記関連体積は、試料の一部又は全体積である。
【０４９８】
５．２  試料の一部（例えば局所的）からの分析物を用いる、一段階インキュベーションにおける結合部位上の捕捉剤−分析物−検出剤サンドイッチの形成
Ｗ３．  試料の一部からの分析物を用いてプレートの結合部位に捕捉剤−分析物−検出剤サンドイッチを形成する方法は、以下のステップ（ａ）〜（ｆ）を含む：
（ａ）試料内に拡散できる標的分析物を含有する試料を取得し；
（ｂ）標的分析物に結合して捕捉剤−標的分析物−検出剤サンドイッチを形成する捕捉剤及び検出剤を取得し；
（ｃ）異なる構成になるように互いに対して移動可能な第１のプレート及び第２のプレートを取得し、前記第１のプレートは、捕捉剤が固定化された結合部位を有し、第２のプレートは、検出剤を貯蔵するための貯蔵部位を有し、貯蔵部位が試料と接触する場合、検出剤は試料内に溶解し、かつ試料内に拡散でき、プレートの１つ又は両方がスペーサを含み、かつ各スペーサがその対応するプレートに固定され、かつ所定の高さを有し；
（ｄ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり；
（ｅ）（ｄ）の後、プレートを閉鎖構成にして前記試料を広げ、前記閉鎖構成で、プレートが互いに対向して、スペーサ、結合部位及び貯蔵部位がプレートの間に位置し、結合部位及び貯蔵部位は試料の関連体積と接触し、試料の関連体積の厚さがプレート及びスペーサにより調節され、プレートが開放構成にある時の試料の厚さより薄く、かつ結合部位の平均線形寸法より顕著に小さく；
（ｆ）（ｅ）の後、プレートが閉鎖構成にある時に、試料を一定の時間インキュベーションしかつインキュベーションを停止させ、結合部位に形成したかなりの数の捕捉剤−標的分析物−検出剤サンドイッチが試料の関連体積からの分析物を含むようにインキュベーション時間を選択し、関連体積は結合部位にある試料の体積であり、インキュベーションは捕捉剤−分析物−検出剤サンドイッチの形成を可能にする。
【０４９９】
いくつかの実施形態において、部位寸法に対する間隔の比は１／５未満であってもよい。
【０５００】
Ｗ４．  試料の一部からの分析物を用いてプレートの結合部位に捕捉剤−分析物−検出剤サンドイッチを形成する装置は、
異なる構成になるように互いに対して移動可能な第１のプレート及び第２のプレートを含み、
第１のプレートは、捕捉剤が固定化された結合部位を有し、第２のプレートは、検出剤を貯蔵するための貯蔵部位を有し、捕捉剤及び検出剤が試料中の標的分析物に結合（可能）して捕捉剤−標的分析物−検出剤サンドイッチを形成し、貯蔵部位が試料と接触する場合、検出剤は試料内に溶解し、かつ試料内に拡散でき、プレートの１つ又は両方がスペーサを含み、かつ各スペーサがその対応するプレートに固定され、かつ所定の高さを有し、
前記構成の１つは、２つのプレートが部分的又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートが互いに対向して、スペーサ、結合部位及び貯蔵部位がプレートの間に位置し、結合部位及び貯蔵部位が試料の関連体積と接触し、試料の関連体積の厚さをプレート及びスペーサにより調節し、プレートが開放構成にある時に、該厚さが試料の厚さより薄く、関連体積は結合部位にある試料の体積であり、
スペーサの高さを選択して、閉鎖構成で関連体積の厚さを調節することにより、それが結合部位の平均線形寸法より顕著に小さい。
【０５０１】
５．３  拡散距離（Ｗ、Ｘ）を減少させることにより結合部位に捕捉剤−分析物−検出剤サンドイッチを形成する時間を短縮する方法
Ｗ５．  プレートの結合部位に捕捉剤−分析物−検出剤サンドイッチを形成する時間を短縮する方法は、以下のステップ（ａ）〜（ｅ）を含む：
（ａ）試料内に拡散できる標的分析物を含有する試料を取得し；
（ｂ）標的分析物に結合して捕捉剤−標的分析物−検出剤サンドイッチを形成する捕捉剤及び検出剤を取得し；
（ｃ）異なる構成になるように互いに対して移動可能な第１のプレート及び第２のプレートを取得し、前記第１のプレートは、捕捉剤が固定化された結合部位を有し、第２のプレートは、検出剤を貯蔵するための貯蔵部位を有し、貯蔵部位が試料と接触する場合、検出剤は試料内に溶解し、かつ試料内に拡散でき、プレートの１つ又は両方がスペーサを含み、かつ各スペーサがその対応するプレートに固定され、かつ所定の高さを有し；
（ｄ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり、
（ｅ）（ｄ）の後、プレートを閉鎖構成にして前記試料を広げ、前記閉鎖構成で、プレートが互いに対向して、スペーサ、結合部位及び貯蔵部位がプレートの間に位置し、結合部位が貯蔵部位と重なり、結合部位及び貯蔵部位は試料の関連体積と接触し、試料の関連体積の厚さがプレート及びスペーサにより調節され、プレートが開放構成にある時の試料の厚さより薄く、従って、試料の厚さを減少させることにより、試料の厚さにわたって分析物及び検出剤が垂直に拡散する時間を減少させ、前記関連体積は試料の全体積の少なくとも一部である。
【０５０２】
関連体積中の標的実体が結合部位に結合することを可能にする時間は、閉鎖構成がない時間より短い。
【０５０３】
該方法は、プレート間の試料を除去し、プレートが閉鎖構成又は開放状態にある時に実行される洗浄ステップをさらに含む。
【０５０４】
該方法は、結合部位に固定化された捕捉剤−分析物−検出剤サンドイッチから信号を読み取るステップをさらに含む。洗浄後又はいかなる洗浄がない場合に読み取る。
【０５０５】
上記又は下記のように、該方法は、さらに多重化されてもよい。
【０５０６】
Ｗ６．  プレートの結合部位に捕捉剤−分析物−検出剤サンドイッチを形成する時間を短縮する装置は、
異なる構成になるように互いに対して移動可能な第１のプレート及び第２のプレートを含み、
第１のプレートは、捕捉剤が固定化された結合部位を有し、第２のプレートは、検出剤を貯蔵するための貯蔵部位を有し、捕捉剤及び検出剤が試料中の標的分析物に結合（可能）して捕捉剤−標的分析物−検出剤サンドイッチを形成し、貯蔵部位が試料と接触する場合、検出剤は試料内に溶解し、かつ試料内に拡散でき、プレートの１つ又は両方がスペーサを含み、かつ各スペーサがその対応するプレートに固定され、かつ所定の高さを有し、
形態の１つは、２つのプレートが部分的又は完全に離され、プレート間の間隔がスペーサにより調節されず、試料がプレートの１つ又は両方に付着する開放構成であり、
別の形態は、開放構成で試料を付着させた後に構成された閉鎖構成であり、前記閉鎖構成で、プレートが互いに対向して、スペーサ、結合部位及び貯蔵部位がプレートの間に位置し、結合部位が貯蔵部位と重なり、結合部位及び貯蔵部位が試料の関連体積と接触し、試料の関連体積の厚さをプレート及びスペーサにより調節し、プレートが開放構成にある時に、該厚さが試料の厚さより薄く、試料厚さを減少させることにより、試料の厚さ方向に分析物及び検出剤が垂直に拡散する時間を短縮し、関連体積は試料全体積の少なくとも一部である。
【０５０７】
これらの実施形態において、該方法は、捕捉剤をプレートに取り付けることを含んでもよく、該取り付けは、捕捉剤とプレート上の反応基との化学的反応によって完了する。別のプレートは、プレートが閉鎖した後、付着された捕捉剤と検出剤が互いに対向するように、ある位置で乾燥した検出剤部分を含んでもよい。次に、上記のように、該方法は、標的分析物含有の試料を装置と接触させ、かつプレートを閉鎖することを含んでもよい。検出剤は、試料内に溶解しかつ拡散する。標的分析物が溶液にあるため、標的分析物は捕捉剤によって結合され、かつプレートの１つの表面に固定化される。検出剤は、捕捉剤に結合する前又はその後に標的分析物に結合することができる。場合によっては、該方法は、捕捉剤に結合していない全ての標的分析物、又は結合していない全ての検出試薬を除去する（例えば、結合緩衝液中のプレートの表面を洗浄することによる）ことを含んでもよく、検出剤は、光学的に検出可能な標識と結合することができ、それにより標的分析物を検出する方法を提供する。標的分析物に結合していない検出剤を任意に除去した後、該システムを読み取って、プレートに結合した検出剤から光信号（例えば、波長範囲が３００ｎｍ〜１２００ｎｍの光）を（例えば、読み取りシステムを用いて）読み取ることができる。さらに、上述したように、検出剤は、直接標識されてもよく（この場合、検出剤は、１つのプレートに付着する前に、発光標識と緊密に接続されてもよい）、又は間接的に標識されてもよい（すなわち、結合検出剤及び二次捕捉剤、例えば標識された二次抗体又は標識された核酸により、二次捕捉剤が検出剤に特異的に結合されかつ発光標識に接続される）。いくつかの実施態様において、該方法は、遮断剤を含むことにより、捕捉剤と非標的分析物との非特異的結合を防止することができる。標的分析物と他の試薬との特異的結合の適切な条件は、適切な温度、時間、溶液ｐＨ値、周囲光強度、湿度、化学試薬濃度、抗原−抗体比等を含み、これらはいずれも周知であるか、又は本開示から容易に得るものである。捕捉剤とその結合パートナー（分析物を含む）との間の分子相互作用の一般的な方法は、当該技術分野において周知である（例えば、Ｈａｒｌｏｗら、抗体：Ａ  Ｌａｂｏｒａｔｏｒｙ  Ｍａｎｕａｌ、第１版（１９８８）Ｃｏｌｄ  ｓｐｒｉｎｇ  Ｈａｒｂｏｒ、Ｎ．Ｙ．、Ａｕｓｕｂｅｌら、Ｓｈｏｒｔ  Ｐｒｏｔｏｃｏｌｓ  ｉｎ  Ｍｏｌｅｃｕｌａｒ  Ｂｉｏｌｏｇｙ、第３版、Ｗｉｌｅｙ＆Ｓｏｎｓ、１９９５参照）。上記及び下記の方法は例示的なものであり、本明細書の方法は、アッセイを行う唯一の方法ではない。
【０５０８】
特定の実施形態において、タンパク質分析物（例えば、ＤＮＡ又はＲＮＡ結合タンパク質）を捕捉するために、核酸捕捉剤を使用することができる。代替実施形態において、核酸分析物を捕捉するために、タンパク質捕捉剤（例えば、ＤＮＡ又はＲＮＡ結合タンパク質）を使用することができる。
【０５０９】
試料は、細胞、組織又は体液からの臨床試料であってもよい。関心対象となる体液は、羊水、房水、硝子体液、血液（例えば全血、分画血液、血漿、血清等）、母乳、脳脊髄液（ＣＳＦ）、耳垢（耳あか）、乳糜、糜汁、内リンパ液、外リンパ液、糞便、胃酸、胃液、リンパ液、粘液（鼻漏及び粘液質を含む）、心膜液、腹膜液、胸膜液、膿液、炎症性分泌物、唾液、皮脂（皮膚の油）、精液、喀痰、汗、滑液、涙液、嘔吐物、尿及び呼気凝縮液を含むが、これらに限定されない。
【０５１０】
該アッセイの一実施形態では、プレートを標的分析物（例えば標的タンパク質）含有の試料と接触させ、その後にプレートを閉鎖する。試料は、特異的結合に適した全ての必要な試薬（例えば、塩等）条件を含むか、又は含有するように修正される。捕捉剤（例えば抗体）及び検出剤は、試料中の標的分析物に特異的に結合し、それにより標識された分析物部分を検出することができる。
【０５１１】
任意の実施形態のように、試料中の標的分析物の量を計測して、試料中の標的分析物の量の定性的又は定量的計測を提供することができ、いくつかの実施形態において、信号の大きさは、試料中の標的分析物の量の定量的計測を提供する。場合によっては、特定の場合に既知の濃度であってもよい標準曲線（例えば、第２の分析物又はスパイクイン分析物の標準曲線）と評価を比較することができる。異なる密度（例えば、異なる濃度）で捕捉剤を付着させ、かつ各捕捉剤から信号を読み取ることにより、該比較を促進することができる。
【０５１２】
６.小体積（Ｖ）の試料及び試薬の結合及び添加
多くの応用において、可能な限り小体積の試料又は試薬を使用することは非常に望ましい。しかしながら、マイクロ流体チャネル装置（現在、小さい試料を使用する最も普及している方法）において、装置の入口から試験（検出）領域に流れる間に、大量の試料を浪費するため、試験位置の体積より大きい試料体積を必要とする。本発明の一態様は、小体積の試料又は試薬をプレートに付着させ、その後に該体積を、小さい厚さと以前より大きい面積とを有する薄膜に再成形することにより、試験中に使用される試料又は試薬の体積を顕著に減少させることである。このような再形成により、反応をより迅速にする。
【０５１３】
６−１  試料を広げることによる表面結合部位への小体積の試料中の標的実体の結合
Ｖ１．  試料中の標的実体を結合部位に結合する方法は、以下のステップ（ａ）〜（ｃ）を含む：
（ａ）異なる構成になるように互いに対して移動可能な第１のプレート及び第２のプレートを取得し、前記第１のプレートが、その表面に結合部位を有し、前記プレートの１つ又は両方が、それぞれその対応するプレートに固定され、かつ所定の高さを有するスペーサを含み；
（ｂ）結合部位に結合される標的実体を含有する試料を取得し；
（ｃ）プレートが開放構成に構成されている時に、前記プレートの１つ又は両方に試料を付着させ、前記開放構成で、２つのプレートが部分的又は完全に離され、プレート間の間隔がスペーサにより調節されず、かつ付着した試料は結合部位の領域を覆わないか又は領域の一部を覆い；
（ｄ）（ｃ）の後、プレートを閉鎖構成にして前記試料を広げ、前記閉鎖構成で、プレートが互いに対向して、スペーサ及び試料の関連体積がプレートの間に位置し、プレートが開放構成にある時に比べて、結合部位と接触する試料の領域がより大きく、かつ結合部位にある試料の関連体積の厚さがプレート及びスペーサにより調節され、関連体積が試料の一部又は全体の体積である。
【０５１４】
Ｖ２．  試料中の標的実体を表面結合部位に結合する装置は、
異なる構成になるように互いに対して移動可能な第１のプレート及び第２のプレートを含み、
前記第１のプレートは、その表面に試料中の標的実体と結合する結合部位を有し、試料が１つのみのプレートに付着し、かつ別のプレートと接触しない場合、結合部位は試料接触領域より大きい領域を有し、
前記プレートの１つ又は両方は、それぞれその対応するプレートに固定され、かつ所定の高さを有するスペーサを含み、
前記構成の１つは、開放構成であり、２つのプレートが部分的又は完全に離され、プレート間の間隔がスペーサにより調節されず、試料がプレートおよびカバーの１つ又は両方に付着し、かつ付着する時に結合部位の領域又は一部の領域を覆わず、
別の構成は、開放構成で試料を付着させた後に構成された閉鎖構成であり、前記閉鎖構成で、プレートが互いに対向し、スペーサ及び試料がプレートの間に位置し、プレートが開放構成にある時に比べ、試料が結合部位のより多くの領域と接触し、結合部位上の試料の厚さがプレート及びスペーサにより調節される。
【０５１５】
６−２  試料を広げることによる小体積試料への試薬の添加
Ｖ３．  試料中の標的実体を結合部位に結合する方法は、以下のステップ（ａ）〜（ｃ）を含む：
（ａ）異なる構成になるように互いに対して移動可能な第１のプレート及び第２のプレートを取得し、前記第１のプレートが、その表面に試料に添加される試薬を含む貯蔵部位を有し、プレートの１つ又は両方がスペーサを含み、かつ各スペーサがそのそれぞれのプレートで固定され、かつ所定の高さを有し；
（ｂ）プレートが開放構成に構成されている時に、前記プレートの１つ又は両方に試料を付着させ、前記開放構成で、２つのプレートが部分的又は完全に離され、プレート間の間隔がスペーサにより調節されず、かつ堆積時に試料が貯蔵部位の領域と接触しないか又は一部の領域と接触し；
（ｃ）（ｂ）の後、プレートを閉鎖構成にする前記試料を広げ、前記閉鎖構成で、プレートが互いに対向し、スペーサ及び試料の関連体積がプレートの間に位置し、試料は、プレートが開放構成にある時よりも貯蔵部位のより多くの領域に接触し、結合部位上の試料関連体積の厚さをスペーサにより調節し、関連体積が貯蔵部位に位置する試料の一部である。
【０５１６】
Ｖ４．  試料中の標的実体を結合部位に結合する装置は、
異なる構成になるように互いに対して移動可能な第１のプレート及び第２のプレートを含み、
前記第１のプレートは、その表面に試料に添加される試薬を含む貯蔵部位を有し、２つのプレートの１つ又は両方がスペーサを含み、かつ各スペーサがそのそれぞれのプレートで固定され、かつ所定の高さを有し、
前記プレートの１つ又は両方は、それぞれその対応するプレートに固定され、かつ所定の高さを有するスペーサを含み、
前記構成の１つは、２つのプレートが部分的又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートは互いに対向し、スペーサ及び試料の関連体積がプレートの間に位置し、試料は、プレートが開放構成にある時よりも貯蔵部位のより多くの領域に接触し、結合部位上の試料関連体積の厚さをスペーサにより調節し、関連体積が貯蔵部位に位置する試料の一部である。
【０５１７】
段落Ｖ１及びＶ２に記載の方法とＶ３及びＶ４に記載の装置において、場合によっては、試料の小体積及び表面の湿潤性のため、試料が結合部位領域又は貯蔵領域に付着しても、付着した試料とプレートとの接触面積が結合部位又は貯蔵部位の面積より小さい。従って、広げ、特に正確に広げることが必要とされる。
【０５１８】
試料の滴は複数の滴であってもよく、閉鎖構成では、滴が、最大の厚さより小さい厚さを有するフィルムに融合する。
【０５１９】
本発明において、段落Ｖ１〜Ｖ７の方法及び段落Ｖ２〜Ｖ８の装置において、１つのプレート又は複数のプレートに付着した試料の体積（「試料体積」）は、最大０．００１ｐＬ（ピコリットル）、最大０．０１ｐＬ、最大０．１ｐＬ、最大１ｐＬ、最大１０ｐＬ、最大１００ｐＬ、最大１ｎＬ（ナノリットル）、最大１０ｎＬ、最大１００μＬ、最大１μＬ（マイクロリットル）、最大１０μＬ、最大１００μＬ、最大１ｍＬ（ミリリットル）、最大１０ｍＬ、又はこれらの値のうちの任意の２つの範囲である。
【０５２０】
７  均一な試料の厚さ（ＵＡＢ）を用いる試薬の均一な結合又は添加
アッセイ及び化学反応について、重要な領域にわたって薄い試料の厚さを均一にすることが有利である。これらの実施例は、試料の実体を表面結合部位に結合すること、試薬を試料内に添加すること、試料の関連体積を定量化すること、分析物を定量化すること等を含む。２つのプレートを用いて試料の関連体積（一部又は全体積）の厚さを低減して調整する方法について、正確さ、均一性及び使いやすさは不可欠である。
【０５２１】
本発明の１つの態様は、２つのプレートを用いて試料を圧縮することにより、試料の関連体積の厚さを調節する方法及び／又は装置の精度、均一性又は使用しやすさを改善することである。
【０５２２】
７．１  試料中の実体をプレートの結合部位に均一に結合させる方法
ＵＡＢ１．  試料中の標的実体をプレートの結合部位に均一に結合する方法は、以下のステップ（ａ）〜（ｄ）を含む：
（ａ）試料内に拡散できる標的実体を含有する試料を取得し、
（ｂ）異なる構成になるように互いに対して移動可能な第１のプレート及び第２のプレートを取得し、前記第１のプレートは、その表面に標的実体に結合するように構成された結合部位を有し、前記プレートの１つ又は両方は、各々がその対応するプレートに固定され、かつ所定の高さを有するスペーサを含み、
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり、
（ｄ）（ｃ）の後、プレートを閉鎖構成にして前記試料を広げ、前記閉鎖構成で、プレートが互いに対向して、スペーサ及び試料の関連体積がプレートの間に位置し、結合部位が関連体積と接触し、試料の関連体積の厚さがプレート及びスペーサにより調節され、プレートが開放構成にある時の試料の最大の厚さより薄く、かつ結合部位でより均一であり、
スペーサとプレートは、プレートの閉鎖構成での関連体積の調節された厚さをプレートの開放構成の調節された厚さよりも均一にするように構成され、関連体積は、試料の部分又は全体の体積である。
【０５２３】
それは、均一なサンドイッチを形成するために結合部位の反対側のプレート上に貯蔵部位を有する。
【０５２４】
ＵＡＢ２．  試料中の標的実体をプレートの結合部位に均一に結合する装置は、
異なる構成になるように互いに対して移動可能な第１のプレート及び第２のプレートを含み、
前記第１のプレートは、その表面に標的実体に結合するように構成された結合部位を有し、前記プレートの１つ又は両方は、各々がその対応するプレートに固定され、かつ所定の高さを有するスペーサを含み、
前記構成の１つは、２つのプレートが部分的又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、結合部位が関連体積と接触し、試料の関連体積の厚さをプレート及びスペーサにより調節し、プレートが開放構成にある時に、該厚さが試料の最大の厚さより薄くかつ結合部位でより均一であり、
スペーサ及びプレートは、閉鎖構成での試料の関連体積の調節された厚さが開放構成での調節された厚さより均一であるように構成され、該関連体積は、試料の体積の一部又は体積全体である。
【０５２５】
７．２  プレート上の試薬を試料に均一に添加する方法
ＵＡＢ３．  試薬を試料の関連体積に均一に添加する方法は、以下のステップ（ａ）〜（ｄ）を含む：
（ａ）異なる構成になるように互いに対して移動可能な第１のプレート及び第２のプレートを取得し、前記第１のプレートが、その表面に試料の関連体積に添加される試薬を含む貯蔵部位を有し、該試薬が試料内に溶解し、かつ試料内に拡散でき、プレートの１つ又は両方がスペーサを含み、かつ各スペーサがそのそれぞれのプレートで固定され、かつ所定の高さを有し；
（ｂ）試料を取得し；
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり；
（ｄ）（ｃ）の後、プレートを閉鎖構成にして前記試料を広げ、前記閉鎖構成で、プレートが互いに対向して、スペーサ及び試料の関連体積がプレートの間に位置し、貯蔵部位が関連体積と接触し、試料の関連体積の厚さがプレート及びスペーサにより調節され、プレートが開放構成にある時の試料の最大の厚さよりも薄く、
スペーサとプレートは、プレートの開放構成にある時よりも、プレートの閉鎖構成にある時、関連体積の領域にわたって、試料の関連体積の厚さをより均一にするように構成され、また関連体積は、試料の部分又は全体の体積である。
【０５２６】
ＵＡＢ４．  試薬を試料の関連体積に均一に添加する装置は、
異なる構成になるように互いに対して移動可能な第１のプレート及び第２のプレートを含み、
前記第１のプレートは、その表面に試料の関連体積に添加される試薬の貯蔵部位を有し、該試薬が試料内に溶解し、かつ試料内に拡散でき、プレートの１つ又は両方がスペーサを含み、かつ各スペーサがその対応するプレートに固定され、かつ所定の高さを有し、
前記構成の１つは、２つのプレートが部分的又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、貯蔵部位が関連体積と接触し、試料の関連体積の厚さをプレート及びスペーサにより調節し、プレートが開放構成にある時に、該厚さが試料の最大の厚さより薄く、
スペーサ及びプレートは、プレート開放構成にある時に比べ、プレート閉鎖構成にある関連体積の領域にわたってより均一である試料の関連体積の厚さより均一であるように構成され、該関連体積は、試料の体積の一部又は体積全体である。
【０５２７】
７．３  捕捉−分析物−検出サンドイッチを均一に形成する方法
ＵＡＢ５．  プレートの結合部位で捕捉−分析物−検出サンドイッチを形成する方法は、以下のステップ（ａ）〜（ｅ）を含む：
（ａ）標的分析物を含有する試料を取得し；
（ｂ）標的分析物に結合（可能）して捕捉剤−標的分析物−検出剤サンドイッチを形成する捕捉剤及び検出剤を取得し；
（ｃ）異なる構成になるように互いに対して移動可能な第１のプレート及び第２のプレートを取得し、前記第１のプレートが、捕捉剤が固定化された結合部位を有し、第２のプレートが、検出剤を貯蔵するための貯蔵部位を有し、貯蔵部位が試料と接触する場合、検出剤が試料内に溶解し、かつ試料内に拡散でき、プレートの１つ又は両方がスペーサを含み、かつ各スペーサがその対応するプレートに固定され、かつ所定の高さを有し；
（ｄ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり；
（ｅ）（ｄ）の後、プレートを閉鎖構成にして前記試料を広げ、前記閉鎖構成で、プレートが互いに対向して、スペーサ及び試料の関連体積がプレートの間に位置し、試料の関連体積の厚さがプレート及びスペーサにより調節され、プレートが開放構成にある時の試料の厚さより薄く、試料が結合部位及び貯蔵部位と接触し、
スペーサ及びプレートは、プレート開放構成にある時に比べ、プレート閉鎖構成にある関連体積の領域にわたってより均一である試料の関連体積の厚さより均一であるように構成され、該関連体積は、試料の体積の一部又は体積全体である。
【０５２８】
ＵＡＢ６．  プレートの接合部位で捕捉−分析物−検出サンドイッチを均一に形成する装置は、
異なる構成になるように互いに対して移動可能な第１のプレート及び第２のプレートを含み、
第１のプレートは、捕捉剤が固定化された結合部位を有し、該捕捉剤が試料内の標的分析物と結合することができ、
第２のプレートは、（ａ）貯蔵部位が試料と接触する時に、試料内に溶解しかち試料内に拡散すること、（ｂ）標的分析物と結合し、かつ捕捉剤−標的分析物−検出剤サンドイッチを形成することを可能にする検出剤を貯蔵する貯蔵部位を有し、
前記プレートの１つ又は両方は、それぞれその対応するプレートに固定され、かつ所定の高さを有するスペーサを含み、
前記構成の１つは、２つのプレートが部分的又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、試料の関連体積の厚さをプレート及びスペーサにより調節し、プレートが開放構成にある時に、該厚さが試料の厚さより薄く、試料が結合部位及び貯蔵部位と接触し、
スペーサ及びプレートは、プレート開放構成にある時に比べ、プレート閉鎖構成にある関連体積の領域にわたってより均一である試料の関連体積の厚さより均一であるように構成され、該関連体積は、試料の体積の一部又は体積全体である。
【０５２９】
７．４  ２つのプレートの間の試料の関連体積の厚さの均一な調節
ＵＡＢ７．  試料の関連体積の厚さを調節する方法は、以下のステップ（ａ）〜（ｄ）を含む：
（ａ）試料の関連体積の厚さが調節される試料を取得し、
（ｂ）異なる構成になるように互いに対して移動可能な２つのプレートを取得し、前記プレートの１つ又は両方が、所定のスペーサ間距離及び高さを有し、それぞれその対応するプレートに固定されるスペーサを含み、
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり、
（ｄ）（ｃ）の後、プレートを閉鎖構成にして前記試料を広げ、前記閉鎖構成で、プレートが互いに対向して、スペーサ及び試料の関連体積がプレートの間に位置し、試料の関連体積の厚さがプレート及びスペーサにより調節され、プレートが開放構成にある時の試料の最も大きい厚さより薄く、
スペーサ及びプレートは、プレート開放構成にある時に比べ、プレート閉鎖構成にある関連体積の領域にわたってより均一である試料の関連体積の厚さより均一であるように構成され、該関連体積は、試料の体積の一部又は体積全体である。
【０５３０】
ＵＡＢ８．  試料関連体積の厚さを調節する装置は、
異なる構成になるように互いに対して移動可能な第１のプレート及び第２のプレートを含み、
前記プレートの１つ又は両方は、所定のスペーサ間の距離及び高さを有し、それぞれその対応するプレートに固定されるスペーサを含み、
前記構成の１つは、開放構成であり、２つのプレートが部分的又は完全に離され、プレート間の間隔がスペーサにより調節されず、試料がプレートの１つ又は両方に付着し、
別の構成は、開放構成で試料を付着させた後に構成された閉鎖構成であり、前記閉鎖構成で、プレートは互いに対向し、スペーサ及び試料関連体積はプレートの間に位置し、スペーサ及び試料の関連体積がプレートの間に位置し、試料の関連体積の厚さをプレート及びスペーサにより調節し、プレートが開放構成にある時に、該厚さが試料の最も大きい厚さより薄く、
スペーサとプレートは、プレートの開放構成にある時よりも、プレートの閉鎖構成にある時、関連体積の領域にわたって、試料の関連体積の厚さをより均一にするように構成され、また関連体積は、試料の部分又は全体の体積である。
【０５３１】
段落Ｕ１〜Ｕ８の方法及び装置において、試料の関連体積の厚さを均一にするスペーサ及びプレートの構成は、本開示に記載の実施形態を有する。
【０５３２】
試料厚さの均一性  Ｕ１〜Ｕ８の段落の方法及び装置において、試料の関連体積の厚さの均一性は、閉鎖構成での試料の厚さが、最大０．００１％、最大０．０１％、最大０．０５％、最大０．１％、最大０．５％、最大１％、最大２％、最大５％、最大１０％、最大２０％、最大３０％、最大５０％、最大７５％、最大９０％、１００％未満、又はこれらの値のいずれか２つの間の範囲である相対的な変動を有するようなものである。
【０５３３】
Ｕ１〜Ｕ８の段落の方法及び装置において、試料の関連体積の厚さの均一性は、閉鎖構成での試料の厚さが、最大０．１％、最大０．５％、最大１％、最大２％、最大５％、最大１０％、最大２０％、最大３０％、最大５０％又はこれらの値のいずれか２つの間の範囲である相対的な変動を有するようなものである。
【０５３４】
飽和インキュベーション時間を短縮するのに重要な別のパラメータは、サンプルの厚さの均一性であり、厚さが結合部位に対して大きな変化を有する場合、飽和インキュベーション時間は結合部位の位置によって異なることがあり、結合部位内の全ての位置が飽和に達するのを確実にするために、より長い飽和インキュベーション時間を強いる。
【０５３５】
８  増幅表面
ＰｏＣ診断及び小さい試料体積を使用するいずれかのアッセイに対して、従来の主要障害の１つは、低い感度である。アッセイの信号を増強することが望ましい。本発明の１つの態様は、結合部位を信号増幅表面（ＳＡＳ）に載置して、信号を増幅することにより、高い感度を達成する装置及び方法に関する。信号増幅表面は、信号増幅層（ＳＡＬ）とも呼ばれる。
【０５３６】
ＳＡＬの一般構造は、局所表面電界及び勾配及び光信号を増幅するナノスケール金属−誘電体／半導体−金属構造を含む。増幅は、金属構造の鋭い（曲率が大きい）エッジを有する位置及び２つの金属構造の小さな隙間の間で高い。最も高い増幅領域は、鋭いエッジと小さな隙間を有する領域である。さらに、全ての金属及び非金属マイクロ／ナノ構造の寸法は、一般的にはＳＡＬが増幅する光の波長（すなわち、サブ波長）より小さい。
【０５３７】
いくつかの実施形態において、ＳＡＬ層は、できるだけ多くの金属の鋭いエッジ及び小さな隙間を有する。これは、ナノ構造の間の隙間が小さい金属ナノ構造の密集したグループを有することが必要である。ＳＡＬ構造は、いくつかの異なる層を含んでもよい。さらに、ＳＡＬ層自体は、様々な目的のために参照文献として本明細書に組み込まれる２０１３年３月１５日に出願された米国特許仮出願第６１／８０１４２４号、２０１４年３月１５日に出願されたＰＣＴ出願ＷＯ２０１４１９７０９６、並びに様々な目的のために本明細書に参照文献として組み込まれるＰＣＴ／ＵＳ２０１４／０２８４１７（Ｃｈｏｕら、「標的固定化、表面増幅、ピクセル読み取り及び分析による分析物検出増強」）に記載されているように、鋭いエッジ及び小さな隙間のない金属材料の部分をさらに覆うことができるプロセスによって、さらに改善することができる。
【０５３８】
Ｍ１．  いくつかの実施形態において、増幅表面は、結合部位の表面上又はその近傍の金属層である。試料の関連体積中の標的実体をアッセイする信号を増幅する方法は、以下のステップ（ａ）〜（ｅ）を含む：
（ａ）標的実体を含有する試料を取得し；
（ｂ）異なる構成になるように互いに対して移動可能な２つのプレートを取得し、１つのプレートが、その表面に標的実体に結合して信号増幅の表面上又はその近傍にある光信号を増幅するように構成された信号増幅表面を含む結合部位を含み、プレートの１つ又は両方は、それぞれその対応するプレートに位置し、かつ所定の高さを有するスペーサを含み；
（ｃ）プレートが開放構成に構成されている時に、前記プレートの１つ又は両方に試料を付着させ、前記開放構成とは、２つのプレートが分けられ、プレート間の間隔がスペーサにより調節されない構成であり；
（ｄ）（ｃ）の後、プレートを閉鎖構成にして前記試料を広げ、前記閉鎖構成で、プレートが互いに対向して、スペーサ及び試料の関連体積がプレートの間に位置し、試料の関連体積の厚さがプレート及びスペーサにより調節され、プレートが開放構成にある時の試料の厚さより薄く、試料の関連体積が結合部位と接触し；
（ｅ）（ｅ）の後、プレートが閉鎖構成にある間に、試料関連体積中の標的実体が結合部位に結合することを可能にする時間インキュベートし、関連体積が、プレートが閉鎖構成にある時に、結合部位と接触する試料の部分である。
【０５３９】
Ｍ２．  試料の関連体積中の標的実体をアッセイする信号を増幅する装置は、
異なる構成になるように互いに対して移動可能な第１のプレート及び第２のプレートを含み、
第１のプレートは、その表面に、（ｉ）試料内の標的実体に結合し、（ｉｉ）信号増幅表面上又は付近にある光信号を増幅するように構成された信号増幅表面を含む、１つの結合部位を含み、
前記プレートの１つ又は両方は、各々がその対応するプレートに位置し、かつ所定の高さを有するスペーサを含み、
前記構成の１つは、２つのプレートが部分的又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、試料の関連体積の厚さがプレート及びスペーサにより調節され、該厚さはプレートが開放構成にある時の厚さより薄く、
前記関連体積は、プレートが閉鎖構成にある時に試料が結合部位と接触する部分である。
【０５４０】
いくつかの実施形態において、信号増幅表面は、金属−誘電体ナノ構造、金属−半導体ナノ構造及びディスク・カップルド・ドット・オン・ピラー・アンテナアレイのうちの少なくとも１つを含む。
【０５４１】
いくつかの実施形態において、信号増幅表面は、金属層を含む。
【０５４２】
９  体積及び／又は濃度の検出及び／又は定量化（Ｑ）
試料の関連体積の定量化及び／又は制御は、試料中の化学化合物（分析物、実体、試薬等を含む）の濃度の定量化及び／又は制御に有用である。
【０５４３】
試料体積の定量化のための一般的な方法は、計量ピペット（例えば、エッペンドルフの「リサーチプラスピペット、調節可能であり、０．５〜１０μＬ」、ＳＫＵ＃３１２０００００２０）又は幾何構造の使用を含む。ＰｏＣ（ポイント・オブ・ケア）又は家庭用の場合、このような計量装置は、使用しにくく及び／又は高価である。試料体積及び／又は濃度の定量化及び／又は制御のためのより簡単で安価な方法及び装置が必要とされる。
【０５４４】
本発明の１つの態様は、計量ピペット及び／又は固定マイクロ流体流路を使用せずにプレートに付着した試料の関連体積を定量化し及び／又は制御する方法、装置及びシステムに関する。試料体積の一部又は全体であってもよい関連体積は、試料中の標的分析物及び／又は実体の濃度の定量化及び／又は制御に関連する。本発明の方法、装置及びシステムは、使いやすく、コストが低い。
【０５４５】
９．１  試料の関連体積を定量化する方法
Ｑ１．  試料の関連体積を定量化する方法は、以下のステップ（ａ）〜（ｅ）を含む：
（ａ）試料の関連体積が定量化される試料を取得し、
（ｂ）異なる構成になるように互いに対して移動可能な２つのプレートを取得し、前記プレートの１つ又は両方が、所定のスペーサ間距離及び高さを有し、それぞれその対応するプレートに固定されたスペーサを含み、
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり、
（ｄ）（ｃ）の後、プレートを閉鎖構成にして前記試料を広げ、前記閉鎖構成で、プレートが互いに対向して、スペーサ及び試料の関連体積がプレートの間に位置し、試料の関連体積の厚さがプレート及びスペーサにより調節され、プレートが開放構成にある時の試料の最大の厚さより薄く、少なくとも１つのスペーサが試料内に位置し、
（ｅ）プレートが閉鎖構成にある時に試料の関連体積を定量化し、
前記関連体積は、試料の一部又は全体積である。
【０５４６】
Ｑ２．  いくつかの実施形態において、試料の関連体積を定量化する方法は、
（ａ）第１のプレート及び第２のプレートを得るステップと、
（ｂ）２つのプレートの間で定量化する試料を生じるステップと、
（ｃ）試料の厚さを減少させる２つのプレートを圧縮し、プレート間に試料を横方向に広げることによって、試料の形状を変形させるステップと、
（ｄ）プレートが閉鎖構成にある時に、試料の関連体積を定量化するステップとを含み、
前記関連体積は、試料の一部又は全体積である。
【０５４７】
９．２  試料中の関連体積を定量化するためのプレート
Ｑ３．  試料中の関連体積を定量化するためのプレートは、
その表面に、（ｉ）所定のスペーサ間の距離及び高さを有し、表面に固定されたスペーサと、（ｉｉ）試料と定量化される関連体積を有する試料と接触させるための試料接触領域とを含み、少なくとも１つのスペーサが、試料接触領域の内部にあるプレートを含む。
【０５４８】
９．３  試料中の関連体積を定量化する装置
Ｑ４．  試料中の関連体積を定量化する装置は、
第１のプレート及び第２のプレートを含み、それは、（ａ）異なる構成になるように互いに対して移動可能であり、（ｂ）それぞれ、定量化される関連体積を有する試料と接触させるための試料接触領域を有し、
１つ又は両方のプレートは、その表面に、所定のスペーサ間の距離及び高さを有し、それぞれのプレートに固定されるスペーサを含み、
前記構成の１つは、開放構成であり、２つのプレートが離され、プレート間の間隔がスペーサにより調節されず、試料が１つ又は両方のプレートに付着し、
別の構成は、開放構成で試料を付着させた後に構成された閉鎖構成であり、前記閉鎖構成で、プレートは互いに対向し、スペーサ及び試料関連体積はプレートの間に位置し、試料関連体積の厚さは、プレート及びスペーサにより調節され、かつプレートが開放構成にある時に比べて小さく、少なくとも１つのスペーサは、試料内部にあり、
試料の関連体積は、閉鎖構成で定量化され、関連体積は、試料の体積全体の少なくとも一部である。
【０５４９】
９−５．試料関連体積の計測
ＭＳ１．  本発明において、プレートが閉鎖構成にある時、試料の関連体積の定量化は、以下の５つの実施形態のそれぞれを含むが、それらに限定されない：
（ａ）機械、光学、電気又はそれらの任意の組み合わせの方法により、試料の関連体積を計測すること、
（ｂ）機械、光学、電気、又はそれらの任意の組み合わせの方法から選択される方法を使用して、試料の関連体積に関連した１つ以上のパラメータを独立して計測すること、
（ｃ）試料の関連体積に関連した所定の１つ以上のパラメータ（すなわち、プレートが閉鎖構成にある前に決定された試料のパラメータ）を使用すること、
（ｄ）（ｉ）プレートが閉鎖構成にある時、関連体積に関連した１つ以上のパラメータを測定し、（ｉｉ）プレートが閉鎖構成にある前、関連体積に関連した他のパラメータを予め決定することにより、試料の関連体積を決定すること、
（ｅ）非試料の体積を決定すること、
（ｆ）以上の（ａ、ｂ及びｃ）の任意の組み合わせ。
【０５５０】
段落ＭＳ１の方法において、機械的方法は、スペーサ（すなわち、基板の内面とカバープレートとの間の間隔を所定の値に調節する機械的装置）、機械的プローブ又は定規、音波（例えば、間隔を測定するための超音波の反射及び／又は干渉）、又はそれらの任意の組み合わせの使用を含むが、それらに限定されない。
【０５５１】
段落ＭＳ１の方法において、光学的方法は、光干渉、光学撮像（例えば、試料の２Ｄ（２次元）／３Ｄ（３次元）画像を撮る）の光学撮像、複数回の光学撮像（異なる視野角、異なる波長、異なる位相及び／又は異なる偏光による）、画像処理、又はそれらの任意の組み合わせの使用を含むが、それらに限定されない。
【０５５２】
電気的方法は、容量、抵抗又はインピーダンスの計測、又はそれらの任意の組み合わせを含むが、それらに限定されない。
【０５５３】
段落ＭＳ１の方法において、いくつかの実施形態において、試料厚さの計測は、２つのプレートの内面間の間隔を計測することである。
【０５５４】
段落ＭＳ１の方法において、いくつかの実施形態において、試料の関連体積に関連した所定の１つ以上のパラメータの試料を使用し、所定のパラメータは、プレートが閉鎖構成にある時にスペーサにより調節された所定の試料厚さである。
【０５５５】
段落ＭＳ１の方法において、いくつかの実施形態において、試料の関連体積に関連した所定のスペーサの高さである所定の１つ以上のパラメータの試料を使用する。
【０５５６】
段落ＭＳ１の方法において、いくつかの実施形態において、試料の関連体積に関連したパラメータは、閉鎖構成でのパラメータであり、それは、（ｉ）（ＣＲＯＦ内）第１のプレートの内面と第２のプレートの内面との間の間隔、（ｉｉ）試料厚さ、（ｉｉｉ）試料領域の全体又は関連部分、（ｉｖ）試料体積の全体又は関連部分、又は（ｖ）それらの任意の組み合わせを含むが、それらに限定されない。
【０５５７】
段落ＭＳ１の方法において、いくつかの実施形態において、試料体積又は関連試料体積の定量化は、（ｉ）試料厚さと試料面積全体とを乗算し、試料体積全体を取得し、（ｉｉ）試料厚さと関連試料面積とを乗算し、関連試料体積を取得し、（ｉｉｉ）関連試料厚さと全体又は関連試料面積とを乗算し、関連試料体積を取得するステップを含む。
【０５５８】
段落ＭＳ１の方法において、いくつかの実施形態において、計測は、関連体積の３Ｄ（３次元）画像を撮ることである。
【０５５９】
段落ＭＳ１の方法において、いくつかの実施形態において、試料の関連体積の定量化は、試料の関連体積の横方向面積を計測し、その後にそれと関連体積の厚さを使用して、試料の関連体積の体積を決定することにより実行され、関連体積の厚さは、スペーサの情報から決定され、スペーサの情報は、スペーサの高さを含み、
段落ＭＳ１の方法において、いくつかの実施形態において、試料の関連体積の定量化は、試料の関連体積及びスペーサの横方向面積をともに計測し、その後にそれと関連体積の厚さ及びスペーサの体液を使用して、試料の関連体積の体積を決定することにより実行され、関連体積の厚さは、スペーサの情報から決定され、
段落ＭＳ１の方法において、いくつかの実施形態において、試料の関連体積の定量化は、試料の関連体積の横方向面積及び厚さを計測することにより実行され、
段落ＭＳ１の方法において、いくつかの実施形態において、試料の関連体積の定量化は、試料の関連体積の体積を光学に計測することにより実行される。
【０５６０】
段落ＭＳ１の方法において、いくつかの実施形態において、スケールマークは、プレートが閉鎖構成にある時、試料の関連体積の定量化を補助するために使用され、スケールマーカーのいくつかの実施形態において、それらの使用及び測定等は、セクション２に記載される。
【０５６１】
段落ＭＳ１の方法において、いくつかの実施形態において、試料の関連体積の定量化は、非試料体積を引くステップを含み、いくつかの実施形態において、非試料体積は本発明に記載された実施形態により決定される。
【０５６２】
９−４．  試料の関連体積中の分析物の濃度を定量化する装置
Ｑ５．試料の関連体積における分析物を定量化する方法は、以下のステップ（ａ）、（ｂ）を含む：
（ａ）段落Ｑ１の方法におけるステップを実行し、
（ｂ）ステップ（ａ）の後に関連体積からの分析物に関連した信号を計測し、前記関連体積は、試料の全体の体積の少なくとも一部である。
【０５６３】
Ｑ６．  試料の関連体積における分析物を定量化する方法は、以下のステップ（ａ）、（ｂ）を含む：
（ａ）段落Ｑ２の方法におけるステップを実行し、
（ｂ）ステップ（ａ）の後に関連体積からの分析物に関連した信号を計測し、前記関連体積が、試料の全体の体積の少なくとも一部である。
【０５６４】
段落Ｑ５〜６のいずれかの方法において、いくつかの実施形態において、さらに、関連体積の体積に基づいて、試料の関連体積からの分析物に関連した信号を分割することにより、分析物濃度を計算するステップを含む。
【０５６５】
段落Ｑ５〜６のいずれかの方法において、１つ又は両方のプレートは、さらに、結合部位、貯蔵部位又は両方を含む。
【０５６６】
段落Ｑ５〜６のいずれかの方法において、いくつかの実施形態において、分析物に関連した信号は、直接的に分析物から又は分析物に付けられた標識からの信号である。
【０５６７】
Ｑ７．  試料の関連体積における分析物を定量化する方法は、以下のステップ（ａ）、（ｂ）を含む：
（ａ）１つ又は両方のプレートがさらに結合部位を含む段落Ｑ１の方法におけるステップを実行し、
（ｂ）ステップ（ａ）の後に関連体積からの分析物に関連した信号を計測し、前記関連体積が、試料の全体の体積の少なくとも一部である。
【０５６８】
Ｑ８．  試料の関連体積における分析物を定量化する方法は、以下のステップ（ａ）、（ｂ）を含む：
（ａ）１つ又は両方のプレートがさらに結合部位を含む段落Ｑ２の方法におけるステップを実行し、
（ｂ）ステップ（ａ）の後に関連体積からの分析物に関連した信号を計測し、前記関連体積が、試料の全体の体積の少なくとも一部である。
【０５６９】
段落Ｑ７−８のいずれかの方法において、いくつかの実施形態において、分析物に関連した信号は、直接的に結合部位に結合した分析物からの信号又は結合部位に結合した分析物に付けられた標識からの信号である。
【０５７０】
９．５  試料中の関連体積内の分析物濃度を定量化するためのプレート
Ｑ９．  試料中の関連体積内の分析物濃度を定量化するためのプレートは、
その表面に、（ｉ）所定のスペーサ間の距離及び高さを有するスペーサと、（ｉｉ）定量化される関連体積での分析物濃度を有する試料と接触させるための試料接触領域とを含み、少なくとも１つのスペーサが、試料接触領域の内部にあるプレートを含む。
【０５７１】
９．６  試料の関連体積内の分析物濃度を定量化する装置
試料中の標的分析物及び／又は実体の数が定量化され、かつ試料の関連体積も定量化されると、試料中の標的分析物及び／又は実体の濃度を定量化又は制御することができる。
【０５７２】
Ｑ１０．  試料の関連体積における分析物濃度を定量化する装置は、
第１のプレート及び第２のプレートを含み、前記プレートは、（ａ）異なる構成になるように互いに対して移動可能であり、（ｂ）それぞれ、定量化される関連体積での分析物濃度を有する試料と接触させるための試料接触領域を有し、１つ又は両方のプレートは、その表面に、所定のスペーサ間の距離及び高さを有するスペーサを含み、各スペーサはそれぞれのプレートに固定され、
前記構成の１つは、開放構成であり、２つのプレートが離され、プレート間の間隔がスペーサにより調節されず、試料が１つ又は両方のプレートに付着し、
別の構成は、開放構成で試料を付着させた後に構成された閉鎖構成であり、前記閉鎖構成で、プレートは互いに対向し、スペーサ及び試料関連体積はプレートの間に位置し、試料関連体積の厚さは、プレート及びスペーサにより調節され、かつプレートが開放構成にある時に比べて小さく、少なくとも１つのスペーサは、試料内部にあり、
試料の関連体積での分析物濃度は、閉鎖構成で定量化され、関連体積は、試料の体積全体の少なくとも一部である。
【０５７３】
段落Ｑ９及びＱ１０のいずれかの装置において、プレートは、さらに、結合部位又は貯蔵部位又は両方を含む。結合部位の１つの実施形態は、試料中の分析物に結合した結合部位である。
【０５７４】
段落Ｑ９及びＱ１０のいずれの装置において、プレートは、さらに、１つ以上のスケールマーカーを含み、スケールマーカーのいくつかの実施形態は、セクション２に記載される。
【０５７５】
段落Ｑ１〜１０のいずれの方法又は装置において、いくつかの実施形態において、測定装置は、撮像装置及びカメラのうちの少なくとも１つを含む。
【０５７６】
段落Ｑ１〜１０のいずれの方法又は装置において、いくつかの実施形態において、測定装置は、試料の関連体積の横方向領域を撮像するように構成される。
【０５７７】
段落Ｑ１〜１０のいずれの方法又は装置において、いくつかの実施形態において、測定装置は、試料の関連体積の横方向領域を照らすための光源を含む。
【０５７８】
段落Ｑ１〜１０のいずれの方法又は装置において、いくつかの実施形態において、濃度を計算するステップは、関連試料体積により、標的分析物又は実体全体を分割することである。
【０５７９】
段落Ｑ１〜１０のいずれかの方法又は装置において、いくつかの実施形態において、計測信号は、光学撮像装置を用いて、標的分析物又は実体を計数する。例えば、計測は、光学顕微鏡を用いて、血液試料中の血液細胞（赤血球、白血球、血小板）を計測することであってもよい。
【０５８０】
段落Ｑ１〜１０のいずれの方法又は装置において、いくつかの実施形態において、試料中の標的分析物又は実体の数の計測は、表面上の標的分析物又は実体を捕捉する表面固定化アッセイの実施形態であってもよい。
【０５８１】
いくつかの実施形態において、試料の体積を定量化するか又は試料中の分析物を検出／定量化する装置は、段落Ｑ１〜１０のいずれかの装置、（１）光学撮像装置、及び／又は（２）光源及び光学撮像装置等を含む。光学撮像装置は、フォトセンサ、光学レンズ、フィルタ、偏光子、波長板、ビームスプリッタ、機械マウント、又はそれらの任意の組み合わせを含む。
【０５８２】
いくつかの実施形態において、関連試料面積又は体積の計測は、（ｉ）第１のプレート、カバープレート、それらの間、又はそれらの任意の組み合わせにマーカーを付け、（ｉｉ）光学撮像し（例えば、試料の２Ｄ（２次元）／３Ｄ（３次元）画像を撮像する）、該撮像を、異なる視野角、異なる波長、異なる位相、及び／又は異なる偏光で複数回行い、（ｉｉｉ）メーカー及び試料画像に基づいて画像を処理することを含む。関連方法は、標的分析物濃度の決定に関連する。
【０５８３】
走査  いくつかの実施形態において、試料からの信号の読み取りは、走査方法を使用し、ここで、リーダ（例えば、光検出器又はカメラ）は、試料（又はプレート）の一部を読み取り、その後に試料（又はプレート）の他の部分に移動し、このようなプロセスは、試料（又はプレート）の特定の予め指定された部分が読み取られるまで行われる。試料への走査と読み取りは、試料（又はプレート）のすべての部分又は試料（又はプレート）の一部をカバーする。いくつかの実施形態において、走査と読み取りは、試料（又はプレート）を指示する位置マーカーにより、補助される。位置マーカーの一例は、固定された周期及び位置を有する周期的スペーサであり、又は試料又はプレートの位置を指示する所定の位置及び寸法も有する関連領域用のマーカーである。
【０５８４】
１０  分析物などの検出及び定量化（Ｄ）
特定の実施形態において、分析物に関連した信号を計測することにより、分析物を検出及び／又は定量化（すなわち、アッセイ）する。該信号は、光学信号、電気信号、機械的信号、化学−物理的信号、又はそれらの任意の組み合わせである。いくつかの実施形態において、ＣＲＯＦ装置内の２つのプレートが互いに接近している時に、分析物アッセイが実行される。いくつかの実施形態において、ＣＲＯＦ装置内の２つのプレートが互いに離された時に、分析物アッセイが実行される。
【０５８５】
いくつかの実施形態において、光学信号は、光反射、散乱、透過、吸収、スペクトル、色、発光、強度、波長、位置、偏光、冷光、蛍光、電子発光、化学発光、電気化学発光、又はそれらの任意の組み合わせを含むが、それらに限定されない。光学信号は、光学画像（すなわち、光信号と試料又は装置の位置）又は所定の面積又は体積からのすべての光子の総数の形態である。光の好ましい波長は、４００ｎｍ〜１１００ｎｍの範囲、５０ｎｍ〜４００ｎｍの範囲、１ｎｍ〜５０ｎｍの範囲、又は１１００ｎｍ〜３００００ｎｍの範囲内にある。他の好ましい波長は、テラヘルツである。
【０５８６】
電気信号は、電荷、電流、インピーダンス、容量、抵抗、又はそれらの任意の組み合わせを含むが、それらに限定されない。機械信号は、機械波、音波、衝撃波、又は振動を含むが、それらに限定されない。化学−物理的信号は、反応において生成されたＰＨ値、イオン、熱、気泡、色変化を含むが、それらに限定されない。
【０５８７】
例えば、標識はビーズであり、かつ標識を、分析物特異的結合プロセス（すなわち、検出剤を用いてビーズを分析物に結合すること、捕捉剤を用いて分析物及びビーズを捕捉すること、捕捉剤を用いて分析物を結合して、その後に検出剤を用いてビーズを付けること、又は他の手段）により、標識に付けられる（捕捉剤及び検出剤は分析物に特異的に結合することに留意されたい）。その後に計測を用いて、分析物に付けられた各ビーズを識別し、それらを計数する。
【０５８８】
いくつかの実施形態において、各分析物又はビーズを、光学手段（例えば、（ｉ）光学標識及び標識の読み取り、（ｉｉ）表面プラズモン共鳴、（ｉｉｉ）光学干渉、（ｉｖ）電気的方法（例えば、容量、抵抗、インピーダンス等）又は他の手段により、検知し、計数する。センサは、第１のプレート及び／又は第２のプレートの表面に位置することができる。
【０５８９】
特定の実施形態は、（ａ）表面固定化アッセイ、（ｂ）バルクアッセイ（例えば、血球計数）及び（ｃ）他のもので分析物濃度を決定することを含む。いくつかの実施形態において、試料体積、試料の関連体積、又は濃度の方法は、スマートフォンを使用する。
【０５９０】
段落Ｑ１−１０のいずれかの方法又は装置において、いくつかの実施形態において、信号計測は、試料中の分析物の数を計測するか、又は試料中の分析物に付けられた標識の数を計測することである。段落Ｑ５の他の実施形態において、「計測信号」は、（ａ）各分析物又は各分析物に付けられた各標識を識別し、（ｂ）その数を計数することである。
【０５９１】
いくつかの実施形態において、電極が第１及び第２のプレートのうち１つ又は両方に置かれた場合（これはＣＲＯＦを使用するいずれの方法及び装置に適用される）、分析物検出は、電気的方法である。電極は、試料の電荷、電流、容量、インピーダンス又は抵抗、又はそれらの任意の組み合わせを計測する。電極は、試料中の電解質を計測する。電極は、スペーサの厚み以下の厚みを有する。いくつかの実施形態において、電極は、スペーサの一部として機能する。電極は、様々な導電性材料により製造される。好ましい電極材料は、金、銀、アルミニウム、銅、白金、カーボンナノチューブ、又はそれらの任意の組み合わせである。
【０５９２】
段落Ｑ１〜１０のいずれかの方法又は装置において、いくつかの実施形態において、計測は、カメラ又は光検出器である装置と、計測を行うように構成されたプロセッサとを使用する。
【０５９３】
段落Ｑ１〜Ｑ１０のいずれかの方法又は装置において、いくつかの実施形態では、濃度決定装置は、計測値（体積、面積、厚さ、分析物の量、強度）に基づいて濃度を決定するように構成されたプロセッサを含む。
【０５９４】
段落Ｑ１〜Ｑ１０のいずれかの方法又は装置において、いくつかの実施形態では、計測された横方向領域、厚さ及び標的分子の量に基づいて、関連体積における標的分析物の濃度を決定するように構成された濃度決定装置をさらに含む。
【０５９５】
画素化した読解及び分析を用いる信号検出の詳細
本発明では、いくつかの実施形態において、試料、分析物、実体、結合部位、試薬、ＣＲＯＦプレート又はそれらの任意の組み合わせからの信号を検出して分析する。画素化した読み取り及び分析を用いる信号検出のいくつかの実施形態は、本発明に記載され、いくつかの他の実施形態は、公報番号ＷＯ２０１４１４４１３３Ａ及び出願番号ＰＣＴ／ＵＳ２０１４／０２８４１７（Ｃｈｏｕら、「Ａｎａｌｙｔｅ  Ｄｅｔｅｃｔｉｏｎ  Ｅｎｈａｎｃｅｍｅｎｔ  Ｂｙ  Ｔａｒｇｅｔｅｄ  Ｉｍｍｏｂｉｌｉｚａｔｉｏｎ、Ｓｕｒｆａｃｅ  Ａｍｐｌｉｆｉｃａｔｉｏｎ、Ａｎｄ  Ｐｉｘｅｌａｔｅｄ  Ｒｅａｄｉｎｇ  Ａｎｄ  Ａｎａｌｙｓｉｓ」）に記載され、それらは、あらゆる目的のために参照により本明細書に組み込まれる。
【０５９６】
いくつかの実施形態において、信号は、異なる周波数、光強度、蛍光、色度、発光（電気及び化学発光）、ラマン散乱、時間分解信号（点滅を含む）を有する電気及び光学信号を含む電磁信号である。信号は、さらに、局部電気、局部機械、局部生物学又はプレートと読み取り装置との間の局部光学相互作用による力であってもよい。信号は、さらに、信号の空間的（すなわち、位置）、時間的及びスペクトル分布を含む。検出信号も吸収することができる。
【０５９７】
分析物は、タンパク質、ペプチド、ＤＮＡ、ＲＮＡ、核酸、小分子、細胞、及び異なる形状のナノ粒子を含む。標的分析物は、溶液又は空気又は気相であってもよい。検知は、存在の検出、濃度の定量化、標的分析物の状態の決定を含む。
【０５９８】
いくつかの実施形態において、電界は、分子選択性、又は結合及び検出を補助するために用いられる。
【０５９９】
検出／読み取り方法
光学検出（すなわち、電磁放射による検出）のいくつかの実施形態において、方法は、遠視野光学方法、近接場光学方法、落射蛍光分光法、共焦点顕微鏡法、２光子顕微鏡法、全反射顕微鏡法を含むが、これらに限定されず、標的分析物は電磁放射エミッタによって標識され、これらの顕微鏡中の信号は、ＣＲＯＦプレートの増幅表面により増幅することができる。
【０６００】
いくつかの実施形態において、信号は、位置、局部強度、局部スペクトル、局部偏波、局部位相、前記信号の局部ラマンシグネチャ、又はそれらの任意の組み合わせの情報を含む。
【０６０１】
いくつかの実施形態において、信号検出は、ある領域からの一括信号（すなわち、領域内のとの位置かに関わらず、領域からの信号）を計測することである。
【０６０２】
いくつかの実施形態では、信号検出は、ある領域の信号画像（すなわち、信号と位置）を検出することであり、すなわち、該領域を複数の画素に分割し、かつ該領域の各画素中の信号を個別に検出することであり、「ＰＩＸ」又は「画素化画像検出」とも呼ばれる。各画素の個々の計測は、並行又は順次又は混合であってもよい。
【０６０３】
いくつかの実施形態では、読み取りは、適切な検出システムを使用して、信号を順次又は並行して、又はそれらの組み合わせで検出し、順次検出において、１つ又は複数の画素を１回に検出し、かつスキャナを用いて検出をＳＡＬの他の領域に移動する。並行検出においては、撮像カメラ（例えばＣＣＤカメラ）のようなマルチ画素検出器アレイを使用して、異なる画素からの信号を同時に検出する。走査は、単一のパス又は異なる画素寸法を有するマルチパスである。ＰＣＴ／ＵＳ２０１４／０２８４１７の図２Ｃは、ｘ、ｙ、ｚ状態での画素化した読み取りを概略的に示す。
【０６０４】
読み取り／検出のための画素寸法は、光学解像度と全読み取り時間のバランスのために調節される。小さな画素寸法は、ＳＡＬの全体又は一部の読み取り／走査により長い時間がかかる。一般的な画素サイズは、１μｍ〜１０μｍである。画素の形状は、円形、正方形、長方形である。画素寸法の下限は、顕微鏡システムの光学解像度により決定され、画素寸法の上限は、撮像装置（光学収差、照明均一度等）の不均一な光学応答による読み取りエラーを回避するために、決定される。
【０６０５】
読み取りシステム
ＰＣＴ／ＵＳ２０１４／０２８４１７の図面を参照すると、読み取りシステムの一実施形態は、（ａ）ＣＲＯＦ用の１つ又は複数のプレートと、（ｂ）個々の標的分析物の結合事象を表す、前記プレートの表面から発する信号の画像を生成するための読み取り装置２０５と、（ｃ）プレートと撮像装置を保持する装置アセンブリ３００と、（ｄ）前記画像を記憶するための電子機器及びデータ記憶装置３０１と、（ｅ）画像のある領域内の個々の結合事象を識別し計数するためのプログラミングを含むコンピュータとを含む。
【０６０６】
装置アセンブリ３００は、信号を読み取るために、３つ（ｘ，ｙ，ｚ）の直交方向の少なくとも１つで、プレートと読み取り装置との間の相対位置を制御し、変更する。装置アセンブリの実施形態は、走査機３０１を含む。いくつかの実施形態において、走査機３０１は、３つ（ｘ，ｙ，ｚ）の直交方向の少なくとも１つを走査する。
【０６０７】
いくつかの実施形態では、読み取り装置３０２はＣＣＤカメラであり、いくつかの実施形態では、読み取り装置３０２は、光学フィルタ３０３、分光計、レンズ３０４、アパーチャ、ビームスプリッタ３０５、ミラー３０６、偏光子３０７、波長板及びシャッタから選択される１つ又は複数の他の光学機器を含む光検出器である。いくつかの実施形態において、読み取り装置３０２は、ローカル及びリモート通信機能を有するスマートフォン又は携帯電話である。読み取り装置は、前記信号の位置、局部強度、局部スペクトル、局部ラマンシグネチャ、又はそれらの任意の組み合わせを収集する。
【０６０８】
いくつかの実施形態において、光学フィルタ３０３、ビームスプリッタ３０５、光ファイバ、光検出器（例えば、ｐｎ接合、ダイオード、ＰＭＴ（光電子増倍管）、又はＡＰＤ（アバランシェフォトダイオード））、撮像カメラ（例えば、ＣＣＤカメラ又は携帯電話のカメラ））、及び分光計は、装置アセンブリ３０１によって提供されるスキャナとともに、遠視野共焦点設定又は広視野設定を使用する顕微鏡システムに結合される。
【０６０９】
いくつかの実施形態において、共焦点設定では、読み取りは、１つ以上の画素の輝度、時間変化及びスペクトル変化を１回記録し、ＳＡＬの関心対象領域全体をラスタ走査することにより、実行される。いくつかの実施形態において、広視野設定では、カメラは、ＳＡＬ領域の全体又は一部の輝度及び時間変化を記録するために使用される。いくつかの実施形態において、適切な光学フィルタ及び光ビームマニピュレータ（偏光子、ビームスプリッタ、光ファイバ等）は、所望の信号のみが収集し、検出されるように確保するために、必要とされる。ＰＣＴ／ＵＳ２０１４／０２８４１７の図９は、このシステム用の構成要素の一配置を概略的に示す。いくつかの実施形態では、分析は、Ｏｐｅｎ−ＣＶ又はＩｍａｇｅ−Ｊにおける方法を含むが、これらに限定されない画像化処理方法を含む。
【０６１０】
画素化した分析（ＰＩＸ）  ＰＩＸのいくつかの実施形態において、画素化した方法で検出された信号は、特定の画素又は複数の画素での特定の分子の数及び／又はタイプを決定するために分析され、次に、それは、標的分析物のタイプ及び／又は濃度を定量化するために使用される。用語「画素化方法による信号検出」とは、信号を有する領域を複数の画素に分割し、かつ該領域の各画素中の信号を個別に検出する方法を指し、「ＰＩＸ」又は「画素化画像検出」とも呼ばれる。各画素の個々の計測値は、並行又は順次又は混合であってもよい。
【０６１１】
いくつかの実施形態において、分析は、信号の空間、テンポ、スペクトル情報を分析することを含む。いくつかの実施形態では、分析は、統計分析、比較、統合等を含むが、それらに限定されない。ＰＣＴ／ＵＳ２０１４／０２８４１７の図５は、該方法の一実施形態のフローチャートを示す。
【０６１２】
１１  標識
本開示全体に記載された光標識の実施形態の１つ又は任意の組み合わせは、本発明の説明全体に記載されたすべての方法及び装置に適用される。
【０６１３】
いくつかの実施形態において、標識は、検出剤、分析物又は実体（複数可）に付けられる。特定の実施形態において、前記標識は、光標識、電気的標識、光学的又は電気的信号を生成するために用いられる酵素、又はそれらの任意の組み合わせである。特定の実施形態において、検出剤、分析物又は実体（複数可）は、その後に標識に付けられる接続分子（例えば、タンパク質、核酸、又は他の化合物）に付けられる。いくつかの実施形態では、細胞（例えば血球、細菌等）又はナノ粒子は、標識によって染色される。いくつかの実施形態では、光標識は、光信号を生成可能な物体であり、光信号の生成は、光（すなわち、光子）の反射、散乱、透過、吸収、スペクトル、色、放射、強度、波長、位置、偏光、発光、蛍光、エレクトロルミネッセンス、フォトルミネセンス（蛍光）、化学発光、電気化学発光又はそれらの任意の組み合わせを含むが、これらに限定されない。いくつかの実施形態において、光信号は、光学画像（すなわち、光信号と試料又は装置の位置）又は所定の面積又は体積からのすべての光子の総数の形態である。光の好ましい波長は、４００ｎｍ〜１１００ｎｍの範囲、５０ｎｍ〜４００ｎｍの範囲、１ｎｍ〜５０ｎｍの範囲、又は１１００〜３００００ｎｍの範囲内にある。他の好ましい波長は、テラヘルツである。
【０６１４】
ビーズ、ナノ粒子及び量子ドット  いくつかの実施形態において、光標識は、ビーズ、ナノ粒子、量子ドット、又はそれらの任意の組み合わせである。
【０６１５】
いくつかの実施形態において、ビーズ、ナノ粒子又は量子ドットの直径は、１ｎｍ以下、２ｎｍ以下、５ｎｍ以下、１０ｎｍ以下、２０ｎｍ以下、３０ｎｍ以下、４０ｎｍ以下、５０ｎｍ以下、６０ｎｍ以下、７０ｎｍ以下、８０ｎｍ以下、１００ｎｍ以下、１２０ｎｍ以下、２００ｎｍ以下、３００ｎｍ以下、５００ｎｍ以下、８００ｎｍ以下、１０００ｎｍ以下、１５００ｎｍ以下、２０００ｎｍ以下、３０００ｎｍ以下、５０００ｎｍ以下、又はこれらの値のいずれか２つの間の範囲である。
【０６１６】
いくつかの実施形態において、ビーズ又は量子ドットは標識として使用され、かつそれらはＣＲＯＦのプレート上に予め塗布され、２つのプレート間の内部間隔は、１μｍ以下、１０μｍ以下、５０μｍ以下、又はこれらの値のいずれか２つの間の範囲である。
【０６１７】
いくつかの実施形態における、溶液中のビーズ間の分離
・拡散時間（搬送媒体の関連体積の厚さは、厚さ全体にわたる光標識の拡散時間が１ｍｓ未満であることをもたらし、
・溶解時間を制御することができる。光子、熱量又は他の励起及びそれらの組み合わせを用いて制御することができる。励起エネルギーが印加されるまで、溶解は開始しない。
【０６１８】
標識のいくつかの実施形態において、１０ｎｍ以上の直径を有するナノ粒子である。このような大きな直径のナノ粒子は、拡散定数が小さな分子（質量＜１０００Ｄａ）及び大きな分子（質量＝１０００〜１００００００ダルトン（ｄａ））よりも小さいため、所定の溶液及び距離に対する拡散時間が長くなる。拡散時間の短縮は、拡散距離を減少させることである。
【０６１９】
光標識が数ナノメートルより大きい直径を有するビーズ又は他のナノ粒子である場合、それらは従来技術に対して特別な利点を有する。これは、液体中の物体の拡散定数が、１次近似に対して、物体の直径に反比例するからである（アインシュタイン・ストークス方程式による）。
【０６２０】
例えば、それぞれ直径２０ｎｍ、２００ｎｍ及び２０００ｎｍを有するビーズ光標識は、拡散定数を有し、従って、２ｎｍのビーズより１０倍、１００倍及び１０００倍大きい拡散時間を有する。現在アッセイで使用される典型的な拡散距離に対して、これはＰｏＣ（ポイントオブケア）アプリケーション用の実際の飽和インキュベーション時間が長いことをもたらす。
【０６２１】
しかし、本発明は、数ナノメートルより大きい直径を有する光標識用のインキュベーション時間が長いという問題を解決した。本発明は、プレート表面に貯蔵された光標識を有し、次に、サブミリメートル、ミクロン又はナノメートルスケールで（２つの間の）別個の距離を有する結合部位に隣接する貯蔵表面に置き、搬送媒体で分離隙間を充填する（貯蔵された光標識が搬送媒体に溶解し、結合部位に拡散する）。本発明は、さらに、大きな結合部位の領域にわたってこのような小さな距離を均一に制御することができ、かつスペーサ技術を使用することによって容易に制御することができる。
【０６２２】
分析物を標識することは、例えば、検出可能な標識を含む分析物特異的結合メンバーのような標識剤を使用することを含んでもよい。検出可能な標識には、蛍光標識、比色標識、化学発光標識、酵素結合試薬、多色試薬、アビジン−ストレプトアビジン関連検出試薬などを含むが、これらに限定されない。特定の実施形態において、検出可能な標識は蛍光標識である。蛍光標識は、蛍光検出器によって検出可能な標識部分である。例えば、関心対象となる分析物への蛍光標識の結合は、関心対象となる分析物を蛍光検出器によって検出することを可能にしてもよい。蛍光標識の実施例は、試薬と接触すると蛍光を発する蛍光分子、電磁放射線（例えば、ＵＶ、可視光線、Ｘ線など）で照射される場合に蛍光を発する蛍光分子などを含むが、これらに限定されない。
【０６２３】
特定の実施形態では、標識用の適切な蛍光分子（蛍光体）は、ＩＲＤｙｅ８００ＣＷ、Ａｌｅｘａ  ７９０、Ｄｙｌｉｇｈｔ  ８００、フルオレセイン、フルオレセインイソチオシアネート、カルボキシフルオレセインのスクシンイミジルエステル、フルオレセインのスクシンイミジルエステル、フルオロセインジクロロトリアジンの５−異性体、ケージドカルボキシフルオレセイン−アラニン−カルボキシアミド、オレゴングリーン４８８、オレゴングリーン５１４、ルシファーイエロー、アクリジンオレンジ、ローダミン、テトラメチルローダミン、テキサスレッド、ヨウ化プロピジウム、ＪＣ−１（５，５’，６，６’−テトラクロロ−１，１’，３，３’−テトラエチルベンゾイミダゾイルカルボシアニンヨウ化物）、テトラブロモローダミン１２３、ローダミン６Ｇ、ＴＭＲＭ（テトラメチルローダミンメチルエステル）、ＴＭＲＥ（テトラメチルローダミンエチルエステル）、テトラメチルロサミン、ローダミンＢ及び４−ジメチルアミノテトラメチルロサミン、緑色蛍光タンパク質、青色偏移緑色蛍光タンパク質、シアン偏移緑色蛍光タンパク質、赤色偏移緑色蛍光タンパク質、黄色偏移緑色蛍光タンパク質、４−アセトアミド−４’−イソチオシアネートスチルベン−２，２’ジスルホン酸、アクリジン、アクリジンイソチオシアネートなどのアクリジン及び誘導体、５−（２’−アミノエチル）アミノナフタリン−１−スルホン酸（ＥＤＡＮＳ）、４−アミノ−Ｎ−［３−ビニルスルホニル）フェニル］ナフト−アリミド−３，５ジスルホン酸塩、Ｎ−（４−アニリノ−１−ナフチル）マレイミド、アントラニルアミド、４，４−ジフルオロ−５−（２−チエニル）−４−ボラ−３ａ，４ａジアザ−５−インダセン−３−プロピオニ−ｃ酸ＢＯＤＩＰＹ、カスケードブルー、ブリリアントイエロー、クマリン、７−アミノ−４−メチルクマリン（ＡＭＣ、クマリン１２０）、７−アミノ−４−トリフルオロメチルクマリン（クマリン１５１）のようなクマリン及び誘導体、シアニン色素、シアノシン、４’，６−ジアミニジノ−２−フェニルインドール（ＤＡＰＩ）、５’，５”−ジブロモピロガロール−スルホナフタレイン（ブロモピロガロールレッド）、７−ジエチルアミノ−３−（４’−イソチオシアナトフェニル）−４−メチルクマリン、ジエチレントリアミンペンタアセテート、４，４’−ジイソチオシアナートジヒドロ−スチルベン−２−，２’−ジスルホン酸、４，４’−ジイソチオシアナートスチルベン−２，２’−ジスルホン酸、５−（ジメチルアミノ］ナフタリン−１−スルホニルクロリド（ＤＮＳ、ダンシルクロリド）、４−ジメチルアミノフェニルアゾフェニル−４’−イソチオシアネート（ＤＡＢＩＴＣ）、エオシン、エオシンイソチオシアネートのようなエオシン及び誘導体、エリスロシンＢ、エリスロシン、イソチオシアネートのようなエリスロシン及び誘導体、エチジウム、５−カルボキシフルオレセイン（ＦＡＭ）、５−（４，６−ジクロロトリアジン−２−イル）アミノ−−フルオレセイン（ＤＴＡＦ）、２’，７’ジメトキシ−４’５’−ジクロロ−６−カルボキシフルオレセイン（ＪＯＥ）、フルオレセイン、フルオレセインイソチオシアネート、ＱＦＩＴＣ、（ＸＲＩ��Ｃ）のようなフルオレセイン及び誘導体、フルオレスカミン、ＩＲ１４４、ＩＲ１４４６、マラカイトグリーンイソチオシアネート、４−メチルウンベリ−フェロネオルトクレゾールフタレイン、ニトロチロシン、パラローザニリン、フェノールレッド、Ｂ−フィコエリトリン、ｏ−フタルジアルデヒド、ピレン、ピレン酪酸、スクシンイミジル１−ピレンのようなピレン及び誘導体、ブチラート量子ドット、６−カルボキシ−Ｘ−ローダミン（ＲＯＸ）、６−カルボキシローダミン（Ｒ６Ｇ）、リサミンローダミンＢスルホニルクロリドローダミン（Ｒｈｏｄ）、ローダミンＢ、ローダミン１２３、ローダミンＸイソチオシアネート、スルホローダミンＢ、スルホローダミン１０１、スルホローダミン１０１のスルホニルクロリド誘導体（テキサスレッド）のようなリアクティブレッド４（チバクロン（商標）ブリリアントレッド３Ｂ−Ａ）ローダミン及び誘導体、Ｎ，Ｎ，Ｎ’，Ｎ’−テトラメチル−６−カルボキシローダミン（ＴＡＭＲＡ）、テトラメチルローダミン、テトラメチルホダミンイソチオシアネート（ＴＲＩＴＣ）、リボフラビン、５−（２’−アミノエチル）アミノナフタリン−１−スルホン酸（ＥＤＡＮＳ）、４−（４’−ジメチルアミノフェニルアゾ）安息香酸（ＤＡＢＣＹＬ）、ロゾール酸、ＣＡＬ  Ｆｌｕｏｒ  Ｏｒａｎｇｅ  ５６０、テルビウムキレート誘導体、Ｃｙ３、Ｃｙ５、Ｃｙ５．５、Ｃｙ７、ＩＲＤ７００、ＩＲＤ８００、ラヨラブルー、フタロシアニン、及びナフタロシアニン、クマリン及び関連色素、キサンテン色素、例えば、ロードール、レソルフィン、ビマン、アクリジン、イソインドール、ダンシル色素、アミノフタルヒドラジド、例えばルミノール、及びイソルミノール誘導体、アミノフタルイミド、アミノナフタルイミド、アミノベンゾフラン、アミノキノリン、ジシアノヒドロキノン、蛍光ユーロピウム及びテルビウム錯体、これらの組み合せなどを含むが、これらに限定されない。適切な蛍光タンパク質及び発色性タンパク質は、オワンクラゲに由来する緑色蛍光タンパク質（ＧＦＰ）又はその誘導体、例えば増強ＧＦＰなどの「ヒト化」誘導体、ウミシイタケ、レニラムレリ、チロサルクスゲルニのような別の種からのＧＦＰ、「ヒト化」組み換えＧＦＰ（ｈｒＧ  ＦＰ）を含むがそれに限定されないＧＦＰ、花虫類種からの様々な蛍光及び着色タンパク質のいずれか、それらの組み合せなどを含むが、これらに限定されない。
【０６２４】
いくつかの実施形態では、色素は、血球を染色するために用いられ、色素は、ライト染色（エオシン、メチレンブルー）、ギムザ染色（エオシン、メチレンブルー、アズールＢ）、メイ−グリンヴァルト色素、リーシュマン染色（「多色性」メチレンブルー（つまり、脱メチル化して様々な青色になる）及びエオシン）、エリスロシンＢ染色（エリトロシンＢ）及び他の蛍光染色を含み、これらの蛍光染色は、アクリジンオレンジ色素、３，３−ジヘキシルオキサカルボシアニン（ＤｉＯＣ６）、ヨウ化プロピジウム（ＰＩ）、フルオレセインイソチオシアネート（ＦＩＴＣ）及びベーシックオレンジ２１（ＢＯ２１）色素、臭化エチジウム、ブリリアントスファフラビン及びスチベンジスルホン酸誘導体、エリスロシンＢ又はトリパンブルー、ヘキスト３３３４２、三塩酸塩、三水和物及びＤＡＰＩ（４’，６−ジアミジノ−２−フェニルインドール、二塩酸塩）を含むが、これらに限定されない。
【０６２５】
特定の実施形態では、標識剤は、関心対象となる分析物に特異的に結合するように構成され、いくつかの実施形態では、試料をＣＲＯＦ装置に適用する前に、標識剤はＣＲＯＦ装置内に存在してもよい。他の実施形態では、試料をＣＲＯＦ装置に適用した後、標識剤をＣＲＯＦ装置に適用してもよく、いくつかの実施形態では、試料をＣＲＯＦ装置に適用した後、ＣＲＯＦ装置を洗浄して、試料中の非結合分析物及び他の非分析物成分のようないずれかの非結合成分を除去し、かつ洗浄後に標識剤をＣＲＯＦ装置に適用して結合分析物を標識してもよい。いくつかの実施形態では、標識剤が分析物−捕捉剤複合体に結合した後にＣＲＯＦ装置を洗浄して、ＣＲＯＦ装置から非結合の分析物−捕捉剤複合体のいかなる過剰の標識剤を除去してもよい。
【０６２６】
特定の実施形態では、分析物をＣＲＯＦ装置に結合した後、例えば、分析物をＣＲＯＦ装置（例えば、サンドイッチ型アッセイ内）に結合し、同時に捕捉剤として分析物に結合可能な標識結合剤を使用して、分析物を標識する。いくつかの実施形態では、核酸分析物をＣＲＯＦ装置に捕捉してもよく、かつ標識された核酸は、核酸分析物がＣＲＯＦ装置に結合される捕捉剤として分析物に同時にハイブリダイズすることができる。
【０６２７】
特定の態様では、ＣＲＯＦ装置は、分析物に直接的又は間接的に結合され、次にＣＲＯＦ装置に結合される検出可能な標識によって生成される蛍光又は発光のような光信号を増強する。特定の実施形態において、信号は、信号増幅の物理的プロセスによって増強される。いくつかの実施形態において、光信号は、ナノプラズモン効果（例えば、表面増強ラマン散乱）によって増強される。ナノプラズモン効果による信号増強の例は、参照文献として本明細書に組み込まれた例えば、ＬｉらのＯｐｔｉｃｓ  Ｅｘｐｒｅｓｓ  ２０１１  １９：３９２５−３９３６及びＷＯ２０１２／０２４００６に記載しており、特定の実施形態において、に信号の増強は、信号の生物学的／化学的増幅を使用せずに達成する。信号の生物学的／化学的増幅は、信号の酵素的増幅（例えば、酵素結合免疫吸着アッセイ（ＥＬＩＳＡ）に使用される）及び信号のポリメラーゼ連鎖反応（ＰＣＲ）増幅を含んでもよい。他の実施形態において、物理的プロセス及び生物学的／化学的増幅によって信号の増強を達成してもよい。
【０６２８】
感度  特定の実施形態において、ＣＲＯＦ装置は、０．１ｎＭ以下、例えば、１０ｐＭ以下、又は１ｐＭ以下、又は１００ｆＭ以下、例えば、１ｆＭ以下、又は０．５ｆＭ以下、又は１００ａＭ以下、又は５０ａＭ以下、又は２０ａＭ以下を含む１０ｆＭ以下の検出感度を有するように構成され、特定の実施形態において、ＣＲＯＦ装置は、１００ａＭ〜１００ｆＭを含む２０ａＭ〜１０ｐＭ、５０ａＭ〜１ｐＭのような１０ａＭ〜０．１ｎＭ範囲内の検出感度を有するように構成される。いくつかの場合に、ＣＲＯＦ装置は、濃度が１ｎｇ／ｍＬ以下、例えば１０ｐｇ／ｍＬ以下、１ｐｇ／ｍＬ以下、１００ｆｇ／ｍＬ以下、１０ｆｇ／ｍＬ以下又は５ｆｇ／ｍＬ以下を含む１００ｐｇ／ｍＬ以下の分析物を検出するように構成され、いくつかの場合に、ＣＲＯＦ装置は、濃度が１ｆｇ／ｍＬ〜１ｎｇ／ｍＬ、例えば１０ｆｇ／ｍＬ〜１０ｐｇ／ｍＬを含む５ｆｇ／ｍＬ〜１００ｐｇ／ｍＬの分析物を検出するように構成される。特定の実施形態において、ＣＲＯＦ装置は、７桁以上を含む６桁以上のような５桁以上のダイナミックレンジを有するように構成される。
【０６２９】
読み取り場合によっては、試料のＣＲＯＦ装置への適用からＣＲＯＦ装置への読み取りまでの期間は、１秒〜３０分、例えば、１分〜５分を含む１０秒〜２０分、３０秒〜１０分の範囲にあってもよい。場合によっては、試料の信号増強検出器への適用から装置によって受信可能な出力の生成までの期間は、１時間以下、３０分以下、１５分以下、１０分以下、５分以下、３分以下、１分以下、５０秒以下、４０秒以下、３０秒以下、２０秒以下、１０秒以下、５秒以下、２秒以下、１秒以下であってもよく、あるいはさらに短くてもよい。場合によっては、試料の信号増強検出器への適用から装置によって受信可能な出力の生成までの期間は、２００ミリ秒以上を含む１００ミリ秒以上、例えば、５００ミリ秒以上、１秒以上、１０秒以上、３０秒以上、１分以上、５分以上であってもよく、あるいはさらに長くてもよい。
【０６３０】
任意の適切な方法でＣＲＯＦ装置を読み取って試料内の分析物の量を計測することができる。いくつかの実施形態では、ＣＲＯＦ装置への読み取りは、ＣＲＯＦ装置内の分析物に結合した検出可能な標識から電磁信号を得ることを含む。特定の実施形態において、電磁信号は光信号である。得られる光信号は、光の強度、光の波長、光源の位置などを含むことができる。特定の実施形態において、標識によって生成される光信号は、３００ｎｍ〜９００ｎｍの範囲内の波長を有する。特定の実施形態では、光信号は、ＣＲＯＦ装置の視像の形態で読み取られる。
【０６３１】
特定の実施形態では、ＣＲＯＦ装置への読み取りは、光源のような電磁放射線源をＣＲＯＦ装置内のバイオマーカーに結合された検出可能な標識の励起源として提供することを含む。光源は、検出可能な標識を励起するための任意の適切な光源であってもよい。例示的な光源は、日光、外乱光、ＵＶランプ、蛍光ランプ、発光ダイオード（ＬＥＤ）、フォトダイオード、白熱灯、ハロゲンランプなどを含むが、これらに限定されない。
【０６３２】
任意の適切な方法でＣＲＯＦ装置への読み取りを達成して、試料内の分析物の量を計測し、かつＣＲＯＦ装置に結合し、いくつかの実施形態では、ＣＲＯＦ装置内の分析物に結合した検出可能な標識から電磁信号を得るように構成された装置を使用してＣＲＯＦ装置を読み取る。場合によっては、装置は、携帯電話又はスマートフォンのようなハンドヘルドデバイスである。ＣＲＯＦ装置を読み取るように構成された任意の適切なハンドヘルドデバイスを、本発明の装置、システム及び方法に使用することができる。ＣＲＯＦ装置を読み取るように構成された特定の装置は、参照文献として本明細書に組み込まれた２０１４年１０月２１日に出願された米国仮出願第６２／０６６，７７７号に記載されている。
【０６３３】
いくつかの実施形態では、装置は、ＣＲＯＦ装置から光信号を取得し、例えば、ＣＲＯＦ装置の画像を取得するように構成された光記録装置を含む。場合によっては、光記録装置は、デジタルカメラのようなカメラである。用語「デジタルカメラ」とは、光学画像を形成するための撮像レンズシステム、光学画像を電気信号に変換するための画像センサ及び他の部品を備えた撮像装置を主要部品とする任意のカメラであり、そのようなカメラの例は、デジタルスチルカメラ、デジタルムービーカメラ及びウェブカメラ（すなわち、ネットワークに直接接続されたものと、情報処理能力を有するパーソナルコンピュータのような装置を介してネットワークに接続されたものとの両方を含む画像の交換を可能にするために、ネットワークに接続された装置に公的に又は私的に接続されたカメラ）を含む。ある例において、ＣＲＯＦ装置を読み取ることは、経時変化を捕捉することができるビデオ撮像を含んでもよい。例えば、ビデオを取得してＣＲＯＦ装置に適用された試料の動的変化に関する評価を提供してもよい。
【０６３４】
特定の実施形態において、光記録装置は、研究／臨床実験室装置に使用された高感度光記録装置の感度よりも低い感度を有する。場合によっては、本方法に用いられた光記録装置は、研究／臨床実験室装置に使用された高感度光記録装置の感度よりも、２００倍以上、５００倍以上、１０００倍以上を含む１００倍以上のような１０倍以上低い感度を有する。
【０６３５】
特定の実施形態において、該装置は、ビデオディスプレイを有してもよい。ビデオディスプレイは、ディスプレイページがユーザに知覚可能な方法で表示されてもよいコンポーネント、例えば、コンピュータモニタ、陰極線管、液晶ディスプレイ、発光ダイオードディスプレイ、タッチパッド又はタッチスクリーンディスプレイ、及び／又は視覚的に知覚可能な出力を発するための当技術分野で知られている他の手段を含んでもよく、特定の実施形態では、装置は、検出器から取得された画像及び／又は処理されたデータから生成されたレポートなどの情報を表示し、情報が対象によって入力されることを可能にするためのタッチスクリーンを備える。
【０６３６】
１２  多重化
本明細書に記載の任意の実施形態において、システムは、多重アッセイを実施するように設計されてもよく、かつ複数の貯蔵部位、複数の結合部位、又は複数の貯蔵部位及び複数の結合部位を含むことにより、異なるアッセイを１つのプレートの表面上の異なる領域で実施することができる。例えば、一実施形態において、１つのプレートは、それぞれ異なる捕捉剤を含む複数の結合部位を含んでもよく、従って、同じアッセイにおける試料中の複数の分析物の検出を可能にする。これらの部位は、互いに近位であるが、空間的に分離されもよい。
【０６３７】
図１６は、本発明の例示的な実施形態、すなわち１枚のプレートの１つの結合部位と他のプレートの複数の貯蔵部位を使用する単一のＣＲＯＦ装置における多重検出を概略的に示す。図（ａ）及び（ｂ）は、それぞれ例示的な装置の斜視図及び断面図である。例示的な場合では、多重化されたＣＲＯＦ装置は、第１のプレート及び第２のプレートを含み、前記第１のプレートの１つの表面は１つの結合部位を有し、前記第２のプレートの１つの表面は複数の貯蔵部位を有し、異なる貯蔵部位は、異なる濃度を有する同じ検出剤を有することができ、あるいは、同じ又は異なる濃度を有する異なる検出剤を有することができる。いくつかの実施形態では、結合部位の面積は、各貯蔵部位の面積よりも大きく、いくつかの実施形態において、結合部位の面積は、すべての貯蔵部位の総面積よりも大きく、及び／又は結合部位は貯蔵部位と整列される（すなわち、それらは相互の上部にあり、すなわち、結合部位と貯蔵部上の点との間の最短距離は同じであるか又はほぼ同じである）。
【０６３８】
図１７は、本発明のさらなる例示的な実施形態、すなわち１枚のプレートの１つの貯蔵部位と他のプレートの複数の結合部位を使用する単一のＣＲＯＦ装置における多重検出を概略的に示す。図（ａ）及び（ｂ）は、それぞれ例示的な装置の斜視図及び断面図であり、例示的な場合では、多重化されたＣＲＯＦ装置は、第１のプレート及び第２のプレートを含み、前記第１のプレートの１つの表面は複数の結合部位を有し、前記第２のプレートの１つの表面は１つの貯蔵部位を有し、異なる結合部位は、異なる濃度を有する同じ捕捉剤を有することができ、あるいは、同じ又は異なる濃度を有する異なる捕捉剤を有することができる。いくつかの実施形態において、貯蔵部位の面積は、各結合部位の面積よりも大きい。いくつかの実施形態において、貯蔵部位の面積は、すべての結合部位の総面積よりも大きく、及び／又は貯蔵部位は結合部位と整列される（すなわち、それらは相互の上部にある）。
【０６３９】
図１８は、本発明のさらなる例示的な実施形態、すなわち１枚のプレートの複数の結合部位と他のプレートの複数の対応する貯蔵部位を使用する単一のＣＲＯＦ装置における多重検出を概略的に示す。図（ａ）及び（ｂ）は、それぞれ例示的な装置の斜視図及び断面図である。多重化されたＣＲＯＦ装置は、第１のプレート及び第２のプレートを含み、前記第１のプレートの１つの表面は複数の結合部位を有し、前記第２のプレートの１つの表面は複数の対応する貯蔵部位を有し、各対応する貯蔵部位は、第１のプレート上の結合部位の位置に対応する第２のプレート上の位置に配置されることにより、プレートが対向して配置される場合、各結合部位は１つの貯蔵部位のみと重なり、各貯蔵部位は１つの貯蔵部位のみと重なり、異なる貯蔵部位は、異なる濃度を有する同じ検出剤を有することができ、あるいは、同じ又は異なる濃度を有する異なる検出剤を有することができ、異なる貯蔵部位は、異なる濃度を有する同じ捕捉剤を有することができ、あるいは、同じ又は異なる濃度を有する異なる捕捉剤を有することができる。
【０６４０】
いくつかの実施形態では、図１０、１１及び１２のいずれか１つの装置において、第１のプレートは、その表面に、第１の所定のアッセイ部位及び第２の所定のアッセイ部位をさらに含み、プレートが閉鎖位置にあるとき、アッセイ部位の縁部間の距離は、均一な厚さの層の厚さより実質的に大きく、試料の均一な厚さの層の少なくとも一部は、所定のアッセイ部位の上方に位置し、前記試料は、試料に拡散できる１つ以上の分析物を有する。アッセイの飽和インキュベーションが２つの隣接する部位間の顕著な相互拡散の間に完了することができるので、隣接する複数のアッセイ部位の縁部間の距離を試料の厚さよりも大きくすることにより、試料の異なる部分を流体的に隔離することなく複数の結合部位を有することが可能になる。隣接する距離と試料の厚さの比を適切に選択し、かつアッセイの飽和インキュベーション時間より長いが２つの隣接する部位の間の顕著な相互拡散の時間より短い計測時間を適切に選択することにより、試料の異なる部分を離すことなく、ＣＲＯＦにより多重化を行うことができる。いくつかの実施形態において、閉鎖構成における試料厚さに対する隣接する距離の比は、１．５以上、３以上、５以上、１０以上、２０以上、３０以上、５０以上、１００以上、２００以上、１０００以上、１００００以上、又はこれらの値のいずれか２つの間の範囲である。この比は、好ましい実施形態において３以上であり、他の好ましい実施形態において５以上であり、特定の好ましい実施形態において１０以上であり、別の好ましい実施形態において３０以上であり、別の好ましい実施形態において１００以上である。
【０６４１】
いくつかの実施形態では、図１０、１１及び１２のいずれか１つの装置において、第１のプレートは、その表面に、少なくとも３つの分析物アッセイ部位を有し、プレートが閉鎖位置にあるとき、任意の２つの隣接したアッセイ部位の縁部間の距離は、均一な厚さの層の厚さより実質的に大きく、前記均一な厚さの層の少なくとも一部は、アッセイ部位の上方に位置し、前記試料は、試料に拡散できる１つ以上の分析物を有する。
【０６４２】
いくつかの実施形態では、図１０、１１及び１２のいずれか１つの装置において、前記第１のプレートはその表面に、前記プレートが閉鎖位置にある時、均一な厚さの層の厚さよりも実質的に大きい距離により分離されない少なくとも２つの隣接した分析物アッセイ部位を有し、前記均一な厚さの層の少なくとも一部は、前記アッセイ部位にあり、前記試料は、前記試料中で拡散できる１つ以上の分析物を有する。
【０６４３】
段落Ｕ１−６、Ｘ−６、Ｐ１−８、Ｗ１−６、Ｖ１−４、ＵＡＢ１−８、Ｍ１−２、Ｓ１−２、Ｑ１１０及びＨ１のいずれか、ならびにそれらの任意の組み合わせの方法又は装置では、第１及び第２のプレートは、多重化検出のために図１０、図１１、又は図１２に記載されるように、結合部位及び貯蔵部位をさらに含む。
【０６４４】
これらの実施形態では、該装置は、流体的隔離がない場合（すなわち、アッセイ領域間の物理的障壁がない）に液体試料を対比し、多重化し、アッセイすることができる。該装置は、第１のプレート及び第２のプレートを含み、ｉ．プレートは、異なる構成になるように互いに対して移動可能であり、１つ又は両方のプレートは可撓性であり、ｉｉ．１つ又は両方のプレートは、それぞれの対応するプレートに固定されたスペーサを含み、かつスペーサは、所定の実質的に均一な高さ、及び所定の一定のスペーサ間距離を有し、ｉｉｉ．各プレートは、それらのそれぞれの表面上に、試料内に拡散できる１つ以上の標的分析物を含む、試料と接触するための試料接触領域を有し、ｉｉｉ．第１のプレートは、その表面に、それぞれが試料の対応する標的分析物に結合しかつ固定化する捕捉剤含有の所定の領域を有する１つ以上の結合部位を有し、ｉｖ．第２のプレートは、その表面に、それぞれが試料と接触する時に試料内に溶解しかつ試料内に拡散する濃度の検出剤を含み、かつ所定の領域を有する１つ以上の対応する貯蔵部位を有し、各捕捉剤、標的分析物及び対応する検出剤は、第１のプレートの結合部位で捕捉剤−標的分析物−検出剤サンドイッチを形成することができ、１つの形態は、２つのプレートが部分的又は完全に離され、プレート間の間隔がスペーサにより調節されず、試料がプレートの１つ又は両方に付着する開放構成であり、別の形態は、開放構成で試料を付着させた後に構成された閉鎖構成であり、前記閉鎖構成で、ｉ．少なくとも一部の試料は、厚さが均一な層に圧縮され、該層が２つのプレートの内表面と接触し、それにより１つ以上の結合部位と１つ以上の貯蔵部位を限定しかつ覆い、ｉｉ．１つ以上の対応する貯蔵部位は１つ以上の結合部位の上方にあり、ｉｉｉ．層の均一な厚さをスペーサ及びプレートにより調節し、それは２５０μｍより小さく、各貯蔵部位の所定の領域の線形寸法より実質的に小さく、ｉｖ．結合部位及び／又は貯蔵部位の間に流体的隔離がなく、隣接する貯蔵部位の縁部間の分離と隣接する結合部位の縁部間の分離は、標的分析物又は検出剤の関連時間内の拡散可能な距離より大きく、かつ結合部位及び／又は貯蔵部位の間に流体的隔離がない。
【０６４５】
いくつかの実施形態において、第１のプレートは、その表面に、複数（少なくとも２箇所、少なくとも４箇所、又は少なくとも１６箇所又はそれ以上）の結合部位を有する。
【０６４６】
いくつかの実施形態において、各結合部位は、異なる標的分析物に結合される。
【０６４７】
いくつかの実施形態において、第２のプレートは、その表面に、複数（少なくとも２箇所、少なくとも４箇所、又は少なくとも１６箇所又はそれ以上）の対応する貯蔵部位を有する。
【０６４８】
いくつかの実施形態において、各対応する貯蔵部位は、異なる標的分析物に結合される。
【０６４９】
いくつかの実施形態において、第１のプレートは、その表面に、複数の結合部位を有し、第２のプレートは、その表面に、複数の対応する貯蔵部位を有し、プレートが閉鎖構成にある時、各結合部位は対応する貯蔵部位に対向する。
【０６５０】
いくつかの実施形態において、第１のプレートは、その表面に、複数の結合部位を有し、第２のプレートは、その表面に、１つの貯蔵部位を有し、プレートが閉鎖構成にある時に、結合部位のうちの少なくともいくつかの結合部位は貯蔵部位中の１つの領域に対向する。
【０６５１】
いくつかの実施形態において、第１のプレートは、その表面に、１つの結合部位を有し、第２のプレートは、その表面に、複数の貯蔵部位を有し、プレートが閉鎖構成にある時、貯蔵部位のうちの少なくともいくつかの貯蔵部位は結合部位中の１つの領域に対向する。
【０６５２】
いくつかの実施形態において、第１のプレートは、その表面に、複数の結合部位を有し、結合部位は、同じ標的分析物に結合し、固定化する異なる捕捉剤を含む。
【０６５３】
いくつかの実施形態において、第１のプレートは、その表面に、複数の結合部位を有し、結合部位は、同じ捕捉剤を含む。
【０６５４】
いくつかの実施形態において、捕捉剤は、異なる結合部位において密度が異なる。これらの実施形態は、試料中の分析物の量を定量化する方法を提供するために使用されてもよい。
【０６５５】
いくつかの実施形態において、２つの隣接する結合部位又は２つの隣接する貯蔵部位の間に分離部が存在し、閉鎖構成での試料の厚さに対する分離の比は、少なくとも３であり、例えば少なくとも５、少なくとも１０、少なくとも２０又は少なくとも５０である。
【０６５６】
いくつかの実施形態において、スペーサ間距離は、１μｍ〜１２０μｍの範囲内にある。
【０６５７】
いくつかの実施形態において、可撓性プレートの厚さは、２０μｍ〜２５０μｍの範囲内（例えば５０μｍ〜１５０μｍの範囲内）にあり、かつヤング率は０．１ＧＰａ〜５ＧＰａの範囲内（例えば、０．５ＧＰａ〜２ＧＰａの範囲内）にある。
【０６５８】
いくつかの実施形態において、可撓性プレートの厚さに可撓性プレートのヤング率を乗算した値は、６０ＧＰａ−μｍ〜７５０ＧＰａ−μｍの範囲内にある。
【０６５９】
いくつかの実施形態において、該方法は、以下のステップ（ａ）〜（ｅ）を含む：
（ａ）試料内に拡散できる１つ以上の標的分析物を含有する試料を取得し；
（ｂ）異なる構成になるように互いに対して移動可能な第１のプレート及び第２のプレートを取得し、
ｉ．１つ又は両方のプレートは、それぞれのプレートに固定されたスペーサを含み、かつ１つ又は両方のプレートは可撓性であり、
ｉｉ．スペーサは、所定の実質的に均一な高さ、及び所定の一定のスペーサ間距離を有し、
ｉｉｉ．第１のプレートは、その表面に、（ａ）における対応する標的分析物に結合して固定化する捕捉剤を含む所定の領域をそれぞれ有する１つ以上の結合部位を有し、
ｉｖ．第２のプレートは、その表面に、それぞれ所定の領域を有し、試料に接触すると、試料に溶解して試料内に拡散するある濃度の検出剤を含む１つの以上の対応する貯蔵部位を含み、各捕捉剤、標的分析物及び対応する検出剤は、第１のプレートの結合部位に捕捉剤−標的分析物−検出剤のサンドイッチを形成でき；
（ｃ）プレートが開放構成に構成されている時に、１つ又は両方のプレートに試料を付着させ、前記開放構成とは、２つのプレートが部分的又は完全に離され、プレート間距離がスペーサにより調節されない構成であり；
（ｄ）（ｃ）の後に、２つのプレートを閉鎖構成にすることにより試料を圧縮し、閉鎖構成は、ｉ．試料の少なくとも一部が、２つのプレートの内表面に接触し、それによって限定され、かつ１つ以上の結合部位及び１つ以上の貯蔵部位に接触する均一な厚さの層に圧縮され、ｉｉ．１つ以上の対応する貯蔵部位が１つ以上の結合部位上にあり、ｉｉｉ．層の均一な厚さがスペーサ及びプレートによって調節され、２５０μｍより小さく、各貯蔵部位の所定の領域の線形寸法より実質的に小さいステップと；
（ｅ）（ｄ）の後、プレートが閉鎖構成にある時に、
（１）関連のある時間長さで試料をインキュベーションし、次にインキュベーションを停止し、或いは
（２）関連のある時間長さの最小値以上の時間で試料をインキュベートし、次に、関連のある時間長さの最大値以下の時間内に、各標的分析物の結合部位への結合を評価し、
前記関連のある時間長さは、
ｉ．（ａ）における標的分析物が閉鎖構成で均一な厚さの層の厚さにわたって拡散する時間以上であり、そして、
ｉｉ．（ａ）における標的分析物が貯蔵部位又は結合部位の所定の領域の最小線形寸法にわたって横方向に拡散することに要する時間より著しく短く、それにより、（１）におけるインキュベーションの終了で又は（２）における評価中に、各結合部位に結合した捕捉剤−標的分析物−検出剤サンドイッチの大部分が試料のそれぞれの関連体積に由来する反応が発生し、インキュベーションにより、各標的分析物が結合部位及び検出剤に結合することを可能にし、それぞれの関連体積は、閉鎖構成でそれぞれの貯蔵部位にある試料の一部分であり、隣接した貯蔵部位のエッジと隣接した結合部位のエッジとの間の距離は、標的分析物又は検出剤が関連時間内に拡散できる距離より大きく、結合部位及び／又は貯蔵部位の間に流体的隔離がないステップとを含む。
【０６６０】
上記多重化アッセイ装置の任意の実施形態は、この方法に使用されてもよい。
【０６６１】
１３  非試料体積による影響を補正する定量化（Ｃ）
ＣＲＯＦプロセスで、試料は常に、スペーサ、気泡、塵埃又はそれらの任意の組み合わせを含むがこれらに限定されない、試料でない物体に起因する非試料体積と混合される。気泡又は塵埃は、ＣＲＯＦプロセスにおける試料付着又は他のプロセスを使用して導入されてもよい。これらの非試料物体は、試料の関連体積（関心のある体積）を決定する時に修正する必要がある体積を占有し、かつ試料内にある。本発明の１つの態様は、２つのプレートの間の試料の関連体積内の非試料体積で生成される影響を補正することであり、関連体積の厚さがスペーサにより調節される。
【０６６２】
Ｃ１．２つのプレートの間の試料の関連体積を決定する時に、非試料材料により生成される影響を補正する方法は、以下のステップ（ａ）〜（ｆ）を含む：
（ａ）試料の関連体積が定量化される試料を取得し；
（ｂ）異なる構成になるように互いに対して移動可能な２つのプレートを取得し、前記プレートの１つ又は両方が、所定のスペーサ間距離及び高さを有し、それぞれその対応するプレートに固定されたスペーサを含み；
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり；
（ｄ）（ｃ）の後、プレートを閉鎖構成にし、閉鎖構成で、プレートが互いに対向して、スペーサ及び試料の関連体積がプレートの間に位置し、試料の関連体積の厚さがプレート及びスペーサにより調節され、プレートの開放構成で、該厚さが試料の最も大きい厚さより薄く、関連体積が非試料体積を含む可能性があり；
（ｅ）プレートが閉鎖構成にある時に、（ｉ）試料の関連体積の側面積と、（ｉｉ）非試料材料の体積を計測し；
（ｆ）スペーサにより調節された関連体積の厚さを用いて試料の関連体積を計算し、非試料材料の影響を補正し、
前記関連体積は、試料の全体積の少なくとも一部であり、非試料材料は、試料に由来しない材料である。
【０６６３】
−２つのプレートの間の試料を画像化することにより非試料体積を計測する。
【０６６４】
１４  間隔の二重チェックによる高精度定量化
ＣＲＯＦにおいて、与えられた一組の条件に対して、スペーサ及びプレートが閉鎖構成で所定の試料厚さを与えることができても、特定のＣＲＯＦの間に、実際の一組の条件は、期待されるものと異なる可能性があり、所定の最終的な試料厚さの誤差をもたらす。このような誤差を低減するために、本発明の一態様は、閉鎖構成で最終的な試料厚さを二重チェックすることである。
【０６６５】
Ｃ２．２つのプレートの間の試料の関連体積の厚さを決定しチェックする方法は、以下のステップ（ａ）〜（ｆ）を含む：
（ａ）試料の関連体積が定量化される試料を取得し；
（ｂ）異なる構成になるように互いに対して移動可能な２つのプレートを取得し、前記プレートの１つ又は両方が、所定のスペーサ間距離及び高さを有し、それぞれその対応するプレートに固定されたスペーサを含み；
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり；
（ｄ）（ｃ）の後、プレートを閉鎖構成にし、閉鎖構成で、プレートが互いに対向して、スペーサ及び試料の関連体積がプレートの間に位置し、試料の関連体積の厚さがプレート及びスペーサにより調節され、プレートの開放構成で、該厚さが試料の最も大きい厚さより薄く、関連体積が非試料体積を含む可能性があり；
（ｅ）プレートが閉鎖構成にある時に、（ｉ）試料の関連体積の側面積と、（ｉｉ）非試料材料の体積とを計測し；
（ｆ）非試料材料の影響を補正することにより試料の関連体積を計算し、
前記関連体積は、試料の全体積の少なくとも一部であり、非試料材料は、試料に由来しない材料である。
【０６６６】
１５  洗浄（ＷＳ）
本発明では、本明細書に記載されたプレートプレスと保持の実施形態の１つ又は任意の組み合わせが、本発明の説明全体に記載された全ての方法及び装置において使用される。
【０６６７】
アッセイにおける洗浄ステップのための方法は、
（ａ）上記方法の１つ又は任意の組み合わせにおけるステップを実行するステップと、
（ｂ）プレート間の試料又は搬送媒体を洗い流すステップとを含む。
【０６６８】
ＣＲＯＦを使用する方法において、プレートを閉鎖構成に保持することにより洗浄を行う。
【０６６９】
ＣＲＯＦを使用する方法において、閉鎖構成からプレートを離すことにより洗浄を行う。
【０６７０】
１６  多重ステップのアッセイ（ＭＡ）
本発明において、本開示によって記載された実施形態（すなわち、全てのセクション）は：
（ａ）一実施形態を他の実施形態と組み合わせること；
（ｂ）同じ実施形態を１回より多く使用すること；
（ｃ）（ａ）と（ｂ）の任意の組み合わせ、により使用することができる。
【０６７１】
ＭＡ１．  試料中の分析物をアッセイする方法は、以下のステップを含む：
（ａ）分析物を含有する試料を取得するステップと；
（ｂ）ＣＲＯＦを使用する方法を実行するステップと；
（ｃ）プレートを離し、ＣＲＯＦを使用する方法を実行するステップ。
【０６７２】
段落ＭＡ１の方法では、いくつかの実施形態において、ＭＡ１のステップ（ｃ）の後に、ＭＡ１の方法における全てのステップの同じステップを少なくとも１回繰り返すステップをさらに含む。
【０６７３】
ＭＡ２．試料中の分析物をアッセイする方法は、
（ａ）分析物を含有する試料を取得するステップと；
（ｂ）ＣＲＯＦを使用する方法を実行するステップと；
（ｃ）プレートを離し、ＣＲＯＦを使用する方法を実行する（洗浄）ステップと；
（ｄ）ＣＲＯＦを使用する方法を実行するステップとを含む。
【０６７４】
段落ＭＡ２の方法では、いくつかの実施形態において、ＭＡ２のステップ（ｄ）の後に、ＭＡ２の方法における全てのステップの同じステップを少なくとも１回繰り返すステップをさらに含む。
【０６７５】
段落ＭＡ２の方法では、いくつかの実施形態において、ＭＡ２のステップ（ｃ）の後に、ＭＡ１の方法における全てのステップの同じステップを少なくとも１回繰り返すステップをさらに含む。
【０６７６】
ＭＡ３．  試料中の分析物をアッセイするキットは、
ＣＲＯＦを使用する第１のＣＲＯＦ装置と、
第１のＣＲＯＦ装置のプレートが離されたとき、第１のＣＲＯＦ装置のプレートの１つと組み合わせて第２のＣＲＯＦ装置を形成する第３のプレートとを含む。
【０６７７】
ＭＡ４．  試料中の分析物をアッセイするキットは、
ＣＲＯＦを使用する第１のＣＲＯＦ装置と、
ＣＲＯＦ装置のプレートの試料接触領域上にある少なくとも１つの結合部位又は貯蔵部位と、
第１のＣＲＯＦ装置のプレートが離されたとき、第１のＣＲＯＦ装置のプレートの１つと組み合わせて第２のＣＲＯＦ装置を形成する第３のプレートとを含み、
結合部位は、標的分析物をプレートの表面に結合し、貯蔵部位は、試料と接触すると試料に溶解しかつ試料中に拡散することができる試薬を有する。
【０６７８】
画像化は、スマートフォンの使用を含む。このセクションの方法は、光源による照明のステップをさらに含む。光源は、レーザ、ＬＥＤ、ランプ、又はカメラフラッシュライトであってもよい。
【０６７９】
試料中の標的実体を検出するアッセイを行うためのキット（ＭＱＸＡ）
試料中の標的実体をアッセイするためのキットは、
ａ．その１つの表面に、標的実体を固定化することができ、標的実体に結合する結合パートナーを有する１つ以上の結合部位を有する第１のプレートと、
ｂ．カバープレートと、
ｃ．試料中で移動可能な前記標的実体を含み、形状が変形可能であり、第１のプレートと第２のプレートが互いに対して移動可能であり、形状が内表面にほぼ一致し、少なくとも一部が結合部位と接触し、インキュベーションの間に内側の間隔が一定の距離より小さく、前記結合部位と接触し、カバープレートと第１のプレートとの間の内部空間にある試料と、
ｄ．第１のプレートの表面及び／又はカバープレートの表面に画像化を行うことができる画像化装置と、
ｅ．内部空間の間隔を計測することができる計測装置とを含む。このセクションの方法は、スマートフォンの使用を含む。このセクションの方法は、照明装置の使用を含む。照明装置は、レーザ、ＬＥＤ、ランプ、又はカメラフラッシュライトを含む。
【０６８０】
１７  プレートプレス及び保持（Ｈ）
圧縮力  ＣＲＯＦプロセスにおいて、プレートを開放構成から閉鎖構成にするために、力で２つのプレートを圧縮する。圧縮力は、プレートの内表面間の間隔を減少させ、これによりプレート間の試料の厚さを減少させる。本発明において、圧縮力は、機械的力、毛細管力（表面張力による）、静電力、電磁力（光を含む）、及びそれらの任意の組み合わせを含むが、これらに限定されない。
【０６８１】
プレートを開放構成から閉鎖構成にするいくつかの実施形態において、第１のプレートと第２のプレートとを互いに向かって押し付けるための外からの力を加える。
【０６８２】
プレートを開放構成から閉鎖構成にするいくつかの実施形態において、第１のプレートと第２のプレートの外側に外からの力を加えてプレートを互いに向かって押し付け、前記圧力がプレート内の圧力よりも高い。プレート外の圧力をプレート内の圧力よりも高くする装置が使用される。この装置は、密封装置のみに限定されている。
【０６８３】
いくつかの実施形態において、圧力は、第１のプレートと第２のプレートとの間の液体及び対応する表面の張力とプレートとの相互作用に起因する毛細管力によって少なくとも部分的に提供される。いくつかの実施形態において、液体は試料自体であるか、液体と混合された試料であり、特定の実施形態において、毛細管力が他の力とともに使用される。多くの場合、液体中にあることが多く、表面張力は毛細管力を挿入するのに適し、いくつかの実施形態において、毛細管力が試料を変形させるのに必要な力に等しい場合に、プレートによる試料の変形は自動的に停止することができる。
【０６８４】
特定の実施形態において、第１のプレートと第２のプレートとの間の圧力（内部圧力）をプレートの外側（外部圧力）から隔離し、次いで内部圧力を外部圧力よりも低くすることによって、圧縮力（これにより試料変形）が生成される。隔離は、真空密封又は他の装置を用いて行うことができる。
【０６８５】
いくつかの実施形態において、それは、上記方法の組み合わせである。
【０６８６】
段階的プレス  いくつかの実施形態において、プレートを閉鎖構成にする圧縮力は、「段階的プレス」という過程において加えられ、それは、まずプレートの１つの位置でプレス（即ち圧縮力を加える）を加え、その後に試料の他の位置に段階的に加えることを含み、段階的プレスのいくつかの実施形態において、ある位置で試料を所望の厚さに変形させた後に、該位置の圧縮力（試料自体の毛細管力を除く）は、（ｉ）プレス及び試料変形の全体プロセスにおいて維持され、（ｉｉ）他の位置でプレスされる時に除去され、或いは（ｉｉｉ）（ｉ）のプレートのある部分に使用され、（ｉｉ）の試料のある部分に使用される。
【０６８７】
段階的プレスの一実施形態において、ローラを使用して、第１のプレート及び第２のプレート（試料がプレートの間に位置し、プレートが僅かに可撓性である）を別のローラ又は平坦な表面に押し付ける。
【０６８８】
別の実施形態において、人の指は、プレート（従って試料）をプレスするためのツールである。プレスは、人の手の一部が人体の他の部分（人の手の他の部分を含む）と接触するか又は人の手が物体（例えば、テーブル面）と接触することである。一実施形態において、プレスは、試料のある位置から開始しかつ試料の他の位置に徐々に移動する。
【０６８９】
段階的プレスの一実施形態において、プレスされた空気ジェットは、最初にプレート対の位置（例えば中心）（第１のプレートと第２のプレートの間にあり、そのうちの１つのプレートが僅かに可撓性である）に案内され、該圧縮力はプレート対の別の部分に徐々に拡張される。
【０６９０】
別の実施形態において、第１のプレートと第２のプレートの１つ又は両方は可撓性であり、かつ試料のある位置と接触し、その後に該位置の毛管力は、プレート対を一緒に引っ張って（相互に向かって）試料を変形させる。
【０６９１】
段階的プレスの利点は、小さい力で試料を変形させる（力が同じである場合、プレス面積が小さいほど圧力が大きくなるからである）ことを可能にすることと、試料の移動（変形）、及び／又は試料中の気泡の減少に役立つこととを含む。圧力が大きいほど、試料の変形は大きくなる。段階的プレスは、変形した試料の厚さの均一性を改善することができる。
【０６９２】
プレス装置  ＣＲＯＦにおける試料変形用の圧縮力を決定する装置は、様々な実装を有する。いくつかの実施形態において、人の手を用いて、例えば、人の指を用いてプレスする。特定の実施形態において、プレス装置は、人の手、機械的クリップ、機械プレス、機械的クランプ、機械的スライダ、機械的装置、電磁気装置、表面を転がるローラ、対向する２つのローラ、流体プレス、油圧装置又はそれらの任意の組み合わせを含むが、これらに限定されない。特定の実施形態において、加圧された液体（加圧空気を含む）を用いて第１のプレート及び／又は第２のプレートを直接又は間接的にプレスする。「直接」とは、加圧された液体を第１のプレート及び／又は第２のプレートに直接加えることを指し、「間接的」とは、第３の物体により加えることを指す。プレスの特定の実施形態は、プレス装置及び方法の上記実施形態の組み合わせを使用する。
【０６９３】
また、試料変形の特定の実施形態において、プレス及び試料変形は監視される。監視は、プレス及び試料変形を制御するために用いることができる。変形の監視は、機械的方法、電気的、光学的、化学的、磁気的及びそれらの任意の組み合わせを含むが、これらに限定されない。機械的方法は、機械的ゲージ、スペーサ（機械的ストッパ、以下に詳細に説明する）及び音波を含むが、これらに限定されない。
【０６９４】
ＣＲＯＦにおいて、間隔制御装置は、機械プレス、機械的移動ステージ、人の指、プレートを互いに向かって引っ張る毛細管力を提供する液体、プレートに圧力を加える液体（空気を含む）又はそれらの組み合わせを含む。
【０６９５】
特定の実施形態において、（並進及び／又は回転）機械的ステージは、試料変形及び試料厚さの制御に使用され、かつ監視システムとともに動作する。
【０６９６】
いくつかの実施形態において、圧縮力の少なくとも一部は、プレートを一緒に取り付けて閉鎖構成に形成するように構成されたプレス（プレートを閉鎖構成に変形させる装置）によって提供される。
【０６９７】
いくつかの実施形態において、人の手でプレートをプレスする。人は、検査される人又は検査を行う人、又は試料を採取する人であってもよい。
【０６９８】
いくつかの実施形態において、プレートのプレスは、毛管力を使用して２つのプレートを一緒に保持することである。毛細管力は、１つ又は両方のプレートの内表面の少なくとも一部を親水性にすることにより生成される。プレートを閉鎖構成に圧縮するために使用された力の一部又は全部（毛管力を除く）が除去されても、適切な毛管力で、２つのプレートは、プレートが最初に閉鎖構成にある時と同じプレート間隔及び同じ試料の関連体積の厚さを保持することができる。
【０６９９】
いくつかの実施形態において、プレートの外表面に圧縮力を加えてプレートの内表面の間隔を減少させる装置は、プレートの外表面に適合する接触表面を含み、装置の接触表面は、プレートの外表面と接触する装置の表面であり、「プレートの外表面に適合する」とは、装置の表面が圧縮中に変形して、その形状がプレートの外表面の形状と一致することを指し、例示的な実施形態において、圧縮装置は人の指である。別の例示的な実施形態において、圧縮装置は、軟質プラスチック又はゴムで作られた接触面を有する。
【０７００】
自己保持（圧縮力を除去した後に最終の試料厚さを保持すること）
ＣＲＯＦをプレスするいくつかの実施形態において、閉鎖構成で試料が変形した後、一部の圧縮力は除去され、かつ試料は、圧縮力が存在する時と同じな最終の試料厚さを保持する。このような状況は、「自己保持」と呼ばれる。自己保持の１つの理由は、プレート対の外側から挿入された圧縮力を除去した後、プレートの内表面の間に依然として他の力（例えば、毛管力）が存在して、プレート対を一緒に保持することである。毛管力は、プレート上の試料の湿潤特性に起因する。
【０７０１】
自己保持を有するために、プレートの表面の湿潤特性、試料とプレートとの全接触面積、閉鎖構成での最終の試料厚さ又はそれらの組み合わせを制御する必要がある。
【０７０２】
自己保持を達成するためのいくつかの実施形態において、プレートの内表面の１つ又は両方は親水性である。すなわち、親水性の内表面を有するいずれか１つのプレート、又は親水性の内表面を有する２つのプレートである。
【０７０３】
毛管力は、液体表面の半径曲率に依存し、曲率が小さいほど、毛細管力が高くなる。２つのプレート（すなわち、プレート対）の間に小さい間隔（従って試料厚さ）を使用することにより、小さい曲率を達成することができる。いくつかの実施形態では、自己保持を達成するための最終的な試料厚さは、１０ｎｍ以下、１００ｎｍ以下、１００ｎｍ以下、５００ｎｍ以下、１μｍ（マイクロメートル）以下、２μｍ以下、３μｍ以下、５μｍ以下、１０μｍ以下、２０μｍ以下、５０μｍ以下、７０μｍ以下、１００μｍ以下、１５０μｍ以下、３００μｍ以下、５００μｍ以下、７００μｍ以下、１０００μｍ以下、１２００μｍ以下、又はこれらの値のいずれか２つの間の範囲である。
【０７０４】
いくつかの実施形態において、自己保持用のプレートと接触する試料の面積は、最大１０μｍ２、最大１００μｍ２、最大２００μｍ２、最大５００μｍ２、最大１０００μｍ２、最大２０００μｍ２、最大５０００μｍ２、最大８０００μｍ２、最大０．０１ｍｍ２、最大０．０５ｍｍ２、最大０．１ｍｍ２、最大０．５ｍｍ２、最大１ｍｍ２、最大５ｍｍ２、最大１０ｍｍ２、最大５０ｍｍ２、最大１００ｍｍ２、最大５００ｍｍ２、最大１０００ｍｍ２、最大２０００ｍｍ２、最大５０００ｍｍ２、最大１００００ｍｍ２、最大１０００００ｍｍ２、又はこれらの値のいずれか２つの間の範囲である。
【０７０５】
いくつかの実施形態において、自己保持をよりよくするために、プレートの内表面のうちの１つ又は両方の湿潤特性が変更される。
【０７０６】
ＨＳ．１  いくつかの実施形態において、ＣＲＯＦプロセスにおいて、装置を使用して圧縮力を挿入してプレートを閉鎖構成にし、閉鎖構成になると、装置による圧縮力は除去され、かつ試料厚さ及びプレートの内表面の間隔は、装置による圧縮力を除去する前にほぼ同じである。いくつかの実施形態において、前段落の方法は、プレート又はプレート間から信号を読み取るステップを含み、信号は、分析物、実体、標識、試料体積、物質（即ち化学物質）の濃度、又はそれらの任意の組み合わせに関連する信号を含むが、これらに限定されない。
【０７０７】
段落ＳＨ．１の方法では、装置は、人の手、機械的クリップ、機械プレス、機械的クランプ、機械的スライダ、機械的装置、電磁気装置、表面を転がるローラ、対向する２つのローラ、流体プレス、油圧装置又はそれらの任意の組み合わせである。
【０７０８】
段落ＳＨ．１の方法では、いくつかの実施形態において、「試料の厚さ及びプレートの内表面間隔は、装置による圧縮力を除去する前とほぼ同じである」は、圧縮力除去前後の試料厚さとプレート内表面間隔の相対差が０．００１％以下、０．０１％以下、０．１％以下、０．５％以下、１％以下、２％以下、５％以下、８％以下、１０％以下、１５％以下、２０％以下、３０％以下、４０％以下、５０％以下、６０％以下、７０％以下、８０％以下、９０％以下、９９．９％以下であるか、又はこれらの任意の数値の間の範囲であることを指す。
【０７０９】
段落ＳＨ．１の方法では、いくつかの実施形態において、装置による圧縮力を除去した後の試料厚さとプレート内表面間隔が予め定められ、予め定められることは、所定の圧縮条件で圧縮力を加える前に、圧縮力を除去した後の厚さ及び間隔が既知であることを指す。
【０７１０】
Ｈ１．  試料の関連体積の厚さを減少させかつ該減少された厚さを保持する方法は、以下のステップ（ａ）〜（ｅ）を含む：
（ａ）試料の関連体積の厚さが減少される試料を取得し、
（ｂ）異なる構成になるように互いに対して移動可能な２つのプレートを取得し、前記プレートの１つ又は両方が、所定のスペーサ間距離及び高さを有し、それぞれその対応するプレートに固定されたスペーサを含み、
（ｃ）プレートが開放構成に構成されている時に、前記プレートの１つ又は両方に試料を付着させ、前記開放構成とは、２つのプレートが部分的又は完全に離され、プレート間の間隔がスペーサにより調節されない構成であり、
（ｄ）（ｃ）の後、プレートを閉鎖構成にするプレス装置を使用して前記試料を広げ、閉鎖構成では、プレートが互いに対向して、スペーサ及び試料の関連体積がプレートの間に位置し、試料の関連体積の厚さがプレート及びスペーサにより調節され、プレートの開放構成では、該厚さが試料の最も大きい厚さより薄く、少なくとも１つのスペーサが試料内に位置し、
（ｅ）（ｄ）の後、装置を解放し、プレス装置を解放した後、プレート間の間隔は、装置を適用する時と同じか又はほぼ同じであるように保持し、
前記関連体積は、試料の一部又は全体積である。
【０７１１】
段落Ｈ１の方法において、プレート間の間隔とほぼ同じである割合は、最大１％、最大２％、最大５％、最大１０％、最大２０％、最大５０％、最大６０％、最大７０％、最大８０％、最大９０％、又はこれらの値のいずれか２つの間の範囲である。
【０７１２】
例えば、ＣＲＯＦにおいて、人の手で２つのプレートを閉鎖位置に圧縮し、その後に手及び手による圧縮力を除去するが、最終の試料厚さは、依然として手による圧縮力が存在する時に同じである。
【０７１３】
１８  他の組み合わせ
本発明において、本開示の各実施形態（すなわち、全てのセクション）は:
（ａ）単独で使用すること;
（ｂ）他の実施形態と組み合わせること;
（ｃ）複数回使用すること;
（ｄ）（ａ）〜（ｃ）の任意の組み合わせにより使用することができる。
【０７１４】
本発明において開示された方法及び装置は、単独で又はそれらの任意の組み合わせで使用することができる。「ＱＭＡＸ」方法又は装置という用語は、本明細書に記載された実施形態の方法又は装置を指す。
【０７１５】
いくつかの実施形態において、本発明において開示された方法及び装置は、Ｑ、Ｘ、Ａ、Ｍ、ＱＸ、ＱＡ、ＱＭ、ＸＡ、ＸＭ、ＡＭ、ＱＸＡ、ＱＡＭ、ＸＡＭ及びＱＸＡＭの形態で使用することができる。
【０７１６】
Ｑ、Ｘ、Ａ及びＭの表面固定化アッセイへの応用のいくつかの実施形態は、以下の態様ａ〜ｆを含む：
ａ．第１のプレートを有し、第１のプレート表面は、既知の深さ及び体積の少なくとも１つのウェルを有し、ウェルの底面は、試料中の標的実体を固定化することができる１以上の結合部位を有し、
ｂ．ウェル体積とほぼ同じ体積の試料をウェル内に付着させ、前記試料は前記標的実体を含み、標的実体は試料内で移動可能であり、試料の形状が変形可能であり、試料はウェルの一部のみを被覆し（したがって、ウェル深さよりも高い厚さを有する）、
ｃ．カバープレートを有し、
ｄ．第１のプレートとカバープレートを互いに向かい合わせることにより、試料は第１のプレートと第２のプレートの内表面の間にあり、
ｅ．第１のプレートと第２のプレートの内表面間の間隔を減少させることにより試料の厚さを減少させ、
ｆ．減少した試料厚さで試料を一定の時間インキュベートすることを含む。
【０７１７】
これらの方法の１つのバリエーションは、１つ以上の上記ステップを９６ウェルプレート又は他のプレートに適用することである。
【０７１８】
本発明のセクション１、２、３、５に開示された方法及び装置は、単独で又はそれらの任意の組み合わせで使用することができる。具体的には、セクション１及びセクション２に開示された発明に対してＱを使用し、セクション３及びセクション５に開示された発明に対してＡを使用し、セクション４及びセクション５に開示された発明に対してＸを使用し、セクション６に開示された発明に対してＭを使用する。関連体積、セクション１、２、３及び５に開示される発明の方法及び装置は、Ｑ、Ｘ、Ａ、Ｍ、ＱＸ、ＱＡ、ＱＭ、ＸＡ、ＸＭ、ＡＭ、ＱＸＡ、ＱＡＭ、ＸＡＭ、及びＱＸＡＭの形態で使用することができる。
【０７１９】
表面固定化アッセイへのＱ、Ｘ、Ａ及びＭの応用のいくつかの実施形態は、
ａ．第１のプレートを有し、第１のプレート表面は、既知の深さ及び体積の少なくとも１つのウェルを有し、ウェルの底面は、試料中の標的実体を固定化することができる１以上の結合部位を有し、
ｂ．ウェル体積とほぼ同じ体積の試料をウェル内に付着させ、前記試料は前記標的実体を含み、標的実体は試料内で移動可能であり、試料の形状が変形可能であり、試料はウェルの一部のみを被覆し（したがって、ウェル深さよりも高い厚さを有する）、
ｃ．カバープレートを有し、
ｄ．第１のプレートとカバープレートを互いに向かい合わせることにより、試料は第１のプレートと第２のプレートの内表面の間にあり、
ｅ．第１のプレートと第２のプレートの内表面間の間隔を減少させることにより試料の厚さを減少させ、
ｆ．減少した試料厚さで試料を一定の時間インキュベートすることを含む。
【０７２０】
この方法の１つのバリエーションは、１つ以上の上記ステップを９６ウェルプレート又は他のプレートに適用することである。
【０７２１】
前記方法、装置及びシステムのいくつかの実施形態は、試料体積量（Ｑ）、試薬添加（Ａ）及び／又はアッセイ加速（Ｘ）（対応する頭字語ＱＡ、ＱＸ、ＡＸ及びＱＡＸと呼ばれる）の１つ以上の特徴を組み合わせる。Ｑ、Ａ、Ｘ、ＱＡ、ＱＸ、ＡＸ及びＱＡＸの方法及び装置のいくつかの実験的実証を以下に説明する。
【０７２２】
１９  試薬
特に断らない限り、用語「試薬」とは、生物剤、生化学剤及び／又は化学薬品のうちの一種又は複数種を指す。例えば、試薬は、捕捉剤、検出剤、化学化合物、光標識、放射性標識、酵素、抗体、タンパク質、核酸、ＤＮＡ、ＲＮＡ、脂質、炭水化物、塩、金属、界面活性剤、溶媒又はそれらの任意の組み合わせを含むことができる。
【０７２３】
いくつかの実施形態において、プレート上の試薬は、液体、固体、分子蒸気又はそれらの組み合わせの形態で存在してもよい。試薬の付着は、堆積、配置、印刷、スタンピング、液体分配、蒸発（熱蒸発、蒸気蒸発、ヒト呼吸）、化学気相成長、及び／又はスパッタリングを含むが、これらに限定されない。異なる試薬は、異なる位置に存在してもよい。試薬は、試薬の小さいドットで印刷されてもよく、かつ／又は付着してもよい。
【０７２４】
いくつかの実施形態において、まず試薬を液体又は蒸気の形態でプレートに付着させ、その後にＣＲＯＦプロセスの前に乾燥してプレート上の乾燥試薬にする。
【０７２５】
試薬放出時間の制御  Ａ方法は、試薬放出時間（すなわち、試薬が試料中でどのくらい速く溶解するかを計測する時間）を制御するステップをさらに含む。試薬の試薬放出時間を制御するいくつかの実施形態は、試薬の頂部に試薬（の試料中への）放出に影響する一種又は複数種の「放出制御材料」を混合するか又は塗布するステップを含む。いくつかの態様においては、放出制御材料は、別の試薬であってもよい。例えば、ＡとＢの２種類の試薬を有し、試薬Ａは、試薬Ｂの上面に塗布され、一定の条件下で、試薬Ａは、試薬Ｂの前に試料中に溶解する。
【０７２６】
また、第１のプレート及び第２のプレートの表面特性を使用して試薬放出を制御することができる。１つの実施例は、表面の湿潤特性を制御することである。多くの試薬において、疎水性表面が試薬に十分に結合するため、試薬は試料中に放出されるか又は放出されず（試薬層の厚さに依存する）、親水性表面が試薬に不十分に結合するため、試薬は試料中に迅速に放出される。
【０７２７】
試薬の乾燥  いくつかの実施形態において、試薬堆積ステップ（ｃ）の後、試料堆積ステップ（ｄ）の前に、Ａ方法は、ステップ（ｃ）で付着した試薬の一部又は全部を乾燥するステップをさらに含む。
【０７２８】
試薬の位置  試薬は、１つ又は両方のプレートに適用及び／又は配置することができる。試薬は、プレート上の貯蔵部位（位置）に存在してもよく、各貯蔵部位は一種又は複数種の試薬を含む。異なる貯蔵部位は異なる試薬、同じ試薬又は一種又は複数種の一般的な試薬を含むことができる。
【０７２９】
添加された試薬の濃度を制御する。いくつかの実施形態において、前記方法は、貯蔵部位（すなわち、試薬を有する表面）上の試料の厚さを制御することにより、添加された試薬の濃度を制御するステップをさらに含むことができる。
【０７３０】
本発明で使用される試薬は、アッセイに必要な任意の適切な試薬、例えば、標識又は非標識抗体、標識又は非標識核酸、親和性部分を含有してもしなくてもよい酵素等であってもよい。いくつかの実施形態において、上記のように、貯蔵された試薬は、分析物の存在について血液又は他の液体試料を検査するために設計されたアッセイ成分であってもよい。例えば、塩化物イオンは、以下の方法のいずれかによって計測することができ、かつこれらのアッセイ成分は貯蔵部位に存在することができる。比色法：塩化物イオンはチオシアン酸水銀からチオシアネートを置換する。遊離チオシアネートは、第二鉄イオンと反応して、光度測定的に測定された着色複合体−チオシアン酸第二鉄を形成する。電量測定法：銀電極間に一定の直流電流が流れることにより、塩化物イオンと反応して塩化銀を形成する銀イオンを生成する。全ての塩化物イオンが銀イオンと結合した後、遊離銀イオンは蓄積し、電極間の電流は増加し、反応の終点を示す。水銀法：塩化物イオンを水銀イオンの標準溶液で滴定し、ＨｇＣｌ２可溶性錯体を形成する。過剰の水銀イオンが指示色素のジフェニルカルバゾンに結合して青色を形成する時に、反応の終点は、比色的に検出される。同様に、マグネシウムと反応すると赤紫色に変色するカルマジトを使用して、マグネシウムを測色的に測定することができ、ホルマザン色素検査により、マグネシウムと反応するか、又はマグネシウムに結合して青色の錯体を形成するメチルチモールブルーを使用する時に、６００ｎｍで発光する。同様に、Ｏ−クレゾールフタレイン複合体とカルシウムが反応すると紫色を呈するＯ−クレゾールフタレインを使用して、比色法でカルシウムを検出することができる。同様に、ホスホエノールピルビン酸カルボキシラーゼ（ＰＥＰＣ）によって触媒される反応において炭酸水素イオン（ＨＣＯ３−）及びホスホエノールピルビン酸（ＰＥＰ）がオキサロ酢酸及びリン酸に変換されるため、炭酸水素イオンを二色性で検査することができる。リンゴ酸デヒドロゲナーゼ（ＭＤ）は、還元ニコチンアミドアデニンジヌクレオチド（ＮＡＤＨ）の付随した酸化を伴い、オキサロ酢酸のリンゴ酸への還元を触媒する。このＮＡＤＨの酸化は、試料の炭酸水素イオンに比例して、３８０／４１０ｎｍで二色性で計測した反応混合物の吸光度の減少をもたらす。血中尿素窒素は、ジアセチル又はフェアロンが尿素を含む黄色の色原体を生成し、かつ測光法又は尿素をアンモニア及び炭酸に変換する酵素ウレアーゼの複数回使用により定量することができるという比色試験でアッセイすることができ、それは、例えばｉ）アンモニアがα−ケトグルタル酸と反応する時に３４０ｎｍでの吸光度を減少させ、ｉｉ）尿素が加水分解される溶液の伝導率の増加率を計測することにより測定することができる。同様に、クレアチニンは、試料をアルカリ性ピクリン酸塩溶液で処理して赤色錯体を得ることによって比色分析で計測することができ、さらに、クレアチンは、クレアチニンがクレアチニンイミノヒドロラーゼによって加水分解されるときに生成されたアンモニアを計測する非Ｊａｆｆｅ反応を用いて計測することができる。グルコースは、濃度を推定するために血液を一定量のグルコース���キシダーゼに一定の時間曝露するアッセイにおいて計測することができる。特定の時間後に、余分な血液を除去し、かつ発色することを可能して、それによりグルコース濃度を推定することができる。例えば、グルコースオキシダーゼとグルコースは反応して新生酸素を形成し、それはヨウ化カリウムを（濾紙中）ヨウ素に変換して茶色を形成する。グリコシル化ヘモグロビンの濃度は、血液中のグルコースレベルの間接的な読み値とする。赤血球の溶血にクロマトグラフ分析を行うとき、ヘモグロビンＡ１ａ、Ａ１ｂ及びＡ１ｃと名付けられた３つ以上の小さなピークは、主要ヘモグロビンＡピークの前に溶出される。これらの「迅速」ヘモグロビンは、二段階反応におけるグルコースとヘモグロビンとの不可逆的結合によって形成される。ヘキソキナーゼは、グルコースがヘキソキナーゼ（ＨＫ）によりアデノシン三リン酸（ＡＴＰ）及びマグネシウムイオンの存在下でリン酸化されて、グルコース−６−リン酸及びアデノシン二リン酸（ＡＤＰ）を生成するアッセイにおいて計測することができる。グルコース−６−リン酸デヒドロゲナーゼ（Ｇ６Ｐ−ＤＨ）は、グルコース−６−リン酸をグルコン酸−６−リン酸に特異的に酸化し、同時にＮＡＤ＋をＮＡＤＨに還元する。３４０ｎｍでの吸光度の増加は、試料中のグルコース濃度に比例する。ＨＤＬ、ＬＤＬ、トリグリセリドは、加水分解及びコレステロールの抽出後に、６２０ｎｍでのＬｉｅｂｅｒｍａｎｎ−Ｂｕｒｃｈａｒｄ試薬（無水酢酸、氷酢酸及び濃硫酸の混合試薬）による発色を含むＡｂｅｌｌ−Ｋｅｎｄａｌｌ方法を用いて計測することができる。蛍光分析を使用してトリグリセリド基準値を決定することができる。ヘパリン−塩化マンガンにより全血漿（ＬＤＬ及びＶＬＤＬ）におけるアポタンパク質Ｂ含有リポタンパク質を沈殿した後、血漿総コレステロールと同じ手順で血漿高密度リポタンパク質コレステロール（ＨＤＬ−Ｃ）を計測する。これらの化合物は、また、コレステロールエステル及び遊離コレステロールの両方を定量する酵素駆動反応に基づくアッセイにおいて比色検出を行うことができる。コレステロールエステルは、コレステロールエステラーゼを介してコレステロールに加水分解され、その後にコレステロールオキシダーゼによってコレスタ−４−エン−３−オンと過酸化水素に酸化される。その後に特異性の高い比色プローブで過酸化水素を検出する。西洋ワサビペルオキシダーゼは、１：１の比で結合されるプローブと過酸化水素との反応を触媒する。  試料は、コレステロール標準の既知の濃度と比較することができる。
【０７３１】
データ処理
特定の実施形態において、本発明の装置は、ＣＲＯＦ装置を読み取って取得されたデータを処理するように構成される。該装置は、本発明の方法におけるデータを処理するために、任意の適切な方式で構成されてもよい。特定の実施形態において、該装置は、データ格納及び／又はデータ処理用の命令の格納及び／又はデータベース格納用メモリ位置を有する。データは、任意の適切なフォーマットでメモリに格納することができる。
【０７３２】
特定の実施形態において、該装置は、データを処理するためのプロセッサを有する。特定の実施形態において、データを処理するための命令は、プロセッサに格納されてもよく、或いは別個のメモリ位置に格納されてもよい。いくつかの実施形態において、該装置は、処理を実装するためのソフトウェアを含むことができる。
【０７３３】
いくつかの実施形態において、ＣＲＯＦ装置から取得されたデータを処理するように構成された装置は、処理を実行するソフトウェア実装方法を含む。ソフトウェア実装方法は、画像取得アルゴリズム、画像処理アルゴリズム、ユーザと計算装置との間の相互作用を容易にし、データ収集、送信及び分析、通信プロトコルのための手段として機能するユーザインタフェース方法、及びデータ処理アルゴリズムのうちの１つ以上を含むことができる。特定の実施形態において、画像処理アルゴリズムは、粒子数、ＬＵＴ（ルックアップテーブル）フィルタ、粒子フィルタ、パターン認識、形態学的決定、ヒストグラム、ラインプロファイル、地形表現、２進数換算又はカラーマッチングプロファイルのうちの１つ以上を含む。
【０７３４】
特定の実施形態において、該装置は、表示ページが装置のメモリに常駐するソフトウェアによって解釈される時に、ビデオディスプレイ又はタッチスクリーンディスプレイで情報を表示するように構成される。本明細書で説明する表示ページは、例えば、ハイパーテキストマークアップ言語（「ＨＴＭＬ」）、ダイナミックハイパーテキストマークアップ言語（「ＤＨＴＭＬ」）、拡張可能ハイパーテキストマークアップ言語（「ＸＨＴＭＬ」）、拡張マークアップ言語（「ＸＭＬ」）、又はユーザによって知覚可能な方法でビデオ又は他のディスプレイに表示可能なコンピュータファイルを作成するように使用されてもよい別のソフトウェア言語などの任意の適切なソフトウェア言語を使用して作成することができる。論理、コード、データ、命令を有する任意のコンピュータ可読媒体を使用して、任意のソフトウェア又はステップ又は方法を実施することができる。ネットワークがインターネットを含む場合、表示ページは、適切なタイプのウェブページを含むことができる。
【０７３５】
本発明による表示ページは、例えば、ＶＢＳｃｒｉｐｔルーチン、ＪＳｃｒｉｐｔルーチン、ＪａｖａＳｃｒｉｐｔ（登録商標）ルーチン、Ｊａｖａ（登録商標）アプレット、ＡｃｔｉｖｅＸコンポーネント、ＡＳＰ．ＮＥＴ、ＡＪＡＸ、Ｆｌａｓｈアプレット、Ｓｉｌｖｅｒｌｉｇｈｔアプレット、又はＡＩＲルーチンのようなメモリ装置に記憶されたソフトウェアプログラムを含む組み込み機能を含むことができる。
【０７３６】
表示ページは、例えば、フレーム、ウィンドウ、スクロールバー、ボタン、アイコン、及びハイパーリンクなどのグラフィカルユーザインタフェース技術の周知の特徴、「クリック」インタフェース又はタッチスクリーンインタフェースのような周知の特徴を含む。グラフィカルユーザインタフェースボタン、アイコン、メニューオプション、又はハイパーリンクをポイントしてクリックすることは、ボタン、オプション、又はハイパーリンクを「選択」することとしても知られている。本発明に係る表示ページは、マルチメディア機能、マルチタッチ、ピクセルセンス、ＩＲ  ＬＥＤベースの表面、カメラの有無にかかわらず視覚に基づく相互作用を組み込むことができる。
【０７３７】
ユーザインタフェースは、ビデオディスプレイ及び／又は表示ページに表示されてもよい。ユーザインタフェースは、以下にさらに説明するように、試料に関する分析データに基づいて生成されたレポートを表示することができる。
【０７３８】
プロセッサは、任意の適切な方式で本発明の方法に使用されるデータを処理するように構成することができる。データは、例えば、ビニングされたデータ、変換されたデータ（例えば、フーリエ変換によって周波数領域に変換された時間領域データ）に処理されるか、又は他のデータと組み合わされて処理される。該処理は、データを所望の形式にすることができ、データのフォーマットを変更することを含むことができる。処理は、試料からの信号の検出、試料を検査するために使用された装置又は試薬に特有の数学的操作又は補正及び／又は較正に基づく生データの補正、濃度値などの値の計算、（ベースライン、閾値、標準曲線、履歴データ又は他のセンサからのデータなどとの）比較、検査が正確であるか否かの決定、（正常範囲又は許容範囲を上回るか又は下回るか、又は異常状態を示すなどの）異常値であるか又は懸念の原因となり得る値又は結果の強調表示、又は異常条件の存在を共に示すことができる結果の組み合わせ、カーブフィッティング、数学的又は他の分析的推論（演繹的、誘導的、ベイジアン、又は他の推論を含む）の基礎としてのデータの使用及び他の適切な処理形式を含むことができ、特定の実施形態において、処理は、処理されたデータを装置に記憶されたデータベースと比較して、対象によって実行される一連の動作のための命令を検索することを含むことができる。
【０７３９】
特定の実施形態において、装置は、入力データをメモリに格納されたデータベースと比較することにより入力データを処理して、対象によって実行される一連の動作のための命令を検索するように構成されてもよい。いくつかの実施形態において、データベースは、関心対象となる分析物の閾値を含む、格納された情報を含むことができる。閾値は、１つ以上の分析物の存在又は濃度を決定するために使用されてもよい。閾値は、アラートが有用である状況を検出するために使用されてもよい。データ格納ユニットは、試料に関するレポートの生成に有用な記録又は他の情報を含むことができる。
【０７４０】
特定の実施形態において、装置は、ＣＲＯＦ装置からのデータを受信するように構成されてもよい。従って、場合によっては、装置は、対象によって提供された試料に関連しないが診断に関連するデータを受信するように構成されてもよい。これらのデータは、年齢、性別、身長、体重、個人及び／又は家族の病歴などを含むが、それらに限定されない。特定の実施形態において、該装置は、ＣＲＯＦ装置に適用された試料から導出されるか、又は該試料から独立するデータを処理するように構成される。
【０７４１】
２０  包装
本発明の別の態様は、使用される試薬の寿命を延ばし、かつ使用を容易にする包装に関する。
【０７４２】
いくつかの実施形態において、試薬を有するか又は有さないＣＲＯＦにおけるプレートは包装の中に置かれ、１つの包装に１つのプレートを置くか又は１つの包装に１つ以上のプレートを置く。一実施形態において、第１のプレート及び第２のプレートは、使用前に異なる包装に包装される。いくつかの実施形態において、異なるアッセイは、共通の第１のプレート又は共通の第２のプレートを共有する。
【０７４３】
いくつかの実施形態において、各包装は密閉されている。いくつかの実施形態において、密閉は、包装の外部の空気、化学薬品、湿気、汚染物、又はそれらのいずれかの組合せが包装の内部に入るのを防止するために用いられる。いくつかの実施形態において、包装は、真空密閉されているか又は窒素ガス又は内部ガスで充填されている。いくつかの実施形態において、プレート及び／又は試薬（捕捉剤、検出剤などを含む）の保存期間を延ばすことができる材料は、プレートとともに包装内に包装される。
【０７４４】
いくつかの実施形態において、包装材料が薄い層の形態であるので、包装は人間の手により容易に引き裂かれ得る。
【０７４５】
２１  信号増幅表面を用いた均一アッセイ
アッセイの多くの応用において、特にＰｏＣ又は他の迅速アッセイにおいて、洗浄ステップを回避することが望ましい。本発明の一態様は、アッセイ洗浄を回避できる装置、システム及び方法に関する。
【０７４６】
信号増幅表面を含有及び／又は使用することにより、開示された装置、システム及び方法は、洗浄しない状況でアッセイの実行を容易にすることができる。表面増幅表面は、表面から短距離（例えば、２０ｎｍ、又は５０ｎｍ、又は１００ｎｍ）に放射された光のみを増幅することができる。表面増幅層の一実施例は、Ｄ２ＰＡである。
【０７４７】
以下の特許請求の範囲は、開示された発明に向けられた新規かつ非自明な特定の組み合わせと部分的組み合わせを特に指摘すると考えられる。特徴、機能、要素及び／又は特性の他の組み合わせ又は部分的組み合わせに具体化された発明は、本発明の請求項の補正又は本願又は関連出願における新規の請求の提示によって要求されてもよい。そのような修正又は新しい請求項は、それらが異なる発明に向けられたものであっても、同じ発明に向けられたものであっても、異なり、より広く、より狭く、或いは元の特許請求の範囲に等しいか否かに関わらず、本開示の発明の主題内に含まれるものとも見なされる。
【図１】
2020008594.tif 000004
【図２】
2020008594.tif 000005
【図３】
2020008594.tif 000006
【図４】
2020008594.tif 000007
【図５】
2020008594.tif 000008
【図６】
2020008594.tif 000009
【図７】
2020008594.tif 000010
【図８】
2020008594.tif 000011
【図９】
2020008594.tif 000012
【図１０】
2020008594.tif 000013
【図１１】
2020008594.tif 000014
【図１２】
2020008594.tif 000015
【図１３】
2020008594.tif 000016
【図１４】
2020008594.tif 000017
【図１５】
2020008594.tif 000018
【図１６】
2020008594.tif 000019
【図１７】
2020008594.tif 000020
【図１８】
2020008594.tif 000021
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
蒸気試料中の分析物を分析するための方法であって、
（ａ）第１のプレートと、第２のプレートと、１つ以上のスペーサとを含む装置を得るステップであって、
ｉ．前記第１のプレート及び前記第２のプレートが、開放構成及び閉鎖構成を含む異なる構成になるように互いに対して移動可能であり、
ｉｉ．各プレートが、分析物を含む又は分析物を含むと疑われる蒸気試料と接触するための試料接触領域を有し、
ｉｉｉ．前記試料接触領域の１つ又は両方が、前記スペーサのうちの少なくとも１つを有する、ステップと、
（ｂ）開放構成において、前記蒸気試料の蒸気を１つ又は複数の前記プレートの上で直接凝縮させることによって前記蒸気試料を前記プレートの１つ又は両方の上に付着させるステップと、
（ｃ）ステップ（ｂ）の後に、前記２つのプレートを閉鎖構成にするステップと、
（ｄ）ステップ（ｃ）の後に、前記蒸気試料を分析して、結果を生成するステップと
を含み、
前記開放構成では、前記２つのプレートが完全に又は部分的に離され、前記プレート間の間隔が前記スペーサにより調節されず、前記閉鎖構成では、前記蒸気試料の少なくとも一部が、前記２つのプレートの間にありかつ前記２つのプレートと接触し、前記スペーサ及び前記プレートの表面により調節されかつ３０μｍ以下である厚さを有する、方法。
【請求項２】
被覆時間遅延が１０秒以下であり、ここで、前記被覆時間遅延は、前記蒸気試料を付着させるステップ（ｂ）の終わりと、前記２つのプレートを前記閉鎖構成にするステップ（ｃ）の終わりとの間の時間遅延である、請求項１に記載の方法。
【請求項３】
被覆時間遅延が６０秒以下である、請求項１に記載の方法。
【請求項４】
試料層が、１０μｍ以下の厚さを有する、請求項１に記載の方法。
【請求項５】
前記分析物が、分子、タンパク質、ペプチド、ＤＮＡ、ＲＮＡ、核酸、細胞、組織、ウイルス、ナノ粒子、代謝産物、又はそれらの任意の組み合わせもしくは誘導体を含む、請求項１に記載の方法。
【請求項６】
前記分析物が、揮発性有機化合物（ＶＯＣ）、窒素、酸素、ＣＯ2、Ｈ2Ｏ又は不活性ガスを含む、請求項１に記載の方法。
【請求項７】
前記試料が、ヒト又は動物に由来する呼気凝縮液である、請求項１に記載の方法。
【請求項８】
捕捉剤、検出剤、又は二次検出剤の使用をさらに含み、前記捕捉剤、検出剤、又は二次検出剤が前記分析物と結合する、請求項１に記載の方法。
【請求項９】
捕捉剤、検出剤、又は二次検出剤の使用をさらに含み、前記捕捉剤、検出剤、又は二次検出剤が、タンパク質、ペプチド、ＤＮＡ、ＲＮＡ、核酸、分子（小分子もしくは大分子）、細胞、組織、ウイルス、又は異なる形状のナノ粒子を含む、請求項１に記載の方法。
【請求項１０】
前記試料が、生体試料、環境試料、食品試料、化学試料、又は臨床試料に由来する蒸気である、請求項１に記載の方法。
【請求項１１】
１つ又は両方のプレートが、信号増幅表面における前記分析物に関する信号を前記表面から離れている信号よりも強くする信号増幅表面をさらに含み、ステップ（ｄ）の分析が洗浄なしで行われる、請求項１に記載の方法。
【請求項１２】
放出時間制御材料をさらに含む前記試料接触表面が、乾燥試薬が前記試料中に放出され始める時間を少なくとも３秒遅らせる、請求項１に記載の方法。
【請求項１３】
前記試料接触表面が、１つより多い所定のアッセイ部位をさらに含む、請求項１に記載の方法。
【請求項１４】
前記プレートの少なくとも１つが可撓性であり、スペーサ間距離（ＩＳＤ）の４乗を前記可撓性プレートの厚さ（ｈ）及び前記可撓性プレートのヤング率（Ｅ）で割り算したＩＳＤ４／（ｈＥ）が、１０６μｍ３／ＧＰａ以下であり、前記可撓性プレートの厚さと前記可撓性プレートのヤング率との乗積が、６０〜７５０ＧＰａ−μｍの範囲内にある、請求項１に記載の方法。
【請求項１５】
前記プレートの少なくとも１つが可撓性であり、スペーサ間距離（ＩＳＤ）の４乗を前記可撓性プレートの厚さ（ｈ）及び前記可撓性プレートのヤング率（Ｅ）で割り算したＩＳＤ４／（ｈＥ）が、１０６μｍ３／ＧＰａ以下であり、前記可撓性プレートの厚さと前記可撓性プレートのヤング率との乗積が、６０〜７５０ＧＰａ−μｍの範囲内にあり、前記スペーサのヤング率と前記スペーサの充填率との乗積が１０ＭＰａ以上であり、前記スペーサが周期的に配置されている、請求項１に記載の方法。
【請求項１６】
前記スペーサが柱形状を有しかつ平坦な上面を有し、各スペーサについて、その高さに対するスペーサの横方向寸法の比が少なくとも１である、請求項１に記載の方法。
【請求項１７】
１つ又は両方のプレートが、前記プレートの表面上又は内部のいずれか一方に、（ｉ）前記プレートの位置情報を提供する位置マーカー、（ｉｉ）前記試料及び／もしくは前記プレートの構造の横方向寸法の情報を提供するスケールマーカー、又は（ｉｉｉ）前記試料の画像化を支援する、前記プレートの表面上もしくは内部のいずれか一方にある画像化マーカーを含む、請求項１に記載の方法。
【請求項１８】
前記スペーサの少なくとも一部が、スケールマーカー、位置マーカー、画像化マーカー、又はそれらの任意の組み合わせである、請求項１に記載の方法。
【請求項１９】
前記スペーサ間の距離が、１μｍ〜２００μｍの範囲内である、請求項１に記載の方法。
【請求項２０】
前記スペーサが周期的に配置されている、請求項１に記載の方法。
【請求項２１】
アッセイするステップ（ｄ）が、ｉ．信号を検出する及び／又は蒸気凝縮液試料を画像化するための１つ以上のカメラと、ｉｉ．検出された信号及び／又は蒸気凝縮液試料の画像を受信及び／又は処理し、遠隔通信するための、電子機器、信号プロセッサ、ハードウェア及びソフトウェアとを含む移動通信装置の使用を含む、請求項１に記載の方法。
【請求項２２】
分析するステップ（ｄ）において、分析結果が、医療専門家からの処方、診断及び勧告からなる群から選択される１つ又は複数を含む、請求項１に記載の方法。
【請求項２３】
アッセイするステップ（ｄ）が、前記試料中の前記分析物の存在の決定及び前記試料中の前記分析物の量の決定からなる群から選択される少なくとも１つを含む、請求項１に記載の方法。
【請求項２４】
アッセイするステップが、結合アッセイ及び生化学的アッセイのうちの少なくとも１つを行うことを含む、請求項１に記載の方法。
【請求項２５】
アッセイするステップが、前記第１のプレート又は前記第２のプレートにより画定された関連体積、試料層の厚さ、及び検出された前記分析物の量に基づいて、前記試料の関連体積中の前記分析物の濃度を計算することを含む、請求項１に記載の方法。
【請求項２６】
前記２つのプレートを前記閉鎖構成にするステップ（ｃ）が、ヒトの手により前記第１のプレート及び前記第２のプレートを一緒にプレスすることを含む、請求項１に記載の方法。
【請求項２７】
前記スペーサが、円形、多角形、環形、正方形、長方形、長円形、楕円形及びそれらの任意の組み合わせからなる群から選択される断面形状を有する柱である、請求項１に記載の方法。
【請求項２８】
前記装置が、前記分析物を染色するための染色剤を含む、請求項１に記載の方法。
【請求項２９】
前記第１及び第２のプレートの少なくとも１つが、前記試料の画像化を助けるための画像化マーカーを含む、請求項１に記載の方法。
【請求項３０】
前記プレートの少なくとも１つが、アッセイ試薬が貯蔵された貯蔵部位を含む、請求項１に記載の方法。
【請求項３１】
ステップ（ｄ）の分析が、光信号を検出するための光検出器又は電気信号を検出するための電気的検出器である検出器を使用することを含む、請求項１に記載の方法。